(57)【要約】  本開示は、ＬＴＥ（Ｌｏｎｇ  Ｔｅｒｍ  Ｅｖｏｌｕｔｉｏｎ）のような４Ｇ（４ｔｈ−Ｇｅｎｅｒａｔｉｏｎ）通信システムより高いデータレートをサポートするために提供されるｐｒｅ−５Ｇ又は５Ｇ通信システムに関する。ＢＳの方法はリソースブロック（ＲＢ）レベル周波数オフセット及びリソース要素（ＲＥ）レベル周波数オフセットを含む周波数オフセットを決定するステップ−周波数オフセットはＳＳ／ＰＢＣＨ（ｓｙｎｃｈｒｏｎｉｚａｔｉｏｎ  ｓｉｇｎａｌ／ｐｈｙｓｉｃａｌ  ｂｒｏａｄｃａｓｔ  ｃｈａｎｎｅｌ）ブロックの最下位ＲＥ及びＲＭＳＩ（ｒｅｍａｉｎｉｎｇ  ｍｉｎｉｍｕｍ  ｓｙｓｔｅｍ  ｉｎｆｏｒｍａｔｉｏｎ）に対するＣＯＲＥＳＥＴ（ｃｏｎｔｒｏｌ  ｒｅｓｏｕｒｃｅ  ｓｅｔ）の最下位ＲＥに基づいて決定される−、ＳＳ／ＰＢＣＨブロックのサブキャリア間隔（ＳＣＳ）とＣＯＲＥＳＥＴのＳＣＳの組み合わせのために、４ビットの第１フィールドを使用して、ＳＳ／ＰＢＣＨブロックとＣＯＲＥＳＥＴの多重化パターン、ＣＯＲＥＳＥＴの帯域幅（ＢＷ）及びＣＯＲＥＳＥＴに対するシンボル個数とともにＲＢレベル周波数オフセットを共同で構成するステップ、４ビットの第２フィールドを使用して構成するステップ、ＲＢレベル周波数オフセット及びＲＥレベル周波数オフセットを含むＭＩＢを生成するステップ、及びＰＢＣＨを介してＭＩＢをＵＥに送信するステップを含む。
2021501538.tif 000002
【特許請求の範囲】
【請求項１】
無線通信システムにおけるユーザ装備（ｕｓｅｒ  ｅｑｕｉｐｍｅｎｔ、ＵＥ）において、
ＰＢＣＨ（ｐｈｙｓｉｃａｌ  ｂｒｏａｄｃａｓｔｉｎｇ  ｃｈａｎｎｅｌ）を介して基地局（ｂａｓｅ  ｓｔａｔｉｏｎ、ＢＳ）からマスター情報ブロック（ｍａｓｔｅｒ  ｉｎｆｏｒｍａｔｉｏｎ  ｂｌｏｃｋ、ＭＩＢ）を受信するように構成される送受信機；及び
前記送受信機に動作可能に接続され、受信された前記ＭＩＢから周波数オフセットを決定するように構成されるプロセッサを含み、
前記周波数オフセットはＳＳ／ＰＢＣＨ（ｓｙｎｃｈｒｏｎｉｚａｔｉｏｎ  ｓｉｇｎａｌ／ｐｈｙｓｉｃａｌ  ｂｒｏａｄｃａｓｔ  ｃｈａｎｎｅｌ）ブロックの最下位ＲＥ及びＲＭＳＩ（ｒｅｍａｉｎｉｎｇ  ｍｉｎｉｍｕｍ  ｓｙｓｔｅｍ  ｉｎｆｏｒｍａｔｉｏｎ）に対するＣＯＲＥＳＥＴ（ｃｏｎｔｒｏｌ  ｒｅｓｏｕｒｃｅ  ｓｅｔ）の最下位ＲＥに基づいて決定され、
前記周波数オフセットはリソースブロック（ｒｅｓｏｕｒｃｅ  ｂｌｏｃｋ、ＲＢ）レベル周波数オフセット又はリソース要素（ｒｅｓｏｕｒｃｅ  ｅｌｅｍｅｎｔ、ＲＥ）レベル周波数オフセットを含み、
前記ＲＢレベル周波数オフセットは、前記ＳＳ／ＰＢＣＨブロックのサブキャリア間隔（ｓｕｂｃａｒｒｉｅｒ  ｓｐａｃｉｎｇ、ＳＣＳ）と前記ＣＯＲＥＳＥＴのＳＣＳの組み合わせのために、４ビットの第１フィールドを使用して、前記ＳＳ／ＰＢＣＨブロックと前記ＣＯＲＥＳＥＴの多重化パターン、前記ＣＯＲＥＳＥＴの帯域幅（ＢＷ）、及び前記ＣＯＲＥＳＥＴに対するシンボル個数とともに共同で構成され、また
前記ＲＥレベル周波数オフセットは４ビットの第２フィールドを使用して構成される、ユーザ装備（ＵＥ）。
【請求項２】
前記ＳＳ／ＰＢＣＨブロックと前記ＣＯＲＥＳＥＴの多重化パターンは、
前記ＳＳ／ＰＢＣＨブロックと前記ＣＯＲＥＳＥＴが互いに異なる時間インスタンスで発生し、前記ＳＳ／ＰＢＣＨブロックの帯域幅が前記ＣＯＲＥＳＥＴの帯域幅と重なるようにする第１多重化パターン；
前記ＳＳ／ＰＢＣＨブロックと前記ＣＯＲＥＳＥＴが互いに異なる時間インスタンスで発生し、前記ＳＳ／ＰＢＣＨブロックの帯域幅が前記ＣＯＲＥＳＥＴの帯域幅と重ならないようにする第２多重化パターン；又は
前記ＳＳ／ＰＢＣＨブロックと前記ＣＯＲＥＳＥＴが同じ時間インスタンスで発生し、前記ＳＳ／ＰＢＣＨブロックの帯域幅が前記ＣＯＲＥＳＥＴの帯域幅と重ならないようにする第３多重化パターン
のうち少なくとも１つを含む、請求項１に記載のユーザ装備（ＵＥ）。
【請求項３】
前記第１多重化パターンに対して、
ＳＣＳＳＳ＝１５ｋＨｚ、ＳＣＳＣＯＲＥＳＥＴ＝１５ｋＨｚ、ＢＷＣＯＲＥＳＥＴ＝２４ＲＢの場合、前記ＲＢレベル周波数オフセットの構成が０、２又は４ＲＢのうち１つに決定され；
ＳＣＳＳＳ＝１５ｋＨｚ、ＳＣＳＣＯＲＥＳＥＴ＝１５ｋＨｚ、ＢＷＣＯＲＥＳＥＴ＝４８ＲＢの場合、前記ＲＢレベル周波数オフセットの構成は１２又は１６ＲＢのうち１つに決定され；
ＳＣＳＳＳ＝１５ｋＨｚ、ＳＣＳＣＯＲＥＳＥＴ＝１５ｋＨｚ、ＢＷＣＯＲＥＳＥＴ＝９６ＲＢの場合、前記ＲＢレベル周波数オフセットの構成は３８ＲＢに決定され；
ＳＣＳＳＳ＝１５ｋＨｚ、ＳＣＳＣＯＲＥＳＥＴ＝３０ｋＨｚ、ＢＷＣＯＲＥＳＥＴ＝２４ＲＢの場合、前記ＲＢレベル周波数オフセットの構成は６、７又は８ＲＢのうち１つに決定され；
ＳＣＳＳＳ＝１５ｋＨｚ、ＳＣＳＣＯＲＥＳＥＴ＝３０ｋＨｚ、ＢＷＣＯＲＥＳＥＴ＝４８ＲＢの場合、前記ＲＢレベル周波数オフセットの構成は１８又は２０ＲＢのうち１つに決定され；
ＳＣＳＳＳ＝３０ｋＨｚ、ＳＣＳＣＯＲＥＳＥＴ＝１５ｋＨｚ、ＢＷＣＯＲＥＳＥＴ＝４８ＲＢの場合、前記ＲＢレベル周波数オフセットの構成は２又は６ＲＢのうち１つに決定され；
ＳＣＳＳＳ＝３０ｋＨｚ、ＳＣＳＣＯＲＥＳＥＴ＝１５ｋＨｚ、ＢＷＣＯＲＥＳＥＴ＝９６ＲＢの場合、前記ＲＢレベル周波数オフセットの構成は２８ＲＢに決定され；
ＳＣＳＳＳ＝３０ｋＨｚ、ＳＣＳＣＯＲＥＳＥＴ＝３０ｋＨｚ、ＢＷＣＯＲＥＳＥＴ＝２４ＲＢの場合、前記ＲＢレベル周波数オフセットの構成は０、１、２、３又は４ＲＢのうち１つに決定され；
ＳＣＳＳＳ＝３０ｋＨｚ、ＳＣＳＣＯＲＥＳＥＴ＝３０ｋＨｚ、ＢＷＣＯＲＥＳＥＴ＝４８ＲＢの場合、前記ＲＢレベル周波数オフセットの構成は１２、１４又は１６ＲＢのうち１つに決定され；
ＳＣＳＳＳ＝１２０ｋＨｚ、ＳＣＳＣＯＲＥＳＥＴ＝６０ｋＨｚ、ＢＷＣＯＲＥＳＥＴ＝４８ＲＢの場合、ＲＢレベル周波数オフセットの構成は０又は８ＲＢのうち１つに決定され；
ＳＣＳＳＳ＝１２０ｋＨｚ、ＳＣＳＣＯＲＥＳＥＴ＝６０ｋＨｚ、ＢＷＣＯＲＥＳＥＴ＝９６ＲＢの場合、前記ＲＢレベル周波数オフセットの構成は２８ＲＢに決定され；
ＳＣＳＳＳ＝１２０ｋＨｚ、ＳＣＳＣＯＲＥＳＥＴ＝１２０ｋＨｚ、ＢＷＣＯＲＥＳＥＴ＝２４ＲＢの場合、前記ＲＢレベル周波数オフセットの構成はそれぞれ０又は４ＲＢのうち１つに決定され；
ＳＣＳＳＳ＝１２０ｋＨｚ、ＳＣＳＣＯＲＥＳＥＴ＝１２０ｋＨｚ、ＢＷＣＯＲＥＳＥＴ＝４８ＲＢの場合、前記ＲＢレベル周波数オフセットの構成は１４ＲＢに決定され；
ＳＣＳＳＳ＝２４０ｋＨｚ、ＳＣＳＣＯＲＥＳＥＴ＝６０ｋＨｚ、ＢＷＣＯＲＥＳＥＴ＝９６ＲＢの場合、前記ＲＢレベル周波数オフセットの構成は０又は１６ＲＢのうち１つに決定され；また
ＳＣＳＳＳ＝２４０ｋＨｚ、ＳＣＳＣＯＲＥＳＥＴ＝１２０ｋＨｚ、ＢＷＣＯＲＥＳＥＴ＝４８ＲＢの場合、前記ＲＢレベル周波数オフセットの構成は０又は８ＲＢのうち１つに決定される、請求項２に記載のユーザ装備（ＵＥ）。
【請求項４】
前記第２多重化パターンに対して、
ＳＣＳＳＳ＝１２０ｋＨｚ、ＳＣＳＣＯＲＥＳＥＴ＝６０ｋＨｚ、ＢＷＣＯＲＥＳＥＴ＝４８ＲＢの場合、前記構成されたＲＥレベル周波数オフセットが０でないと決定されると前記ＲＢレベル周波数オフセットの構成は−４２又は４９ＲＢのうち１つに決定され、前記構成されたＲＥレベル周波数オフセットが０に決定されると前記ＲＢレベル周波数オフセットの構成は−４１又は４９ＲＢのうち１つに決定され；
ＳＣＳＳＳ＝１２０ｋＨｚ、ＳＣＳＣＯＲＥＳＥＴ＝６０ｋＨｚ、ＢＷＣＯＲＥＳＥＴ＝９６ＲＢの場合、前記構成されたＲＥレベル周波数オフセットが０でないと決定されると前記ＲＢレベル周波数オフセットの構成は−４２又は９７ＲＢのうち１つに決定され、前記構成されたＲＥレベル周波数オフセットが０に決定されると前記ＲＢレベル周波数オフセットの構成は−４１又は９７ＲＢのうち１つに決定され；
ＳＣＳＳＳ＝２４０ｋＨｚ、ＳＣＳＣＯＲＥＳＥＴ＝１２０ｋＨｚ、ＢＷＣＯＲＥＳＥＴ＝２４ＲＢの場合、前記構成されたＲＥレベル周波数オフセットが０でないと決定されると前記ＲＢレベル周波数オフセットの構成は−４２又は２５ＲＢのうち１つに決定され、前記構成されたＲＥレベル周波数オフセットが０に決定されると前記ＲＢレベル周波数オフセットの構成は−４１又は２５ＲＢのうち１つに決定され；また
ＳＣＳＳＳ＝２４０ｋＨｚ、ＳＣＳＣＯＲＥＳＥＴ＝１２０ｋＨｚ、ＢＷＣＯＲＥＳＥＴ＝４８ＲＢの場合、前記構成されたＲＥレベル周波数オフセットが０でないと決定されると前記ＲＢレベル周波数オフセットの構成は−４２又は４９ＲＢのうち１つに決定され、前記構成されたＲＥレベル周波数オフセットが０に決定されると前記ＲＢレベル周波数オフセットの構成は−４１又は４９ＲＢのうち１つに決定され；また、前記第３多重化パターンに対して：
ＳＣＳＳＳ＝１２０ｋＨｚ、ＳＣＳＣＯＲＥＳＥＴ＝１２０ｋＨｚ、ＢＷＣＯＲＥＳＥＴ＝２４ＲＢの場合、前記構成されたＲＥレベル周波数オフセットが０でないと決定されると前記ＲＢレベル周波数オフセットの構成は−２１又は２４ＲＢのうち１つに決定され、前記構成されたＲＥレベル周波数オフセットが０に決定されると、前記ＲＢレベル周波数オフセットの構成は−２０又は２４ＲＢのうち１つに決定され；また
ＳＣＳＳＳ＝１２０ｋＨｚ、ＳＣＳＣＯＲＥＳＥＴ＝１２０ｋＨｚ、ＢＷＣＯＲＥＳＥＴ＝４８ＲＢの場合、前記構成されたＲＥレベル周波数オフセットが０でないと決定されると前記ＲＢレベル周波数オフセットの構成は−２１又は４８ＲＢのうち１つに決定され、前記構成されたＲＥレベル周波数オフセットが０に決定されると前記ＲＢレベル周波数オフセットの構成は−２０又は４８ＲＢのうち１つに決定される、請求項２に記載のユーザ装備（ＵＥ）。
【請求項５】
無線通信システムにおける基地局（ＢＳ）において、
プロセッサであって、
リソースブロック（ＲＢ）レベル周波数オフセット及びリソース要素（ＲＥ）レベル周波数オフセットを含む周波数オフセットを決定し−前記周波数オフセットはＳＳ／ＰＢＣＨ（ｓｙｎｃｈｒｏｎｉｚａｔｉｏｎ  ｓｉｇｎａｌ／ｐｈｙｓｉｃａｌ  ｂｒｏａｄｃａｓｔ  ｃｈａｎｎｅｌ）ブロックの最下位ＲＥ及びＲＭＳＩ（ｒｅｍａｉｎｉｎｇ  ｍｉｎｉｍｕｍ  ｓｙｓｔｅｍ  ｉｎｆｏｒｍａｔｉｏｎ）に対するＣＯＲＥＳＥＴ（ｃｏｎｔｒｏｌ  ｒｅｓｏｕｒｃｅ  ｓｅｔ）の最下位ＲＥに基づいて決定される−；
前記ＳＳ／ＰＢＣＨブロックのサブキャリア間隔（ＳＣＳ）と前記ＣＯＲＥＳＥＴのＳＣＳの組み合わせのために、４ビットの第１フィールドを使用して、前記ＳＳ／ＰＢＣＨブロックと前記ＣＯＲＥＳＥＴの多重化パターン、前記ＣＯＲＥＳＥＴの帯域幅（ＢＷ）及び前記ＣＯＲＥＳＥＴに対するシンボル個数とともに前記ＲＢレベル周波数オフセットを共同で構成し；
４ビットの第２フィールドを使用して、前記ＲＥレベル周波数オフセットを構成し；また
前記構成されたＲＢレベル周波数オフセット及び前記構成されたＲＥレベル周波数オフセットを含むマスター情報ブロック（ＭＩＢ）を生成するように構成される、前記プロセッサ；及び
前記プロセッサに動作可能に接続され、ＰＢＣＨを介して前記ＭＩＢをユーザ装備（ＵＥ）に送信するように構成される送受信機
を含む、基地局（ＢＳ）。
【請求項６】
前記ＳＳ／ＰＢＣＨブロックと前記ＣＯＲＥＳＥＴの多重化パターンは、
前記ＳＳ／ＰＢＣＨブロックと前記ＣＯＲＥＳＥＴが互いに異なる時間インスタンスで発生し、前記ＳＳ／ＰＢＣＨブロックの帯域幅が前記ＣＯＲＥＳＥＴの帯域幅と重なるようにする第１多重化パターン；
前記ＳＳ／ＰＢＣＨブロックと前記ＣＯＲＥＳＥＴが互いに異なる時間インスタンスで発生し、前記ＳＳ／ＰＢＣＨブロックの帯域幅が前記ＣＯＲＥＳＥＴの帯域幅と重ならないようにする第２多重化パターン；又は
前記ＳＳ／ＰＢＣＨブロックと前記ＣＯＲＥＳＥＴが同じ時間インスタンスで発生し、前記ＳＳ／ＰＢＣＨブロックの帯域幅が前記ＣＯＲＥＳＥＴの帯域幅と重ならないようにする第３多重化パターン
のうち少なくとも１つを含む、請求項５に記載の基地局（ＢＳ）。
【請求項７】
前記第１多重化パターンに対して、前記ＲＢレベル周波数オフセットは複数の構成で構成され、前記構成の個数は前記ＳＳ／ＰＢＣＨブロックのＳＣＳ、前記ＣＯＲＥＳＥＴのＳＣＳ、前記ＣＯＲＥＳＥＴの帯域幅、前記ＳＳ／ＰＢＣＨブロックが送信されるキャリアの帯域幅、及び前記ＳＳ／ＰＢＣＨブロックが送信される前記キャリアの最小キャリア帯域幅に基づいて決定され、次の式によって与えられ、
【数１】
2021501538.tif 000056
ここで、
【数２】
2021501538.tif 000057
は前記キャリアの最小キャリア帯域幅で、ＢＷＳＳは前記ＳＳ／ＰＢＣＨブロックの帯域幅で、ＳＣＳＳＳは前記ＳＳ／ＰＢＣＨブロックのサブキャリア間隔で、ＳＣＳＣＯＲＥＳＥＴは前記ＣＯＲＥＳＥＴのサブキャリア間隔で、ＢＷｃａｒｒｉｅｒは前記ＳＳ／ＰＢＣＨが送信される前記キャリアの帯域幅で、ＢＷＣＯＲＥＳＥＴは前記ＣＯＲＥＳＥＴの帯域幅で、ＲｃａｒｒｉｅｒはＲＢレベルキャリアラスターである、請求項６に記載の基地局（ＢＳ）。
【請求項８】
前記第１多重化パターンに対して、
ＳＣＳＳＳ＝１５ｋＨｚ、ＳＣＳＣＯＲＥＳＥＴ＝１５ｋＨｚ、ＢＷＣＯＲＥＳＥＴ＝２４ＲＢの場合、前記ＲＢレベル周波数オフセットの構成の個数が３で、前記ＲＢレベル周波数オフセットの構成はそれぞれ０、２及び４ＲＢで；
ＳＣＳＳＳ＝１５ｋＨｚ、ＳＣＳＣＯＲＥＳＥＴ＝１５ｋＨｚ、ＢＷＣＯＲＥＳＥＴ＝４８ＲＢの場合、前記ＲＢレベル周波数オフセットの構成の個数は２で、前記ＲＢレベル周波数オフセットの構成はそれぞれ１２及び１６ＲＢで；
ＳＣＳＳＳ＝１５ｋＨｚ、ＳＣＳＣＯＲＥＳＥＴ＝１５ｋＨｚ、ＢＷＣＯＲＥＳＥＴ＝９６ＲＢの場合、前記ＲＢレベル周波数オフセットの構成の個数は１で、前記ＲＢレベル周波数オフセットの構成は３８ＲＢで；
ＳＣＳＳＳ＝１５ｋＨｚ、ＳＣＳＣＯＲＥＳＥＴ＝３０ｋＨｚ、ＢＷＣＯＲＥＳＥＴ＝２４ＲＢの場合、前記ＲＢレベル周波数オフセットの構成の個数は３で、前記ＲＢレベル周波数オフセットの構成はそれぞれ６、７、８ＲＢで；
ＳＣＳＳＳ＝１５ｋＨｚ、ＳＣＳＣＯＲＥＳＥＴ＝３０ｋＨｚ、ＢＷＣＯＲＥＳＥＴ＝４８ＲＢの場合、前記ＲＢレベル周波数オフセットの構成の個数は２で、前記ＲＢレベル周波数オフセットの構成はそれぞれ１８及び２０ＲＢで；
ＳＣＳＳＳ＝３０ｋＨｚ、ＳＣＳＣＯＲＥＳＥＴ＝１５ｋＨｚ、ＢＷＣＯＲＥＳＥＴ＝４８ＲＢの場合、前記ＲＢレベル周波数オフセットの構成の個数は２で、前記ＲＢレベル周波数オフセットの構成はそれぞれ２及び６ＲＢで；
ＳＣＳＳＳ＝３０ｋＨｚ、ＳＣＳＣＯＲＥＳＥＴ＝１５ｋＨｚ、ＢＷＣＯＲＥＳＥＴ＝９６ＲＢの場合、前記ＲＢレベル周波数オフセットの構成の個数は１で、前記ＲＢレベル周波数オフセットの構成は２８ＲＢで；
ＳＣＳＳＳ＝３０ｋＨｚ、ＳＣＳＣＯＲＥＳＥＴ＝３０ｋＨｚ、ＢＷＣＯＲＥＳＥＴ＝２４ＲＢの場合、前記ＲＢレベル周波数オフセットの構成の個数は５で、前記ＲＢレベル周波数オフセットの構成はそれぞれ０、１、２、３及び４ＲＢで；
ＳＣＳＳＳ＝３０ｋＨｚ、ＳＣＳＣＯＲＥＳＥＴ＝３０ｋＨｚ、ＢＷＣＯＲＥＳＥＴ＝４８ＲＢの場合、前記ＲＢレベル周波数オフセットの構成の個数は３で、前記ＲＢレベル周波数オフセットの構成はそれぞれ１２、１４及び１６ＲＢで；
ＳＣＳＳＳ＝１２０ｋＨｚ、ＳＣＳＣＯＲＥＳＥＴ＝６０ｋＨｚ、ＢＷＣＯＲＥＳＥＴ＝４８ＲＢの場合、前記ＲＢレベル周波数オフセットの構成の個数は２で、前記ＲＢレベル周波数オフセットの構成はそれぞれ０及び８ＲＢで；
ＳＣＳＳＳ＝１２０ｋＨｚ、ＳＣＳＣＯＲＥＳＥＴ＝６０ｋＨｚ、ＢＷＣＯＲＥＳＥＴ＝９６ＲＢの場合、前記ＲＢレベル周波数オフセットの構成の個数は１で、前記ＲＢレベル周波数オフセットの構成は２８ＲＢで；
ＳＣＳＳＳ＝１２０ｋＨｚ、ＳＣＳＣＯＲＥＳＥＴ＝１２０ｋＨｚ、ＢＷＣＯＲＥＳＥＴ＝２４ＲＢの場合、前記ＲＢレベル周波数オフセットの構成の個数は２で、前記ＲＢレベル周波数オフセットの構成はそれぞれ０及び４ＲＢで；
ＳＣＳＳＳ＝１２０ｋＨｚ、ＳＣＳＣＯＲＥＳＥＴ＝１２０ｋＨｚ、ＢＷＣＯＲＥＳＥＴ＝４８ＲＢの場合、前記ＲＢレベル周波数オフセットの構成の個数は１で、前記ＲＢレベル周波数オフセットの構成は１４ＲＢで；
ＳＣＳＳＳ＝２４０ｋＨｚ、ＳＣＳＣＯＲＥＳＥＴ＝６０ｋＨｚ、ＢＷＣＯＲＥＳＥＴ＝９６ＲＢの場合、前記ＲＢレベル周波数オフセットの構成の個数は２で、前記ＲＢレベル周波数オフセットの構成はそれぞれ０及び１６ＲＢであって；また
ＳＣＳＳＳ＝２４０ｋＨｚ、ＳＣＳＣＯＲＥＳＥＴ＝１２０ｋＨｚ、ＢＷＣＯＲＥＳＥＴ＝４８ＲＢの場合、前記ＲＢレベル周波数オフセットの構成の個数は２で、前記ＲＢレベル周波数オフセットの構成はそれぞれ０及び８ＲＢである、請求項７に記載の基地局（ＢＳ）。
【請求項９】
前記第２多重化パターンに対して及び前記ＳＳ／ＰＢＣＨブロックのＳＣＳ、前記ＣＯＲＥＳＥＴのＳＣＳ及び前記ＣＯＲＥＳＥＴの帯域幅の組み合わせに対して、前記ＲＢレベル周波数オフセットは複数の構成で構成され、前記構成の個数は２であって、
前記ＲＢレベル周波数オフセットの第１構成は前記構成されたＲＥレベル周波数オフセットが０でない場合−ＢＷＳＳ＊ＳＣＳＳＳ／ＳＣＳＣＯＲＥＳＥＴ−２に決定され、前記構成されたＲＥレベル周波数オフセットが０の場合−ＢＷＳＳ＊ＳＣＳＳＳ／ＳＣＳＣＯＲＥＳＥＴ−１に決定され、また、前記ＲＢレベル周波数オフセットの第２構成はＢＷＣＯＲＥＳＥＴ＋１に決定される、請求項６に記載の基地局（ＢＳ）。
【請求項１０】
前記第２多重化パターンに対して、
ＳＣＳＳＳ＝１２０ｋＨｚ、ＳＣＳＣＯＲＥＳＥＴ＝６０ｋＨｚ、ＢＷＣＯＲＥＳＥＴ＝４８ＲＢの場合、前記構成されたＲＥレベル周波数オフセットが０でない場合は前記ＲＢレベル周波数オフセットの前記第１及び第２構成はそれぞれ−４２及び４９ＲＢで、前記構成されたＲＥレベル周波数オフセットが０の場合は前記ＲＢレベル周波数オフセットの前記第１及び第２構成はそれぞれ−４１及び４９ＲＢで；
ＳＣＳＳＳ＝１２０ｋＨｚ、ＳＣＳＣＯＲＥＳＥＴ＝６０ｋＨｚ、ＢＷＣＯＲＥＳＥＴ＝９６ＲＢの場合、前記構成されたＲＥレベル周波数オフセットが０でない場合は前記ＲＢレベル周波数オフセットの前記第１及び第２構成はそれぞれ−４２及び９７ＲＢで、前記構成されたＲＥレベル周波数オフセットが０の場合は前記ＲＢレベル周波数オフセットの前記第１及び第２構成はそれぞれ−４１及び９７ＲＢで；
ＳＣＳＳＳ＝２４０ｋＨｚ、ＳＣＳＣＯＲＥＳＥＴ＝１２０ｋＨｚ、ＢＷＣＯＲＥＳＥＴ＝２４ＲＢの場合、前記構成されたＲＥレベル周波数オフセットが０でない場合は前記ＲＢレベル周波数オフセットの前記第１及び第２構成はそれぞれ−４２及び２５ＲＢで、前記構成されたＲＥレベル周波数オフセットが０の場合は前記ＲＢレベル周波数オフセットの前記第１及び第２構成はそれぞれ−４１及び２５ＲＢで；また
ＳＣＳＳＳ＝２４０ｋＨｚ、ＳＣＳＣＯＲＥＳＥＴ＝１２０ｋＨｚ、ＢＷＣＯＲＥＳＥＴ＝４８ＲＢの場合、前記構成されたＲＥレベル周波数オフセットが０でない場合は前記ＲＢレベル周波数オフセットの前記第１及び第２構成はそれぞれ−４２及び４９ＲＢで、前記構成されたＲＥレベル周波数オフセットが０の場合は前記ＲＢレベル周波数オフセットの前記第１及び第２構成はそれぞれ−４１及び４９ＲＢである、請求項９に記載の基地局（ＢＳ）。
【請求項１１】
前記第３多重化パターンに対して、及び前記ＳＳ／ＰＢＣＨブロックのＳＣＳ、前記ＣＯＲＥＳＥＴのＳＣＳ及び前記ＣＯＲＥＳＥＴの帯域幅の組み合わせに対して、前記ＲＢレベル周波数オフセットは複数の構成から構成され、前記構成の個数は２であって、
前記ＲＢレベル周波数オフセットの第１構成は前記構成されたＲＥレベル周波数オフセットが０でない場合−ＢＷＳＳ−１に決定され、前記構成されたＲＥレベル周波数オフセットが０の場合−ＢＷＳＳに決定され；また、前記ＲＢレベル周波数オフセットの第２構成はＢＷＣＯＲＥＳＥＴに決定される、請求項６に記載の基地局（ＢＳ）。
【請求項１２】
前記第３多重化パターンに対して、
ＳＣＳＳＳ＝１２０ｋＨｚ、ＳＣＳＣＯＲＥＳＥＴ＝１２０ｋＨｚ、ＢＷＣＯＲＥＳＥＴ＝２４ＲＢの場合、前記構成されたＲＥレベル周波数オフセットが０でない場合は前記ＲＢレベル周波数オフセットの前記第１及び第２構成は−２１及び２４ＲＢで、前記構成されたＲＥレベル周波数オフセットが０の場合は前記ＲＢレベル周波数オフセットの前記第１及び第２構成はそれぞれ−２０及び２４ＲＢで；また
ＳＣＳＳＳ＝１２０ｋＨｚ、ＳＣＳＣＯＲＥＳＥＴ＝１２０ｋＨｚ、ＢＷＣＯＲＥＳＥＴ＝４８ＲＢの場合、前記構成されたＲＥレベル周波数オフセットが０でない場合は前記ＲＢレベル周波数オフセットの前記第１及び第２構成は−２１及び４８ＲＢで、前記構成されたＲＥレベル周波数オフセットが０の場合は前記ＲＢレベル周波数オフセットの前記第１及び第２構成はそれぞれ−２０及び４８ＲＢである、請求項１１に記載の基地局（ＢＳ）。
【請求項１３】
無線通信システムにおける基地局（ＢＳ）の方法において、
リソースブロック（ＲＢ）レベル周波数オフセット及びリソース要素（ＲＥ）レベル周波数オフセットを含む周波数オフセットを決定するステップ−前記周波数オフセットはＳＳ／ＰＢＣＨ（ｓｙｎｃｈｒｏｎｉｚａｔｉｏｎ  ｓｉｇｎａｌ／ｐｈｙｓｉｃａｌ  ｂｒｏａｄｃａｓｔ  ｃｈａｎｎｅｌ）ブロックの最下位ＲＥ及びＲＭＳＩ（ｒｅｍａｉｎｉｎｇ  ｍｉｎｉｍｕｍ  ｓｙｓｔｅｍ  ｉｎｆｏｒｍａｔｉｏｎ）に対するＣＯＲＥＳＥＴ（ｃｏｎｔｒｏｌ  ｒｅｓｏｕｒｃｅ  ｓｅｔ）の最下位ＲＥに基づいて決定される−；
前記ＳＳ／ＰＢＣＨブロックのサブキャリア間隔（ＳＣＳ）と前記ＣＯＲＥＳＥＴのＳＣＳの組み合わせのために、４ビットの第１フィールドを使用して、前記ＳＳ／ＰＢＣＨブロックと前記ＣＯＲＥＳＥＴの多重化パターン、前記ＣＯＲＥＳＥＴの帯域幅（ＢＷ）及び前記ＣＯＲＥＳＥＴに対するシンボル個数とともに前記ＲＢレベル周波数オフセットを共同で構成するステップ；
４ビットの第２フィールドを使用して、前記ＲＥレベル周波数オフセットを構成するステップ；
前記ＲＢレベル周波数オフセット及び前記ＲＥレベル周波数オフセットを含むマスター情報ブロック（ＭＩＢ）を生成するステップ；及び
ＰＢＣＨを介して前記ＭＩＢをユーザ装備（ＵＥ）に送信するステップ
を含む、方法。
【請求項１４】
前記ＳＳ／ＰＢＣＨブロックと前記ＣＯＲＥＳＥＴの多重化パターンは、
前記ＳＳ／ＰＢＣＨブロックと前記ＣＯＲＥＳＥＴが互いに異なる時間インスタンスで発生し、前記ＳＳ／ＰＢＣＨブロックの帯域幅が前記ＣＯＲＥＳＥＴの帯域幅と重なるようにする第１多重化パターン；
前記ＳＳ／ＰＢＣＨブロックと前記ＣＯＲＥＳＥＴが互いに異なる時間インスタンスで発生し、前記ＳＳ／ＰＢＣＨブロックの帯域幅が前記ＣＯＲＥＳＥＴの帯域幅と重ならないようにする第２多重化パターン；又は
前記ＳＳ／ＰＢＣＨブロックと前記ＣＯＲＥＳＥＴが同じ時間インスタンスで発生し、前記ＳＳ／ＰＢＣＨブロックの帯域幅が前記ＣＯＲＥＳＥＴの帯域幅と重ならないようにする第３多重化パターン
のうち少なくとも１つを含む、請求項１３に記載の方法。
【請求項１５】
前記第１多重化パターンに対して、前記ＲＢレベル周波数オフセットの構成の個数は前記ＳＳ／ＰＢＣＨブロックのＳＣＳ、前記ＣＯＲＥＳＥＴのＳＣＳ、前記ＣＯＲＥＳＥＴの帯域幅、前記ＳＳ／ＰＢＣＨブロックが送信されるキャリアの帯域幅、及び前記ＳＳ／ＰＢＣＨブロックが送信される前記キャリアの最小キャリア帯域幅に基づいて決定され、次の式によって与えられて、
【数３】
2021501538.tif 000058
ここで、
【数４】
2021501538.tif 000059
は前記キャリアの最小キャリア帯域幅で、ＢＷＳＳは前記ＳＳ／ＰＢＣＨブロックの帯域幅で、ＳＣＳＳＳは前記ＳＳ／ＰＢＣＨブロックのサブキャリア間隔で、ＳＣＳＣＯＲＥＳＥＴは前記ＣＯＲＥＳＥＴのサブキャリア間隔で、ＢＷｃａｒｒｉｅｒは前記ＳＳ／ＰＢＣＨが送信される前記キャリアの帯域幅で、ＢＷＣＯＲＥＳＥＴは前記ＣＯＲＥＳＥＴの帯域幅で、ＲｃａｒｒｉｅｒはＲＢレベルキャリアラスターである、請求項１４に記載の方法。
【発明の詳細な説明】
【技術分野】
【０００１】
本開示は、一般に無線通信システムに関し、より具体的には、改善された無線通信システムにおけるＲＭＳＩ（ｒｅｍａｉｎｉｎｇ  ｍｉｎｉｍｕｍ  ｓｙｓｔｅｍ  ｉｎｆｏｒｍａｔｉｏｎ）制御リソースセット（ｃｏｎｔｒｏｌ  ｒｅｓｏｕｒｃｅ  ｓｅｔ、ＣＯＲＥＳＥＴ）構成に関する。
【背景技術】
【０００２】
４Ｇ（４ｔｈ  ｇｅｎｅｒａｔｉｏｎ）通信システムの商用化以降、増加の趨勢にある無線データトラフィック需要を充足させるために、改善された５Ｇ通信システム又はｐｒｅ−５Ｇ通信システムを開発するための努力が注がれている。このような理由で、５Ｇ通信システム又はｐｒｅ−５Ｇ通信システムは、「ビヨンド（Ｂｅｙｏｎｄ）４Ｇネットワーク」又は「ポスト（ｐｏｓｔ）ＬＴＥシステム」と呼ばれている。
【０００３】
より高いデータ伝送率を達成するために、５Ｇ通信システムは、超高周波（ｍｍＷａｖｅ）帯域（例えば、６０ＧＨｚ帯域）での具現が考慮されている。電波の経路損失を低減し送信距離を増加させるために、５Ｇ通信システムでは、ビームフォーミング（ｂｅａｍｆｏｒｍｉｎｇ）、マッシブマイモ（ｍａｓｓｉｖｅ  ＭＩＭＯ）、全次元ＭＩＭＯ（Ｆｕｌｌ  Ｄｉｍｅｎｓｉｏｎａｌ  ＭＩＭＯ、ＦＤ−ＭＩＭＯ）、アレイアンテナ（ａｒｒａｙ  ａｎｔｅｎｎａ）、アナログビームフォーミング（ａｎａｌｏｇ  ｂｅａｍ−ｆｏｒｍｉｎｇ）及び大規模アンテナ（ｌａｒｇｅ  ｓｃａｌｅ  ａｎｔｅｎｎａ）技術が論議されている。
【０００４】
また、システムネットワークの改善のために、５Ｇ通信システムでは、改善された小型セル（ａｄｖａｎｃｅｄ  ｓｍａｌｌ  ｃｅｌｌ）、クラウド無線アクセスネットワーク（ｃｌｏｕｄ  ｒａｄｉｏ  ａｃｃｅｓｓ  ｎｅｔｗｏｒｋ、ｃｌｏｕｄ  ＲＡＮ）、超高密度ネットワーク（ｕｌｔｒａ−ｄｅｎｓｅ  ｎｅｔｗｏｒｋ）、Ｄ２Ｄ（ｄｅｖｉｃｅ−ｔｏ−ｄｅｖｉｃｅ）通信、無線バックホール（ｗｉｒｅｌｅｓｓ  ｂａｃｋｈａｕｌ）、移動ネットワーク、協調通信、ＣｏＭＰ（Ｃｏｏｒｄｉｎａｔｅｄ  Ｍｕｌｔｉ−Ｐｏｉｎｔｓ）、受信干渉除去などの技術開発が行われている。
【０００５】
５Ｇシステムでは、進歩したコーディング変調（ａｄｖａｎｃｅｄ  ｃｏｄｉｎｇ  ｍｏｄｕｌａｔｉｏｎ、ＡＣＭ）技術であるＦＱＡＭ（ｈｙｂｒｉｄ  ｆｒｅｑｕｅｎｃｙ  ｓｈｉｆｔ  ｋｅｙｉｎｇ  ａｎｄ  ｑｕａｄｒａｔｕｒｅ  ａｍｐｌｉｔｕｄｅ  ｍｏｄｕｌａｔｉｏｎ）及びＳＷＳＣ（ｓｌｉｄｉｎｇ  ｗｉｎｄｏｗ  ｓｕｐｅｒｐｏｓｉｔｉｏｎ  ｃｏｄｉｎｇ）と、進歩したアクセス技術であるＦＢＭＣ（ｆｉｌｔｅｒ  ｂａｎｋ  ｍｕｌｔｉ  ｃａｒｒｉｅｒ）、ＮＯＭＡ（ｎｏｎ−ｏｒｔｈｏｇｏｎａｌ  ｍｕｌｔｉｐｌｅ  ａｃｃｅｓｓ）、及びＳＣＭＡ（ｓｐａｒｓｅ  ｃｏｄｅ  ｍｕｌｔｉｐｌｅ  ａｃｃｅｓｓ）などが開発されている。
【０００６】
無線通信ネットワークで、ネットワークアクセス及び無線リソース管理（ｒａｄｉｏ  ｒｅｓｏｕｒｃｅ  ｍａｎａｇｅｍｅｎｔ、ＲＲＭ）は物理層同期化信号及び上位（ＭＡＣ）階層手順によって可能になる。特に、ＵＥは初期アクセスのために少なくとも１つのセルアイデンティフィケーション（ＩＤ）と共に同期化信号の存在を検出しようと試みる。ＵＥがネットワークにありサービングセルと関連付けられた後、ＵＥはそれらの同期化信号を検出し／したり関連付けられたセル特定の基準信号（ｒｅｆｅｒｅｎｃｅ  ｓｉｇｎａｌ、ＲＳ）を測定することによって複数の隣接セルをモニタリングする。３ＧＰＰ−ＮＲ（第３世代パートナーシップ新たな無線アクセス又はインタフェース）のような次世代セルラーシステムの場合、ｅＭＢＢ（ｅｎｈａｎｃｅｄ  ｍｏｂｉｌｅ  ｂｒｏａｄｂａｎｄ）、ＵＲＬＬＣ（ｕｌｔｒａ  ｒｅｌｉａｂｌｅ  ｌｏｗ  ｌａｔｅｎｃｙ）、ｍＭＴＣ（ｍａｓｓｉｖｅ  ｍａｃｈｉｎｅ  ｔｙｐｅ  ｃｏｍｍｕｎｉｃａｔｉｏｎ）（これらはそれぞれ互いに異なるカバレッジ要件及び互いに異なる電波損失を有する周波数帯域に対応する）のような様々な使用ケースに対して作動する効率的な統合無線リソース獲得又は追跡メカニズムが好ましい。互いに異なるネットワーク及び無線リソースパラダイムに設計される可能性が高い、シームレス（ｓｅａｍｌｅｓｓ）及び低レイテンシＲＲＭが好ましい。
【発明の概要】
【発明が解決しようとする課題】
【０００７】
本開示の実施形態は、改善された無線通信システムにおける新しい無線（ｎｅｗ  ｒａｄｉｏ、ＮＲ）同期化信号（ｓｙｎｃｈｒｏｎｉｚａｔｉｏｎ  ｓｉｇｎａｌ、ＳＳ）バーストセット設計を提供する。
【課題を解決するための手段】
【０００８】
一実施形態で、無線通信システムにおける制御情報構成のためのユーザ装備（ＵＥ）が提供される。ＵＥはＰＢＣＨ（ｐｈｙｓｉｃａｌ  ｂｒｏａｄｃａｓｔｉｎｇ  ｃｈａｎｎｅｌ）を介して基地局（ｂａｓｅ  ｓｔａｔｉｏｎ、ＢＳ）からマスター情報ブロック（ｍａｓｔｅｒ  ｉｎｆｏｒｍａｔｉｏｎ  ｂｌｏｃｋ、ＭＩＢ）を受信するように構成された送受信機を含む。ＵＥは送受信機に動作可能に接続されたプロセッサをさらに含み、プロセッサは受信されたＭＩＢから周波数オフセットを決定するように構成される。周波数オフセットはＳＳ／ＰＢＣＨ（ｓｙｎｃｈｒｏｎｉｚａｔｉｏｎ  ｓｉｇｎａｌ／ｐｈｙｓｉｃａｌ  ｂｒｏａｄｃａｓｔ  ｃｈａｎｎｅｌ）ブロックの最下位ＲＥ及びＲＭＳＩ（ｒｅｍａｉｎｉｎｇ  ｍｉｎｉｍｕｍ  ｓｙｓｔｅｍ  ｉｎｆｏｒｍａｔｉｏｎ）に対する制御リソースセット（ｃｏｎｔｒｏｌ  ｒｅｓｏｕｒｃｅ  ｓｅｔ、ＣＯＲＥＳＥＴ）の最下位ＲＥに基づいて決定される。周波数オフセットはリソースブロック（ｒｅｓｏｕｒｃｅ  ｂｌｏｃｋ、ＲＢ）レベル周波数オフセット及びリソース要素（ｒｅｓｏｕｒｃｅ  ｅｌｅｍｅｎｔ、ＲＥ）レベル周波数オフセットを含む。ＲＢレベル周波数オフセットは、ＳＳ／ＰＢＣＨブロックのサブキャリア間隔（ｓｕｂｃａｒｒｉｅｒ  ｓｐａｃｉｎｇ、ＳＣＳ）とＣＯＲＥＳＥＴのＳＣＳの組み合わせのために、４ビットの第１フィールドを使用して、ＳＳ／ＰＢＣＨブロックとＣＯＲＥＳＥＴの多重化パターン、ＣＯＲＥＳＥＴの帯域幅（ＢＷ）、及びＣＯＲＥＳＥＴに対するシンボル個数とともに共同で構成される。ＲＥレベル周波数オフセットは４ビットの第２フィールドを使用して構成される。
【０００９】
他の実施形態で、無線通信システムにおける制御情報構成のための基地局（ＢＳ）が提供される。ＢＳはプロセッサを含み、このプロセッサはリソースブロック（ＲＢ）レベル周波数オフセット及びリソース要素（ＲＥ）レベル周波数オフセットを含む周波数オフセットを決定し−周波数オフセットはＳＳ／ＰＢＣＨ（ｓｙｎｃｈｒｏｎｉｚａｔｉｏｎ  ｓｉｇｎａｌ／ｐｈｙｓｉｃａｌ  ｂｒｏａｄｃａｓｔ  ｃｈａｎｎｅｌ）ブロックの最下位ＲＥ及びＲＭＳＩ（ｒｅｍａｉｎｉｎｇ  ｍｉｎｉｍｕｍ  ｓｙｓｔｅｍ  ｉｎｆｏｒｍａｔｉｏｎ）に対するＣＯＲＥＳＥＴ（ｃｏｎｔｒｏｌ  ｒｅｓｏｕｒｃｅ  ｓｅｔ）の最下位ＲＥに基づいて決定される−、ＳＳ／ＰＢＣＨブロックのサブキャリア間隔（ＳＣＳ）とＣＯＲＥＳＥＴのＳＣＳの組み合わせのために、４ビットの第１フィールドを使用して、ＳＳ／ＰＢＣＨブロックとＣＯＲＥＳＥＴの多重化パターン、ＣＯＲＥＳＥＴの帯域幅（ＢＷ）及びＣＯＲＥＳＥＴに対するシンボル個数とともにＲＢレベル周波数オフセットを共同で構成し、４ビットの第２フィールドを使用して、ＲＥレベル周波数オフセットを構成し、構成されたＲＢレベル周波数オフセット及び構成されたＲＥレベル周波数オフセットを含むマスター情報ブロック（ＭＩＢ）を生成するように構成される。ＢＳはプロセッサに動作可能に接続された送受信機をさらに含み、この送受信機はＰＢＣＨを介してＭＩＢをユーザ装備（ＵＥ）に送信するように構成される。
【００１０】
他の実施形態で、無線通信システムにおける制御情報構成のための基地局（ＢＳ）の方法が提供される。方法はリソースブロック（ＲＢ）レベル周波数オフセット及びリソース要素（ＲＥ）レベル周波数オフセットを含む周波数オフセットを決定するステップ−周波数オフセットはＳＳ／ＰＢＣＨ（ｓｙｎｃｈｒｏｎｉｚａｔｉｏｎ  ｓｉｇｎａｌ／ｐｈｙｓｉｃａｌ  ｂｒｏａｄｃａｓｔ  ｃｈａｎｎｅｌ）ブロックの最下位ＲＥ及びＲＭＳＩ（ｒｅｍａｉｎｉｎｇ  ｍｉｎｉｍｕｍ  ｓｙｓｔｅｍ  ｉｎｆｏｒｍａｔｉｏｎ）に対するＣＯＲＥＳＥＴ（ｃｏｎｔｒｏｌ  ｒｅｓｏｕｒｃｅ  ｓｅｔ）の最下位ＲＥに基づいて決定される−、ＳＳ／ＰＢＣＨブロックのサブキャリア間隔（ＳＣＳ）とＣＯＲＥＳＥＴのＳＣＳの組み合わせのために、４ビットの第１フィールドを使用して、ＳＳ／ＰＢＣＨブロックとＣＯＲＥＳＥＴの多重化パターン、ＣＯＲＥＳＥＴの帯域幅（ＢＷ）及びＣＯＲＥＳＥＴに対するシンボル個数とともにＲＢレベル周波数オフセットを共同で構成するステップ、４ビットの第２フィールドを使用して、ＲＥレベル周波数オフセットを構成するステップ、ＲＢレベル周波数オフセット及びＲＥレベル周波数オフセットを含むマスター情報ブロック（ＭＩＢ）を生成するステップ、及びＰＢＣＨを介してＭＩＢをユーザ装備（ＵＥ）に送信するステップを含む。
【００１１】
他の技術的特徴は、次の図面、説明及び請求項から当業者に容易に明白になることができる。
【００１２】
以下の詳細な説明に入る前に、本特許明細書全体にわたって用いられる特定の単語及び句の定義を記載することが有利であろう。用語“カップル（ｃｏｕｐｌｅ）”及びその派生語は２つ以上の要素の間のある直接又は間接通信を指すか、それらの要素が互いに物理的に接触しているか否かを示す。用語“送信（ｔｒａｎｓｍｉｔ）”、“受信（ｒｅｃｅｉｖｅ）”及び“通信（ｃｏｍｍｕｎｉｃａｔｅ）”、並びにその派生語は直接通信及び間接通信をいずれも含む。用語“含む（ｉｎｃｌｕｄｅ）”及び“構成する（ｃｏｍｐｒｉｓｅ）”、並びにその派生語は制限なく含むことを意味する。用語“又は（ｏｒ）”は包括的用語で、及び／又はを意味する。句“〜と関連づけられる（ａｓｓｏｃｉａｔｅｄ  ｗｉｔｈ）”及びその派生語は、〜を含む（ｉｎｃｌｕｄｅ）、〜に含まれる（ｂｅ  ｉｎｃｌｕｄｅｄ  ｗｉｔｈｉｎ）、〜と結合する（ｉｎｔｅｒｃｏｎｎｅｃｔ  ｗｉｔｈ）、〜を含有する（ｃｏｎｔａｉｎ）、〜に含まれる（ｂｅ  ｃｏｎｔａｉｎｅｄ  ｗｉｔｈｉｎ）、〜に接続する（ｃｏｎｎｅｃｔ  ｔｏ  ｏｒ  ｗｉｔｈ）、〜と結合する（ｃｏｕｐｌｅ  ｔｏ  ｏｒ  ｗｉｔｈ）、〜伝達する（ｂｅ  ｃｏｍｍｕｎｉｃａｂｌｅ  ｗｉｔｈ）、〜と協力する（ｃｏｏｐｅｒａｔｅ  ｗｉｔｈ）、〜を挟む（ｉｎｔｅｒｌｅａｖｅ）、〜を並べる（ｊｕｘｔａｐｏｓｅ）、〜に隣接する（ｂｅ  ｐｒｏｘｉｍａｔｅ  ｔｏ）、縛る／縛られる（ｂｅ  ｂｏｕｎｄ  ｔｏ  ｏｒ  ｗｉｔｈ）、所有する（ｈａｖｅ）、属性を持つ（ｈａｖｅ  ａ  ｐｒｏｐｅｒｔｙ  ｏｆ）、〜と関係を持つ（ｈａｖｅ  ａ  ｒｅｌａｔｉｏｎｓｈｉｐ  ｔｏ  ｏｒ  ｗｉｔｈ）などを意味する。用語“制御機（ｃｏｎｔｒｏｌｌｅｒ）”は、少なくとも１つの動作を制御するある装置、システム又はその一部を意味する。このような制御機は、ハードウェア又はハードウェアとソフトウェアの組み合わせ及び／又はファームウェアで具現され得る。特定のコントローラと関連づけられた機能はローカル又は遠隔で中央集中式で処理（ｃｅｎｔｒａｌｉｚｅｄ）されるか、又は分散式で処理（ｄｉｓｔｒｉｂｕｔｅｄ）され得る。句“少なくとも１つ”は、それが項目のリストと共に用いられる場合、並べられた項目の内の１つ以上の異なった組み合わせが用いられ得ることを意味する。例えば、“Ａ、Ｂ、及びＣの内の少なくとも１つ”は次の組み合わせ、すなわちＡ、Ｂ、Ｃ、ＡとＢ、ＡとＣ、ＢとＣ、さらには、ＡとＢとＣの内のいずれか１つを含む。
【００１３】
また、後述する各種機能はコンピュータ読み取り可能なプログラムコードで形成されコンピュータ読み取り可能な媒体で具現される１つ以上のコンピュータプログラムの各々によって具現又はサポートされ得る。用語“アプリケーション”及び“プログラム”は、１つ以上のコンピュータプログラム、ソフトウェアコンポーネント、命令セット、手順、関数、オブジェクト、クラス、インスタンス、関連データ、又は適したコンピュータ読み取り可能なプログラムコードでの具現用で構成されたその一部を指す。句“コンピュータ読み取り可能なプログラムコード”は、ソースコード、オブジェクトコード、及び実行可能なコードを含むコンピュータコードの種類を含む。句“コンピュータ読み取り可能な媒体”は、ＲＯＭ（ｒｅａｄ  ｏｎｌｙ  ｍｅｍｏｒｙ）、ＲＡＭ（ｒａｎｄｏｍ  ａｃｃｅｓｓ  ｍｅｍｏｒｙ）、ハードディスクドライブ、コンパクトディスク（ＣＤ）、デジタルビデオディスク（ＤＶＤ）、又は任意の他のタイプのメモリといった、コンピュータによってアクセスされ得る任意のタイプの媒体を含む。“非一時的な”コンピュータ読み取り可能な媒体は、有線、無線、光学、一時的な電気的又は他の信号を伝達する通信リンクを除く。非一時的コンピュータ読み取り可能な媒体は、データが永続的に保存される媒体、そして、再起録が可能な光ディスク又は消去可能なメモリ装置といった、データが記憶され後で上書きされる媒体を含む。
【００１４】
他の特定単語及び句に対する定義が本特許明細書全般にわたって提供される。当業者は大半ではないにしろ多くの場合において、そのような定義が従来だけでなくそのように定義された単語及び句の将来の使用に適用され得ることを理解すべきである。
【発明の効果】
【００１５】
本開示の多様な実施形態は、より効果的なチャネル測定方式を提供する。
【図面の簡単な説明】
【００１６】
本開示及びその利点に対するより完全な理解のために、以下、添付図面と共に行われる次の説明に対する参照がなされ、図面における類似の符号は類似の部分を示す。
【００１７】
【図１】本開示の実施形態による例示的な無線ネットワークを示す図である。
【図２】本開示の実施形態による例示的なｅＮＢを示す図である。
【図３】本開示の実施形態による例示的なＵＥを示す図である。
【図４Ａ】本開示の実施形態による直交周波数分割多重アクセス送信経路のハイ−レベルダイヤグラムを示す図である。
【図４Ｂ】本開示の実施形態による直交周波数分割多重アクセス受信経路のハイ−レベルダイヤグラムを示す図である。
【図５】本開示の実施形態によるサブフレームでのＰＤＳＣＨに対する送信機ブロック図を示す図である。
【図６】本開示の実施形態によるサブフレームでのＰＤＳＣＨに対する受信機ブロック図を示す図である。
【図７】本開示の実施形態によるサブフレームでのＰＵＳＣＨに対する送信機ブロック図を示す図である。
【図８】本開示の実施形態によるサブフレームでのＰＵＳＣＨに対する受信機ブロック図を示す図である。
【図９】本開示の実施形態による２つのスライスの例示的なマルチプレキシングを示す図である。
【図１０】本開示の実施形態による例示的なアンテナブロックを示す図である。
【図１１】本開示の実施形態による例示的なＵＥ移動性シナリオを示す図である。
【図１２】本開示の実施形態による例示的なビームスウィーピング動作を示す図である。
【図１３Ａ】本開示の実施形態による例示的なＴＤＭ多重化パターンを示す図である。
【図１３Ｂ】本開示の実施形態による例示的なＦＤＭ多重化パターンを示す図である。
【図１３Ｃ】本開示の実施形態による例示的なハイブリッドＴＤＭ及びＦＤＭ多重化パターンを示す図である。
【図１４】本開示の実施形態によるＴＤＭ多重化パターンの第１ケースに対する周波数オフセットの例示的な構成を示す図である。
【図１５】本開示の実施形態によるＴＤＭ多重化パターンの第２ケースに対する周波数オフセットの例示的な構成を示す図である。
【図１６】本開示の実施形態によるＴＤＭ多重化パターンの第３ケースに対する周波数オフセットの例示的な構成を示す図である。
【図１７】本開示の実施形態によるＴＤＭ多重化パターンの第４ケースに対する周波数オフセットの例示的な構成を示す図である。
【図１８】本開示の実施形態によるＴＤＭ多重化パターンの第５ケースに対する周波数オフセットの例示的な構成を示す図である。
【図１９】本開示の実施形態によるＴＤＭ多重化パターンの第６ケースに対する周波数オフセットの例示的な構成を示す図である。
【図２０】本開示の実施形態によるＦＤＭ多重化パターンの第１ケースに対する周波数オフセットの例示的な構成を示す図である。
【図２１】本開示の実施形態によるＦＤＭ多重化パターンの第２ケースに対する周波数オフセットの例示的な構成を示す図である。
【図２２】本開示の実施形態によるＦＤＭ多重化パターンの第３ケースに対する周波数オフセットの例示的な構成を示す図である。
【図２３】本開示の実施形態によるＦＤＭ多重化パターンの第４ケースに対する周波数オフセットの例示的な構成を示す図である。
【図２４】本開示の実施形態によるＦＤＭ多重化パターンの第５ケースに対する周波数オフセットの例示的な構成を示す図である。
【図２５】本開示の実施形態によるＦＤＭ多重化パターンの第６ケースに対する周波数オフセットの例示的な構成を示す図である。
【図２６Ａ】本開示の実施形態による｛ＳＳ  ＳＣＳ，ＲＭＳＩ  ＳＣＳ，ＣＨ  ＢＷ，ＣＯＲＥＳＥＴ  ＢＷ｝＝｛１５ｋＨｚ，１５ｋＨｚ，５ＭＨｚ，２４ＰＲＢ｝のケースにおけるΔＦ２の例示的な構成を示す図である。
【図２６Ｂ】本開示の実施形態による｛ＳＳ  ＳＣＳ，ＲＭＳＩ  ＳＣＳ，ＣＨ  ＢＷ，ＣＯＲＥＳＥＴ  ＢＷ｝＝｛１５ｋＨｚ，３０ｋＨｚ，５ＭＨｚ，１２ＰＲＢ｝のケースにおけるΔＦ２の例示的な構成を示す図である。
【図２６Ｃ】本開示の実施形態による｛ＳＳ  ＳＣＳ，ＲＭＳＩ  ＳＣＳ，ＣＨ  ＢＷ，ＣＯＲＥＳＥＴ  ＢＷ｝＝｛３０ｋＨｚ，１５ｋＨｚ，１０ＭＨｚ，４８ＰＲＢ｝のケースにおけるΔＦ２の例示的な構成を示す図である。
【図２６Ｄ】本開示の実施形態による｛ＳＳ  ＳＣＳ，ＲＭＳＩ  ＳＣＳ，ＣＨ  ＢＷ，ＣＯＲＥＳＥＴ  ＢＷ｝＝｛３０ｋＨｚ，３０ｋＨｚ，１０ＭＨｚ，２４ＰＲＢ｝のケースにおけるΔＦ２の例示的な構成を示す図である。
【図２６Ｅ】本開示の実施形態による｛ＳＳ  ＳＣＳ，ＲＭＳＩ  ＳＣＳ，ＣＨ  ＢＷ，ＣＯＲＥＳＥＴ  ＢＷ｝＝｛１２０ｋＨｚ，６０ｋＨｚ，５０ＭＨｚ，４８ＰＲＢ｝のケースにおけるΔＦ２の例示的な構成を示す図である。
【図２６Ｆ】本開示の実施形態による｛ＳＳ  ＳＣＳ，ＲＭＳＩ  ＳＣＳ，ＣＨ  ＢＷ，ＣＯＲＥＳＥＴ  ＢＷ｝＝｛１２０ｋＨｚ，１２０ｋＨｚ，５０ＭＨｚ，２４ＰＲＢ｝のケースにおけるΔＦ２の例示的な構成を示す図である。
【図２６Ｇ】本開示の実施形態による｛ＳＳ  ＳＣＳ，ＲＭＳＩ  ＳＣＳ，ＣＨ  ＢＷ，ＣＯＲＥＳＥＴ  ＢＷ｝＝｛２４０ｋＨｚ，１２０ｋＨｚ，１００ＭＨｚ，４８ＰＲＢ｝のケースにおけるΔＦ２の例示的な構成を示す図である。
【図２６Ｈ】本開示の実施形態による｛ＳＳ  ＳＣＳ，ＲＭＳＩ  ＳＣＳ，ＣＨ  ＢＷ，ＣＯＲＥＳＥＴ  ＢＷ｝＝｛２４０ｋＨｚ，６０ｋＨｚ，１００ＭＨｚ，９６ＰＲＢ｝のケースにおけるΔＦ２の例示的な構成を示す図である。
【図２７Ａ】本開示の実施形態による｛ＳＳ  ＳＣＳ，ＲＭＳＩ  ＳＣＳ，ＣＨ  ＢＷ，ＣＯＲＥＳＥＴ  ＢＷ｝＝｛１５ｋＨｚ，１５ｋＨｚ，１０ＭＨｚ，４８ＰＲＢ｝のケースにおけるΔＦ２の例示的な構成を示す図である。
【図２７Ｂ】本開示の実施形態による｛ＳＳ  ＳＣＳ，ＲＭＳＩ  ＳＣＳ，ＣＨ  ＢＷ，ＣＯＲＥＳＥＴ  ＢＷ｝＝｛１５ｋＨｚ，１５ｋＨｚ，２０ＭＨｚ，９６ＰＲＢ｝のケースにおけるΔＦ２の例示的な構成を示す図である。
【図２７Ｃ】本開示の実施形態による｛ＳＳ  ＳＣＳ，ＲＭＳＩ  ＳＣＳ，ＣＨ  ＢＷ，ＣＯＲＥＳＥＴ  ＢＷ｝＝｛１５ｋＨｚ，３０ｋＨｚ，１０ＭＨｚ，２４ＰＲＢ｝のケースにおけるΔＦ２の例示的な構成を示す図である。
【図２７Ｄ】本開示の実施形態による｛ＳＳ  ＳＣＳ，ＲＭＳＩ  ＳＣＳ，ＣＨ  ＢＷ，ＣＯＲＥＳＥＴ  ＢＷ｝＝｛１５ｋＨｚ，３０ｋＨｚ，２０ＭＨｚ，４８ＰＲＢ｝のケースにおけるΔＦ２の例示的な構成を示す図である。
【図２７Ｅ】本開示の実施形態による｛ＳＳ  ＳＣＳ，ＲＭＳＩ  ＳＣＳ，ＣＨ  ＢＷ，ＣＯＲＥＳＥＴ  ＢＷ｝＝｛３０ｋＨｚ，１５ｋＨｚ，２０ＭＨｚ，９６ＰＲＢ｝のケースにおけるΔＦ２の例示的な構成を示す図である。
【図２７Ｆ】本開示の実施形態による｛ＳＳ  ＳＣＳ，ＲＭＳＩ  ＳＣＳ，ＣＨ  ＢＷ，ＣＯＲＥＳＥＴ  ＢＷ｝＝｛３０ｋＨｚ，３０ｋＨｚ，２０ＭＨｚ，４８ＰＲＢ｝のケースにおけるΔＦ２の例示的な構成を示す図である。
【発明を実施するための形態】
【００１８】
以下、説明される図１乃至図２７Ｆ、及び本特許明細書における本開示の原理を説明するために用いられる様々の実施形態は例示の方法によるものに過ぎず、いかなる方式でも本開示の範囲を制限するものとして解釈されてはならない。本開示の原理は任意の適切に構成されたシステム又は装置で具現され得ることを当業者は理解できる。
【００１９】
次の文献及び標準説明、すなわち、３ＧＰＰ  ＴＳ  ３６．２１１  ｖ１３．２．０、“Ｅ−ＵＴＲＡ、Ｐｈｙｓｉｃａｌ  ｃｈａｎｎｅｌｓ  ａｎｄ  ｍｏｄｕｌａｔｉｏｎ；”３ＧＰＰ  ＴＳ  ３６．２１２  ｖ１３．２．０、“Ｅ−ＵＴＲＡ、Ｍｕｌｔｉｐｌｅｘｉｎｇ  ａｎｄ  Ｃｈａｎｎｅｌ  ｃｏｄｉｎｇ；”  ３ＧＰＰ  ＴＳ  ３６．２１３  ｖ１３．２．０“Ｅ−ＵＴＲＡ、Ｐｈｙｓｉｃａｌ  Ｌａｙｅｒ  Ｐｒｏｃｅｄｕｒｅｓ；”３ＧＰＰ  ＴＳ  ３６．３２１  ｖ１３．２．０、“Ｅ−ＵＴＲＡ、Ｍｅｄｉｕｍ  Ａｃｃｅｓｓ  Ｃｏｎｔｒｏｌ（ＭＡＣ）ｐｒｏｔｏｃｏｌ  ｓｐｅｃｉｆｉｃａｔｉｏｎ；”及び３ＧＰＰ  ＴＳ  ３６．３３１  ｖ１３．２．０、“Ｅ−ＵＴＲＡ、Ｒａｄｉｏ  Ｒｅｓｏｕｒｃｅ  Ｃｏｎｔｒｏｌ（ＲＲＣ）ｐｒｏｔｏｃｏｌ  ｓｐｅｃｉｆｉｃａｔｉｏｎ．”は本明細書で完全に説明されたように参照として本開示に統合される。
【００２０】
以下の図１乃至図４Ｂでは、ＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）又はＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）通信技術を用いて無線通信システムで具現される多様な実施形態に対して説明する。図１乃至図３の説明は互いに異なる実施形態が具現され得る方式に対する物理的又は構造的制限を意味しない。本開示の互いに異なる実施形態は任意の適切に構成された通信システムに具現されることもできる。
【００２１】
図１は、本開示の実施形態による、例示的無線ネットワークを示す図である。図１に示す無線ネットワークの実施形態は単なる説明のためのものである。無線ネットワーク１００に対する他の実施形態が本開示の範疇から逸脱しない範囲内で用いられ得る。
【００２２】
図１に示すように、無線ネットワークは、ｅＮＢ１０１、ｅＮＢ１０２、及びｅＮＢ１０３を含む。ｅＮＢ１０１はｅＮＢ１０２及びｅＮＢ１０３と通信する。また、ｅＮＢ１０１は少なくとも１つのネットワーク１３０、例えば、インターネット、専用ＩＰ（Ｉｎｔｅｒｎｅｔ  Ｐｒｏｔｏｃｏｌ）ネットワーク、又は他のデータネットワークとも通信する。
【００２３】
ｅＮＢ１０２は、ｅＮＢ１０２のカバレッジ領域１２０内にある第１複数のユーザ装備（ＵＥ）に、ネットワーク１３０への無線広帯域アクセスを提供する。第１複数のＵＥは中小企業（ＳＢ）に位置し得るＵＥ１１１；大企業（Ｅ）に位置し得るＵＥ１１２；ワイファイホットスポット（ＨＳ）に位置し得るＵＥ１１３；第１住居地域（Ｒ）に位置し得るＵＥ１１４；第２住居地域（Ｒ）に位置し得るＵＥ１１５；及び携帯電話、無線ラップトップ、無線ＰＤＡなどといったモバイル装置（Ｍ）であるＵＥ１１６を含む。ｅＮＢ１０３は、ｅＮＢ１０３のカバレッジ領域１２５内にある第２複数のＵＥに、ネットワーク１３０への無線広帯域アクセスを提供する。第２複数のＵＥはＵＥ１１５及びＵＥ１１６を含む。いくつかの実施形態で、ｅＮＢ１０１−１０３のうち１つ以上のｅＮＢは５Ｇ、ＬＴＥ、ＬＴＥ−Ａ、ＷｉＭＡＸ、ＷｉＦｉ又は他の無線通信技術を用いて互いに及びＵＥ１１１−１１６と通信できる。
【００２４】
ネットワークタイプによっては、“基地局”又は“ＢＳ”という用語はネットワークに無線アクセスを提供するように構成されたコンポーネント（又はコンポーネント集合）、例えば、送信ポイント（ＴＰ）、送−受信ポイント（ＴＲＰ）、向上した基地局（ｅＮｏｄｅＢ又はｅＮＢ）、５Ｇ基地局（ｇＮＢ）、マクロセル、フェムトセル、ＷｉＦｉアクセスポイント（ＡＰ）又はその他無線可能装置を指すことができる。基地局は１つ以上の無線通信プロトコル、例えば、５Ｇ  ３ＧＰＰ新たな無線インタフェース／アクセス（ＮＲ）、ＬＴＥ（ｌｏｎｇ  ｔｅｒｍ  ｅｖｏｌｕｔｉｏｎ）、ＬＴＥ−Ａ（ＬＴＥ−ａｄｖａｎｃｅｄ）、ＨＳＰＡ（ｈｉｇｈ  ｓｐｅｅｄ  ｐａｃｋｅｔ  ａｃｃｅｓｓ）、Ｗｉ−Ｆｉ８０２．１１ａ／ｂ／ｇ／ｎ／ａｃなどによって無線アクセスを提供できる。便宜上、用語“ＢＳ”及び“ＴＲＰ”は本特許明細書で遠隔端末に対する無線アクセスを提供するネットワークインフラストラクチャーを指すために相互交換的に用いられる。また、ネットワークタイプによっては、“ユーザ装備”又は“ＵＥ”という用語は“移動局”、“加入者局”、“遠隔端末”、“無線端末”、“端末”、“受信ポイント”又は“ユーザ装置”のような任意のコンポーネントを指す場合がある。便宜上、用語“ユーザ装備”及び“ＵＥ”は、ＵＥが移動装置（例えば、携帯電話機又はスマートフォン）であろうと一般に考慮される固定装置（例えば、デスクトップコンピュータ又はベンディングマシン）であろうと、ＢＳに無線でアクセスする遠隔無線装備を指すものとして本特許明細書では用いられる。
【００２５】
点線は、単なる例示及び説明の目的で概円形で示すカバレッジ領域１２０及び１２５の概略的な範囲を示す。ｅＮＢと関連付けられたカバレッジ領域、例えば、カバレッジ領域１２０及び１２５はｅＮＢの構成、及び自然及び人工障害物と関連付けられた無線環境の変化によって、不規則な形態を含む他の形態を持つ場合があることを明確に理解すべきである。
【００２６】
以下でより詳細に説明されるように、ＵＥ１１１−１１６のうち１つ以上は改善された無線通信システムにおける効率的なＮＲ  ＲＭＳＩ  ＣＯＲＥＳＥＴ構成のための回路、プログラミング又はそれらの組み合わせを含む。特定の実施形態で、ｅＮＢ１０１−１０３のうち１つ以上は改善された無線通信システムにおけるＮＲ  ＲＭＳＩ  ＣＯＲＥＳＥＴ構成のための回路、プログラミング又はそれらの組み合わせを含む。
【００２７】
図１が無線ネットワークの一例を示したものであるが、多様な変化が図１に対して行われることができる。例えば、無線ネットワークは任意の適切な配列で任意の個数のｅＮＢ及び任意の個数のＵＥを含むことができる。また、ｅＮＢ１０１は任意の個数のＵＥと直接通信し、このＵＥらにネットワーク１３０への無線広帯域アクセスを提供できる。それと同様に、各ｅＮＢ１０２−１０３はネットワーク１３０と直接通信し、ＵＥにネットワーク１３０への直接無線広帯域アクセスを提供できる。また、ｅＮＢ１０１、１０２、及び／又は１０３は外部電話ネットワーク又は他のタイプのデータネットワークといった他の又は追加の外部ネットワークらへのアクセスを提供できる。
【００２８】
図２は、本開示の実施形態による、例示的なｅＮＢ１０２を示す図である。図２に示すｅＮＢ１０２の実施形態は単なる説明のためのものであり、図１のｅＮＢ１０１及び１０３は同じ又は類似の構成を有し得る。しかし、ｅＮＢは各種の多様な構成からなり、図２はｅＮＢに対する任意の特定の具現で本開示の範囲を制限しない。
【００２９】
図２に示すように、ｅＮＢ１０２は複数のアンテナ２０５ａ−２０５ｎ、複数のＲＦ送受信機２１０ａ−２１０ｎ、送信（ＴＸ）処理回路２１５、及び受信（ＲＸ）処理回路２２０を含む。また、ｅＮＢ１０２はコントローラ／プロセッサ２２５、メモリ２３０、バックホール又はネットワークインタフェース２３５を含む。
【００３０】
ＲＦ送受信機２１０ａ−２１０ｎは、アンテナ２０５ａ−２０５ｎから、ネットワーク１００内でＵＥによって送信される信号のような入力（ｉｎｃｏｍｉｎｇ）ＲＦ信号を受信する。ＲＦ送受信機２１０ａ−２１０ｎは、入力ＲＦ信号をダウンコンバート（ｄｏｗｎ−ｃｏｎｖｅｒｔ）して、ＩＦ又は基底帯域信号を生成する。ＩＦ又は基底帯域信号は、基底帯域又はＩＦ信号をフィルタリング、デコード、及び／又はデジタル化することによって処理された基底帯域信号を生成するＲＸ処理回路２２０に伝送される。ＲＸ処理回路２２０は、その処理された基底帯域信号を、追加の処理のためにコントローラ／プロセッサ２２５に送信する。
【００３１】
ＴＸ処理回路２１５は、コントローラ／プロセッサ２２５からアナログ又はデジタルデータ（例えば、音声データ、ウェブデータ、電子メール、又は双方向ビデオゲームデータ）を受信する。ＴＸ処理回路２１５は、送出（ｏｕｔｇｏｉｎｇ）基底帯域データをエンコード、マルチプレキシング、及び／又はデジタル化し、処理された基底帯域又はＩＦ信号を生成する。ＲＦ送受信機２１０ａ−２１０ｎは、ＴＸ処理回路２１５から、送出処理された基底帯域又はＩＦ信号を受信し、その基底帯域又はＩＦ信号を、アンテナ２０５ａ−２０５ｎを介して送信されるＲＦ信号にアップコンバートする。
【００３２】
コントローラ／プロセッサ２２５はｅＮＢ１０２の全般的な動作を制御する１つ以上のプロセッサ又は他の処理装置を含むことができる。例えば、コントローラ／プロセッサ２２５は、周知の原理によってＲＦ送受信機２１０ａ−２１０ｎ、ＲＸ処理回路２２０、及びＴＸ処理回路２１５によって順方向チャネル信号の受信及び逆方向チャネル信号の送信を制御できる。コントローラ／プロセッサ２２５は、より改善された無線通信機能のような追加機能もサポートできる。例えば、コントローラ／プロセッサ２２５は、複数のアンテナ２０５ａ−２０５ｎからの送出信号を所望の方向に效果的に操縦するために異なるように重み付け処理されるビームフォーミング又は指向性ルーティング動作をサポートできる。様々な他の機能のうちの任意の機能がコントローラ／プロセッサ２２５によってｅＮＢ１０２でサポートされ得る。
【００３３】
また、コントローラ／プロセッサ２２５は、メモリ２３０に常駐するプログラムら及び他のプロセスら、例えば、ＯＳを実行できる。コントローラ／プロセッサ２２５は、実行プロセスによる要求に応じてデータをメモリ２３０内又は外部に移動させることができる。
【００３４】
また、コントローラ／プロセッサ２２５は、バックホール又はネットワークインタフェース２３５にカップリングされる。バックホール又はネットワークインタフェース２３５は、ｅＮＢ１０２がバックホール接続を介して又はネットワークを介して他の装置又はシステムと通信することを可能にする。インタフェース２３５は、任意の適切な有線又は無線接続（ら）を介した通信をサポートできる。例えば、ｅＮＢ１０２がセルラー通信システム（例えば、５Ｇ、ＬＴＥ、又はＬＴＥ−Ａをサポートすること）の一部として具現される場合、インタフェース２３５は、ｅＮＢ１０２が有線又は無線バックホール接続を介して他のｅＮＢと通信することを可能にできる。ｅＮＢ１０２がアクセスポイントとして具現される場合、インタフェース２３５は、ｅＮＢ１０２が有線又は無線ローカル領域ネットワークを介して又は有線又は無線接続を介してより大きなネットワーク（例えば、インターネット）に伝送することを可能にする。インタフェース２３５は、有線又は無線接続、例えば、イーサネット又はＲＦ送受信機を介した通信をサポートする任意の適切な構造を含む。
【００３５】
メモリ２３０は、コントローラ／プロセッサ２２５にカップリングされる。メモリ２３０の一部はＲＡＭを含むことができ、メモリ２３０の他の一部はフラッシュメモリ又は他のＲＯＭを含むことができる。
【００３６】
図２がｅＮＢ１０２の一例を示しているが、多様な変化が図２に対して行われ得る。例えば、ｅＮＢ１０２は図２に示す各コンポーネントに対する任意の個数を含むことができる。一つの特定の例として、アクセスポイントは複数のインタフェース２３５を含むことができ、コントローラ／プロセッサ２２５は、互いに異なるネットワークアドレスの間でデータをルーティングするルーティング機能をサポートできる。他の特定の例として、単一インスタンスのＴＸ処理回路２１５及び単一インスタンスのＲＸ処理回路２２０を含むように図示されているが、ｅＮＢ１０２は各々に対する複数のインスタンスを含むことができる（例えば、ＲＦ送受信機あたり１つ）。また、図２の各種コンポーネントが組み合わせられたり、さらに細分化されたり、省略されることができ、特定の必要に応じて追加のコンポーネントが付加されることもできる。
【００３７】
図３は、本開示の実施形態による、例示的なＵＥ１１６を示す図である。図３に示すＵＥ１１６の実施形態は単なる説明のためのものであり、図１のＵＥ１１１−１１５は同じ又は類似の構成を有し得る。しかし、ＵＥは各種の多様な構成からなり、図３はＵＥに対する任意の特定の具現で本開示の範囲を制限しない。
【００３８】
図３に示すように、ＵＥ１１６は、アンテナ３０５、無線周波数（ｒａｄｉｏ  ｆｒｅｑｕｅｎｃｙ、ＲＦ）送受信機３１０、ＴＸ処理回路３１５、マイクロホン３２０、及び受信（ＲＸ）処理回路３２５を含む。また、ＵＥ１１６は、スピーカ３３０、プロセッサ３４０、入／出力（Ｉ／Ｏ）インタフェース（ＩＦ）３４５、タッチスクリーン３５０、ディスプレイ３５５、及びメモリ３６０を含む。メモリ３６０は、オペレーティングシステム（ＯＳ）３６１及び１つ以上のアプリケーション３６２を含む。
【００３９】
ＲＦ送受信機３１０は、ネットワーク１００のｅＮＢによって送信される入力ＲＦ信号をアンテナ３０５から受信する。ＲＦ送受信機３１０は、入力ＲＦ信号をダウンコンバートして、中間周波数（ｉｎｔｅｒｍｅｄｉａｔｅ  ｆｒｅｑｕｅｎｃｙ、ＩＦ）又は基底帯域信号を生成する。ＩＦ又は基底帯域信号は、その基底帯域又はＩＦ信号をフィルタリング、デコード、及び／又はデジタル化することによって処理された基底帯域信号を生成するＲＸ処理回路３２５に伝送される。ＲＸ処理回路３２５は、その処理された基底帯域信号を、スピーカ３３０に送信するか（例えば、音声データ）、又は追加処理のためにプロセッサ３４０に送信する（例えば、ウェブブラウジングデータ）。
【００４０】
ＴＸ処理回路３１５は、マイクロホン３２０からアナログ又はデジタル音声データを受信するか、又はプロセッサ３４０から他の送出基底帯域データ（例えば、ウェブデータ、電子メール、又は双方向ビデオゲームデータ）を受信する。ＴＸ処理回路３１５は、その送出基底帯域データをエンコード、マルチプレキシング、及び／又はデジタル化して、処理された基底帯域又はＩＦ信号を生成する。ＲＦ送受信機３１０は、ＴＸ処理回路３１５から送出処理された基底帯域又はＩＦ信号を受信し、その基底帯域又はＩＦ信号を、アンテナ３０５を介して送信されるＲＦ信号にアップコンバートする。
【００４１】
プロセッサ３４０は、１つ以上のプロセッサ又は他の処理装置を含むことができ、メモリ３６０に記憶されたＯＳ３６１を実行することによってＵＥ１１６の全般的な動作を制御できる。例えば、プロセッサ３４０は、周知の原理によってＲＦ送受信機３１０、ＲＸ処理回路３２５、及びＴＸ処理回路３１５によって順方向チャネル信号の受信及び逆方向チャネル信号の送信を制御できる。いくつかの実施形態で、プロセッサ３４０は、少なくとも１つのマイクロプロセッサ又はマイクロコントローラを含む。
【００４２】
また、プロセッサ３４０は、メモリ３６０に常駐する他のプロセス及びプログラムを実行できる。プロセッサ３４０は、実行プロセスによる要求に応じてメモリ３６０内又は外部にデータを移動できる。いくつかの実施形態で、プロセッサ３４０は、ＯＳ３６１に基づいて又はｅＮＢ又はオペレータから受信された信号によってアプリケーションら３６２を実行するように構成される。また、プロセッサ３４０は、ラップトップコンピュータ及び携帯用コンピュータといった他の装置に接続される能力をＵＥ１１６に提供するＩ／Ｏインタフェース３４５にカップリングされている。Ｉ／Ｏインタフェース３４５は、その周辺機器とプロセッサ３４０の間の通信経路である。
【００４３】
また、プロセッサ３４０は、タッチスクリーン３５０及びディスプレイ３５５にカップリングされる。ＵＥ１１６のオペレータはタッチスクリーン３５０を使用してＵＥ１１６にデータを入力できる。ディスプレイ３５５は、例えば、ウェブサイトからのテキスト及び／又は少なくとも制限されたグラフィックをレンダリングできる液晶表示装置、発光ダイオードディスプレイ、又は他のディスプレイであり得る。
【００４４】
メモリ３６０は、プロセッサ３４０にカップリングされる。メモリ３６０の一部はランダムアクセスメモリ（ＲＡＭ）を含むことができ、メモリ３６０の他の一部はフラッシュメモリ又は他の読み出し専用メモリ（ＲＯＭ）を含むことができる。
【００４５】
図３がＵＥ１１６の一例を示しているが、多様な変化が図３に対して行われ得る。例えば、図３の各種のコンポーネントは組み合わせられたり、さらに細分化されたり、省略されることができ、特定の必要に応じて追加のコンポーネントが付加されることもできる。一つの特定の例として、プロセッサ３４０は複数のプロセッサ、例えば、１つ以上の中央処理ユニット（ＣＰＵ）及び１つ以上のグラフィック処理ユニット（ＧＰＵ）に分割されることができる。また、図３がモバイル電話やスマートフォンのように構成されたＵＥ１１６を示しているが、ＵＥは他のタイプのモバイル又は固定装置として動作するように構成されることもできる。
【００４６】
図４Ａは、送信経路回路のハイ−レベルダイヤグラムである。例えば、送信経路回路はＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）通信のために用いられ得る。図４Ｂは、受信経路回路のハイ−レベルダイヤグラムである。例えば、受信経路回路はＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）通信のために用いられ得る。図４Ａ及び図４Ｂで、ダウンリンク通信の場合、送信経路回路は基地局（ｅＮＢ）１０２又は中継局で具現されることができ、受信経路回路はユーザ装備（例えば、図１のユーザ装備１１６）で具現されることができる。他の例で、アップリンク通信の場合、受信経路回路４５０は基地局（例えば、図１のｅＮＢ１０２）又は中継局で具現されることができ、送信経路回路はユーザ装備（例えば、図１のユーザ装備１１６）で具現されることができる。
【００４７】
送信経路回路は、チャネルコーディング及び変調ブロック４０５、直列−並列（Ｓ−ｔｏ−Ｐ）ブロック４１０、サイズＮ逆高速フーリエ変換（Ｉｎｖｅｒｓｅ  Ｆａｓｔ  Ｆｏｕｒｉｅｒ  Ｔｒａｎｓｆｏｒｍ、ＩＦＦＴ）ブロック４１５、並列−直列（Ｐ−ｔｏ−Ｓ）ブロック４２０、加算サイクリックプレフィックスブロック４２５、及びアップ−コンバータ（ｕｐ−ｃｏｎｖｅｒｔｅｒ、ＵＣ）４３０を含む。受信経路回路４５０は、ダウン−コンバータ（ｄｏｗｎ−ｃｏｎｖｅｒｔｅｒ、ＤＣ）４５５、除去サイクリックプレフィックスブロック４６０、直列−並列（Ｓ−ｔｏ−Ｐ）ブロック４６５、サイズＮ高速フーリエ変換（Ｆａｓｔ  Ｆｏｕｒｉｅｒ  Ｔｒａｎｓｆｏｒｍ、ＦＦＴ）ブロック４７０、並列−直列（Ｐ−ｔｏ−Ｓ）ブロック４７５、及びチャネルデコード及び復調ブロック４８０を含む。
【００４８】
図４Ａ（４００）及び図４Ｂ（４５０）でのコンポーネントのうち少なくともいくつかはソフトウェアに具現されることができ、一方で、他のコンポーネントは設定可能なハードウェア又はソフトウェアと設定可能なハードウェアの混合によって具現されることもできる。特に、本開示の明細書で説明されるＦＦＴブロック及びＩＦＦＴブロックは構成可能なソフトウェアアルゴリズムとして具現されることができ、ここで、サイズＮの値はその具現によって変更され得ることに留意する。
【００４９】
また、本開示が高速フーリエ変換及び逆高速フーリエ変換を具現する実施形態に関するものであるが、これは単なる例示によるものにすぎず、本開示の範囲を限定するものとして解釈されてはならない。本開示の他の実施形態では、高速フーリエ変換関数及び逆高速フーリエ変換関数が離散フーリエ変換（ＤＦＴ）関数及び逆離散フーリエ変換（ＩＤＦＴ）関数にそれぞれ容易に代替され得ることを理解できる。ＤＦＴ及びＩＤＦＴ関数の場合、変数Ｎの値は任意の整数（例えば、１、２、３、４等）であることができ、ＦＦＴ及びＩＦＦＴ関数の場合、変数Ｎの値は２の冪乗（すなわち、１、２、４、８、１６等）である任意の整数であり得ることを理解できる。
【００５０】
送信経路回路４００で、チャネルコーディング及び変調ブロック４０５は、情報ビットのセットを受信し、コーディング（例えば、ＬＤＰＣコーディング）を適用し、その入力ビットを変調（例えば、ＱＰＳＫ（Ｑｕａｄｒａｔｕｒｅ  Ｐｈａｓｅ  Ｓｈｉｆｔ  Ｋｅｙｉｎｇ）又はＱＡＭ（Ｑｕａｄｒａｔｕｒｅ  Ａｍｐｌｉｔｕｄｅ  Ｍｏｄｕｌａｔｉｏｎ））することで、周波数−領域変調シンボルのシーケンスを生成する。直列−並列ブロック４１０は、直列変調されたシンボルを並列データに変換（すなわち、逆多重化）してＮ並列シンボルストリームを生成し、ここで、ＮはＢＳ１０２及びＵＥ１１６で用いられるＩＦＦＴ／ＦＦＴ大きさである。その後、サイズＮ  ＩＦＦＴブロック４１５は、Ｎ並列シンボルストリーム上でＩＦＦＴ動作を行って、時間−領域出力信号を生成する。並列−直列ブロック４２０は、サイズＮ  ＩＦＦＴブロック４１５からの並列時間−領域出力シンボルを変換（すなわち、多重化）して、直列時間−領域信号を生成する。その後、加算サイクリックプレフィックスブロック４２５は、時間−領域信号にサイクリックプレフィックスを挿入する。最後に、アップ−コンバータ４３０は、無線チャネルを介した送信のために加算サイクリックプレフィックスブロック４２５の出力をＲＦ周波数に変調（すなわち、アップコンバート）する。また、この信号はＲＦ周波数に変換する前に、基底帯域でフィルタリングされることもできる。
【００５１】
送信されたＲＦ信号は無線チャネルを通過した後にＵＥ１１６に到達し、ｅＮＢ１０２での動作に対する逆動作が行われる。ダウン−コンバータ４５５は、受信された信号を基底帯域周波数にダウンコンバートし、除去サイクリックプレフィックスブロック４６０は、そのサイクリックプレフィックスを除去して、直列時間−領域基底帯域信号を生成する。直列−並列ブロック４６５は、時間−領域基底帯域信号を並列時間−領域信号に変換する。その後、サイズＮ  ＦＦＴブロック４７０は、ＦＦＴアルゴリズムを行ってＮ並列周波数−領域信号を生成する。並列−直列ブロック４７５は、並列周波数−領域信号を変調されたデータシンボルのシーケンスに変換する。チャネルデコード及び復調ブロック４８０は、その変調されたシンボルに対する復調を行なった後にデコードすることによって、元の入力データストリームを復元する。
【００５２】
ｅＮＢ１０１−１０３は、それぞれユーザ装備１１１−１１６へのダウンリンク送信と類似した送信経路を具現でき、ユーザ装備１１１−１１６からのアップリンク受信と類似した受信経路を具現することもできる。同様に、ユーザ装備１１１−１１６は、それぞれｅＮＢ１０１−１０３へのアップリンク送信のためのアーキテクチャに対応する送信経路を具現でき、ｅＮＢ１０１−１０３からのダウンリンク受信のためのアーキテクチャに対応する受信経路を具現することもできる。
【００５３】
５Ｇ通信システムの使用ケースが確認及び説明された。このような使用ケースらは大きく３つのグループに分類されることができる。一例として、ｅＭＢＢ（ｅｎｈａｎｃｅｄ  ｍｏｂｉｌｅ  ｂｒｏａｄｂａｎｄ）はより緩やかなレイテンシ及び信頼性要求事項で高いｂｉｔｓ／ｓｅｃ要求事項が行われるように決定される。他の例において、ＵＲＬＬ（ｕｌｔｒａ−ｒｅｌｉａｂｌｅ  ａｎｄ  ｌｏｗ  ｌａｔｅｎｃｙ）はより緩やかなｂｉｔｓ／ｓｅｃ要求事項で決定される。さらに他の例において、ｍＭＴＣ（ｍａｓｓｉｖｅ  ｍａｃｈｉｎｅ  ｔｙｐｅ  ｃｏｍｍｕｎｉｃａｔｉｏｎ）は装置の個数がｋｍ２あたり十万乃至百万に達することができるが、信頼性／処理量／レイテンシ要求事項はより緩やかであり得るように決定される。このようなシナリオは、また、バッテリ消耗がなるべく最小化されるべきである点から電力効率の要求事項を含むこともできる。
【００５４】
通信システムは、基地局（ＢＳ）又はＮｏｄｅＢのような送信ポイントからユーザ装備（ＵＥ）に信号を伝達するダウンリンク（ＤＬ）、及びＵＥからの信号をＮｏｄｅＢのような受信ポイントに伝達するアップリンク（ＵＬ）を含む。また、一般に端末又は移動局と称されるＵＥは固定式又は移動式であることができ、セルラーフォン、個人用コンピュータ装置又は自動化された装置であり得る。一般に固定局であるｅＮｏｄｅＢは、また、アクセスポイント又は他の同等な用語で称することができる。ＬＴＥシステムの場合、ＮｏｄｅＢは時々ｅＮｏｄｅＢと称される。
【００５５】
ＬＴＥシステムのような通信システムで、ＤＬ信号は情報コンテンツを伝達するデータ信号、ＤＬ制御情報（ＤＣＩ）を伝達する制御信号及びパイロット信号とも知られる基準信号（ＲＳ）を含むことができる。ｅＮｏｄｅＢは物理ＤＬ共有チャネル（ｐｈｙｓｉｃａｌ  ＤＬ  ｓｈａｒｅｄ  ｃｈａｎｎｅｌ、ＰＤＳＣＨ）を介してデータ情報を送信する。ｅＮｏｄｅＢは物理ＤＬ制御チャネル（ｐｈｙｓｉｃａｌ  ＤＬ  ｃｏｎｔｒｏｌ  ｃｈａｎｎｅｌ、ＰＤＣＣＨ）又はＥＰＤＣＣＨ（Ｅｎｈａｎｃｅｄ  ＰＤＣＣＨ）を介してＤＣＩを送信する。
【００５６】
ｅＮｏｄｅＢは物理的ハイブリッドＡＲＱインジケーターチャネル（ｐｈｙｓｉｃａｌ  ｈｙｂｒｉｄ  ＡＲＱ  ｉｎｄｉｃａｔｏｒ  ｃｈａｎｎｅｌ、ＰＨＩＣＨ）でＵＥからのデータトランスポートブロック（ｔｒａｎｓｐｏｒｔ  ｂｌｏｃｋ、ＴＢ）送信に応じて確認応答情報を送信する。ｅＮｏｄｅＢはＵＥ−共通ＲＳ（ｃｏｍｍｏｎ  ＲＳ、ＣＲＳ）、チャネル状態情報ＲＳ（ｃｈａｎｎｅｌ  ｓｔａｔｅ  ｉｎｆｏｒｍａｔｉｏｎ  ＲＳ、ＣＳＩ−ＲＳ）又は復調ＲＳ（ｄｅｍｏｄｕｌａｔｉｏｎ  ＲＳ、ＤＭＲＳ）を含む複数のＲＳタイプのうち１つ以上を送信する。ＣＲＳはＤＬシステム帯域幅（ＢＷ）を介して送信され、チャネル推定値を獲得してデータ又は制御情報を復調するか、測定を行うためにＵＥによって用いられ得る。ＣＲＳオーバーヘッドを低減するために、ｅＮｏｄｅＢはＣＲＳより時間及び／又は周波数ドメインでより小さい密度でＣＳＩ−ＲＳを送信できる。ＤＭＲＳはそれぞれのＰＤＳＣＨ又はＥＰＤＣＣＨのＢＷでのみ送信されることができ、ＵＥはＰＤＲＳＣH又はＥＰＤＣＣＨでそれぞれデータ又は制御情報を復調するためにＤＭＲＳを用いることができる。ＤＬチャネルに対する送信時間間隔はサブフレームと呼ばれ、例えば、１ミリ秒のデュレーション（ｄｕｒａｔｉｏｎ）を有し得る。
【００５７】
ＤＬ信号は、また、システム制御情報を搬送する論理チャネルの送信を含む。ＢＣＣＨはマスター情報ブロック（ｍａｓｔｅｒ  ｉｎｆｏｒｍａｔｉｏｎ  ｂｌｏｃｋ、ＭＩＢ）を伝達する時にはブロードキャストチャネル（ｂｒｏａｄｃａｓｔ  ｃｈａｎｎｅｌ、ＢＣＨ）と称されるか、システム情報ブロック（Ｓｙｓｔｅｍ  Ｉｎｆｏｒｍａｔｉｏｎ  Ｂｌｏｃｋ、ＳＩＢ）を伝達する時にはＤＬ共有チャネル（ＤＬ−ＳＣＨ）と称される伝送チャネルにマッピングされる。大半のシステム情報はＤＬ−ＳＣＨを用いて送信される異なったＳＩＢに含まれる。サブフレームでのＤＬ−ＳＣＨ上のシステム情報の存在はシステム情報ＲＮＴＩ（ｓｙｓｔｅｍ  ｉｎｆｏｒｍａｔｉｏｎ  ＲＮＴＩ、ＳＩ−ＲＮＴＩ）でスクランブリングされたＣＲＣ（ｃｙｃｌｉｃ  ｒｅｄｕｎｄａｎｃｙ  ｃｈｅｃｋ）でコードワードを伝達する相応するＰＤＣＣＨの送信によって示されることができる。代替的には、ＳＩＢ送信のためのスケジューリング情報が以前のＳＩＢに提供されることができ、第１ＳＩＢ（ＳＩＢ−１）に対するスケジューリング情報がＭＩＢによって提供され得る。
【００５８】
ＤＬリソース割り当てはサブフレームユニットと物理リソースブロック（ＰＲＢ）グループで行われる。送信ＢＷはリソースブロック（ＲＢ）と称される周波数リソースユニットを含む。それぞれのＲＢは
【数１】
2021501538.tif 000003
サブキャリア又は１２つのＲＥのようなリソース要素（ＲＥ）を含む。１つのサブフレームにわたる１つのＲＢのユニットはＰＲＢと称される。ＵＥにはＰＤＳＣＨ送信ＢＷに対する総
【数２】
2021501538.tif 000004
ＲＥに対してＭＰＤＳＣ  ＲＢが割り当てられ得る。
【００５９】
ＵＬ信号はデータ情報を伝達するデータ信号、ＵＬ制御情報（ＵＣＩ）を伝達する制御信号及びＵＬ  ＲＳを含むことができる。ＵＬ  ＲＳはＤＭＲＳ及びＳＲＳ（Ｓｏｕｎｄｉｎｇ  ＲＳ）を含む。ＵＥはそれぞれのＰＵＳＣＨ又はＰＵＣＣＨのＢＷでのみＤＭＲＳを送信する。ｅＮｏｄｅＢはＤＭＲＳを使用してデータ信号又はＵＣＩ信号を復調できる。ＵＥはＳＲＳを送信してｅＮｏｄｅＢにＵＬ  ＣＳＩを提供する。ＵＥはそれぞれの物理ＵＬ共有チャネル（ＰＵＳＣＨ）又は物理ＵＬ制御チャネル（ＰＵＣＣＨ）を介してデータ情報又はＵＣＩを送信する。ＵＥが同じＵＬサブフレームでデータ情報及びＵＣＩを送信する必要がある場合、ＵＥはその両方をＰＵＳＣＨでマルチプレキシングできる。ＵＣＩはＰＤＳＣＨでのデータＴＢに対する正確な（ＡＣＫ）又は不正確な（ＮＡＣＫ）探知又はＰＤＣＣＨ探知（ＤＴＸ）の不在を示すＨＡＲＱ−ＡＣＫ（Ｈｙｂｒｉｄ  Ａｕｔｏｍａｔｉｃ  Ｒｅｐｅａｔ  ｒｅｑｕｅｓｔ  ａｃｋｎｏｗｌｅｄｇｅｍｅｎｔ）情報、ＵＥはｅＮｏｄｅＢがＵＥへのＰＤＳＣＨ送信のためにリンク適応を行うことができるようにするＵＥのバッファ内のデータ、ランクインジケータ（ＲＩ）及びチャネル状態情報（ＣＳＩ）を持つかを示すスケジューリング要求（ｓｃｈｅｄｕｌｉｎｇ  ｒｅｑｕｅｓｔ、ＳＲ）を含む。ＨＡＲＱ−ＡＣＫ情報は半永久的にスケジューリングされたＰＤＳＣＨの解除を示すＰＤＣＣＨ／ＥＰＤＣＣＨの探知に応じてＵＥによって送信される。
【００６０】
ＵＬサブフレームは２つのスロットを含む。それぞれのスロットはデータ情報、ＵＣＩ、ＤＭＲＳ又はＳＲＳを送信するための
【数３】
2021501538.tif 000005
シンボルを含む。ＵＬシステムＢＷの周波数リソースユニットはＲＢである。ＵＥには送信ＢＷに対する総
【数４】
2021501538.tif 000006
ＲＥに対するＮＲＢ  ＲＢが割り当てられる。ＰＵＣＣＨの場合、ＮＲＢ＝１である。最後のサブフレームシンボルは１つ以上のＵＥからＳＲＳ送信をマルチプレキシングするために用いられ得る。データ／ＵＣＩ／ＤＭＲＳ送信に利用可能なサブフレームシンボルの数は
【数５】
2021501538.tif 000007
であり、ここで、最終サブフレームシンボルがＳＲＳを送信するために用いられる場合にはＮＳＲＳ＝１で、そうでない場合は、ＮＳＲＳ＝０である。
【００６１】
図５は、本開示の実施形態によるサブフレームでＰＤＳＣＨに対する送信機ブロック図（５００）を示す図である。図５に示す送信機ブロック図（５００）の実施形態は単なる例示のためのものである。図５は、本開示の範囲を送信機ブロック図（５００）の任意の特定の具現で制限しない。
【００６２】
図５に示すように、情報ビット５１０は、ターボエンコーダのようなエンコーダ５２０によってエンコードされ、例えば、ＱＰＳＫ（Ｑｕａｄｒａｔｕｒｅ  Ｐｈａｓｅ  Ｓｈｉｆｔ  Ｋｅｙｉｎｇ）変調を用いて変調器５３０によって変調される。直列／並列（Ｓ／Ｐ）変換器５４０は、割り当てられたＰＤＳＣＨ送信ＢＷに対して送信ＢＷ選択ユニット５５５によって選択されたＲＥにマッピングされるようにマッパー５５０に後続的に提供されるＭ個の変調シンボルを生成し、ユニット５６０は、ＩＦＦＴ（Ｉｎｖｅｒｓｅ  Ｆａｓｔ  Ｆｏｕｒｉｅｒ  Ｔｒａｎｓｆｏｒｍ）を適用し、その後、出力が時間ドメイン信号を生成するように並列／直列（Ｐ／Ｓ）変換器５７０によって直列化され、フィルタリングがフィルタ５８０によって適用され、信号が送信される（図５の５９０）。データスクランブリング（ｄａｔａ  ｓｃｒａｍｂｌｉｎｇ）、サイクリックプレフィックス挿入（ｃｙｃｌｉｃ  ｐｒｅｆｉｘ  ｉｎｓｅｒｔｉｏｎ）、時間ウィンドウイング（ｔｉｍｅ  ｗｉｎｄｏｗｉｎｇ）、インターリービング（ｉｎｔｅｒｌｅａｖｉｎｇ）などといった付加的な機能は本技術分野に周知であり、簡潔性のために図示されない。
【００６３】
図６は、本開示の実施形態によるサブフレームでのＰＤＳＣＨに対する受信機ブロック図（６００）を示す図である。図６に示すダイヤグラム６００の実施形態は単なる例示のためのものである。図６は、本開示の範囲をダイヤグラム６００の任意の特定の具現で制限しない。
【００６４】
図６に示すように、受信された信号６１０がフィルタ６２０によってフィルタリングされ、割り当てられた受信ＢＷに対するＲＥ６３０がＢＷセレクタ６３５によって選択され、ユニット６４０が高速フーリエ変換（ＦＦＴ）を適用し、出力が並列／直列変換器６５０によって直列化される。続いて、復調器６６０がＤＭＲＳ又はＣＲＳ（図示せず）から得られたチャネル推定値を適用することによってデータシンボルをコヒーレントに（ｃｏｈｅｒｅｎｔｌｙ）復調し、ターボデコーダのようなデコーダ６７０が、復調されたデータをデコードして情報データビットら６８０の推定値を提供する。時間ウィンドウイング、サイクリックプレフィックス除去、ディスクランブリング、チャネル推定及びジインターリービングのような付加的な機能は簡潔性のために図示されない。
【００６５】
図７は、本開示の実施形態によるサブフレームでのＰＵＳＣＨに対する送信機ブロック図（７００）を示す図である。図７に示すブロック図（７００）の実施形態は単なる例示のためのものである。図７は、本開示の範囲をブロック図（７００）の任意の特定の具現で制限しない。
【００６６】
図７に示すように、情報データビット７１０がターボエンコーダのようなエンコーダ７２０によってエンコードされ、変調器７３０によって変調される。離散フーリエ変換（ＤＦＴ）ユニット７４０が、変調されたデータビットに対してＤＦＴを適用し、割り当てられたＰＵＳＣＨ送信ＢＷに対応するＲＥ７５０が送信ＢＷ選択ユニット７５５によって選択され、ユニット７６０がＩＦＦＴを適用し、サイクリックプレフィックス挿入（図示せず）の後に、フィルタリングがフィルタ７７０によって適用され、信号が送信される（図７の７８０）。
【００６７】
図８は、本開示の実施形態によるサブフレームでのＰＵＳＣＨに対する受信機ブロック図（８００）を示す図である。図８に示すブロック図（８００）の実施形態は単なる例示のためのものである。図８は、本開示の範囲をブロック図（８００）の任意の特定の具現で制限しない。
【００６８】
図８に示すように、受信された信号８１０がフィルタ８２０によってフィルタリングされる。続いて、サイクリックプレフィックスが除去された後（図示せず）、ユニット８３０がＦＦＴを適用し、割り当てられたＰＵＳＣＨ受信ＢＷに相応するＲＥ８４０が受信ＢＷセレクタ８４５によって選択され、ユニット８５０が逆ＤＦＴ（ＩＤＦＴ）を適用し、復調器８６０がＤＭＲＳ（図示せず）から得られたチャネル推定値を適用することによってデータシンボルをコヒーレントに復調し、ターボデコーダのようなデコーダ８７０が、復調されたデータをデコードして情報データビット８８０の推定値を提供する。
【００６９】
次世代セルラーシステムでは、多様な使用ケースがＬＴＥシステムの能力以上に構想される。５Ｇ又は５世代セルラーシステムと呼ばれる６ＧＨｚ以下（ｓｕｂ−６ＧＨｚ）及び６ＧＨｚ以上（ａｂｏｖｅ−６ＧＨｚ）（例えば、ｍｍＷａｖｅ体制（ｒｅｇｉｍｅ））で動作できるシステムはかかる要件のうちの１つとなる。３ＧＰＰ  ＴＲ  ２２．８９１で、７４  ５Ｇ使用ケースが識別及び説明された。このような使用ケースは大まかに３つの互いに異なるグループに分類されることができる。第１グループは‘ｅＭＢＢ（ｅｎｈａｎｃｅｄ  ｍｏｂｉｌｅ  ｂｒｏａｄｂａｎｄ）’と呼ばれ、これはより緩やかな待機時間及び信頼性要件を持つ高いデータ速度サービスを目標とする。第２グループは“ＵＲＬＬ（ｕｌｔｒａ  ｒｅｌｉａｂｌｅ  ａｎｄ  ｌｏｗ  ｌａｔｅｎｃｙ）”と呼ばれ、これはより緩やかなデータ速度要件を持つが、待機時間に対する許容が少ない応用を目標とする。第３グループは“ｍＭＴＣ（ｍａｓｓｉｖｅ  ＭＴＣ）”と呼ばれ、これは信頼性、データ速度及び待機時間の要件がより緩やかなｋｍ２あたり百万のような多くの低パワーデバイス接続を目標とする。
【００７０】
５Ｇネットワークが互いに異なるサービス品質（ＱｏＳ）を持つ様々なサービスをサポートするために、ネットワークスライシング（ｎｅｔｗｏｒｋ  ｓｌｉｃｉｎｇ）という１つの方法がＬＴＥ仕様で識別された。ＰＨＹリソースを效率的に活用してＤＬ−ＳＣＨで（異なったリソース割り当て方式、ニューマロラジ及びスケジューリング戦略を有する）様々なスライスをマルチプレキシングするために、フレキシブルかつ独立した（ｓｅｌｆ−ｃｏｎｔａｉｎｅｄ）フレーム又はサブフレーム設計が活用される。
【００７１】
図９は、本開示の実施形態による２つのスライス９００の例示的なマルチプレキシングを示す図である。図９に示す２つのスライス９００のマルチプレキシングの実施形態は単なる例示のためのものである。図９は、本開示の範囲を２つのスライス９００のマルチプレキシングの任意の特定の具現で制限しない。
【００７２】
共通サブフレーム又はフレーム内にある２つのスライスをマルチプレキシングする２つの例示的なインスタンス（ｉｎｓｔａｎｃｅ）が図９に示されている。このような例示的な実施形態で、スライスは１つの送信インスタンスが制御（ＣＴＲＬ）コンポーネント（例えば、９２０ａ、９６０ａ、９６０ｂ、９２０ｂ又は９６０ｃ）及びデータコンポーネント（例えば、９３０ａ、９７０ａ、９７０ｂ、９３０ｂ又は９７０ｃ）を含む１つ又は２つの送信インスタンスで構成されることができる。実施形態９１０では、２つのスライスが周波数ドメインでマルチプレキシングされるが、一方で、実施形態９５０では、２つのスライスが時間ドメインでマルチプレキシングされる。このような２つのスライスは互いに異なるニューマロラジセットに送信され得る。
【００７３】
ＬＴＥ仕様はｅＮＢに（６４又は１２８のような）多数のアンテナ要素を装着できる最大３２個のＣＳＩ−ＲＳアンテナポートをサポートする。この場合、複数のアンテナ要素が１つのＣＳＩ−ＲＳポート上にマッピングされる。５Ｇのような次世代セルラーシステムの場合、ＣＳＩ−ＲＳポートの最大数は同一に維持されるか又は増加できる。
【００７４】
図１０は、本開示の実施形態による例示的なアンテナブロック１０００を示す図である。図１０に示すアンテナブロック１０００の実施形態は単なる例示のためのものである。図１０は、本開示の範囲をアンテナブロック１０００の任意の特定の具現で制限しない。
【００７５】
ｍｍＷａｖｅ帯域の場合、アンテナ要素の個数が与えられたフォームファクタ（ｆｏｒｍ  ｆａｃｔｏｒ）に対してより大きい場合があるが、デジタルプリコーディングされたポートの個数に相応するＣＳＩ−ＲＳポートの個数は図１０に示すように（ｍｍＷａｖｅ周波数で多数のＡＤＣ／ＤＡＣを設置する可能性のような）ハードウェア制約によって制限される傾向がある。この場合、１つのＣＳＩ−ＲＳポートがアナログ位相シフタのバンク（ｂａｎｋ）によって制御され得る多数のアンテナ要素にマッピングされる。すると、１つのＣＳＩ−ＲＳポートはアナログビームフォーミングによって狭いアナログビームを生成する１つのサブアレイに相応できる。このようなアナログビームはシンボルら又はサブフレームらにわたって位相シフタバンクを変化させることによってより広い範囲の角度にわたってスウィープするように構成され得る。（ＲＦチェーンの個数と同じ）サブアレイの個数はＣＳＩ−ＲＳポートの個数ＮＣＳＩ−ＰＯＲＴと同じである。デジタルビームフォーミングユニットはＮＣＳＩ−ＰＯＲＴアナログビームにわたって線型結合を行ってプリコーディング利得をさらに増加させる。アナログビームは広帯域（よって、周波数選択性ではない）であるが、デジタルプリコーディングは周波数サブ帯域ら又はリソースブロックらにわたって変化され得る。
【００７６】
３ＧＰＰ  ＬＴＥ通信システムで、ネットワークアクセス及び無線リソース管理（ｒａｄｉｏ  ｒｅｓｏｕｒｃｅ  ｍａｎａｇｅｍｅｎｔ、ＲＲＭ）は物理層同期化信号及び上位（ＭＡＣ）階層手順によって可能になる。特に、ＵＥは初期アクセスのために少なくとも１つのセルＩＤとともに同期化信号の存在を検出しようと試みる。ＵＥがネットワークにあっていずれかのサービングセルと関連付けられると、ＵＥはそれらの同期化信号を検出しようと試み／試みたり関連付けられたセル−特定ＲＳを測定（例えば、それらのＲＳＲＰを測定）することで数個の隣接セルをモニタリングする。３ＧＰＰ  ＮＲ（新たな無線アクセス又はインタフェース）のような次世代セルラーシステムの場合、多様な使用ケース（例えば、ｅＭＢＢ、ＵＲＬＬＣ、ｍＭＴＣ、それぞれ異なったカバレッジ要求事項に該当する）及び周波数帯域（異なった電波損失を持つ）に適用される効率的かつ統合された無線リソース獲得又は追跡メカニズムが好ましい。異なったネットワーク及び無線リソースパラダイムで設計される可能性の高い、シームレスかつ低レイテンシのＲＲＭが好ましい。かかる目標は、アクセス、無線リソース及び移動性管理フレームワークを設計するにあたって少なくとも次のような問題点を有する。
【００７７】
第一、ＮＲはさらに多様なネットワークトポリジをサポートする可能性があるため、セルの概念が再定義されたり他の無線リソースエンティティで代替され得る。例えば、同期式ネットワークの場合、ＬＴＥ仕様でのＣＯＭＰ（ｃｏｏｒｄｉｎａｔｅｄ  ｍｕｌｔｉｐｏｉｎｔ  ｔｒａｎｓｍｉｓｓｉｏｎ）シナリオと同様に１つのセルが複数のＴＲＰ（ｔｒａｎｓｐｏｒｔ−ｒｅｃｅｉｖｅ  ｐｏｉｎｔ）と関連付けられ得る。この場合、シームレスな移動性が好ましい特徴である。
【００７８】
第二、大型アンテナアレイ及びビームフォーミングが用いられる場合、ビームらによって（例えば、空間ドメインフィルタとは異なるように称されることもできる）無線リソースを定義することが自然なアプローチであり得る。複数のビームフォーミングアーキテクチャが用いられ得ることを考慮すれば、多様なビームフォーミングアーキテクチャ（又は代わりに、ビームフォーミングアーキテクチャと無関係である）を収容するアクセス、無線リソース及び移動性管理フレームワークが好ましい。
【００７９】
図１１は、本開示の実施形態による例示的なＵＥ移動性シナリオ１１００を示す図である。図１１に示すＵＥ移動性シナリオ１１００の実施形態は単なる例示のためのものである。図１１は、ＵＥ移動性シナリオ１１００の任意の特定の具現で本開示の範囲を制限しない。
【００８０】
例えば、このフレームワークは１つのビームが１つのＣＳＩ−ＲＳポートに対して形成されるか（例えば、複数のアナログポートが１つのデジタルポートに接続され、複数の広範囲に分離されたデジタルに適用されるか）又は１つのビームが複数のＣＳＩ−ＲＳポートによって形成されるか否かによって又はそれにかかわらず適用され得る。また、このフレームワークはビームスウィーピング（図１１に示すように）の使用有無にかかわらず適用され得る。
【００８１】
第三、異なった周波数帯域及び使用ケースは異なったカバレッジ制限事項を持つようになる。例えば、ｍｍＷａｖｅ帯域は大きい電波損失を発生させる。したがって、いくつかの形態のカバレッジ強化方式が必要となる。いくつかの候補はビームスウィーピング（図１０に図示）、反復、ダイバーシティ及び／又は多重ＴＲＰ送信を含む。送信帯域幅が小さいｍＭＴＣの場合、十分なカバレッジを保証するためには時間ドメイン反復が必要となる。
【００８２】
２レベルの無線リソースエンティティを用いるＵＥ−中心アクセスが図１１に説明されている。このような２レベルは“セル（ｃｅｌｌ）”と“ビーム（ｂｅａｍ）”と称することもできる。この２つの用語は例示的なものであって例示的な目的のために用いられる。無線リソース（ｒａｄｉｏ  ｒｅｓｏｕｒｃｅ、ＲＲ）１及び２のような別の用語が用いられることもできる。また、無線リソースユニットとしての“ビーム”という用語は、例えば、図１０のビームスウィーピングが用いられるアナログビームと区別されるべきである。
【００８３】
図１１に示すように、第１ＲＲレベル（“セル”と称する）はＵＥがネットワークに進入して初期アクセス手順に関与する時に適用される。１１１０で、ＵＥ１１１１は同期化信号の存在を検出することを含む初期アクセス手順を行った後、セル１１１２に接続される。同期化信号は概略的なタイミング及び周波数獲得だけでなくサービングセルと関連付けられたセルアイデンティフィケーション（セルＩＤ）を検出するために用いられ得る。このような第１レベルで、異なったセルが異なったセルＩＤと関連付けられたものであり得るので、ＵＥはセル境界を観察する。図１１では、１つのセルが１つのＴＲＰと関連づけられている（一般には、１つのセルが複数のＴＲＰと関連付けられ得る）。セルＩＤがＭＡＣ階層エンティティであるため、初期アクセスは物理層手順（ら）（例えば、同期化信号獲得によるセル探索）だけでなくＭＡＣ階層手順（ら）をも含むようになる。
【００８４】
第２ＲＲレベル（“ビーム”と称する）はＵＥがセルに既に接続されてネットワークにある時に適用される。この第２レベルで、ＵＥ１１１１は実施形態１１５０に示すように、セル境界を観察することなくネットワーク内で移動できる。すなわち、ＵＥ移動性はセルレベルでなくビームレベルで処理され、ここで、１つのセルはＮ個のビームと関連付けられ得る（Ｎは１又は＞１であり得る）。しかし、セルとは違って、ビームは物理層エンティティである。したがって、ＵＥ移動性管理は物理層でのみ処理される。第２レベル（ＲＲ）に基づくＵＥ移動性シナリオの例が図１１の実施形態１１５０に与えられている。
【００８５】
ＵＥ１１１１がサービングセル１１１２と関連付けられた後、ＵＥ１１１１はビーム１１５１と関連付けられる。これはＵＥがそれよりビームアイデンティティ又はアイデンティフィケーションを獲得できるビーム又は無線リソース（ｒａｄｉｏ  ｒｅｓｏｕｒｃｅ、ＲＲ）獲得信号を得ることによって達成される。ビーム又はＲＲ獲得信号の一例は測定基準信号（ｒｅｆｅｒｅｎｃｅ  ｓｉｇｎａｌ、ＲＳ）である。ビーム（又はＲＲ）獲得信号を獲得すると、ＵＥ１１１１はネットワーク又は関連ＴＲＰに状態を報告できる。このような報告の一例は測定されたビーム電力（又は測定ＲＳ電力）又は１つ以上の薦められた“ビームアイデンティティ（ＩＤ）”又は“ＲＲ−ＩＤ”セットを含む。この報告に基づいて、ネットワーク又は関連ＴＲＰはデータ及び制御送信のためにビーム（無線リソースとして）をＵＥ１１１１に割り当てることができる。ＵＥ１１１１が他のセルへ移動する時、以前のセルと次のセルの間の境界はＵＥ１１１１に観察されることも見えることもない。セルハンドオーバの代わりに、ＵＥ１１１１はビーム１１５１からビーム１１５２へスイッチングする。このようなシームレス移動性（ｓｅａｍｌｅｓｓ  ｍｏｂｉｌｉｔｙ）はＵＥ７１１からネットワーク又は関連ＴＲＰへの報告によって可能になる−特にＵＥ１１１１がＭ個のビーム（又はＲＲ）獲得信号を獲得及び測定することによってＭ＞１個の好みのビームアイデンティティセットを報告する場合。
【００８６】
図１２は、本開示の実施形態による例示的なビームスウィーピング動作１２００を示す図である。図１２に示すビームスウィーピング動作１２００の実施形態は単なる例示のためのものである。図１２は、ビームスウィーピング動作１２００の任意の特定の具現で本開示の範囲を制限しない。
【００８７】
図１２に示すように、ＵＥの観点から前述した初期アクセス手順１２１０及び前述した移動性又は無線リソース管理１２２０が説明される。初期アクセス手順１２１０はＤＬ同期化信号（ら）１２１１からのセルＩＤ獲得だけでなくブロードキャスト情報の検索（ＤＬ及びＵＬ接続を確立するためにＵＥによって要求されるシステム情報とともに）及びその次のＵＬ同期化（ランダムアクセス手順を含むことができる）を含む。ＵＥが１２１１及び１２１２を完了すると、ＵＥはネットワークに接続されていずれかのセルと関連付けられる。初期アクセス手順が完了した後、ＵＥ（可能であればモバイル）は１２２０で説明されたＲＲＭ状態にあるようになる。この状態は、まずＵＥが“ビーム”又はＲＲ獲得信号（例えば、測定ＲＳ）から“ビーム”又はＲＲ  ＩＤを周期的に（繰り返し）獲得しようと試みることができる獲得ステップ１２２１を含む。
【００８８】
ＵＥにはモニタリングするビーム／ＲＲ  ＩＤのリストが構成されることができる。このような“ビーム”／ＲＲ  ＩＤのリストはＴＲＰ／ネットワークによってアップデート又は再構成され得る。このような構成は上位層（例えば、ＲＲＣ）シグナリング又は専用Ｌ１又はＬ２制御チャネルを介してシグナリングされ得る。このリストに基づいて、ＵＥはこのようなビーム／ＲＲ  ＩＤのそれぞれと関連付けられた信号をモニタリング及び測定できる。このような信号はＬＴＥシステムにおけるＣＳＩ−ＲＳリソースと類似した測定ＲＳリソースに対応できる。この場合、ＵＥにはモニタリングするＫ＞１個のＣＳＩ−ＲＳリソースセットが構成されることができる。測定報告１２２２にはいくつかのオプションが可能であり得る。第一、ＵＥはＫ個のＣＳＩ−ＲＳリソースのそれぞれを測定し、対応するＲＳ電力（ＬＴＥシステムでのＲＳＲＰ又はＲＳＲＱと類似である）を計算し、このＲＳ電力をＴＲＰ（又はネットワーク）に報告できる。第二、ＵＥはＫ個のＣＳＩ−ＲＳリソースのそれぞれを測定し、関連付けられたＣＳＩ（ＣＱＩ及び潜在的には他のＣＳＩパラメータ、例えば、ＲＩ及びＰＭＩを含むことができる）を計算し、このＣＳＩをＴＲＰ（又はネットワーク）に報告できる。ＵＥからの報告に基づいて、ＵＥには上位層（ＲＲＣ）シグナリング又はＬ１／Ｌ２制御シグナリングを介してＭ≧１個の“ビーム”又はＲＲが割り当てられる１２２３。よって、ＵＥはこれらのＭ個の“ビーム”／ＲＲに接続される。
【００８９】
非同期式ネットワークのような特定シナリオの場合、ＵＥは３ＧＰＰ  ＬＴＥシステムと類似したセルＩＤベース又はセル−レベル移動性管理にフォールバックできる。したがって、無線リソースエンティティ（セル）の２レベルのうち１つのレベルのみが適用され得る。２−レベル（“セル”及び“ビーム”）無線リソースエンティティ又は管理が用いられる場合、同期化信号（ら）は主にネットワークに対する初期アクセス用に設計されることができる。共通信号ら（例えば、同期化信号（ら）及びブロードキャストチャネル）のカバレッジを強化するためにアナログビームスウィーピング（図１２に示す）又は反復が用いられ得るｍｍＷａｖｅシステムの場合、同期化信号らが時間に応じて反復され得る（例えば、ＯＦＤＭシンボル又はスロット又はサブフレーム全般にわたって）。しかし、このような反復ファクタはセル又はＴＲＰあたりサポートされる“ビーム”（無線リソースユニットとして定義され、ビームスウィーピングに用いられるアナログビームとは区別される）の個数と必ずしも相関するわけではない。したがって、ビームアイデンティフィケーション（ＩＤ）が同期化信号（ら）から獲得又は検出されない。代わりに、ビームＩＤは測定ＲＳのようなビーム（ＲＲ）獲得信号によって搬送される。同様に、ビーム（ＲＲ）獲得信号はセルＩＤを搬送しない（したがって、セルＩＤがビーム又はＲＲ獲得信号から検出されない）。
【００９０】
したがって、新たな無線アクセス技術（ＮＲ）に対する初期アクセス手順及びＲＲＭでの上記の新しい導電課題を考慮して、同期化信号ら（関連付けられたＵＥ手順と共に）及びブロードキャスト情報（例えば、マスター情報ブロック又はＭＩＢ）を搬送するプライマリブロードキャストチャネルを設計する必要がある。
【００９１】
ＬＴＥ  ＮＲの場合、同期化信号及びＰＢＣＨブロック（ＮＲ−ＳＳ／ＰＢＣＨブロック）はｅＭＢＢ目的のために及び認可帯域のみのために設計される。それぞれのＮＲ−ＳＳ／ＰＢＣＨブロックはＮＲ−ＰＳＳに対する１つのシンボル、周波数ドメインでＮＲ−ＰＢＣＨの一部と多重化されるＮＲ−ＳＳＳに対する１つのシンボル及び残りのＮＲ−ＰＢＣＨに対する２つのシンボルを折衝し、ここで、この４つのシンボルは連続的にマッピングされて時分割多重化される。
【００９２】
ＮＲ−ＳＳ／ＰＢＣＨはＮＲの全てのサポートされるキャリア周波数範囲に対するＮＲ−ＰＳＳ及びＮＲ−ＳＳＳシーケンス設計を含む、統合された設計である。ＮＲ−ＰＳＳ及びＮＲ−ＳＳＳの送信帯域幅（例えば、１２ＰＲＢ）はＮＲ−ＰＢＣＨの送信帯域幅（例えば、２０ＰＲＢ）より小さく、ＮＲ−ＳＳ／ＰＢＣＨブロックの全体送信帯域幅はＮＲ−ＰＢＣＨのもの（例えば、２０ＰＲＢ）と同じである。ＮＲの初期セル選択で、ＵＥはデフォルトＮＲ−ＳＳ／ＰＢＣＨバーストセット周期を２０ｍｓと仮定し、非独立型ＮＲセルを検出するために、ネットワークは周波数キャリアあたり１つのＮＲ−ＳＳ／ＰＢＣＨバーストセット周期情報をＵＥに提供し、可能であれば、測定タイミング／デュレーションを導出するための情報を提供する。
【００９３】
ＮＲ無認可スペクトル（共有スペクトル含む）の場合、チャネルアクセスの不確実性により、ＮＲ−ＳＳ／ＰＢＣＨブロックの送信はＬＢＴ（ｌｉｓｔｅｎ−ｂｅｆｏｒｅ−ｔａｌｋ）でのＣＣＡ（ｃｌｅａｒ  ｃｈａｎｎｅｌ  ａｓｓｅｓｓｍｅｎｔ）の結果によってキャンセル又は遅延される場合がある。Ｖ２Ｘサイドリンク同期化又はＵＲＬＬＣシステムの場合、同期化遅延の要求事項はＬＴＥ  ＮＲより遥かに制約的であるため、ＮＲ−ＳＳ／ＰＢＣＨブロックのさらに多くの組み合わせを回避し同期化レイテンシを低減するために、ワン−ショット検出でより正確な同期化性能が必要となる。ＭＴＣ又はＩｏＴシステムの場合、運営ＳＮＲ領域はＬＴＥ  ＮＲより遥かに低いので、弱いカバレッジ問題を回避するために、より良いワン−ショット検出性能が必要となる。
【００９４】
前述したシステムのうち少なくとも１つにおいて、これらのシステムに対する同期化信号らがＬＴＥ  ＮＲと同一に維持される場合は、性能（例えば、検出正確度及び同期化レイテンシ）が低下し得る。したがって、前述したシステムのうち少なくとも１つに対するＮＲ−ＳＳ／ＰＢＣＨブロック強化及び／又は修正が必要である（他のシステムが本開示で論議されたものと同じ又は異なった強化方式を用いることもできる）。例えば、強化及び／又は修正は、例えば、無認可スペクトルに対する、チャネルアクセス機会を増加させることを目標とすることができる。また、例えば、強化及び／又は修正は、例えば、無認可／Ｖ２Ｘ／ＵＲＬＬＣ／ＭＴＣ／ＩｏＴシステムに対する、セル検索及び／又はブロードカスティングのワン−ショット検出正確度を向上させることを目標とすることができる。
【００９５】
主な設計考慮事項は異なった応用シナリオら（このシナリオらは異なったキャリア周波数範囲、独立型又は非独立型などを含む）に対して統合された強化ＮＲ−ＳＳ／ＰＢＣＨブロック設計（例えば、強化されたＮＲ−ＳＳ／ＰＢＣＨブロックでの構成及び／又はマッピング及び／又は多重化）を採択するか否かである。
【００９６】
一実施形態では、強化されたＮＲ−ＳＳ／ＰＢＣＨブロックでの構成／マッピング／多重化の設計が全てのキャリア周波数範囲（例えば、５ＧＨｚ、６ＧＨｚ及び６０ＧＨｚの無認可スペクトルらが同じ設計を使用する）に対して、そして、独立型及び非独立型シナリオらのすべてに対して統合されることができる。統合された設計は検出器の複雑性を最小化するために役立つ。強化されたＮＲ−ＳＳ／ＰＢＣＨブロックの統合設計は強化されたＮＲ−ＳＳ／ＰＢＣＨブロックの送信周期及び／又はＬＢＴに対して可能な他の設計を排除しないという点に留意する。例えば、強化されたＮＲ−ＳＳ／ＰＢＣＨブロックで同じ構成／マッピング／多重化を用いるが、異なった送信周期及び／又はＬＢＴ手順（適用可能な場合）が異なったキャリア周波数範囲及び／又は独立型及び非独立型シナリオに用いられ得る。
【００９７】
他の実施形態では、強化されたＮＲ−ＳＳ／ＰＢＣＨブロックでの構成／マッピング／多重化の設計が全てのキャリア周波数範囲に対して統合（例えば、５ＧＨｚ、６ＧＨｚ及び６０ＧＨｚの無認可スペクトルが同じ設計を使用する）されるが、独立型及び非独立型シナリオらに対して異なる。例えば、強化されたＮＲ−ＳＳ／ＰＢＣＨブロックでの統合された構成／マッピング／多重化設計が独立型シナリオ及び全てのキャリア周波数範囲に用いられ、強化されたＮＲ−ＳＳ／ＰＢＣＨブロックでの他の統合された構成／マッピング／多重化設計が非独立型シナリオ及び全てのキャリア周波数範囲に用いられる。強化されたＮＲ−ＳＳ／ＰＢＣＨブロックの統合された設計は強化されたＮＲ−ＳＳ／ＰＢＣＨブロックに対して可能な他の送信周期及び／又はＬＢＴ手順（適用可能な場合）の設計を排除しないという点に留意する。
【００９８】
さらに他の実施形態では、強化されたＮＲ−ＳＳ／ＰＢＣＨブロックでの構成／マッピング／多重化が独立型及び非独立型シナリオに対して統合されるが、異なったキャリア周波数範囲に対して異なる（例えば、５ＧＨｚ、６ＧＨｚ及び６０ＧＨｚの無認可スペクトルが互いに異なる設計を使用する）。強化されたＮＲ−ＳＳ／ＰＢＣＨブロックの統合設計は強化されたＮＲ−ＳＳ／ＰＢＣＨブロックに対して可能な他の送信周期及び／又はＬＢＴ手順（適用可能な場合）の設計を排除しないという点に留意する。例えば、強化されたＮＲ−ＳＳ／ＰＢＣＨブロックで同じ構成／マッピング／多重化を用いるが、異なった送信周期及び／又はＬＢＴ手順（適用可能な場合）が独立型及び非独立型シナリオに用いられ得る。
【００９９】
さらに他の実施形態では、強化されたＮＲ−ＳＳ／ＰＢＣＨブロックでの構成／マッピング／多重化がそれぞれのキャリア周波数範囲（例えば、５ＧＨｚ、６ＧＨｚ及び６０ＧＨｚの無認可スペクトルが異なった設計を使用する）及び独立型／非独立型シナリオに対して特定したものである。
【０１００】
他の重要な設計考慮事項は検出器の観点から強化されたＮＲ−ＳＳ／ＰＢＣＨブロックのデフォルト周期（又は等しくは強化されたＮＲ−ＳＳ／ＰＢＣＨバーストセットのデフォルト周期）である。ＤＲＳ（Ｄｉｓｃｏｖｅｒｙ  ＲＳ）測定タイミング構成（ＤＭＴＣ）内で送信される強化されたＮＲ−ＳＳ／ＰＢＣＨブロックの場合、強化されたＮＲ−ＳＳ／ＰＢＣＨブロックのデフォルト周期（又は等しくは強化されたＮＲ−ＳＳ／ＰＢＣＨバーストセットのデフォルト周期）がＤＭＴＣのデフォルト周期であると見なされ得るが、実際の強化されたＮＲ−ＳＳ／ＰＢＣＨブロックの送信は厳密に周期的なものではない場合もある。
【０１０１】
一実施形態では、（例えば、ＮＲ無認可スペクトルに対する）チャネルアクセス機会を強化させるために、強化されたＮＲ−ＳＳ／ＰＢＣＨブロックのデフォルト周期（又は等しくは強化されたＮＲ−ＳＳ／ＰＢＣＨバーストセットのデフォルト周期又はＤＭＴＣのデフォルト周期）がＮＲ認可スペクトルに比べて減少し得る。例えば、デフォルト周期が１０ｍｓ又は５ｍｓに減少し得る。
【０１０２】
他の実施形態では、強化されたＮＲ−ＳＳ／ＰＢＣＨブロックのデフォルト周期（又は等しくは強化されたＮＲ−ＳＳ／ＰＢＣＨバーストセットのデフォルト周期又はＤＭＴＣのデフォルト周期）がＬＴＥ  ＮＲと同一に維持されることができる（例えば、２０ｍｓ）。例えば、強化されたＮＲ−ＳＳ／ＰＢＣＨブロックに対するＬＢＴ手順のデュレーションが最小化されることによってＮＲ無認可スペクトルに対するチャネルアクセス機会を向上させることができる。
【０１０３】
次の設計考慮事項は、ワン−ショット同期化／ブロードカスティング性能を向上させるための（ＮＲ−ｅＰＳＳ／ｅＳＳＳ／ｅＰＢＣＨの信号／チャネル設計はＮＲ−ＰＳＳ／ＳＳＳ／ＰＢＣＨと同じ又は特定のシナリオに対するＮＲ−ＰＳＳ／ＳＳＳ／ＰＢＣＨと同じ場合があることに留意する）、強化されたＮＲ−ＳＳ／ＰＢＣＨブロック内でのＮＲ−ＰＳＳ／ＳＳＳ／ＰＢＣＨ（ＮＲ−ｅＰＳＳ／ｅＳＳＳ／ｅＰＢＣＨと称される）の反復的及び／又は追加的及び／又は強化された送信である。
【０１０４】
一実施形態で、強化されたＮＲ−ＳＳ／ＰＢＣＨブロックはＮＲ−ｅＰＳＳ／ｅＳＳＳ／ｅＰＢＣＨのみで構成される。
【０１０５】
一例で、ＮＲ−ｅＰＳＳ／ｅＳＳＳ／ｅＰＢＣＨは時分割多重化される（ここでＮＲ−ｅＳＳＳ及びＮＲ−ｅＰＢＣＨの一部は同じシンボルで周波数分割多重化され得る）。例えば、ＮＲ−ＰＳＳ／ＳＳＳ／ＰＢＣＨがＮＲ−ｅＰＳＳ／ｅＳＳＳ／ｅＰＢＣＨで代替されるが、ＬＴＥ  ＮＲ−ＳＳ／ＰＢＣＨブロックのような方式で多重化及びマッピングされる。
【０１０６】
他の例では、ＮＲ−ｅＰＳＳ／ｅＳＳＳ／ｅＰＢＣＨがＬＴＥ  ＮＲ−ＳＳ／ＰＢＣＨブロックと異なるように多重化及び／又はマッピングされる。例えば、ＮＲ−ｅＰＳＳ／ｅＳＳＳ／ｅＰＢＣＨという周波数分割多重化されるか、又は時分割及び周波数分割の混合で多重化される。
【０１０７】
他の実施形態で、強化されたＮＲ−ＳＳ／ＰＢＣＨブロックはＮＲ−ＰＳＳ／ＳＳＳ／ＰＢＣＨのうち少なくとも１つ及びこれらの強化ＮＲ−ｅＰＳＳ／ｅＳＳＳ／ｅＰＢＣＨのうち少なくとも１つで構成される。
【０１０８】
他の実施形態では、ＮＲ−ｅＰＳＳ／ｅＳＳＳ／ｅＰＢＣＨがＮＲ−ＰＳＳ／ＳＳＳ／ＰＢＣＨと時分割多重化される（ＦＤＭされたＮＲ−ＳＳＳ／ＮＲ−ＰＢＣＨ及び／又はＦＤＭされたＮＲ−ｅＳＳＳ／ＮＲ−ｅＰＢＣＨを含む強化されたＮＲ−ＳＳ／ＰＢＣＨブロックにシンボルが存在する場合があることに留意する）。
【０１０９】
一例で、ＮＲ−ｅＰＳＳ及びＮＲ−ＰＳＳがいずれも強化されたＮＲ−ＳＳ／ＰＢＣＨブロックでサポートされる場合、例えば、時間ドメインでのＮＲ−ＰＳＳ／ＮＲ−ｅＰＳＳ共同検出具現を容易にするために、ＮＲ−ｅＰＳＳ及びＮＲ−ＰＳＳに対応してマッピングされたシンボルがＴＤＭされて連続的になる。
【０１１０】
他の例で、強化されたＮＲ−ＳＳ／ＰＢＣＨブロックで２つ以上のＮＲ−ｅＰＳＳがサポートされる場合、例えば、時間ドメインでのＮＲ−ｅＰＳＳ共同検出具現を容易にするために、ＮＲ−ｅＰＳＳに対してマッピングされたシンボルがＴＤＭされて連続的になる。
【０１１１】
さらに他の例で、ＮＲ−ｅＳＳＳ及びＮＲ−ＳＳＳがいずれもが強化されたＮＲ−ＳＳ／ＰＢＣＨブロックでサポートされる場合、ＮＲ−ｅＳＳＳ及びＮＲ−ＳＳＳに対応してマッピングされたシンボルがＴＤＭされて非連続的になり、例えば、ＮＲ−ｅＳＳＳとＮＲ−ＳＳＳの間のシンボル（ら）がＮＲ−ＰＢＣＨ／ＮＲ−ｅＰＢＣＨにマッピングされ得る。
【０１１２】
さらに他の例で、２つ以上のＮＲ−ｅＳＳＳが強化されたＮＲ−ＳＳ／ＰＢＣＨブロックでサポートされる場合、ＮＲ−ｅＳＳＳにマッピングされたシンボルがＴＤＭされて非連続的になり、例えば、ＮＲ−ｅＳＳＳの間のシンボル（ら）がＮＲ−ＰＢＣＨ／ＮＲ−ｅＰＢＣＨにマッピングされ得る。
【０１１３】
一実施形態では、ＮＲ−ｅＰＳＳ／ｅＳＳＳ／ｅＰＢＣＨがＬＴＥ  ＮＲ−ＰＳＳ／ＳＳＳ／ＰＢＣＨと周波数分割多重化される。
【０１１４】
他の実施形態では、ＮＲ−ｅＰＳＳ／ｅＳＳＳ／ｅＰＢＣＨが時分割多重化及び周波数分割多重化の混合方式でＬＴＥ  ＮＲ−ＰＳＳ／ＳＳＳ／ＰＢＣＨと多重化される。
【０１１５】
他の実施形態では、強化されたＮＲ−ＳＳ／ＰＢＣＨブロックがＬＴＥ  ＮＲ−ＰＳＳ／ＳＳＳ／ＰＢＣＨのみで構成される。例えば、無認可スペクトルの強化されたＮＲ−ＳＳ／ＰＢＣＨブロックは特定の応用シナリオ（例えば、非独立型シナリオ）に対するＮＲ−ＰＳＳ及びＮＲ−ＳＳＳのみで構成される。
【０１１６】
他の実施形態では、強化されたＮＲ−ＳＳ／ＰＢＣＨブロック内のＮＲ−ＰＳＳ／ＳＳＳ／ＰＢＣＨが時分割多重化される。
【０１１７】
以前の設計考慮事項と結合して、上記の実施形態が異なった応用シナリオに適用され得ることに留意する。例えば、ＬＴＥ  ＮＲ−ＰＳＳ／ＳＳＳ／ＰＢＣＨのみで構成される強化されたＮＲ−ＳＳ／ＰＢＣＨブロックが非独立型シナリオに用いられ、ＬＴＥ  ＮＲ−ＰＳＳ／ＳＳＳ／ＰＢＣＨ及びこれらの強化ＮＲ−ｅＰＳＳ／ｅＳＳＳ／ｅＰＢＣＨで構成されるＮＲ−ＳＳ／ＰＢＣＨブロックが独立型シナリオに用いられる。
【０１１８】
強化されたＮＲ−ＳＳ／ＰＢＣＨブロックに対する他の設計考慮事項は可能なＬＢＴ及び／又は可能な強化ＮＲ−ＰＳＳ／ＳＳＳ／ＰＢＣＨの追加送信及び／又は制御チャネルの送信及び／又はエンプティとして予備されること（例えば、ＡＧＣ問題によって又はＣＯＲＥＳＥＴのために予備）によって影響されるマッピング方式である。ＬＴＥ  ＮＲ−ＳＳ／ＰＢＣＨブロックの場合、ＮＲ−ＰＳＳ／ＳＳＳ／ＰＢＣＨは４つの連続的シンボルにマッピングされる。強化されたＮＲ−ＳＳ／ＰＢＣＨブロックの場合、強化されたＮＲ−ＰＳＳ／ＳＳＳ／ＰＢＣＨの可能な導入によって、１つの強化されたＮＲ−ＳＳ／ＰＢＣＨブロックがＬＴＥ  ＮＲ−ＳＳ／ＰＢＣＨブロックに比べてより多くのシンボルを占めることができる。また、隣接する強化されたＮＲ−ＳＳ／ＰＢＣＨブロックの送信（例えば、無認可スペクトルの利用シナリオを考慮する場合）とＣＯＲＥＳＥＴ又は制御信号に対する可能な位置を予備することの間の潜在的なＬＢＴによって、スロットに対する強化されたＮＲ−ＳＳ／ＰＢＣＨのマッピングはＬＴＥ  ＮＲ−ＳＳ／ＰＢＣＨブロックと互いに異なることができる（例えば、ＬＴＥ  ＮＲ−ＳＳ／ＰＢＣＨブロックと比べて非連続的シンボルにマッピングされるか、又は異なった順序でマッピングされる）。
【０１１９】
一実施形態では、連続的なシンボルらで構成される強化されたＮＲ−ＳＳ／ＰＢＣＨブロックを設計することが有利である。例えば、無認可スペクトルの利用シナリオを考慮する場合、強化されたＮＲ−ＳＳ／ＰＢＣＨブロック内にＬＢＴが不要となる。
【０１２０】
他の実施形態で、ＣＯＲＥＳＥＴ又は制御チャネルに対する予備及び複数のニューマロラジの共存問題を考慮すれば、強化されたＮＲ−ＳＳ／ＰＢＣＨブロックは非連続的なシンボルで構成されることもできる。一例で、無認可スペクトルの利用シナリオを考慮すれば、強化されたＮＲ−ＳＳ／ＰＢＣＨブロック内のシンボルグループの間のギャップはＬＢＴを行わない最大ギャップより短く（例えば、５ＧＨｚの場合は１６ｕｓ、６０ＧＨｚの場合は８ｕｓ）、これによって強化されたＮＲ−ＳＳ／ＰＢＣＨブロック内のギャップでＬＢＴが不要となる。他の例で、無認可スペクトルの利用シナリオを考慮すれば、強化されたＮＲ−ＳＳ／ＰＢＣＨブロック内のシンボルグループの間のギャップはＬＢＴを行わない最大ギャップより短く（例えば、５ＧＨｚの場合は１６ｕｓ、６０ＧＨｚの場合は８ｕｓ）、これにより送信を行うために強化されたＮＲ−ＳＳ／ＰＢＣＨブロック内のギャップにＬＢＴが必要となる。
【０１２１】
他の実施形態で、強化されたＮＲ−ＳＳ／ＰＢＣＨブロック内の可能なギャップによって、互いに異なる強化されたＮＲ−ＳＳ／ＰＢＣＨブロックに対する設計が同じでない場合もある。例えば、強化されたＮＲ−ＳＳ／ＰＢＣＨブロック（例えば、強化されたＮＲ−ＳＳ／ＰＢＣＨブロック内の信号／チャネル）のコンポーネントが同じでも、強化されたＮＲ−ＳＳ／ＰＢＣＨブロック内のギャップ位置は互いに異なる強化されたＮＲ−ＳＳ／ＰＢＣＨブロックに対して異なることができる。
【０１２２】
一般に、強化されたＮＲ−ＳＳ／ＰＢＣＨブロックはＮＲ−ＰＳＳに対してマッピングされた０−１シンボル、ＮＲ−ＳＳＳに対してマッピングされた０−１シンボル（各シンボル内で強化されたＮＲ−ＳＳ／ＰＢＣＨブロックはＮＲ−ＰＢＣＨ又はＮＲ−ｅＰＢＣＨとＦＤＭされ得る）、ＮＲ−ｅＰＳＳにマッピングされた０−２シンボル、ＮＲ−ｅＳＳＳにマッピングされた０−２シンボル（各シンボル内で強化されたＮＲ−ＳＳ／ＰＢＣＨブロックはＮＲ−ＰＢＣＨ又はＮＲ−ｅＰＢＣＨとＦＤＭされ得る）、ＮＲ−ＰＢＣＨに対して完全にマッピングされた０−２シンボル（強化されたＮＲ−ＳＳ／ＰＢＣＨブロックのＤＭＲＳを含む）又はＮＲ−ｅＰＢＣＨに対して完全にマッピングされた０−８シンボル（強化されたＮＲ−ＳＳ／ＰＢＣＨブロックのＤＭＲＳを含む）、及びギャップに対する０−Ｇシンボル（Ｇは整数）で構成されることができる。
【０１２３】
各信号／チャネル／ギャップに対する特定の個数のシンボルは応用シナリオ（例えば、無認可スペクトル／Ｖ２Ｘサイドリンク／ＵＲＬＬＣ／ＭＴＣ／ＩｏＴ、及び／又はキャリア周波数範囲、及び／又は独立型／非独立型のうち少なくとも１つを含む利用シナリオ）から決定され得る。強化されたＮＲ−ＳＳ／ＰＢＣＨブロック構成／マッピング／多重化の例が図１３乃至図１９に図示されており、これはそれぞれ２つ乃至８つのシンボル（ギャップがカウントされていないシンボル）を有する強化されたＮＲ−ＳＳ／ＰＢＣＨブロックに対応し、強化されたＮＲ−ＳＳ／ＰＢＣＨブロック構成／マッピング／多重化に対するより多くの例が図２０に図示されており、これは１４個のシンボル（すなわち、潜在的な予備のエンプティシンボルを含むスロット）を持つ強化されたＮＲ−ＳＳ／ＰＢＣＨブロックに対応し、ここでは、上記の設計考慮事項が考慮された。
【０１２４】
一実施形態では、強化されたＮＲ−ＳＳ／ＰＢＣＨブロックの全ての信号及び／又はチャネルが同じアンテナポートを使用して送信される。図１３乃至図２０は、本開示によってカバーされる全てのサポートされる設計の排他的例示ではない場合があることに留意する。
【０１２５】
強化されたＮＲ−ＳＳ／ＰＢＣＨブロックに対してより広いＢＷがサポートされ得る場合、図面で各信号／チャネルのＢＷがそれに応じて拡大される点に留意する。例えば、強化されたＮＲ−ＳＳ／ＰＢＣＨブロックのＢＷが４０個のＰＲＢである場合、時間ドメイン多重化パターンの変化なく、図面で２０個のＰＲＢのＢＷが４０個のＰＲＢに交替され／されるか１２個のＰＲＢが２４個のＰＲＢに交替され得る。
【０１２６】
強化されたＮＲ−ＳＳ／ＰＢＣＨブロックに対してより小さいＢＷがサポートされる場合、図面で各信号／チャネルのＢＷは強化されたＮＲ−ＳＳ／ＰＢＣＨブロックのサポートされるＢＷに対応する中央ＰＲＢらに減るようになる点に留意する。例えば、強化されたＮＲ−ＳＳ／ＰＢＣＨブロックのＢＷが１２個のＰＲＢである場合、図面で全ての信号／チャネルが中央１２個のＰＲＢらに減るようになることによって図面でＮＲ−ＳＳＳ又はＮＲ−ｅＳＳＳとＦＤＭされるＮＲ−ＰＢＣＨ又はＮＲ−ｅＰＢＣＨが存在しなくなる。
【０１２７】
図面でＮＲ−ＰＢＣＨ／ＮＲ−ｅＰＢＣＨに対してマッピングされたシンボルら又はシンボルの一部がＮＲ−ＰＢＣＨ／ＮＲ−ｅＰＢＣＨのＤＭＲＳを含むこともでき、ここで、一実施形態では、ＤＭＲＳに対するＲＥらがＮＲ−ＰＢＣＨ／ＮＲ−ｅＰＢＣＨに対するＲＥらとＦＤＭされることができ、又は、他の実施形態ではＮＲ−ＰＢＣＨ／ＮＲ−ｅＰＢＣＨに対するＲＥらとＴＤＭされ得る。
【０１２８】
ＲＭＳＩ（ｒｅｍａｉｎｉｎｇ  ｍｉｎｉｍｕｍ  ｓｙｓｔｅｍ  ｉｎｆｏｒｍａｔｉｏｎ）、ＯＳＩ（ｏｔｈｅｒ  ｓｙｓｔｅｍ  ｉｎｆｏｒｍａｔｉｏｎ）などといった共通制御チャネルを受信するための制御リソースセット（ｃｏｎｔｒｏｌ  ｒｅｓｏｕｒｃｅ  ｓｅｔ、ＣＯＲＥＳＥＴ）が構成されるべきである。１つのＣＯＲＥＳＥＴ構成が少なくともＲＭＳＩスケジューリングのために物理ブロードキャストチャネル（ｐｈｙｓｉｃａｌ  ｂｒｏａｄｃａｓｔ  ｃｈａｎｎｅｌ、ＰＢＣＨ）、例えば、マスター情報ブロック（ｍａｓｔｅｒ  ｉｎｆｏｒｍａｔｉｏｎ  ｂｌｏｃｋ、ＭＩＢ）を介して提供され得る。
【０１２９】
ＣＯＲＥＳＥＴはスロットタイミング、各スロットでのＯＦＤＭシンボル番号及び周波数リソースによって特徴付けられ得る。このようなＣＯＲＥＳＥＴ特性がそれぞれのＣＯＲＥＳＥＴに対して表示されるか、又はあらかじめ構成される。ＲＭＳＩ／ＯＳＩスケジューリングの場合、このＣＯＲＥＳＥＴ特性がＰＢＣＨで提供され得る。ＰＢＣＨによって構成されるこれらのＣＯＲＥＳＥＴ特性のうち、ＯＦＤＭシンボル番号及び周波数リソースは全ての共通チャネル（例えば、システム情報ブロック（ＳＩＢｘ）等）に共通的に適用され得るが、スロットタイミングは互いに異なるＳＩＢｘに対して具体的に決定され得る。
【０１３０】
本開示は、物理ダウンリンク制御チャネル（ＰＤＣＣＨ）スケジューリングＲＭＳＩを含むＲＭＳＩ及びＣＯＲＥＳＥＴ（スロットタイミング及び／又は直交周波数分割多重化（ＯＦＤＭ）シンボル番号で潜在的に構成されることができる）に対する周波数／時間リソースの構成を考慮し、この構成は可能であればＳＩＢに対しても再使用され得る。
【０１３１】
本開示で、表記法ｘ：ｙ：（ｘ＋（ｎ−１）＊ｙ）は長さ−ｎベクター（ｘ，ｘ＋ｙ，ｘ＋２ｙ，…，ｘ＋（ｎ−２）ｙ，ｘ＋（ｎ−１）ｙ）を指すことに留意する。
【０１３２】
ＰＤＣＣＨスケジューリングＲＭＳＩを含むＲＭＳＩ及びＣＯＲＥＳＥＴに対する周波数／時間リソース（本明細書の残りの部分では、“ＲＭＳＩリソースら”と略する）と関連付けられた、本開示の少なくとも次のコンポーネントは直接又は間接的にＮＲ−ＰＢＣＨのＭＩＢでビットらで構成されるものと見なされる。
【０１３３】
構成コンポーネントら。
【０１３４】
ＲＭＳＩリソースを構成するための第１コンポーネントはＲＭＳＩリソースのニューマロラジであり得る。
【０１３５】
一実施形態で、ＲＭＳＩリソースのニューマロラジはＭＩＢで１つの個別ビットによって構成されることができる。
【０１３６】
他の実施形態で、ＲＭＳＩリソースのニューマロラジはペイロード大きさを低減するために他の構成で構成されることができる。例えば、本開示に示したテーブルの例で全てのＲＭＳＩ  ＣＯＲＥＳＥＴ構成の構成がキャプチャされる場合、ＳＳ／ＰＢＣＨブロックのニューマロラジとＲＭＳＩリソースの組み合わせを制限することによって、ＲＭＳＩニューマロラジの有効ペイロード大きさが１ビットより小さくなる場合がある。
【０１３７】
ＲＭＳＩリソースを構成するための第２コンポーネントはＲＭＳＩリソースの多重化パターンであり得る。
【０１３８】
図１３Ａは、本開示の実施形態による例示的なＴＤＭ多重化パターン１３００を示す図である。図１３Ａに示すＴＤＭ多重化パターン１３００の実施形態は単なる例示のためのものである。図１３Ａは、本開示の範囲を任意の特定の具現で制限しない。
【０１３９】
多重化パターンの一実施形態では、ＳＳ／ＰＢＣＨブロック及びＲＭＳＩリソースがＴＤＭされ、ここで、ＳＳ／ＰＢＣＨブロックＢＷの中央とＲＭＳＩリソースＢＷの中央が整列されるか、又は整列されない場合があり、ＳＳ／ＰＢＣＨブロックＢＷはＲＭＳＩリソースＢＷと同じであるか、又は同じでない場合がある。一例が図１３Ａに図示されている。
【０１４０】
図１３Ｂは、本開示の実施形態による例示的なＦＤＭ多重化パターン１３２０を示す図である。図１３Ｂに示すＦＤＭ多重化パターン１３２０の実施形態は単なる例示のためのものである。図１３Ｂは、本開示の範囲を任意の特定の具現で制限しない。
【０１４１】
多重化パターンの他の実施形態では、ＳＳ／ＰＢＣＨブロック及びＲＭＳＩリソースらがＦＤＭされ、ここで、ＳＳ／ＰＢＣＨブロックに対するシンボルらとＲＭＳＩリソースに対するシンボルらが同じであるか、又は同じでない場合があり、ＳＳ／ＰＢＣＨブロックＢＷはＲＭＳＩリソースＢＷと同じであるか、又は同じでない場合がある。一例が図１３Ｂに図示されている。
【０１４２】
一例では、図１３Ｂのタイミングオフセットが０であることができ、これによりＣＯＲＥＳＥＴ及びＲＭＳＩのＰＤＳＣＨがＳＳ／ＰＢＣＨブロックとＦＤＭされる。
【０１４３】
他の例では、図１３Ｂのタイミングオフセットが０より大きい場合があり、これによりＣＯＲＥＳＥＴがＳＳ／ＰＢＣＨブロックとＴＤＭ及びＦＤＭされ、ＲＭＳＩのＰＤＳＣＨがＳＳ／ＰＢＣＨブロックとＦＤＭされる。
【０１４４】
ＳＳ／ＰＢＣＨブロックに対する第１シンボル及びＲＭＳＩリソースに対する第１シンボルが同じであるか否かにかかわらず、周波数オフセット表示方式は同じであることができ、例えば、この実施形態の上記した２つの例に対する周波数オフセット表示方式は同じであり得る。
【０１４５】
図１３Ｃは、本開示の実施形態による例示的なハイブリッドＴＤＭ及びＦＤＭ多重化パターン１３４０を示す図である。図１３Ｃに示すハイブリッドＴＤＭ及びＦＤＭ多重化パターン１３４０の実施形態は単なる例示のためのものである。図１３Ｃは、本開示の範囲を任意の特定の具現で制限しない。
【０１４６】
他の実施形態では、ＳＳ／ＰＢＣＨブロック及びＲＭＳＩリソースが同時にＴＤＭ及びＦＤＭされる（例えば、ハイブリッドＴＤＭ及びＦＤＭされる）。一例が図１３Ｃに図示されている。
【０１４７】
この実施形態の一例では、ＲＭＳＩリソースがＳＳ／ＰＢＣＨブロックとハイブリッドＴＤＭ及びＦＤＭされても、ＲＭＳＩ  ＣＯＲＥＳＥＴが純にＳＳ／ＰＢＣＨブロックとＴＤＭされ得る。このケースにおいて、タイミング及び周波数オフセット構成はＴＤＭケースを参照できる。
【０１４８】
前述した実施形態の他の例では、複数のＲＭＳＩリソースブロック（例えば、ＳＳ／ＰＢＣＨブロックの各側面上の２つのブロック）が純にＳＳ／ＰＢＣＨブロックとＦＤＭされる。このケースにおいて、タイミング及び周波数オフセット構成は一部の適切な修正事項と共に、ＦＤＭケースを参照できる。
【０１４９】
ＲＭＳＩリソースを構成するための第３コンポーネントはＰＤＣＣＨスケジューリングＲＭＳＩを含むＣＯＲＥＳＥＴの帯域幅（例えば、ＲＭＳＩ  ＣＯＲＥＳＥＴ  ＢＷ）であることができ、これはＲＭＳＩのサブキャリア間隔の観点からＰＲＢ（ｐｈｙｓｉｃａｌ  ｒｅｓｏｕｒｃｅ  ｂｌｏｃｋ）の数で表現されることができる。
【０１５０】
一実施形態で、ＣＯＲＥＳＥＴに対する周波数／時間リソースがＲＥグリッドで長方形を形成する場合（例えば、図１３Ａ及び図１３Ｂのような純なＴＤＭ及びＦＤＭケースらで）、ＣＯＲＥＳＥＴに対するＰＲＢの数はＰＲＢの観点からＣＯＲＥＳＥＴ  ＢＷとともにＯＦＤＭシンボルの数で構成されることができる。ＲＭＳＩ  ＣＯＲＥＳＥＴに対して与えられた総ＰＲＢ数に対して、ＣＯＲＥＳＥＴ  ＢＷはＲＭＳＩ  ＣＯＲＥＳＥＴのニューマロラジに基づいて決定されることができることに留意する。この実施形態の１つの下位実施形態では、ＲＭＳＩ  ＣＯＲＥＳＥＴの有効ＢＷがＳＳ／ＰＢＣＨブロックニューマロラジ観点から２４個のＰＲＢ以上である。
【０１５１】
一例で、ＣＯＲＥＳＥＴに対する総ＰＲＢの個数が１２個のＰＲＢで構成される場合、１２個のＰＲＢ  ＣＯＲＥＳＥＴ  ＢＷを有する１つのＯＦＤＭシンボル又は６個のＰＲＢ  ＣＯＲＥＳＥＴ  ＢＷを有する２つのＯＦＤＭシンボルを使用してこれが構成されることができる。
【０１５２】
他の例で、ＣＯＲＥＳＥＴに対する総ＰＲＢの個数が２４個のＰＲＢで構成される場合、２４個のＰＲＢ  ＣＯＲＥＳＥＴ  ＢＷを有する１つのＯＦＤＭシンボル又は１２個のＰＲＢ  ＣＯＲＥＳＥＴ  ＢＷを有する２つのＯＦＤＭシンボルを使用してこれが構成されることができる。
【０１５３】
さらに他の例で、ＣＯＲＥＳＥＴに対する総ＰＲＢの個数が４８個のＰＲＢで構成される場合、４８個のＰＲＢ  ＣＯＲＥＳＥＴ  ＢＷを有する１つのＯＦＤＭシンボル、又は２４個のＰＲＢ  ＣＯＲＥＳＥＴ  ＢＷを有する２つのＯＦＤＭシンボル、又は１６個のＰＲＢ  ＣＯＲＥＳＥＴ  ＢＷを有する３つのシンボルを使用してこれが構成されることができる。
【０１５４】
さらに他の例で、ＣＯＲＥＳＥＴに対する総ＰＲＢの個数が７２個のＰＲＢによって構成される場合、２４個のＰＲＢ  ＣＯＲＥＳＥＴ  ＢＷを有する３つのＯＦＤＭシンボルを使用してこれが構成されることができる。
【０１５５】
さらに他の例で、ＣＯＲＥＳＥＴに対する総ＰＲＢの個数が９６個のＰＲＢによって構成される場合、９６個のＰＲＢ  ＣＯＲＥＳＥＴ  ＢＷを有する１つのＯＦＤＭシンボル、又は４８個のＰＲＢ  ＣＯＲＥＳＥＴ  ＢＷを有する２つのＯＦＤＭシンボル、又は３２個のＰＲＢ  ＣＯＲＥＳＥＴ  ＢＷを有する３つのシンボルを使用してこれが構成されることができる。
【０１５６】
さらに他の例で、ＣＯＲＥＳＥＴに対する総ＰＲＢの個数が１４４個のＰＲＢによって構成される場合、４８個のＰＲＢ  ＣＯＲＥＳＥＴ  ＢＷを有する３つのＯＦＤＭシンボルを使用してこれが構成されることができる。
【０１５７】
他の実施形態では、ＣＯＲＥＳＥＴに対するＰＲＢの個数がＰＲＢの総個数である単一個数で構成されることができ（例えば、Ｎ＿ＣＯＲＥＳＥＴ＿ＰＲＢ＝１２又は２４又は４８又は９６個のＰＲＢ）、また、ＲＥマッピングパターンを定義するために他のコンポーネントで追加的に構成されることができる。
【０１５８】
例えば、ＣＯＲＥＳＥＴに対する総ＰＲＢの個数がＮ＿ＣＯＲＥＳＥＴ＿ＰＲＢＰＲＢによって構成され、ＲＥマッピングを定義するためにハイブリッドＴＤＭ及びＦＤＭされるパターン（例えば、図１３Ｃと同様に）で追加的に構成されることができる。
【０１５９】
ＲＭＳＩリソースを構成するための第４コンポーネントはＲＭＳＩリソースをモニタリングするためのタイミング情報であり得る。
【０１６０】
このコンポーネントの一実施形態で、１つの構成はＳＳ／ＰＢＣＨブロックとＲＭＳＩリソースの間のタイミングオフセットであることができ、これはＯＦＤＭシンボルの個数によって構成されることができるか（例えば、ＳＳ／ＰＢＣＨブロックニューマロラジ又はＲＭＳＩ  ＣＯＲＥＳＥＴニューマロラジの観点から）、又はスロットの個数によって構成されることができるか（例えば、ＳＳ／ＰＢＣＨブロックニューマロラジ又はＲＭＳＩ  ＣＯＲＥＳＥＴニューマロラジの観点から）、又は時間によって構成されることができ（例えば、ｍｓの観点から）、これはＳＳ／ＰＢＣＨブロックの開始位置とＲＭＳＩリソース（又はＣＯＲＥＳＥＴ位置）の間の差を示す。このようなタイミングオフセットの構成はＴＤＭ／ＦＤＭ／ハイブリッドケースにおいて同じであるか、又は異なる場合があることに留意する。
【０１６１】
例えば、ＴＤＭケースにおいて、タイミングオフセットは数ｍｓ以上であり得る。
【０１６２】
他の例で、ＦＤＭケースにおいて、タイミングオフセットは０又は最大数個のＯＦＤＭシンボル分小さい場合がある。
【０１６３】
さらに他の例で、ハイブリッドケースにおいて、タイミングオフセットはＦＤＭケースのように小さい場合がある。
【０１６４】
このようなコンポーネントの他の実施形態で、他の構成は時間ドメインでＲＭＳＩリソースをモニタする周期であり得る。
【０１６５】
ＲＭＳＩリソースを構成するための第５コンポーネントはＳＳ／ＰＢＣＨブロックとＲＭＳＩリソース（例えば、ＲＭＳＩ  ＣＯＲＥＳＥＴ）の間の周波数オフセットであり得る。
【０１６６】
周波数オフセット構成の定義はＴＤＭ／ＦＤＭ／ハイブリッドケースを含む、多重化ケースらにおいて同じであるか、又は異なることができる。例えば、次の実施形態のうち１つがＴＤＭ／ＦＤＭ／ハイブリッドケースに共通的に用いられる。他の実施形態では、次の実施形態のうち１つがＴＤＭケースに対する周波数オフセットを定義するために用いられ、次の実施形態のうち１つがＦＤＭ／ハイブリッドケースに用いられる。また、ＳＳ／ＰＢＣＨブロックＢＷ及びＲＭＳＩリソースＢＷを知れば、次の周波数オフセットの定義がこれに相応になることができる（１つが他から差し引かれ得る）。
【０１６７】
一実施形態で、周波数オフセットはＳＳ／ＰＢＣＨブロックＢＷの中央とＲＭＳＩリソースＢＷの中央の間の差によって定義されることができ、これはＰＲＢ又はＲＥ又はＨｚの数に関することであり得る。一部の例（例えば、ＳＳ／ＰＢＣＨブロックＢＷ＝２０ＰＲＢであり、ＲＭＳＩリソースＢＷは偶数である）で、この定義はＳＳ／ＰＢＣＨブロックＢＷとＲＭＳＩリソースＢＷの間の中央ＰＲＢグリッドオフセットと同じである。
【０１６８】
他の実施形態で、周波数オフセットはＳＳ／ＰＢＣＨブロックの最下位／最上位ＲＥ／ＰＲＢグリッドとＲＭＳＩリソースの最下位／最上位ＲＥ／ＰＲＢグリッド間の差によって定義されることができ、これはＰＲＢ又はＲＥ又はＨｚの数に関することであることができる。
【０１６９】
ΔＦ（ＲＭＳＩ  ＣＯＲＥＳＥＴニューマロラジの観点）はΔＦ＝Ｆ＿ｒｅｆ＋ΔＦ′と定義され、ここで、Ｆ＿ｒｅｆは周波数オフセット基準を示し（ＲＭＳＩ  ＣＯＲＥＳＥＴニューマロラジの観点）その仕様での常数／予め定義された値として定義されるか、又は他の構成によって表示／構成されるか、又は他の情報から知るようになることができ、ΔＦ′（ＲＭＳＩ  ＣＯＲＥＳＥＴニューマロラジの観点）は周波数オフセット基準に対する表示／構成が必要な部分である。
【０１７０】
周波数オフセットΔＦに対する構成が必要な範囲（例えば、ベクターΔＦ＿Ｒａｎｇｅと定義される）は実際においてΔＦ′に対する範囲（例えば、ベクターΔＦ′＿Ｒａｎｇｅと定義される）によって決定され、周波数オフセット基準が知られているので、この範囲の間の関係はΔＦ＿Ｒａｎｇｅ＝Ｆ＿ｒｅｆ＋ΔＦ′＿Ｒａｎｇｅによって与えられる。
【０１７１】
周波数オフセットの構成は互いに異なる多重化方式だけでなくＳＳ／ＰＢＣＨブロックのニューマロラジとＢＷ、そしてＲＭＳＩ  ＣＯＲＥＳＥＴの間の関係に依存できる。互いに異なる多重化パターンに対する次の実施形態が本開示で考慮される。一例では、ＴＤＭ及びＦＤＭサブケースからの複数の実施形態が同時にサポートできることに留意する。
【０１７２】
ＴＤＭサブケース１において、最小チャネルＢＷはＲＭＳＩ  ＣＯＲＥＳＥＴ  ＢＷ以上である。このサブケースの場合、可能なＳＳブロックの相対的位置、ＲＭＳＩ  ＣＯＲＥＳＥＴ及び最小チャネル帯域幅の観点から複数の実施形態が考慮され、これは周波数オフセット基準及び構成される必要がある周波数オフセット範囲（すなわち、ΔＦ′＿Ｒａｎｇｅ）を追加的に決定する。
【０１７３】
図１４は、本開示の実施形態によるＴＤＭ多重化パターンの第１ケースに対する周波数オフセット１４００の例示的な構成を示す図である。図１４に示す周波数オフセット１４００構成の実施形態は単なる例示のためのものである。図１４は、本開示の範囲を任意の特定の具現で制限しない。
【０１７４】
ＴＤＭサブケース１の第１実施形態（例えば、ＴＤＭ−実施形態１．１）で、ＲＭＳＩ  ＣＯＲＥＳＥＴの周波数位置は最小チャネルＢＷ内で任意的であり得る（図１４に示すように、ここで１４０２、１４０３、１４０４、１４０５及び１４０６はこの下位実施形態で考慮されるＲＭＳＩリソースの相対的位置に対する全ての例である。この実施形態で、周波数オフセット基準はＦ＿ｒｅｆ＝０（すなわち、ΔＦ＝ΔＦ′）に決定されることができ、ΔＦ′に対する周波数オフセット範囲はＰＲＢでのΔＦ′＿Ｒａｎｇｅ＝（ＰＲＢでの最小チャネルＢＷ−ＰＲＢでのＳＳ／ＰＢＣＨブロックＢＷ）＊Ｒ＿ＳＣＳに決定されることができ、ここで、最小チャネルＢＷはＳＳ／ＰＢＣＨブロックニューマロラジで定義され、ΔＦ′＿ＲａｎｇｅはＲＭＳＩ  ＣＯＲＥＳＥＴニューマロラジで定義され、Ｒ＿ＳＣＳ＝ＳＣＳ＿ＳＳ／ＳＣＳ＿ＣＯＲＥＳＥＴはＳＳ／ＰＢＣＨブロック及びＲＭＳＩ  ＣＯＲＥＳＥＴのサブキャリア間隔値の間の比率である。
【０１７５】
ＴＤＭサブケース１の第２実施形態（例えば、ＴＤＭ−実施形態１．２）で、ＲＭＳＩ  ＣＯＲＥＳＥＴの周波数位置は最小チャネルＢＷのサブセット内で制限され得る（可能な周波数位置はＴＤＭ実施形態１．１のサブセット）。例えば、ＲＭＳＩ  ＣＯＲＥＳＥＴの周波数位置はＳＳ／ＰＢＣＨブロックＢＷがＰＲＢレベルでＲＭＳＩ  ＣＯＲＥＳＥＴ  ＢＷのサブセットになるように構成されることができる（この構成は既に特定の構成に最小チャネルＢＷ内で全体ＲＭＳＩリソースを得ることができることを保証する点に留意すべきである）。
【０１７６】
図１５は、本開示の実施形態によるＴＤＭ多重化パターンの第２ケースに対する周波数オフセット１５００の例示的な構成を示す図である。図１５に示す周波数オフセット１５００の構成の実施形態は単なる例示のためのものである。図１５は、本開示の範囲を任意の特定の具現で制限しない。
【０１７７】
図１５に示すように、１５０２、１５０３及び１５０４はこの下位実施形態で考慮されるＲＭＳＩリソースの相対的位置に対する全ての例である。この実施形態で、周波数オフセット基準はＦ＿ｒｅｆ＝０（すなわち、ΔＦ＝ΔＦ′）に決定されることができ、ΔＦ′に対する周波数オフセット範囲はＰＲＢでのΔＦ′＿Ｒａｎｇｅ＝ｍａｘ（０，（ＰＲＢでのＲＭＳＩ  ＣＯＲＥＳＥＴ  ＢＷ−ＰＲＢでのＳＳ／ＰＢＣＨブロックＢＷ＊Ｒ＿ＳＣＳ））に決定されることができ、ここで、ΔＦ′＿Ｒａｎｇｅは、ＲＭＳＩ  ＣＯＲＥＳＥＴニューマロラジで定義され、Ｒ＿ＳＣＳ＝ＳＣＳ＿ＳＳ／ＳＣＳ＿ＣＯＲＥＳＥＴはＳＳ／ＰＢＣＨブロック及びＲＭＳＩ  ＣＯＲＥＳＥＴのサブキャリア間隔値の間の比率である。ＲＭＳＩ  ＣＯＲＥＳＥＴ  ＢＷがＳＳ／ＰＢＣＨブロックＢＷより小さいかまたは同じ場合、ＰＲＢでのΔＦ′＿Ｒａｎｇｅは０（ＰＲＢレベル表示が不要なことを意味する）である。
【０１７８】
図１６は、本開示の実施形態によるＴＤＭ多重化パターンの第３ケースに対する周波数オフセット１６００の例示的な構成を示す図である。図１６に示す周波数オフセット１６００の構成の実施形態は単なる例示のためのものである。図１６は、本開示の範囲を任意の特定の具現で制限しない。
【０１７９】
ＴＤＭサブケース１の第３実施形態（例えば、ＴＤＭ−実施形態１．３）で、ＲＭＳＩ  ＣＯＲＥＳＥＴの周波数位置は最小チャネルＢＷ内で制限される（可能な周波数位置はＴＤＭ−実施形態１．１のサブセット）。例えば、ＲＭＳＩ  ＣＯＲＥＳＥＴの周波数位置はＲＭＳＩ  ＣＯＲＥＳＥＴ  ＢＷを超過するＳＳ／ＰＢＣＨブロックＢＷがＲＭＳＩ  ＣＯＲＥＳＥＴニューマロラジ観点から１つのＰＲＢを超過しないようにＢＷ部分がなるように構成されることができる（この１つのＰＲＢはＳＳ／ＰＢＣＨブロックＰＲＢ境界とＲＭＳＩ  ＣＯＲＥＳＥＴ  ＰＲＢ境界の間の可能なオフセットを示すフローティング同期化機能に用いられる）。この構成は既に特定の構成で最小チャネルＢＷ内で全体ＲＭＳＩリソースを得ることができることを保証することに留意すべきである。
【０１８０】
図１６に示すように、１６０２、１６０３及び１６０４はこの下位実施形態で考慮されるＲＭＳＩリソースの相対的位置の例で、フローティング同期化がＳＳ／ＰＢＣＨブロックに同時に適用され得る。この実施形態で、周波数オフセット基準はＦ＿ｒｅｆ＝０（すなわち、ΔＦ＝ΔＦ′）に決定されることができ、ΔＦ′に対する周波数オフセット範囲はＰＲＢでのΔＦ′＿Ｒａｎｇｅ＝ｍａｘ（１，（ＰＲＢ＋１でのＲＭＳＩ  ＣＯＲＥＳＥＴ  ＢＷ−ＰＲＢでのＳＳ／ＰＢＣＨブロックＢＷ＊Ｒ＿ＳＣＳ））に決定されることができ、ここで、ΔＦ′＿ＲａｎｇｅはＲＭＳＩ  ＣＯＲＥＳＥＴニューマロラジで定義され、Ｒ＿ＳＣＳ＝ＳＣＳ＿ＳＳ／ＳＣＳ＿ＣＯＲＥＳＥＴはＳＳ／ＰＢＣＨブロック及びＲＭＳＩ  ＣＯＲＥＳＥＴのサブキャリア間隔値の間の比率である。ＲＭＳＩ  ＣＯＲＥＳＥＴ  ＢＷがＳＳ／ＰＢＣＨブロックＢＷより小さいかまたは同じ場合、ＰＲＢでのΔＦ′＿Ｒａｎｇｅは１（１つのＰＲＢ内にＰＲＢレベル表示が必要なくＲＥレベル表示のみが必要なことを意味）である。
【０１８１】
ＴＤＭサブケース２では、最小チャネルＢＷがＲＭＳＩ  ＣＯＲＥＳＥＴ  ＢＷより小さい。このサブケースの場合、可能なＳＳブロックの相対的位置、ＲＭＳＩ  ＣＯＲＥＳＥＴ及び最小チャネル帯域幅の観点から複数の実施形態が考慮され、これは周波数オフセット基準及び構成される必要がある周波数オフセット範囲（すなわち、ΔＦ′＿Ｒａｎｇｅ）を追加的に決定する。
【０１８２】
図１７は、本開示の実施形態によるＴＤＭ多重化パターンの第４ケースに対する周波数オフセット１７００の例示的な構成を示す図である。図１７に示す周波数オフセット１７００の構成の実施形態は単なる例示のためのものである。図１７は、本開示の範囲を任意の特定の具現で制限しない。
【０１８３】
ＴＤＭサブケース２の第１実施形態（例えば、ＴＤＭ実施形態２．１）で、ＳＳ／ＰＢＣＨブロックの周波数位置はＲＭＳＩ  ＣＯＲＥＳＥＴ  ＢＷ内で任意的であり得る。図１７に示すように、１７０１、１７０２、…、１７０４は本実施形態で考慮されるＳＳ／ＰＢＣＨブロックの相対的な位置に対する全ての例である。この実施形態で、周波数オフセット基準はＦ＿ｒｅｆ＝０（すなわち、ΔＦ＝ΔＦ′）に決定されることができ、ΔＦ′に対する周波数オフセット範囲はＰＲＢでのΔＦ′＿Ｒａｎｇｅ＝ＰＲＢでのＲＭＳＩ  ＣＯＲＥＳＥＴ  ＢＷ−ＰＲＢでのＳＳ／ＰＢＣＨブロックＢＷ＊Ｒ＿ＳＣＳに決定されることができ、ここで、ΔＦ′＿ＲａｎｇｅはＲＭＳＩ  ＣＯＲＥＳＥＴニューマロラジに定義され、Ｒ＿ＳＣＳ＝ＳＣＳ＿ＳＳ／ＳＣＳ＿ＣＯＲＥＳＥＴはＳＳ／ＰＢＣＨブロック及びＲＭＳＩ  ＣＯＲＥＳＥＴのサブキャリア間隔値の間の比率である。
【０１８４】
ＴＤＭサブケース２の第２実施形態（例えば、ＴＤＭ−実施形態２．２）で、ＳＳ／ＰＢＣＨブロックの周波数位置はＲＭＳＩ  ＣＯＲＥＳＥＴ  ＢＷの一部内で制限され得る（可能な周波数位置はＴＤＭ−実施形態２．１のサブセット）。例えば、ＲＭＳＩ  ＣＯＲＥＳＥＴの周波数位置はＳＳ／ＰＢＣＨブロックＢＷがＰＲＢレベルでＲＭＳＩ  ＣＯＲＥＳＥＴ  ＢＷの一部のサブセットになるように構成されることができ、ここで、ＲＭＳＩ  ＣＯＲＥＳＥＴ  ＢＷの一部は“制限されたＢＷ”を指すものであって、オーバーヘッドを減少させるために仕様で予め定義された値であり得る。一例で、制限されたＢＷはＳＳ／ＰＢＣＨブロックニューマロラジ観点から２４個のＰＲＢであることができ、これは全体ＲＭＳＩ  ＣＯＲＥＳＥＴ  ＢＷが最小ＵＥ  ＢＷ内に存在できるようにするＢＷに対する最小値を示す。
【０１８５】
図１８は、本開示の実施形態によるＴＤＭ多重化パターンの第５ケースに対する周波数オフセット１８００の例示的な構成を示す図である。図１８に示す周波数オフセット１８００の構成の実施形態は単なる例示のためのものである。図１８は、本開示の範囲を任意の特定の具現で制限しない。
【０１８６】
他の例では、制限されたＢＷが最小チャネルＢＷと同じであることができ、全体ＲＭＳＩ  ＣＯＲＥＳＥＴ  ＢＷも最小ＵＥ  ＢＷ内に存在し得る。図１８に示すように、１８０１、１８０２、１８０３及び１８０４は本実施形態で考慮されるＳＳ／ＰＢＣＨブロックの相対的位置に対する全ての例である。この実施形態で、周波数オフセット基準は予め定義された制限されたＢＷの周波数位置によって決定される、ＲＭＳＩ  ＣＯＲＥＳＥＴ  ＢＷに対する制限されたＢＷの中央オフセットを示し、仕様で予め定義された値であり、例えば、Ｆ＿ｒｅｆ＝ΔＣＯＲＥＳＥＴ＿ＢＷ＿Ｏｆｆｓｅｔ（ＲＭＳＩ  ＣＯＲＥＳＥＴニューマロラジで定義）である。
【０１８７】
一例で、制限されたＢＷはＦ＿ｒｅｆ＝ΔＣＯＲＥＳＥＴ＿ＢＷ＿Ｏｆｆｓｅｔ＝０になるようにＲＭＳＩ  ＣＯＲＥＳＥＴ  ＢＷの中央に制限され得る（すなわち、ＲＭＳＩ  ＣＯＲＥＳＥＴ  ＢＷ及び制限されたＢＷの中央が整列される）。他の例で、制限されたＢＷは開始する端部によって、Ｆ＿ｒｅｆ＝ΔＣＯＲＥＳＥＴ＿ＢＷ＿Ｏｆｆｓｅｔ＝ＣＯＲＥＳＥＴ  ＢＷ／２−制限されたＢＷ／２になるか、又はＦ＿ｒｅｆ＝ΔＣＯＲＥＳＥＴ＿ＢＷ＿Ｏｆｆｓｅｔ＝−ＣＯＲＥＳＥＴ  ＢＷ／２＋制限されたＢＷ／２になるように、一端から開始するように制限され得る。この実施形態で、ΔＦ′に対する全体周波数オフセット範囲はＰＲＢでのΔＦ′＿Ｒａｎｇｅ＝ＰＲＢでの制限されたＢＷ−ＰＲＢでのＳＳ／ＰＢＣＨブロックＢＷ＊Ｒ＿ＳＣＳに決定されることができ、ここで、制限されたＢＷ及びΔＦ′＿ＲａｎｇｅはＲＭＳＩ  ＣＯＲＥＳＥＴニューマロラジで定義され、Ｒ＿ＳＣＳ＝ＳＣＳ＿ＳＳ／ＳＣＳ＿ＣＯＲＥＳＥＴはＳＳ／ＰＢＣＨブロック及びＲＭＳＩ  ＣＯＲＥＳＥＴのサブキャリア間隔値の間の比率である。
【０１８８】
ＴＤＭサブケース２の第３実施形態（例えば、ＴＤＭ−実施形態２．３）では、ＳＳ／ＰＢＣＨブロックの周波数位置がＲＭＳＩ  ＣＯＲＥＳＥＴ  ＢＷの一部内で制限され（可能な周波数位置はＴＤＭ−実施形態２．１のサブセット）、潜在的な追加オフセットがＲＭＳＩ  ＣＯＲＥＳＥＴニューマロラジ観点から最大１ＰＲＢで表示される（この１つのＰＲＢはＳＳ／ＰＢＣＨブロックＰＲＢ境界とＲＭＳＩ  ＣＯＲＥＳＥＴ  ＰＲＢ境界の間の可能なオフセットを示すフローティング同期化の機能に用いられる）。
【０１８９】
例えば、ＲＭＳＩ  ＣＯＲＥＳＥＴの周波数位置はＲＭＳＩ  ＣＯＲＥＳＥＴニューマロラジ観点から最大１ＰＲＢ分大きい潜在的追加オフセットを除いてＳＳ／ＰＢＣＨブロックＢＷがＲＭＳＩ  ＣＯＲＥＳＥＴ  ＢＷの一部のサブセットになるように構成されることができ、ここで、ＲＭＳＩ  ＣＯＲＥＳＥＴ  ＢＷの一部は“制限されたＢＷ”を示し、オーバーヘッドを低減するために仕様で予め定義された値であり得る。
【０１９０】
図１９は、本開示の実施形態によるＴＤＭ多重化パターンの第６ケースに対する周波数オフセット１９００の例示的な構成を示す図である。図１９に示す周波数オフセット１９００の構成の実施形態は単なる例示のためのものである。図１９は、本開示の範囲を任意の特定の具現で制限しない。
【０１９１】
一例で、制限されたＢＷはＳＳ／ＰＢＣＨブロックニューマロラジ観点から２４個のＰＲＢであることができ、これは全体ＲＭＳＩ  ＣＯＲＥＳＥＴ  ＢＷが最小ＵＥ  ＢＷ内に存在できるようにするＢＷに対する最小値を指す。他の例では、制限されたＢＷが最小チャネルＢＷと同じであることができ、全体ＲＭＳＩ  ＣＯＲＥＳＥＴ  ＢＷが最小ＵＥ  ＢＷ内に存在し得る。図１９に示すように、１９０１、１９０２、１９０３及び１９０４は本実施形態で考慮されるＳＳ／ＰＢＣＨブロックの相対的位置の全ての例である。
【０１９２】
この実施形態で、周波数オフセット基準は予め定義された制限されたＢＷの周波数位置によって決定される、ＲＭＳＩ  ＣＯＲＥＳＥＴ  ＢＷに対する制限されたＢＷの中央オフセットを示し、仕様で予め定義された値であり、例えば、Ｆ＿ｒｅｆ＝ΔＣＯＲＥＳＥＴ＿ＢＷ＿Ｏｆｆｓｅｔ（ＲＭＳＩ  ＣＯＲＥＳＥＴニューマロラジで定義）である。
【０１９３】
一例で、制限されたＢＷはＦ＿ｒｅｆ＝ΔＣＯＲＥＳＥＴ＿ＢＷ＿Ｏｆｆｓｅｔ＝０になるようにＲＭＳＩ  ＣＯＲＥＳＥＴ  ＢＷの中央に制限され得る（すなわち、ＲＭＳＩ  ＣＯＲＥＳＥＴ  ＢＷ及び制限されたＢＷの中央が整列される）。他の例で、制限されたＢＷは開始する端部によって、Ｆ＿ｒｅｆ＝ΔＣＯＲＥＳＥＴ＿ＢＷ＿Ｏｆｆｓｅｔ＝ＣＯＲＥＳＥＴ  ＢＷ／２−制限されたＢＷ／２になるか、又はＦ＿ｒｅｆ＝ΔＣＯＲＥＳＥＴ＿ＢＷ＿Ｏｆｆｓｅｔ＝−ＣＯＲＥＳＥＴ  ＢＷ／２＋制限されたＢＷ／２になるように、一端から開始するように制限され得る。この実施形態で、ΔＦ′に対する全体周波数オフセット範囲はＰＲＢでのΔＦ′＿Ｒａｎｇｅ＝ＰＲＢでの制限されたＢＷ＋１−ＰＲＢでのＳＳ／ＰＢＣＨブロックＢＷ＊Ｒ＿ＳＣＳに決定されることができ、ここで制限されたＢＷ及びΔＦ′＿ＲａｎｇｅはＲＭＳＩ  ＣＯＲＥＳＥＴニューマロラジで定義され、Ｒ＿ＳＣＳ＝ＳＣＳ＿ＳＳ／ＳＣＳ＿ＣＯＲＥＳＥＴはＳＳ／ＰＢＣＨブロック及びＲＭＳＩ  ＣＯＲＥＳＥＴのサブキャリア間隔値の間の比率である。
【０１９４】
ＦＤＭサブケース１では、単一ＲＭＳＩリソースブロックがＳＳ／ＰＢＣＨブロックとＦＤＭされ、周波数ドメインでＳＳ／ＰＢＣＨブロックのいずれか一側にあり得る。このサブケースの場合、可能なＳＳブロックの相対的位置、ＲＭＳＩ  ＣＯＲＥＳＥＴ及び最小チャネル帯域幅の観点から複数の実施形態が考慮され、これは周波数オフセット基準及び構成される必要がある周波数オフセット範囲（すなわち、ΔＦ′＿Ｒａｎｇｅ）を追加的に決定する。
【０１９５】
ＦＤＭサブケース１の第１実施形態（例えば、ＦＤＭ−実施形態１．１）で、ＳＳ／ＰＢＣＨブロックの周波数位置は最小チャネルＢＷ内で任意的であることができ、ＲＭＳＩ  ＣＯＲＥＳＥＴブロックは周波数ドメインで潜在的に予め定義された常数ギャップΔＧａｐ（ＲＭＳＩ  ＣＯＲＥＳＥＴニューマロラジで定義）と最小チャネルＢＷ外部で多重化される。
【０１９６】
図２０は、本開示の実施形態によるＦＤＭ多重化パターンの第１ケースに対する周波数オフセット２０００の例示的な構成を示す図である。図２０に示す周波数オフセット２０００の構成の実施形態は単なる例示のためのものである。図２０は、本開示の範囲を任意の特定の具現で制限しない。
【０１９７】
図２０に示すように、２００１、２００２、２００３及び２００４は本実施形態で考慮されるＳＳ／ＰＢＣＨブロックの相対的位置に対する全ての例である。一例で、ギャップは０ＰＲＢである。他の例で、ギャップは１ＰＲＢ内にあるように決定され、フローティング同期化を可能にするためにＲＥレベルオフセット値と整列される（例えば、ＲＥレベルオフセットが−６：１：５又は−６：１：６と定義された場合、ΔＧａｐ＝６ＲＥで；ＲＥレベルオフセットが０：１：１１又は０：１：１２と定義された場合、ΔＧａｐ＝０ＲＥで；ＲＥレベルオフセットが−１１：１：０と定義された場合、ΔＧａｐ＝１１ＲＥで；ＲＥレベルオフセットが−１２：１：０と定義された場合；ΔＧａｐ＝１２ＲＥである）。
【０１９８】
この実施形態で、周波数オフセット基準はＦ＿ｒｅｆ＝ＲＭＳＩ  ＣＯＲＥＳＥＴ  ＢＷ／２＋ΔＧａｐ＋最小チャネルＢＷ／２になるようにするＲＭＳＩ  ＣＯＲＥＳＥＴ  ＢＷと最小チャネルＢＷの間の中央オフセットとして決定されることができ、ΔＦ′に対する周波数オフセット範囲はＰＲＢでのΔＦ′＿Ｒａｎｇｅ＝（ＰＲＢで最小チャネルＢＷ−ＰＲＢでのＳＳ／ＰＢＣＨブロックＢＷ）＊Ｒ＿ＳＣＳに決定されることができ、ここで、最小チャネルＢＷはＳＳ／ＰＢＣＨブロックニューマロラジで定義され、ΔＦ′＿ＲａｎｇｅはＲＭＳＩ  ＣＯＲＥＳＥＴニューマロラジで定義され、Ｒ＿ＳＣＳ＝ＳＣＳ＿ＳＳ／ＳＣＳ＿ＣＯＲＥＳＥＴはＳＳ／ＰＢＣＨブロック及びＲＭＳＩ  ＣＯＲＥＳＥＴのサブキャリア間隔値の間の比率である。
【０１９９】
この実施形態の１つの可能な変形では、ＳＳ／ＰＢＣＨブロックとのＲＭＳＩリソースの多重化パターンがＳＳ／ＰＢＣＨブロックのいずれか一方にあることができ、したがって、周波数オフセット基準はＲＭＳＩ  ＣＯＲＥＳＥＴ  ＢＷ／２＋ΔＧａｐ＋最小チャネルＢＷ／２又は−（ＲＭＳＩ  ＣＯＲＥＳＥＴ  ＢＷ／２＋ΔＧａｐ′＋最小チャネルＢＷ＊Ｒ＿ＳＣＳ／２）であることができ、ここで、ΔＧａｐ′は予め定義された常数ギャップである。１つの考慮事項で、フローティング同期化を可能にするためにΔＧａｐ′＋ΔＧａｐ＝１２ＲＥである（例えば、−６：１：５と定義されたＲＥレベルオフセットと整列されるようにΔＧａｐ＝６ＲＥを選択する場合、この設定と整列されるように−５：１：６と定義されたＲＥレベルオフセットでΔＧａｐ′＝６ＲＥになる。
【０２００】
他の例で、−６：１：６と定義されたＲＥレベルオフセットと整列されるようにΔＧａｐ＝６ＲＥを選択する場合、この設定と整列されるように−６：１：６と定義されたＲＥレベルオフセットでΔＧａｐ′＝６ＲＥになる。他の例で、０：１：１１と定義されたＲＥレベルオフセットと整列されるようにΔＧａｐ＝０ＲＥを選択する場合、この設定と整列されるように−１１：１：０と定義されたＲＥレベルオフセットでΔＧａｐ′＝１２ＲＥになる。他の例で、０：１：１２と定義されたＲＥレベルオフセットと整列されるようにΔＧａｐ＝０ＲＥを選択する場合、この設定と整列されるように−１２：１：０と定義されたＲＥレベルオフセットでΔＧａｐ′＝１２ＲＥになる。さらに他の例で、−１２：１：０と定義されたＲＥレベルオフセットと整列されるようにΔＧａｐ＝１２ＲＥを選択する場合、この設定と整列されるように０：１：１２と定義されたＲＥレベルオフセットでΔＧａｐ′＝０ＲＥになる）。この変形では、仕様で予め定義されたＳＳ／ＰＢＣＨブロックの特定の側でＲＭＳＩリソースを制限することに比べて構成の数が２倍になる。
【０２０１】
ＦＤＭサブケース１の第２実施形態（例えば、ＦＤＭ−実施形態１．２）で、ＳＳ／ＰＢＣＨブロックの周波数位置は最小チャネルＢＷ内にあることができ、ＲＭＳＩ  ＣＯＲＥＳＥＴブロックは周波数ドメインで潜在的に予め定義された常数ギャップΔＧａｐ（ＲＭＳＩ  ＣＯＲＥＳＥＴニューマロラジで定義）と最小チャネルＢＷ内で（部分的に）多重化され得る。
【０２０２】
図２１は、本開示の実施形態によるＦＤＭ多重化パターンの第２ケースに対する周波数オフセット２１００の例示的な構成を示す図である。図２１に示す周波数オフセット２１００の構成の実施形態は単なる例示のためのものである。図２１は、本開示の範囲を任意の特定の具現で制限しない。
【０２０３】
図２１に示すように、２１０１、２１０２及び２１０３は本実施形態で考慮されるＳＳ／ＰＢＣＨブロックの相対的位置に対する全ての例である。一例で、ギャップは０ＰＲＢである。他の例で、ギャップは１ＰＲＢ内にあるように決定され、フローティング同期化を可能にするためにＲＥレベルオフセット値と整列される（例えば、ＲＥレベルオフセットが−６：１：５又は−６：１：６と定義された場合、ΔＧａｐ＝６ＲＥで；ＲＥレベルオフセットが０：１：１１又は０：１：１２と定義された場合、ΔＧａｐ＝０ＲＥで；ＲＥレベルオフセットが−１１：１：０と定義された場合、ΔＧａｐ＝１１ＲＥで；ＲＥレベルオフセットが−１２：１：０と定義された場合、ΔＧａｐ＝１２ＲＥである）。フローティング同期化を可能にするために予備されたＲＥの他、他の可能なギャップのコンポーネントは混合ニューマロラジシナリオに対してＦＤＭを可能にするための１ＰＲＢであり得る。この実施形態で、周波数オフセット基準はＦ＿ｒｅｆ＝ＲＭＳＩ  ＣＯＲＥＳＥＴ  ＢＷ／２＋ΔＧａｐ＋ＳＳ／ＰＢＣＨブロックＢＷ＊Ｒ＿ＳＣＳ／２と決定されることができ、ΔＦ′に対する周波数オフセット範囲はＰＲＢでのΔＦ′＿Ｒａｎｇｅ＝０（これは相対的位置がＰＲＢレベルで固定されることを意味）に決定されることができ、ここで、ΔＦ′＿ＲａｎｇｅはＲＭＳＩ  ＣＯＲＥＳＥＴニューマロラジで定義され、Ｒ＿ＳＣＳ＝ＳＣＳ＿ＳＳ／ＳＣＳ＿ＣＯＲＥＳＥＴはＳＳ／ＰＢＣＨブロック及びＲＭＳＩ  ＣＯＲＥＳＥＴのサブキャリア間隔値の間の比率である。
【０２０４】
この実施形態の１つの可能な変形では、ＳＳ／ＰＢＣＨブロックとのＲＭＳＩリソースの多重化パターンがＳＳ／ＰＢＣＨブロックのいずれか一方にあることができ、したがって、周波数オフセット基準はＲＭＳＩ  ＣＯＲＥＳＥＴ  ＢＷ／２＋ΔＧａｐ＋ＳＳ／ＰＢＣＨブロックＢＷ＊Ｒ＿ＳＣＳ／２又は−（ＲＭＳＩ  ＣＯＲＥＳＥＴ  ＢＷ／２＋ΔＧａｐ′＋ＳＳ／ＰＢＣＨブロックＢＷ＊Ｒ＿ＳＣＳ／２）であることができ、ここで、ΔＧａｐ′は予め定義された常数ギャップである。１つの考慮事項で、フローティング同期化を可能にするためにΔＧａｐ′＋ΔＧａｐ＝１１ＲＥである（例えば、−６：１：５と定義されたＲＥレベルオフセットと整列されるようにΔＧａｐ＝６ＲＥを選択する場合、この設定と整列されるように−５：１：６と定義されたＲＥレベルオフセットでΔＧａｐ′＝６ＲＥになる。他の例で、−６：１：６と定義されたＲＥレベルオフセットと整列されるようにΔＧａｐ＝６ＲＥを選択する場合、この設定と整列されるように−６：１：６と定義されたＲＥレベルオフセットでΔＧａｐ′＝６ＲＥになる。
【０２０５】
他の例で、０：１：１１と定義されたＲＥレベルオフセットと整列されるようにΔＧａｐ＝０ＲＥを選択する場合、この設定と整列されるように−１１：１：０と定義されたＲＥレベルオフセットでΔＧａｐ′＝１２ＲＥになる。他の例で、０：１：１２と定義されたＲＥレベルオフセットと整列されるようにΔＧａｐ＝０ＲＥを選択する場合、この設定と整列されるように−１２：１：０と定義されたＲＥレベルオフセットでΔＧａｐ′＝１２ＲＥになる。さらに他の例で、−１２：１：０と定義されたＲＥレベルオフセットと整列されるようにΔＧａｐ＝１２ＲＥを選択する場合、この設定と整列されるように０：１：１２と定義されたＲＥレベルオフセットでΔＧａｐ′＝０ＲＥになる）。この変形では、仕様で予め定義されたＳＳ／ＰＢＣＨブロックの特定の側でＲＭＳＩリソースを制限することに比べて構成の数が２倍になる。
【０２０６】
ＦＤＭサブケース１の第３実施形態（例えば、ＦＤＭ−実施形態１．３）で、ＳＳ／ＰＢＣＨブロックの周波数位置は最小チャネルＢＷ内にあることができ、ＲＭＳＩ  ＣＯＲＥＳＥＴブロックは潜在的に予め定義された常数ギャップΔＧａｐ（ＲＭＳＩ  ＣＯＲＥＳＥＴニューマロラジで定義）と最小チャネルＢＷ内で（部分的に）多重化されることができ、ここで、ＳＳ／ＰＢＣＨブロックはＲＭＳＩ  ＣＯＲＥＳＥＴニューマロラジ観点から最大１ＰＲＢ分大きく表示される潜在的追加オフセットを有する（この１つのＰＲＢはＳＳ／ＰＢＣＨブロックＰＲＢ境界とＲＭＳＩ  ＣＯＲＥＳＥＴ  ＰＲＢ境界の間の可能なオフセットを示すフローティング同期化の機能に用いられる）。
【０２０７】
図２２は、本開示の実施形態によるＦＤＭ多重化パターンの第３ケースに対する周波数オフセット２２００の例示的な構成を示す図である。図２２に示す周波数オフセット２２００の構成の実施形態は単なる例示のためのものである。図２２は、本開示の範囲を任意の特定の具現で制限しない。
【０２０８】
図２２に示すように、２２０１、２２０２及び２２０３は本実施形態で考慮されるＳＳ／ＰＢＣＨブロックの相対的位置に対する全ての例である。一例で、ギャップは０ＰＲＢである。他の例で、ギャップは１ＰＲＢ内にあるように決定され、フローティング同期化を可能にするためにＲＥレベルオフセット値と整列される（例えば、ＲＥレベルオフセットが−６：１：５又は−６：１：６と定義された場合、ΔＧａｐ＝６ＲＥで；ＲＥレベルオフセットが０：１：１１又は０：１：１２と定義された場合、ΔＧａｐ＝０ＲＥで；ＲＥレベルオフセットが−１１：１：０と定義された場合、ΔＧａｐ＝１１ＲＥで；ＲＥレベルオフセットが−１２：１：０と定義された場合、ΔＧａｐ＝１２ＲＥである）。この実施形態で、周波数オフセット基準はＦ＿ｒｅｆ＝ＲＭＳＩ  ＣＯＲＥＳＥＴ  ＢＷ／２＋ΔＧａｐ＋ＳＳ／ＰＢＣＨブロックＢＷ＊Ｒ＿ＳＣＳ／２に決定されることができ、ΔＦ′に対する周波数オフセット範囲はＰＲＢでのΔＦ′＿Ｒａｎｇｅ＝１に決定されることができ、ここで、ΔＦ′＿ＲａｎｇｅはＲＭＳＩ  ＣＯＲＥＳＥＴニューマロラジで定義され、Ｒ＿ＳＣＳ＝ＳＣＳ＿ＳＳ／ＳＣＳ＿ＣＯＲＥＳＥＴはＳＳ／ＰＢＣＨブロック及びＲＭＳＩ  ＣＯＲＥＳＥＴのサブキャリア間隔値の間の比率である。
【０２０９】
この実施形態の１つの可能な変形では、ＳＳ／ＰＢＣＨブロックとのＲＭＳＩリソースの多重化パターンがＳＳ／ＰＢＣＨブロックのいずれか一方にあることができ、したがって、周波数オフセット基準はＲＭＳＩ  ＣＯＲＥＳＥＴ  ＢＷ／２＋ΔＧａｐ＋ＳＳ／ＰＢＣＨブロックＢＷ＊Ｒ＿ＳＣＳ／２又は−（ＲＭＳＩ  ＣＯＲＥＳＥＴ  ＢＷ／２＋ΔＧａｐ′＋ＳＳ／ＰＢＣＨブロックＢＷ＊Ｒ＿ＳＣＳ／２）であることができ、ここで、ΔＧａｐ′は予め定義された常数ギャップである。１つの考慮事項で、フローティング同期化を可能にするためにΔＧａｐ′＋ΔＧａｐ＝１１ＲＥである（例えば、−６：１：５と定義されたＲＥレベルオフセットと整列されるようにΔＧａｐ＝６ＲＥを選択する場合、この設定と整列されるように−５：１：６と定義されたＲＥレベルオフセットでΔＧａｐ′＝６ＲＥになる。他の例で、−６：１：６と定義されたＲＥレベルオフセットと整列されるようにΔＧａｐ＝６ＲＥを選択する場合、この設定と整列されるように−６：１：６と定義されたＲＥレベルオフセットでΔＧａｐ′＝６ＲＥになる。
【０２１０】
他の例で、０：１：１１と定義されたＲＥレベルオフセットと整列されるようにΔＧａｐ＝０ＲＥを選択する場合、この設定と整列されるように−１１：１：０と定義されたＲＥレベルオフセットでΔＧａｐ′＝１２ＲＥになる。他の例で、０：１：１２と定義されたＲＥレベルオフセットと整列されるようにΔＧａｐ＝０ＲＥを選択する場合、この設定と整列されるように−１２：１：０と定義されたＲＥレベルオフセットでΔＧａｐ′＝１２ＲＥになる。さらに他の例で、−１２：１：０と定義されたＲＥレベルオフセットと整列されるようにΔＧａｐ＝１２ＲＥを選択する場合、この設定と整列されるように０：１：１２と定義されたＲＥレベルオフセットでΔＧａｐ′＝０ＲＥになる）。この変形では、仕様で予め定義されたＳＳ／ＰＢＣＨブロックの特定の側でＲＭＳＩリソースを制限することに比べて構成の数が２倍にされる。
【０２１１】
ＦＤＭサブケース２では、複数のＲＭＳＩリソースブロック（例えば２つ）がＳＳ／ＰＢＣＨブロックとＦＤＭされ、周波数ドメインでＳＳ／ＰＢＣＨブロックの両方にあることができる。このサブケースの場合、可能なＳＳブロックの相対的位置、ＲＭＳＩ  ＣＯＲＥＳＥＴ及び最小チャネル帯域幅の観点から複数の実施形態が考慮され、これは周波数オフセット基準及び構成される必要がある周波数オフセット範囲（すなわち、ΔＦ′＿Ｒａｎｇｅ）を追加的に決定する。
【０２１２】
ＦＤＭサブケース２の第１実施形態（例えば、ＦＤＭ−実施形態２．１）で、ＳＳ／ＰＢＣＨブロックの周波数位置は最小チャネルＢＷ内で任意的であることができ、複数のＲＭＳＩ  ＣＯＲＥＳＥＴブロック（例えば、ＳＳ／ＰＢＣＨブロックの各側の２つのブロック）は周波数ドメインで潜在的に予め定義された常数ギャップΔＧａｐ１及びΔＧａｐ２（いずれもＲＭＳＩ  ＣＯＲＥＳＥＴニューマロラジで定義される）と最小チャネルＢＷ外部で多重化される。
【０２１３】
図２３は、本開示の実施形態によるＦＤＭ多重化パターンの第４ケースに対する周波数オフセット２３００の例示的な構成を示す図である。図２３に示す周波数オフセット２３００の構成の実施形態は単なる例示のためのものである。図２３は、本開示の範囲を任意の特定の具現で制限しない。
【０２１４】
図２３に示すように、２３０１、２３０２、２３０３及び２３０４は本実施形態で考慮されるＳＳ／ＰＢＣＨブロックの相対的位置に対する全ての例である。この実施形態で、総ＲＭＳＩ  ＣＯＲＥＳＥＴ  ＢＷは以前の定義と一致するようにするために、２つのブロックのＢＷの合計（例えば、ＲＭＳＩ  ＣＯＲＥＳＥＴ  ＢＷ＝ＲＭＳＩ  ＣＯＲＥＳＥＴ  ＢＷ１＋ＲＭＳＩ  ＣＯＲＥＳＥＴ  ＢＷ２）と定義される。
【０２１５】
この実施形態で、ＲＭＳＩ  ＣＯＲＥＳＥＴ  ＢＷの周波数中央はＲＭＳＩ  ＣＯＲＥＳＥＴ  ＢＷ１、ＲＭＳＩ  ＣＯＲＥＳＥＴ  ＢＷ２、ΔＧａｐ１、ΔＧａｐ２及び最小チャネルＢＷを含む全体周波数範囲の中央を指すことができる。１つの考慮事項で、ＲＭＳＩ  ＣＯＲＥＳＥＴ  ＢＷ１及びＲＭＳＩ  ＣＯＲＥＳＥＴ  ＢＷ２は固定されており、仕様でのオーバーヘッドを低減するために同じ値を有する。
【０２１６】
他の考慮事項で、ギャップΔＧａｐ１及びΔＧａｐ２はΔＧａｐ１＋ΔＧａｐ２＝１２ＲＥに決定され、フローティング同期化を可能にするためにＲＥレベルオフセット値と整列される（例えば、ＲＥレベルオフセットが−６：１：５又は−６：１：６と定義された場合、ΔＧａｐ１＝６ＲＥ及びΔＧａｐ２＝６ＲＥで；ＲＥレベルオフセットが０：１：１１又は０：１：１２と定義された場合、ΔＧａｐ１＝０ＲＥ及びΔＧａｐ２＝１２ＲＥで；ＲＥレベルオフセットが−１１：１：０と定義された場合、ΔＧａｐ１＝１１ＲＥ及びΔＧａｐ２＝１ＲＥで；ＲＥレベルオフセットが−１２：１：０と定義された場合；ΔＧａｐ１＝１２ＲＥ及びΔＧａｐ２＝０ＲＥである）。
【０２１７】
この実施形態で、周波数オフセット基準はＦ＿ｒｅｆ＝（ΔＧａｐ１−ΔＧａｐ２）／２＋（ＲＭＳＩ  ＣＯＲＥＳＥＴ  ＢＷ１−ＲＭＳＩ  ＣＯＲＥＳＥＴ  ＢＷ２）／２に決定されることができ、ΔＦ′に対する周波数オフセット範囲はＰＲＢでのΔＦ′＿Ｒａｎｇｅ＝（ＰＲＢで最小チャネルＢＷ−ＰＲＢでのＳＳ／ＰＢＣＨブロックＢＷ）＊Ｒ＿ＳＣＳに決定されることができ、ここで、最小チャネルＢＷはＳＳ／ＰＢＣＨブロックニューマロラジで定義され、ΔＦ′＿ＲａｎｇｅはＲＭＳＩ  ＣＯＲＥＳＥＴニューマロラジで定義され、Ｒ＿ＳＣＳ＝ＳＣＳ＿ＳＳ／ＳＣＳ＿ＣＯＲＥＳＥＴはＳＳ／ＰＢＣＨブロック及びＲＭＳＩ  ＣＯＲＥＳＥＴのサブキャリア間隔値の間の比率である。
【０２１８】
ＦＤＭサブケース２の第２実施形態（例えば、ＦＤＭ−実施形態２．２）では、ＳＳ／ＰＢＣＨブロックの周波数位置が最小チャネルＢＷ内にあることができ、複数のＲＭＳＩ  ＣＯＲＥＳＥＴブロック（例えば、ＳＳ／ＰＢＣＨブロックの各側上の２つのブロック）が周波数ドメインで潜在的に予め定義された常数ギャップΔＧａｐ１及びΔＧａｐ２（いずれもＲＭＳＩ  ＣＯＲＥＳＥＴニューマロラジで定義される）と最小チャネルＢＷ内で（部分的に）多重化され得る。
【０２１９】
図２４は、本開示の実施形態によるＦＤＭ多重化パターンの第５ケースに対する周波数オフセット２４００の例示的な構成を示す図である。図２４に示す周波数オフセット２４００の構成の実施形態は単なる例示のためのものである。図２４は、本開示の範囲を任意の特定の具現で制限しない。
【０２２０】
図２４に示すように、２４０１、２４０２及び２４０３は本実施形態で考慮されるＳＳ／ＰＢＣＨブロックの相対的位置に対する全ての例である。この実施形態で、総ＲＭＳＩ  ＣＯＲＥＳＥＴ  ＢＷは以前の定義と一致するようにするために、２つのブロックのＢＷの合計（例えば、ＲＭＳＩ  ＣＯＲＥＳＥＴ  ＢＷ＝ＲＭＳＩ  ＣＯＲＥＳＥＴ  ＢＷ１＋ＲＭＳＩ  ＣＯＲＥＳＥＴ  ＢＷ２）で定義される。この実施形態で、ＲＭＳＩ  ＣＯＲＥＳＥＴ  ＢＷの周波数中央はＲＭＳＩ  ＣＯＲＥＳＥＴ  ＢＷ１、ＲＭＳＩ  ＣＯＲＥＳＥＴ  ＢＷ２、ΔＧａｐ１、ΔＧａｐ２及びＳＳ／ＰＢＣＨブロックＢＷを含む全体周波数範囲の中央を指すことができる。
【０２２１】
１つの考慮事項で、ＲＭＳＩ  ＣＯＲＥＳＥＴ  ＢＷ１及びＲＭＳＩ  ＣＯＲＥＳＥＴ  ＢＷ２は固定されており、仕様でのオーバーヘッドを低減するために同じ値を有する。他の考慮事項で、ギャップΔＧａｐ１及びΔＧａｐ２はΔＧａｐ１＋ΔＧａｐ２＝１２ＲＥに決定され、フローティング同期化を可能にするためにＲＥレベルオフセット値と整列される（例えば、ＲＥレベルオフセットが−６：１：５又は−６：１：６と定義された場合、ΔＧａｐ１＝６ＲＥ及びΔＧａｐ２＝６ＲＥで；ＲＥレベルオフセットが０：１：１１又は０：１：１２と定義された場合、ΔＧａｐ１＝０ＲＥ及びΔＧａｐ２＝１２ＲＥで；ＲＥレベルオフセットが−１１：１：０と定義された場合、ΔＧａｐ１＝１１ＲＥ及びΔＧａｐ２＝１ＲＥで；ＲＥレベルオフセットが−１２：１：０と定義された場合；ΔＧａｐ１＝１２ＲＥ及びΔＧａｐ２＝０ＲＥである）。この実施形態で、周波数オフセット基準はＦ＿ｒｅｆ＝（ΔＧａｐ１−ΔＧａｐ２）／２＋（ＲＭＳＩ  ＣＯＲＥＳＥＴ  ＢＷ１−ＲＭＳＩ  ＣＯＲＥＳＥＴ  ＢＷ２）／２に決定されることができ、ΔＦ′に対する周波数オフセット範囲はＰＲＢでのΔＦ′＿Ｒａｎｇｅ＝０（これは相対的位置がＰＲＢレベルから固定されることを意味）に決定されることができ、ここで、ΔＦ′＿ＲａｎｇｅはＲＭＳＩ  ＣＯＲＥＳＥＴニューマロラジで定義される。
【０２２２】
ＦＤＭサブケース２の第３実施形態（例えば、ＦＤＭ−実施形態２．３）では、ＳＳ／ＰＢＣＨブロックの周波数位置が最小チャネルＢＷ内にあることができ、複数のＲＭＳＩ  ＣＯＲＥＳＥＴブロック（例えば、ＳＳ／ＰＢＣＨブロックの各側上の２つのブロック）が周波数ドメインで潜在的に予め定義された常数ギャップΔＧａｐ１及びΔＧａｐ２（いずれもＲＭＳＩ  ＣＯＲＥＳＥＴニューマロラジで定義される）と最小チャネルＢＷ内で（部分的に）多重化されることができ、ここで、ＳＳ／ＰＢＣＨブロックはＲＭＳＩ  ＣＯＲＥＳＥＴニューマロラジ観点から最大１ＰＲＢで表示される（この１つのＰＲＢはＳＳ／ＰＢＣＨブロックＰＲＢ境界とＲＭＳＩ  ＣＯＲＥＳＥＴ  ＰＲＢ境界の間の可能なオフセットを示すフローティング同期化の機能に用いられる）潜在的な追加オフセットを有する。
【０２２３】
図２５は、本開示の実施形態によるＦＤＭ多重化パターンの第６ケースに対する周波数オフセット２５００の例示的な構成を示す図である。図２５に示す周波数オフセット２５００の構成の実施形態は単なる例示のためのものである。図２５は、本開示の範囲を任意の特定の具現で制限しない。
【０２２４】
図２５に示すように、２５０１、２５０２及び２５０３は本実施形態で考慮されるＳＳ／ＰＢＣＨブロックの相対的位置に対する全ての例である。この実施形態で、総ＲＭＳＩ  ＣＯＲＥＳＥＴ  ＢＷは以前の定義と一致するようにするために、２つのブロックのＢＷの合計（例えば、ＲＭＳＩ  ＣＯＲＥＳＥＴ  ＢＷ＝ＲＭＳＩ  ＣＯＲＥＳＥＴ  ＢＷ１＋ＲＭＳＩ  ＣＯＲＥＳＥＴ  ＢＷ２）で定義される。この実施形態で、ＲＭＳＩ  ＣＯＲＥＳＥＴ  ＢＷの周波数中央はＲＭＳＩ  ＣＯＲＥＳＥＴ  ＢＷ１、ＲＭＳＩ  ＣＯＲＥＳＥＴ  ＢＷ２、ΔＧａｐ１、ΔＧａｐ２及びＳＳ／ＰＢＣＨブロックＢＷを含む全体周波数範囲の中央を指すことができる。
【０２２５】
１つの考慮事項で、ＲＭＳＩ  ＣＯＲＥＳＥＴ  ＢＷ１及びＲＭＳＩ  ＣＯＲＥＳＥＴ  ＢＷ２は固定されており、仕様でのオーバーヘッドを低減するために同じ値を有する。他の考慮事項で、ギャップΔＧａｐ１及びΔＧａｐ２はΔＧａｐ１＋ΔＧａｐ２＝１２ＲＥに決定され、フローティング同期化を可能にするためにＲＥレベルオフセット値と整列される（例えば、ＲＥレベルオフセットが−６：１：５又は−６：１：６と定義された場合、ΔＧａｐ１＝６ＲＥ及びΔＧａｐ２＝６ＲＥで；ＲＥレベルオフセットが０：１：１１又は０：１：１２と定義された場合、ΔＧａｐ１＝０ＲＥ及びΔＧａｐ２＝１２ＲＥで；ＲＥレベルオフセットが−１１：１：０と定義された場合、ΔＧａｐ１＝１１ＲＥ及びΔＧａｐ２＝１ＲＥで；ＲＥレベルオフセットが−１２：１：０と定義された場合；ΔＧａｐ１＝１２ＲＥ及びΔＧａｐ２＝０ＲＥである）。この実施形態で、周波数オフセット基準はＦ＿ｒｅｆ＝（ΔＧａｐ１−ΔＧａｐ２）／２＋（ＲＭＳＩ  ＣＯＲＥＳＥＴ  ＢＷ１−ＲＭＳＩ  ＣＯＲＥＳＥＴ  ＢＷ２）／２に決定されることができ、ΔＦ′に対する周波数オフセット範囲はＰＲＢでのΔＦ′＿Ｒａｎｇｅ＝１に決定されることができ、ここで、ΔＦ′＿ＲａｎｇｅはＲＭＳＩ  ＣＯＲＥＳＥＴニューマロラジで定義される。
【０２２６】
構成方法及び原理。
【０２２７】
前記コンポーネントのうちの少なくとも１つを構成する方法は次の実施形態によることができる。
【０２２８】
一実施形態で、前記コンポーネントはそれぞれビットで表現されることができる。例えば、コンポーネントｉの場合（１≦ｉ≦５）、Ｎ＿Ｃｏｍｐｏｎｅｎｔ＿ｉビットが該当構成を構成するために用いられ、ＲＭＳＩ  ＣＯＲＥＳＥＴ構成に対するＭＩＢ内の総ビット数はＮ＿Ｃｏｍｐｏｎｅｎｔ＿１＋Ｎ＿Ｃｏｍｐｏｎｅｎｔ＿２＋Ｎ＿Ｃｏｍｐｏｎｅｎｔ＿３＋Ｎ＿Ｃｏｍｐｏｎｅｎｔ＿４＋Ｎ＿Ｃｏｍｐｏｎｅｎｔ＿５によって与えられる。
【０２２９】
他の実施形態では、前記コンポーネントの組み合わせがテーブルの例で表現されることができる。各ＲＭＳＩ  ＣＯＲＥＳＥＴ構成が全てのコンポーネントの情報を含む、テーブル内の行又は列によって示される。
【０２３０】
他の実施形態では、ビットとテーブルをいずれも用いるハイブリッド構成方法がＲＭＳＩ  ＣＯＲＥＳＥＴ構成に用いられ得る。例えば、一部のコンポーネントら、又は前記コンポーネントの一部のパラメータが個別のビットで表現されることができ、残りのコンポーネント又はコンポーネントの一部の組み合わせがテーブル又は複数のテーブルで表現されることができる。
【０２３１】
ＲＭＳＩ  ＣＯＲＥＳＥＴ構成を表現するためにテーブルを用いたり部分的にテーブルを用いる方法で、主なモチベーションはＭＩＢ内の総ビット数を保存することである。例えば、周波数オフセットを表示するためのビット数が異なったＴＤＭ及びＦＤＭ実施形態に対して相当異なることができ、この場合、構成のために均一な数のビットを用いることは効率的でない場合がある。コンポーネントの組み合わせ数を制限しようとする場合は次の原理が考慮される。
【０２３２】
一原理では、構成が完全に分離されることができないか、個別構成が総ビット数の増加を招かない限り、個別構成に用いられるビット数が最小化され得る。
【０２３３】
他の原理では、サポートされるＳＳ／ＰＢＣＨブロック及びＲＭＳＩ  ＣＯＲＥＳＥＴのニューマロラジの組み合わせが、より少ない数の構成が要求されるように制限され得る。下記の例のうち１つ又は複数の組み合わせが考慮される。
【０２３４】
一例では、ＳＣＳ＿ＳＳ＝２４０ｋＨｚ及びＳＣＳ＿ＣＯＲＥＳＥＴ＝６０ｋＨｚの組み合わせが全てのシナリオに対してサポートされることができない。
【０２３５】
他の例では、ＳＣＳ＿ＳＳ＝２４０ｋＨｚ及びＳＣＳ＿ＣＯＲＥＳＥＴ＝６０ｋＨｚの組み合わせが少なくともＴＤＭケースに対してサポートされることができない。
【０２３６】
他の例では、ＳＣＳ＿ＳＳ＝２４０ｋＨｚ及びＳＣＳ＿ＣＯＲＥＳＥＴ＝６０ｋＨｚの組み合わせが少なくともＦＤＭケースに対してサポートされることができない。
【０２３７】
さらに他の例では、ＦＤＭケースに対して、ＳＣＳ＿ＳＳ＝ＳＣＳ＿ＣＯＲＥＳＥＴの組み合わせのみがサポートされることができる。
【０２３８】
さらに他の原理では、ＲＭＳＩ  ＣＯＲＥＳＥＴ  ＢＷが可能な場合ＲＭＳＩ  ＣＯＲＥＳＥＴニューマロラジに関連して、特定の制限を有し得る。下記の例のうち１つ又は複数の組み合わせが考慮される。
【０２３９】
一例では、ＲＭＳＩ  ＣＯＲＥＳＥＴ  ＢＷがＳＳ／ＰＢＣＨブロックニューマロラジの観点から少なくとも２４つのＰＲＢであることができ、ＳＳ／ＰＢＣＨブロックニューマロラジの観点から最大４８つのＰＲＢであり得る。
【０２４０】
他の例では、ＲＭＳＩ  ＣＯＲＥＳＥＴ  ＢＷが少なくともＴＤＭケースに対して、ＳＳ／ＰＢＣＨブロックニューマロラジの観点から少なくとも２４個のＰＲＢであることができ、また、ＳＳ／ＰＢＣＨブロックニューマロラジの観点から最大４８個のＰＲＢであり得る。
【０２４１】
さらに他の例では、ＲＭＳＩ  ＣＯＲＥＳＥＴ  ＢＷが少なくともＦＤＭケースに対して、ＳＳ／ＰＢＣＨブロックニューマロラジ観点から少なくとも１２個のＰＲＢであることができ、ＳＳ／ＰＢＣＨブロックニューマロラジ観点から最大２４個のＰＲＢであり得る。
【０２４２】
さらに他の例では、ＲＭＳＩ  ＣＯＲＥＳＥＴ  ＢＷが少なくともＦＤＭケースに対して、ＳＳ／ＰＢＣＨブロックニューマロラジ観点から２４個のＰＲＢのみであり得る。
【０２４３】
さらに他の原理では、ＲＭＳＩ  ＣＯＲＥＳＥＴに対するシンボルの数が可能な場合ＲＭＳＩ  ＣＯＲＥＳＥＴニューマロラジ及び／又はＳＳ／ＰＢＣＨニューマロラジ及び／又はＲＭＳＩ  ＣＯＲＥＳＥＴ  ＢＷと関連付けられた、特定の制限を有し得る。下記の例のうち１つ又は複数の組み合わせが考慮される。
【０２４４】
一例では、ＲＭＳＩ  ＣＯＲＥＳＥＴ  ＢＷがＲＭＳＩ  ＣＯＲＥＳＥＴニューマロラジ観点から２４個のＰＲＢである場合、ＲＭＳＩ  ＣＯＲＥＳＥＴに対するシンボル数が１又は２であることができる。
【０２４５】
他の例では、ＲＭＳＩ  ＣＯＲＥＳＥＴ  ＢＷがＲＭＳＩ  ＣＯＲＥＳＥＴニューマロラジ観点から４８個のＰＲＢである場合、ＲＭＳＩ  ＣＯＲＥＳＥＴに対するシンボル数が１又は２であることができる。
【０２４６】
さらに他の例では、ＲＭＳＩ  ＣＯＲＥＳＥＴ  ＢＷがＲＭＳＩ  ＣＯＲＥＳＥＴニューマロラジ観点から９６個のＰＲＢである場合、ＲＭＳＩ  ＣＯＲＥＳＥＴに対するシンボル数が１であることができる。
【０２４７】
さらに他の例では、ＲＭＳＩ  ＣＯＲＥＳＥＴに対するシンボル数がＲ＿ＳＣＳと同じであることができ、ここで、Ｒ＿ＳＣＳはＳＳ／ＰＢＣＨ  ＳＣＳとＲＭＳＩ  ＣＯＲＥＳＥＴ  ＳＣＳ（ＳＳ／ＰＢＣＨブロックがマッピングされるスロット内でＳＳブロック前の一部の空白のシンボルを占める）の間の比率である。
【０２４８】
さらに他の例では、ＲＭＳＩ  ＣＯＲＥＳＥＴに対するシンボル数は２＊Ｒ＿ＳＣＳと同じであることができ、ここで、Ｒ＿ＳＣＳはＳＳ／ＰＢＣＨ  ＳＣＳとＲＭＳＩ  ＣＯＲＥＳＥＴ  ＳＣＳ（ＳＳ／ＰＢＣＨブロックがマッピングされるスロット内でＳＳブロック前の一部の空白のシンボルを占める）の間の比率である。
【０２４９】
さらに他の原理では、周波数オフセットを決定する時、ＳＳ／ＰＢＣＨブロックの相対的位置、ＲＭＳＩ  ＣＯＲＥＳＥＴ及び最小チャネルＢＷが必要な構成の数を最小化できるように制限され得る。下記の例のうち１つ又は複数の組み合わせが考慮される。
【０２５０】
一例では、ＴＤＭサブケース１に対して、ＴＤＭ−実施形態１．２又はＴＤＭ−実施形態１．３がＴＤＭ−実施形態１．１と比べて構成の数を減少させると考慮され得る。
【０２５１】
他の例では、ＴＤＭサブケース２に対して、ＴＤＭ−実施形態２．２又はＴＤＭ−実施形態２．３がＴＤＭ−実施形態２．１と比べて構成の数を減少させると考慮され得る。
【０２５２】
さらに他の例では、ＦＤＭケースに対して、ＦＤＭ実施形態１．２又はＦＤＭ実施形態１．３がＦＤＭ実施形態１．１と比べて構成の数を減少させると考慮され得る。
【０２５３】
さらに他の例では、ＦＤＭケースに対して、ＦＤＭ実施形態２．２又はＦＤＭ実施形態２．３がＦＤＭ実施形態２．１と比べて構成の数を減少させると考慮され得る。
【０２５４】
ＲＭＳＩ  ＣＯＲＥＳＥＴ構成を表現するためにテーブルを使用するか、部分的にテーブルを使用する方法に対する他の原理が本開示で考慮される。
【０２５５】
他の１つの原理では、ＲＭＳＩ  ＣＯＲＥＳＥＴに対する構成テーブルが帯域ごとに定義されるか、又は同じＳＳ／ＰＢＣＨニューマロラジを用いて帯域グループごとに定義されるか、又はＳＳ／ＰＢＣＨニューマロラジごとに定義され得る。互いに異なるＳＳ／ＰＢＣＨニューマロラジに対する最大構成数（最大構成数が異なる場合）が、テーブルを示すために必要なビット数を決定することに留意する。他の実施形態では、ＲＭＳＩ  ＣＯＲＥＳＥＴ構成の共通テーブルが全ての帯域及び全てのＳＳ／ＰＢＣＨニューマロラジに対して定義され得るが、互いに異なる帯域又は互いに異なるＳＳ／ＰＢＣＨニューマロラジに対する互いに異なる数の構成によって一部の構成の無駄があり得る（例えば、共通的な構成の数がそれぞれのＳＳ／ＰＢＣＨニューマロラジに対する任意の個別テーブルより大きい場合がある）。
【０２５６】
さらに他の原理では、ＲＭＳＩ  ＣＯＲＥＳＥＴに対する構成テーブルがＴＤＭケースからの１つ以上のエントリー（例えば、１つ又は複数のサブケースからのものであり得る）だけでなく、ＦＤＭケースからの１つ以上のエントリー（例えば、１つ又は複数のサブケースからのものであり得る）を含むことができる。それぞれのケースに対して、構成が対応的に決定されることができ（例えば、それぞれの多重化ケースごとに対する構成グループ）、テーブルでの総構成の数は全てのグループからの全ての構成の合計であり、どのような特定の多重化ケースがサポートされるかに依存する。
【０２５７】
さらに他の原理では、本開示で考慮されるコンポーネントの一部又は全部がテーブル又は複数のテーブルを使用して共同でコーディングされることができ、残りのコンポーネントの各々（残りのコンポーネントがある場合）は独立的にコーディングされる少なくとも１つの個別フィールド（コンポーネント内の追加サブ−コンポーネントを考慮するための複数のフィールドであり得る）を有し得る。テーブルに共同でコーディングされるコンポーネントは次のうち少なくとも１つを含むことができる：多重化パターン（他のコンポーネントの組み合わせで明確に表示され得る場合は明示的に表示されない場合がある）、ＲＭＳＩ  ＣＯＲＥＳＥＴニューマロラジ、ＲＭＳＩ  ＣＯＲＥＳＥＴ  ＢＷ、ＲＭＳＩ  ＣＯＲＥＳＥＴシンボル数、ＰＲＢレベル周波数オフセット（二重フィールド構成方式のみにある）、ＲＥレベル周波数オフセット、周波数オフセット及びタイミングオフセット。
【０２５８】
従属関係は（コンポーネントがテーブルに共同でコーディングされない場合にもこの従属性が維持される）、多重化パターン（又はタイミングオフセット）及びＲＭＳＩ  ＣＯＲＥＳＥＴニューマロラジを知った後、ＲＭＳＩ  ＣＯＲＥＳＥＴ  ＢＷに対する構成及びＲＭＳＩ  ＣＯＲＥＳＥＴシンボル数が決定されることができ、タイミングオフセット及びＲＭＳＩ  ＣＯＲＥＳＥＴシンボル数を除いたこのような全てのものが周波数オフセット（ＰＲＢレベル周波数オフセット及びＲＥレベル周波数オフセット）の構成を決定する。
【０２５９】
さらに他の原理では、テーブル方式を使用するか、部分的にテーブル方式を使用し、その構成が一部のテーブルの全てのコードワードを完全に使用しない場合、余分の／予備されたコードワードのうち１つがＳＳ／ＰＢＣＨブロックと関連付けられた余分の／予備されたコードワードのうち１つのＲＭＳＩ及びＣＯＲＥＳＥＴを示さないように用いられることができ、ＭＩＢ内の別のビットがこの情報を示すために要求されない。
【０２６０】
例えば、二重フィールド周波数オフセット表示を使用し、ＲＥレベルオフセットΔＦ１に対する構成の数が１２個の場合、４つの予備されたコードワードのうち１つ（例えば、１１１１）がＳＳ／ＰＢＣＨブロックと関連付けられた４つの予備されたコードワードのうち１つのＲＭＳＩ及びＣＯＲＥＳＥＴを示さないように用いられ得る。他の例で、二重フィールド周波数オフセット表示を使用し、ＲＥレベルオフセットΔＦ１の構成数が２４つの場合、８つの予備されたコードワードのうち１つ（例えば、１１１１１）がＳＳ／ＰＢＣＨブロックと関連付けられた８つのコードワードのうち１つのＲＭＳＩ及びＣＯＲＥＳＥＴを示さないように用いられ得る。
【０２６１】
他の例で、二重フィールド周波数オフセット表示を使用し、ＰＲＢレベルオフセットΔＦ２に対する構成数が２＾ｘ２より小さい場合（ここで、ｘ２はΔＦ２を表現するためのビット数）、未使用／予備されたコードワード（例えば、長さがｘ２である全ての１つのコードワード）がＳＳ／ＰＢＣＨブロックと関連付けられた未使用／予備されたコードワードのうち１つのＲＭＳＩ及びＣＯＲＥＳＥＴを示さないように用いられ得る。
【０２６２】
さらに他の例で、単一フィールド周波数オフセット表示を使用し、ＲＥレベルオフセットΔＦに対する構成数が２＾ｘより小さい場合（ここで、ｘはΔＦを表現するためのビット数）、未使用／予備されたコードワード（例えば、長さがｘである全ての１つのコードワード）のうち１つはＳＳ／ＰＢＣＨブロックと関連付けられた未使用／予備されたコードワードのうち１つのＲＭＳＩ及びＣＯＲＥＳＥＴを示さないように用いられ得る。
【０２６３】
さらに他の例で、ＣＯＲＥＳＥＴ  ＢＷとシンボル数のジョイントコーディングを使用し、構成の数が２＾ｙより小さい場合（ここで、ｙはこの表示に対する総ビット数（例えば、ｙ＝１又は２））、未使用／予備されたコードワード（例えば、長さがｙである全ての１つのコードワード）のうち１つはＳＳ／ＰＢＣＨブロックと関連付けられた未使用／予備されたコードワードのうち１つのＲＭＳＩ及びＣＯＲＥＳＥＴを示さないように用いられ得る。
【０２６４】
構成アプローチ及び例。
【０２６５】
上記方法原理による次の構成方式の例が周波数オフセットを表すために考慮されることができ、これは上記ＴＤＭ／ＦＤＭ実施形態のうち任意のものに用いられ得る。一実施形態では、全ての帯域（例えば＜６及び＞６ＧＨｚの両方に対する）が同じ構成方式を用いる。他の実施形態では、構成方式が帯域ごとに選択されることができる。
【０２６６】
第１方式（例えば、方式１）では、周波数オフセットが２つの部分／フィールド（二重フィールド構成方式）によって構成されることができる：第１構成はＳＳ／ＰＢＣＨブロックとＲＭＳＩ  ＣＯＲＥＳＥＴ  ＰＲＢグリッド（例えば、フローティング同期化で定義されたＲＥオフセット）間のＲＥレベルオフセットであり、第２構成はＳＳ／ＰＢＣＨブロックとＲＭＳＩリソースの間のＰＲＢレベルオフセットである。
【０２６７】
第１方式の第１アプローチ（例えば、方式１ａ）では、ＲＥオフセットΔＦ１及びＰＲＢオフセットΔＦ２がＳＳ／ＰＢＣＨ  ＲＥ及びＰＲＢグラニュラリティでそれにより測定及び表現される（すなわち、これによってΔＦ１及びΔＦ２の可能な値の単位はＳＳ／ＰＢＣＨ  ＲＥ及びＰＲＢである）。
【０２６８】
すると、ＲＥでのΔＦ１及びＰＲＢでのΔＦ２に対する可能な値の総数、すなわちＮ＿ΔＦ１及びＮ＿ΔＦ２は、ＴＤＭケースの場合、Ｎ＿ΔＦ１＝Ｎ＿ＲＥ＿ＰＲＢ／Ｒ＿ＳＣＳ（非対称ＲＥ位置）、Ｎ＿ΔＦ２＝ＰＲＢでのΔＦ′＿Ｒａｎｇｅ／Ｒ＿ＳＣＳ＋１で、ＦＤＭケースの場合、Ｎ＿ΔＦ２＝ＰＲＢでのΔＦ′＿Ｒａｎｇｅ／Ｒ＿ＳＣＳ（ここで、Ｒ＿ＳＣＳ＝ＳＣＳ＿ＳＳ／ＳＣＳ＿ＣＯＲＥＳＥＴ）に決定されることができ、ΔＦ１及びΔＦ２の可能な値は（１）非対称ＲＥ位置を持つΔＦ１：−（Ｎ＿ΔＦ１−２）／２,  −（Ｎ＿ΔＦ１−４）／２，…，（Ｎ＿ΔＦ１−２）／２，Ｎ＿ΔＦ１／２又は−Ｎ＿ΔＦ１／２,  −（Ｎ＿ΔＦ１−２）／２，…，（Ｎ＿ΔＦ１−２）／２又は０，１，…，Ｎ＿ΔＦ１−１又は−（Ｎ＿ΔＦ１−１），…，−１，０（または−（Ｎ＿ΔＦ１−２）／２：１：Ｎ＿ΔＦ１／２又は−Ｎ＿ΔＦ１／２：１：（Ｎ＿ΔＦ１−２）／２又は０：１：Ｎ＿ΔＦ１−１又は−（Ｎ＿ΔＦ１−１）：１：０とも表示される）；（２）対称ＲＥ位置を持つΔＦ１：−（Ｎ＿ΔＦ１−１）／２,  −（Ｎ＿ΔＦ１−３）／２，…，（Ｎ＿ΔＦ１−３）／２，（Ｎ＿ΔＦ１−１）／２（または−（Ｎ＿ΔＦ１−１）／２：１：（Ｎ＿ΔＦ１−１）／２とも表示される）に決定されることができる。このような対称ＲＥ位置構成で、ＲＥ位置構成のうち１つは必須的なものでなく；又は（３）ΔＦ２：−（Ｎ＿ΔＦ２−１）／２,  −（Ｎ＿ΔＦ２−３）／２，…，（Ｎ＿ΔＦ２−３）／２，（Ｎ＿ΔＦ２−１）／２（または−（Ｎ＿ΔＦ２−１）／２：１：（Ｎ＿ΔＦ２−１）／２とも表示される）に留意する。Ｎ＿ΔＦ２＝０又は１の場合、ΔＦ２の可能な値は０である（固定された値であって構成する必要がないことを示す）。
【０２６９】
最終周波数オフセットΔＦは表１のようなオフセット内の周波数オフセット基準を考慮して、ＴＤＭ／ＦＤＭ実施形態によって決定されることができ、ここで、ΔＦ＝ΔＦ′＋Ｆ＿ｒｅｆで、ΔＦ′＝ΔＦ１＋ΔＦ２＊Ｎ＿ＲＥ＿ＰＲＢである（ニューマロラジにかかわらずＮ＿ＲＥ＿ＰＲＢ＝１２）。表１は方式１ａを使用する異なった多重化ケースでのΔＦ決定を例示したものである。
【０２７０】
【表１−１】
2021501538.tif 000008
【表１−２】
2021501538.tif 000009
【０２７１】
第１方式の第２アプローチ（例えば、方式１ｂ）では、ＲＥオフセットΔＦ１及びＰＲＢオフセットΔＦ２がＲＭＳＩ  ＣＯＲＥＳＥＴ  ＲＥ及びＰＲＢグラニュラリティでそれにより測定及び表現される（すなわち、これによってΔＦ１及びΔＦ２の可能な値の単位はＲＭＳＩ  ＣＯＲＥＳＥＴ  ＲＥ及びＰＲＢである）。すると、ＲＥでのΔＦ１及びＰＲＢでのΔＦ２の可能な値の総数、すなわち、Ｎ＿ΔＦ１及びＮ＿ΔＦ２は対応的に次のように決定されることができる：ＴＤＭケースの場合、Ｎ＿ΔＦ１＝Ｎ＿ＲＥ＿ＰＲＢ（非対称ＲＥ位置）；又はＮ＿ΔＦ１＝Ｎ＿ＲＥ＿ＰＲＢ＋１（対称ＲＥ位置）；及びＮ＿ΔＦ２＝ＰＲＢでのΔＦ′＿Ｒａｎｇｅ＋１；ＦＤＭケースの場合、Ｎ＿ΔＦ２＝ＰＲＢでのΔＦ′＿Ｒａｎｇｅ。
【０２７２】
ΔＦ１及びΔＦ２の可能な値は（１）非対称ＲＥ位置を持つΔＦ１：−（Ｎ＿ΔＦ１−２）／２,  −（Ｎ＿ΔＦ１−４）／２，…，（Ｎ＿ΔＦ１−２）／２，Ｎ＿ΔＦ１／２又は−Ｎ＿ΔＦ１／２,  −（Ｎ＿ΔＦ１−２）／２，…，（Ｎ＿ΔＦ１−２）／２又は０，１，…，Ｎ＿ΔＦ１−１又は−（Ｎ＿ΔＦ１−１），…，−１，０（または−（Ｎ＿ΔＦ１−２）／２：１：Ｎ＿ΔＦ１／２又は−Ｎ＿ΔＦ１／２：１：（Ｎ＿ΔＦ１−２）／２又は０：１：Ｎ＿ΔＦ１−１又は−（Ｎ＿ΔＦ１−１）：１：０とも表示される）；（２）対称ＲＥ位置を持つΔＦ１：−（Ｎ＿ΔＦ１−１）／２,  −（Ｎ＿ΔＦ１−３）／２，…，（Ｎ＿ΔＦ１−３）／２，（Ｎ＿ΔＦ１−１）／２（または−（Ｎ＿ΔＦ１−１）／２：１：（Ｎ＿ΔＦ１−１）／２とも表示される）に決定されることができる。このような対称ＲＥ位置構成で、ＲＥ位置構成のうち１つは必須的なものでなく；又は（３）ΔＦ２：−（Ｎ＿ΔＦ２−１）／２,  −（Ｎ＿ΔＦ２−３）／２，…，（Ｎ＿ΔＦ２−３）／２，（Ｎ＿ΔＦ２−１）／２（または−（Ｎ＿ΔＦ２−１）／２：１：（Ｎ＿ΔＦ２−１）／２とも表示される）に留意する。Ｎ＿ΔＦ２＝０又は１である場合、ΔＦ２の可能な値は０である（固定された値であって構成する必要がないことを示す）。
【０２７３】
最終周波数オフセットΔＦは表２のようなオフセット内の周波数オフセット基準を考慮して、ＴＤＭ／ＦＤＭ実施形態によって決定されることができ、ここで、ΔＦ＝ΔＦ′＋Ｆ＿ｒｅｆで、ΔＦ′＝ΔＦ１＋ΔＦ２＊Ｎ＿ＲＥ＿ＰＲＢである（ニューマロラジにかかわらずＮ＿ＲＥ＿ＰＲＢ＝１２）。表２は方式１ｂを使用する異なった多重化ケースでのΔＦ決定を例示したものである。
【０２７４】
【表２−１】
2021501538.tif 000010
【表２−２】
2021501538.tif 000011
【０２７５】
第１方式の第３アプローチ（例えば、方式１ｃ）では、ＲＥオフセットΔＦ１／ＰＲＢオフセットΔＦ２がＳＳ／ＰＢＣＨブロックＲＥ／ＰＲＢとＲＭＳＩ  ＣＯＲＥＳＥＴ  ＲＥ／ＰＲＢの間のより小さいもののグラニュラリティで測定及び表現される。すると、ＲＥでのΔＦ１及びＰＲＢでのΔＦ２に対する可能な値の総数、すなわちＮ＿ΔＦ１及びＮ＿ΔＦ２は、ＴＤＭケースに対して、Ｎ＿ΔＦ１＝Ｎ＿ＲＥ＿ＰＲＢ／ｍｉｎ（Ｒ＿ＳＣＳ，１）（非対称ＲＥ位置）；又はＮ＿ΔＦ１＝Ｎ＿ＲＥ＿ＰＲＢ／ｍｉｎ（Ｒ＿ＳＣＳ，１）＋１（対称ＲＥ位置）；Ｎ＿ΔＦ２＝ＰＲＢでのΔＦ′＿Ｒａｎｇｅ／ｍｉｎ（Ｒ＿ＳＣＳ，１）＋１に決定されることができ；また、ＦＤＭケースに対してＮ＿ΔＦ２＝ＰＲＢでのΔＦ′＿Ｒａｎｇｅ／ｍｉｎ（Ｒ＿ＳＣＳ，１）に決定されることができる（Ｒ＿ＳＣＳ＝ＳＣＳ＿ＳＳ／ＳＣＳ＿ＣＯＲＥＳＥＴ）。
【０２７６】
ΔＦ１及びΔＦ２の可能な値は（１）非対称ＲＥ位置を持つΔＦ１：−（Ｎ＿ΔＦ１−２）／２,  −（Ｎ＿ΔＦ１−４）／２，…，（Ｎ＿ΔＦ１−２）／２，Ｎ＿ΔＦ１／２又は−Ｎ＿ΔＦ１／２,  −（Ｎ＿ΔＦ１−２）／２，…，（Ｎ＿ΔＦ１−２）／２又は０，１，…，Ｎ＿ΔＦ１−１又は−（Ｎ＿ΔＦ１−１），…，−１，０（または−（Ｎ＿ΔＦ１−２）／２：１：Ｎ＿ΔＦ１／２又は−Ｎ＿ΔＦ１／２：１：（Ｎ＿ΔＦ１−２）／２又は０：１：Ｎ＿ΔＦ１−１又は−（Ｎ＿ΔＦ１−１）：１：０とも表示される）；（２）対称ＲＥ位置を持つΔＦ１：−（Ｎ＿ΔＦ１−１）／２,  −（Ｎ＿ΔＦ１−３）／２，…，（Ｎ＿ΔＦ１−３）／２，（Ｎ＿ΔＦ１−１）／２（または−（Ｎ＿ΔＦ１−１）／２：１：（Ｎ＿ΔＦ１−１）／２とも表示される）に決定されることができる。このような対称ＲＥ位置構成で、ＲＥ位置構成のうち１つは必須的なものでなく；又は（３）ΔＦ２：−（Ｎ＿ΔＦ２−１）／２,  −（Ｎ＿ΔＦ２−３）／２，…，（Ｎ＿ΔＦ２−３）／２，（Ｎ＿ΔＦ２−１）／２（または−（Ｎ＿ΔＦ２−１）／２：１：（Ｎ＿ΔＦ２−１）／２とも表示される）に留意する。Ｎ＿ΔＦ２＝０又は１である場合、ΔＦ２の可能な値は０である（固定された値であって構成する必要がないことを示す）。
【０２７７】
最終周波数オフセットΔＦはオフセット内の周波数オフセット基準を考慮して、ＴＤＭ／ＦＤＭ実施形態によって決定されることができ、ここで、ΔＦ＝ΔＦ′＋Ｆ＿ｒｅｆで、ΔＦ′＝ΔＦ１＋ΔＦ２＊Ｎ＿ＲＥ＿ＰＲＢである（ニューマロラジにかかわらずＮ＿ＲＥ＿ＰＲＢ＝１２）。
【０２７８】
第１方式の第４アプローチ（例えば、方式１ｄ）では、ＲＥオフセットΔＦ１及びＰＲＢオフセットΔＦ２がＲＭＳＩ  ＣＯＲＥＳＥＴ  ＲＥ及びＰＲＢで対応的に表現される（すなわち、ΔＦ１及びΔＦ２の単位がＲＭＳＩ  ＣＯＲＥＳＥＴ  ＲＥ及びＰＲＢである）。
【０２７９】
ΔＦ２のグラニュラリティの第１例では、ΔＦ２のグラニュラリティがＳＳ／ＰＢＣＨ  ＰＲＢと同じである（例えば、ＲＭＳＩ  ＣＯＲＥＳＥＴ  ＳＣＳがＳＳ／ＰＢＣＨ  ＳＣＳより小さい場合ＳＳ／ＰＢＣＨ  ＰＲＢより小さいグラニュラリティを示す必要はない）。すると、ＰＲＢでのΔＦ２に対する可能な値の総数、すなわちＮ＿ΔＦ２は、ＴＤＭケースに対する、Ｎ＿ΔＦ２＝ＰＲＢでのΔＦ′＿Ｒａｎｇｅ／Ｒ＿ＳＣＳ＋１、及びＦＤＭケースに対する、Ｎ＿ΔＦ２＝ＰＲＢでのΔＦ′＿Ｒａｎｇｅ／Ｒ＿ＳＣＳに決定されることができ、ここで、Ｒ＿ＳＣＳ＝ＳＣＳ＿ＳＳ／ＳＣＳ＿ＣＯＲＥＳＥＴ（ＳＳ／ＰＢＣＨ  ＳＣＳとＣＯＲＥＳＥＴ  ＳＣＳの間の比率）であり、ΔＦ２の可能な値は−（Ｎ＿ΔＦ２−１）＊Ｒ＿ＳＣＳ／２,  −（Ｎ＿ΔＦ２−３）＊Ｒ＿ＳＣＳ／２，…，（Ｎ＿ΔＦ２−３）＊Ｒ＿ＳＣＳ／２，（Ｎ＿ΔＦ２−１）＊Ｒ＿ＳＣＳ／２（または−（Ｎ＿ΔＦ２−１）＊Ｒ＿ＳＣＳ／２：Ｒ＿ＳＣＳ：（Ｎ＿ΔＦ２−１）＊Ｒ＿ＳＣＳ／２とも表示される）に決定されることができる。Ｎ＿ΔＦ２＝０又は≦１である場合、ΔＦ２の可能な値は０である（固定された値であって構成する必要がないことを示す）。
【０２８０】
ΔＦ２のグラニュラリティの第２例では、ΔＦ２のグラニュラリティがＳＳ／ＰＢＣＨ  ＰＲＢとＲＭＳＩ  ＣＯＲＥＳＥＴ  ＰＲＢの最大値と同じである。すると、ＰＲＢでのΔＦ２に対する可能な値の総数、すなわちＮ＿ΔＦ２は、ＴＤＭケースに対する、Ｎ＿ΔＦ２＝ＰＲＢでのΔＦ′＿Ｒａｎｇｅ／ｍａｘ（１，Ｒ＿ＳＣＳ）＋１、及びＦＤＭケースに対する、Ｎ＿ΔＦ２＝ＰＲＢでのΔＦ′＿Ｒａｎｇｅ／ｍａｘ（１，Ｒ＿ＳＣＳ）に決定されることができ、ここで、Ｒ＿ＳＣＳ＝ＳＣＳ＿ＳＳ／ＳＣＳ＿ＣＯＲＥＳＥＴ（ＳＳ／ＰＢＣＨ  ＳＣＳとＣＯＲＥＳＥＴ  ＳＣＳの間の比率）であり、ΔＦ２の可能な値は−（Ｎ＿ΔＦ２−１）＊ｍａｘ（１，Ｒ＿ＳＣＳ）／２,  −（Ｎ＿ΔＦ２−３）＊ｍａｘ（１，Ｒ＿ＳＣＳ）／２，…，（Ｎ＿ΔＦ２−３）＊ｍａｘ（１，Ｒ＿ＳＣＳ）／２，（Ｎ＿ΔＦ２−１）＊ｍａｘ（１，Ｒ＿ＳＣＳ）／２（または−（Ｎ＿ΔＦ２−１）＊ｍａｘ（１，Ｒ＿ＳＣＳ）／２：ｍａｘ（１，Ｒ＿ＳＣＳ）：（Ｎ＿ΔＦ２−１）＊ｍａｘ（１，Ｒ＿ＳＣＳ）／２とも表示される）に決定されることができる。Ｎ＿ΔＦ２＝０又は≦１である場合、ΔＦ２の可能な値は０である（固定された値であって構成する必要がないことを示す）。
【０２８１】
ΔＦ２のグラニュラリティの第３例では、ΔＦ２のグラニュラリティがＲＭＳＩ  ＣＯＲＥＳＥＴ  ＰＲＢと同じである（例えば、ＲＭＳＩ  ＣＯＲＥＳＥＴ  ＳＣＳがＳＳ／ＰＢＣＨ  ＳＣＳより大きい場合、ＲＭＳＩ  ＣＯＲＥＳＥＴ  ＰＲＢより小さいグラニュラリティを示す必要はない）。すると、ＰＲＢでのΔＦ２に対する可能な値の総数、すなわちＮ＿ΔＦ２は、ＴＤＭケースに対する、Ｎ＿ΔＦ２＝ＰＲＢでのΔＦ′＿Ｒａｎｇｅ＋１、及びＦＤＭケースに対する、Ｎ＿ΔＦ２＝ＰＲＢでのΔＦ′＿Ｒａｎｇｅに決定されることができ、ここで、Ｒ＿ＳＣＳ＝ＳＣＳ＿ＳＳ／ＳＣＳ＿ＣＯＲＥＳＥＴ（ＳＳ／ＰＢＣＨ  ＳＣＳとＣＯＲＥＳＥＴ  ＳＣＳの間の比率）であり、ΔＦ２の可能な値は−（Ｎ＿ΔＦ２−１）／２,  −（Ｎ＿ΔＦ２−３）／２，…，（Ｎ＿ΔＦ２−３）／２，（Ｎ＿ΔＦ２−１）／２（または−（Ｎ＿ΔＦ２−１）／２：１：（Ｎ＿ΔＦ２−１）／２とも表示される）に決定されることができる。Ｎ＿ΔＦ２＝０又は１である場合、ΔＦ２の可能な値は０である（固定された値であって構成する必要がないことを示す）。
【０２８２】
ΔＦ２のグラニュラリティの第４例では、ΔＦ２のグラニュラリティがＳＳ／ＰＢＣＨ  ＰＲＢとＲＭＳＩ  ＣＯＲＥＳＥＴ  ＰＲＢの最小値と同じである。すると、ＰＲＢでのΔＦ２に対する可能な値の総数、すなわちＮ＿ΔＦ２は、ＴＤＭケースに対する、Ｎ＿ΔＦ２＝ＰＲＢでのΔＦ′＿Ｒａｎｇｅ／ｍｉｎ（１，Ｒ＿ＳＣＳ）＋１、及びＦＤＭケースに対する、Ｎ＿ΔＦ２＝ＰＲＢでのΔＦ′＿Ｒａｎｇｅ／ｍｉｎ（１，Ｒ＿ＳＣＳ）に決定されることができ、ここで、Ｒ＿ＳＣＳ＝ＳＣＳ＿ＳＳ／ＳＣＳ＿ＣＯＲＥＳＥＴ（ＳＳ／ＰＢＣＨ  ＳＣＳとＣＯＲＥＳＥＴ  ＳＣＳの間の比率）であり、ΔＦ２の可能な値は−（Ｎ＿ΔＦ２−１）＊ｍｉｎ（１，Ｒ＿ＳＣＳ）／２,  −（Ｎ＿ΔＦ２−３）＊ｍｉｎ（１，Ｒ＿ＳＣＳ）／２，…，（Ｎ＿ΔＦ２−３）＊ｍｉｎ（１，Ｒ＿ＳＣＳ）／２，（Ｎ＿ΔＦ２−１）＊ｍｉｎ（１，Ｒ＿ＳＣＳ）／２（または−（Ｎ＿ΔＦ２−１）＊ｍｉｎ（１，Ｒ＿ＳＣＳ）／２：ｍｉｎ（１，Ｒ＿ＳＣＳ）：（Ｎ＿ΔＦ２−１）＊ｍｉｎ（１，Ｒ＿ＳＣＳ）／２とも表示される）に決定されることができる。Ｎ＿ΔＦ２＝０又は≦１である場合、ΔＦ２の可能な値は０である（固定された値であって構成する必要がないことを示す）。
【０２８３】
ΔＦ２のグラニュラリティの第５例では、ΔＦ２のグラニュラリティが１つ又は複数のＲＭＳＩ  ＣＯＲＥＳＥＴ  ＰＲＢと同じであって（例えば、ＣＯＲＥＳＥＴ  ＳＣＳがＳＳ／ＰＢＣＨより大きい場合、それが既にＲＥオフセットに対してΔＦ１で表示されているため、ＲＭＳＩ  ＣＯＲＥＳＥＴ  ＰＲＢより小さいグラニュラリティを示す必要はない）、ここで、グラニュラリティΔｆ２（“ＲＭＳＩラスター”とみなされることができる）はＴＤＭサブケース１に対して最小ＣＨ  ＢＷとＲＭＳＩ  ＣＯＲＥＳＥＴ  ＢＷの間の関係によって決定され（例えば、ＲＭＳＩ  ＣＯＲＥＳＥＴ  ＢＷが最小チャネルＢＷ内にある場合、Δｆ２＝ＲＭＳＩニューマロラジでのＰＲＢの最小ＣＨ  ＢＷ−ＰＲＢでのＲＭＳＩ  ＣＯＲＥＳＥＴ  ＢＷ＋ＰＲＢ＿ＣＨ＿Ｒａｓｔｅｒ）、ＴＤＭサブケース２に対してキャリアＢＷとＲＭＳＩ  ＣＯＲＥＳＥＴ  ＢＷの間の関係によって決定され（例えば、ＲＭＳＩ  ＣＯＲＥＳＥＴ  ＢＷが最小チャネルＢＷより大きい場合、Δｆ２＝ＲＭＳＩニューマロラジでのキャリアＢＷ−ＲＭＳＩ  ＣＯＲＥＳＥＴ  ＢＷ＋ＰＲＢ＿ＣＨ＿Ｒａｓｔｅｒ）、ＦＤＭケースに対してΔｆ２＝１で（ＰＲＢレベル表示が不要なのでΔＦ２値は重要ではない）、ここで、ＰＲＢ＿ＣＨ＿ＲａｓｔｅｒはＣＯＲＥＳＥＴ  ＳＣＳ、ＳＳ  ＳＣＳ及びチャネルラスターの間の関係によって決定され、ＰＲＢ＿ＣＨ＿Ｒａｓｔｅｒ＝ｍｉｎ（ＣＨ  Ｒａｓｔｅｒ／ＳＣＳ＿ＣＯＲＥＳＥＴ，１）に決定されることができ、これはＳＣＳ＿ＣＯＲＥＳＥＴ＞ＣＨラスターの場合、ハーフＰＲＢ以下の表示が不要なことを意味する。ＰＲＢ＿ＣＨ＿Ｒａｓｔｅｒの決定に対する例の要約が表３に示されている。表３は、ＰＲＢ＿ＣＨ＿Ｒａｓｔｅｒの決定の例を示す。
【０２８４】
【表３】
2021501538.tif 000012
【０２８５】
この例で、Δｆ２は同じＳＳ／ＰＢＣＨブロック及びＲＭＳＩ  ＣＯＲＥＳＥＴ多重化パターンが用いられ得るようにする最大周波数オフセットを表す。ＰＲＢでのΔＦ２の可能な値の総数、すなわちＮ＿ΔＦ２は、ＴＤＭケースの場合、Ｎ＿ΔＦ２＝［表示範囲／ΔＦ２］に決定されることができ、ＦＤＭケースの場合、Ｎ＿ΔＦ２＝１に決定されることができ、ここで、Ｒ＿ＳＣＳ＝ＳＣＳ＿ＳＳ／ＳＣＳ＿ＣＯＲＥＳＥＴ（ＳＳ／ＰＢＣＨ  ＳＣＳとＣＯＲＥＳＥＴ  ＳＣＳの間の比率）で、また、表示範囲はＴＤＭケースの場合、ＲＭＳＩ  ＣＯＲＥＳＥＴニューマロラジ（最小ＣＨ  ＢＷ内の相対的ＳＳ／ＰＢＣＨブロック位置の数）観点からのＳＳラスター（例えば、＝最小ＣＨ  ＢＷ−ＳＳ／ＰＢＣＨブロックＢＷ（一部の帯域に関する））に対応する。ΔＦ２の可能な値はＮ＿ΔＦ２＞３である場合−（ＰＲＢでのΔＦ′＿Ｒａｎｇｅ）／２：Δｆ２：（ＰＲＢでのΔＦ′＿Ｒａｎｇｅ）／２に決定されることができ、ΔＦ２の可能な値（中央オフセットで表示される場合）はＮ＿ΔＦ２＝２である場合−（ＰＲＢでのΔＦ′＿Ｒａｎｇｅ）／２及び＋（ＰＲＢでのΔＦ′＿Ｒａｎｇｅ）／２に決定されるか、又はＮ＿ΔＦ２＝２である場合−（ＰＲＢでのΔＦ′＿Ｒａｎｇｅ）／２＋１及び＋（ＰＲＢでのΔＦ′＿Ｒａｎｇｅ）／２−１に決定されることができ、また、ΔＦ２の可能な値（中央オフセットで表示される場合）はＮ＿ΔＦ２＝１である場合、０に決定されることができる（固定された値であって構成する必要がないことを示す）。ΔＦ′＿Ｒａｎｇｅは前のＴＤＭ及びＦＤＭ実施形態で決定される。
【０２８６】
ΔＦ２の可能な値の選択はＳＳ／ＰＢＣＨブロックに対する周波数範囲がＲＭＳＩ  ＣＯＲＥＳＥＴに対する周波数範囲のサブセットであると仮定し、これによってこれらのＢＷの差のみが表示を必要とするようになる。
【０２８７】
この例に対する１つの可能な変形では、ΔＦ２＝０の構成がない場合（中央オフセットとして表現される場合）、ΔＦ２＝０の他の構成が導入され得る。可能な値０を導入する目的はより良好な測定のためである。
【０２８８】
この例に対する他の可能な変形では、ＦＤＭケースにおいて、Ｎ＿ΔＦ２＝１である場合も、例えば、潜在的ギャップを有するＳＳブロックの下端の上端に対する多重化のような、その基準に対する２つの可能な値が依然として存在し得る。
【０２８９】
図２６Ａは、本開示の実施形態による｛ＳＳ  ＳＣＳ，ＲＭＳＩ  ＳＣＳ，ＣＨ  ＢＷ，ＣＯＲＥＳＥＴ  ＢＷ｝＝｛１５ｋＨｚ，１５ｋＨｚ，５ＭＨｚ，２４ＰＲＢ｝のケースにおけるΔＦ２（２６１０）の例示的な構成を示す図である。図２６Ａに示すΔＦ２（２６１０）の構成の実施形態は単なる例示のためのものである。図２６Ａは、本開示の範囲を任意の特定の具現で制限しない。
【０２９０】
ＴＤＭサブケース−１に対する、ΔＦ２のグラニュラリティの第５例を有するこのようなアプローチ（方式１ｄ）の例が図２６Ａに図示されており、この例の要約が表４に示されている。表４は、ＴＤＭサブケース−１に対するΔＦ２構成の例を示す。
【０２９１】
【表４】
2021501538.tif 000013
【０２９２】
図２６Ａのような第１例では、ＳＣＳ＿ＳＳ＝１５ｋＨｚ及びＳＣＳ＿ＣＯＲＥＳＥＴ＝１５ｋＨｚ及びチャネルラスター＝１５ｋＨｚ又は１００ｋＨｚのＴＤＭシナリオが考慮される（最小ＣＨ  ＢＷは５ＭＨｚ（ＳＳ及びＲＭＳＩニューマロラジで２５ＰＲＢ）であると仮定される）。このケースでは、ＲＭＳＩ  ＣＯＲＥＳＥＴ  ＢＷが２４ＰＲＢである場合、表示範囲＝５ＰＲＢで、Δｆ２＝２ＰＲＢであり、これにより、Ｎ＿ΔＦ２＝３、すなわち３つの構成でＳＳブロック及びＲＭＳＩ  ＣＯＲＥＳＥＴの中央／エッジの間のＰＲＢレベル周波数オフセットを構成するに十分で、可能な値はＲＭＳＩ  ＣＯＲＥＳＥＴニューマロラジ観点から−２、０、２ＰＲＢ（中央オフセット）であるか、又は４、２、０ＰＲＢ（エッジオフセット）であり得る。
【０２９３】
図２６Ａに示すように、２６ａ０１及び２６ａ０２は同じ構成＃０（中央オフセットの場合ΔＦ２＝−２ＰＲＢ又はエッジオフセットの場合ΔＦ２＝４ＰＲＢ）を使用し、２６ａ０３及び２６ａ０４は同じ構成＃１（中央オフセットの場合ΔＦ２＝０ＰＲＢ又はエッジオフセットの場合ΔＦ２＝２ＰＲＢ）を使用し、２６ａ０５及び２６ａ０６は同じ構成＃２（中央オフセットの場合ΔＦ２＝２ＰＲＢ又はエッジオフセットの場合ΔＦ２＝０ＰＲＢ）を使用する。
【０２９４】
図２６Ｂは、本開示の実施形態による｛ＳＳ  ＳＣＳ，ＲＭＳＩ  ＳＣＳ，ＣＨ  ＢＷ，ＣＯＲＥＳＥＴ  ＢＷ｝＝｛１５ｋＨｚ，３０ｋＨｚ，５ＭＨｚ，１２ＰＲＢ｝のケースにおけるΔＦ２（２６２０）の例示的な構成を示す図である。図２６Ｂに示すΔＦ２（２６２０）の構成の実施形態は単なる例示のためのものである。図２６Ｂは、本開示の範囲を任意の特定の具現で制限しない。
【０２９５】
図２６Ｂのような第２例では、ＳＣＳ＿ＳＳ＝１５ｋＨｚ及びＳＣＳ＿ＣＯＲＥＳＥＴ＝３０ｋＨｚ及びチャネルラスター＝１５ｋＨｚ又は１００ｋＨｚのシナリオが考慮される（最小ＣＨ  ＢＷは５ＭＨｚ（ＳＳニューマロラジで２５ＰＲＢ及びＲＭＳＩニューマロラジにおいて１１ＰＲＢ）であると仮定される）。このケースでは、３０ｋＨｚＳＣＳを有する５ＭＨｚＢＷのチャネル利用が１２ＰＲＢ以上でなければ１２ＰＲＢとしてのＲＭＳＩ  ＣＯＲＥＳＥＴ  ＢＷがサポートされることができない。例えば、図２６Ｂでは、ＣＯＲＥＳＥＴを最小ＣＨ  ＢＷ内に合わせるように利用可能な構成がない。
【０２９６】
図２６Ｃは、本開示の実施形態による｛ＳＳ  ＳＣＳ，ＲＭＳＩ  ＳＣＳ，ＣＨ  ＢＷ，ＣＯＲＥＳＥＴ  ＢＷ｝＝｛３０ｋＨｚ，１５ｋＨｚ，１０ＭＨｚ，４８ＰＲＢ｝のケースにおけるΔＦ２（２６３０）の例示的な構成を示す図である。図２６Ｃに示すΔＦ２（２６３０）の構成の実施形態は単なる例示のためのものである。図２６Ｃは、本開示の範囲を任意の特定の具現で制限しない。
【０２９７】
図２６Ｃのような第３例では、ＳＣＳ＿ＳＳ＝３０ｋＨｚ及びＳＣＳ＿ＣＯＲＥＳＥＴ＝１５ｋＨｚ及びチャネルラスター＝１５ｋＨｚ又は１００ｋＨｚのシナリオが考慮される（最小ＣＨ  ＢＷは１０ＭＨｚ（ＳＳニューマロラジで２４ＰＲＢ及びＲＭＳＩニューマロラジで５２ＰＲＢ）であると仮定される）。このケースでは、ＲＭＳＩ  ＣＯＲＥＳＥＴ  ＢＷが４８ＰＲＢである場合、表示範囲＝８ＰＲＢで、Δｆ２＝５ＰＲＢであり、これによりＮ＿ΔＦ２＝２、すなわち２つの構成でＳＳブロック及びＲＭＳＩ  ＣＯＲＥＳＥＴの中央／エッジの間のＰＲＢレベル周波数オフセットを構成するに十分で、可能な値はＲＭＳＩ  ＣＯＲＥＳＥＴニューマロラジ観点から−２、２ＰＲＢ（中央オフセット）であるか、又は６、２ＰＲＢ（エッジオフセット）であり得る。
【０２９８】
図２６Ｃに示すように、２６ｃ０１乃至２６ｃ０５は同じ構成＃０（中央オフセットの場合ΔＦ２＝−２ＰＲＢ又はエッジオフセットの場合ΔＦ２＝６ＰＲＢ）を使用し、２６ｃ０６乃至２６ｃ０９は同じ構成＃１（中央オフセットの場合ΔＦ２＝２ＰＲＢ又はエッジオフセットの場合ΔＦ２＝２ＰＲＢ）を使用する。このケースにおいてチャネル利用整列が図２６Ｃで図示されていない場合（例えば、中央に整列されない場合）、依然として２つの構成を用いることができ、各構成の値がそれによって変更されることができ、ここで、この値の差は混合ニューマロラジでのチャネル利用のＰＲＢの間のオフセットと同じである。
【０２９９】
図２６Ｄは、本開示の実施形態による｛ＳＳ  ＳＣＳ，ＲＭＳＩ  ＳＣＳ，ＣＨ  ＢＷ，ＣＯＲＥＳＥＴ  ＢＷ｝＝｛３０ｋＨｚ，３０ｋＨｚ，１０ＭＨｚ，２４ＰＲＢ｝のケースにおけるΔＦ２（２６４０）の例示的な構成を示す図である。図２６Ｄに示すΔＦ２（２６４０）の構成の実施形態は単なる例示のためのものである。図２６Ｄは、本開示の範囲を任意の特定の具現で制限しない。
【０３００】
図２６Ｄのような第４例では、ＳＣＳ＿ＳＳ＝３０ｋＨｚ及びＳＣＳ＿ＣＯＲＥＳＥＴ＝３０ｋＨｚ及びチャネルラスター＝１５ｋＨｚ又は１００ｋＨｚのシナリオが考慮される（最小ＣＨ  ＢＷは１０ＭＨｚ（ＳＳ及びＲＭＳＩニューマロラジで２４ＰＲＢ）であると仮定される）。このケースでは、ＲＭＳＩ  ＣＯＲＥＳＥＴ  ＢＷが２４ＰＲＢである場合、表示範囲＝４ＰＲＢで、Δｆ２＝１ＰＲＢであり、これにより、Ｎ＿ΔＦ２＝５、すなわち５つの構成でＳＳブロック及びＲＭＳＩ  ＣＯＲＥＳＥＴの中央／エッジの間のＰＲＢレベル周波数オフセットを構成するに十分で、可能な値はＲＭＳＩ  ＣＯＲＥＳＥＴニューマロラジ観点から−２、−１、０、１、２ＰＲＢ（中央オフセット）であるか、又は４、３、２、１、０ＰＲＢ（エッジオフセット）であり得る。
【０３０１】
図２６Ｄに示すように、それぞれの２６ｄ０１、２６ｄ０３、２６ｄ０５、２６ｄ０７及び２６ｄ０９は個別構成＃０乃至#４を相応するように使用し、ここで、それぞれの構成は中央オフセットの場合−２、−１、０、１、２ＰＲＢとしてΔＦ２に対応するか、又はエッジオフセットの場合４、３、２、１、０ＰＲＢとしてΔＦ２に対応し、また、他のケース（例えば、２６ｄ０２、２６ｄ０４、２６ｄ０６及び２６ｄ０８）はそのオフセットがＲＭＳＩ  ＰＲＢの整数倍ではなくΔＦ２の既存の構成と組み合わせられるＲＥレベルオフセット表示ΔＦ１がこのケースをカバーできるので別途の構成を必要としない。
【０３０２】
図２６Ｅは、本開示の実施形態による｛ＳＳ  ＳＣＳ，ＲＭＳＩ  ＳＣＳ，ＣＨ  ＢＷ，ＣＯＲＥＳＥＴ  ＢＷ｝＝｛１２０ｋＨｚ，６０ｋＨｚ，５０ＭＨｚ，４８ＰＲＢ｝のケースにおけるΔＦ２（２６５０）の例示的な構成を示す図である。図２６Ｅに示すΔＦ２（２６５０）の構成の実施形態は単なる例示のためのものである。図２６Ｅは、本開示の範囲を任意の特定の具現で制限しない。
【０３０３】
図２６Ｅのような第５例では、ＳＣＳ＿ＳＳ＝１２０ｋＨｚ及びＳＣＳ＿ＣＯＲＥＳＥＴ＝６０ｋＨｚ及びチャネルラスター＝６０ｋＨｚのシナリオが考慮される（最小ＣＨ  ＢＷは５０ＭＨｚ（ＳＳニューマロラジで３２ＰＲＢ及びＲＭＳＩニューマロラジで６６ＰＲＢ）であると仮定される）。このケースでは、ＲＭＳＩ  ＣＯＲＥＳＥＴ  ＢＷが４８ＰＲＢである場合、表示範囲＝２４ＰＲＢで、Δｆ２＝１９ＰＲＢであり、これにより、Ｎ＿ΔＦ２＝２、すなわち２つの構成でＳＳブロック及びＲＭＳＩ  ＣＯＲＥＳＥＴの中央／エッジの間のＰＲＢレベル周波数オフセットを構成するに十分で、可能な値はＲＭＳＩ  ＣＯＲＥＳＥＴニューマロラジ観点から−４、４ＰＲＢ（中央オフセット）であるか、又は８、０ＰＲＢ（エッジオフセット）であり得る。
【０３０４】
図２６Ｅに示すように、２６ｅ０１乃至２６ｅ０３は同じ構成＃０（中央オフセットの場合ΔＦ２＝−４ＰＲＢ又はエッジオフセットの場合ΔＦ２＝８ＰＲＢ）を使用し、２６ｅ０４乃至２６ｅ０６は同じ構成＃１（中央オフセットの場合ΔＦ２＝４ＰＲＢ又はエッジオフセットの場合ΔＦ２＝８ＰＲＢ）を使用する。一部のケース（例えば、２６ｅ０３及び２６ｅ０４）の場合、２つの構成のうち１つが用いられ得ることに留意する。また、第３の構成、中央オフセットの場合ΔＦ２＝０又はエッジオフセットの場合ΔＦ２＝４を追加する場合、２６ｅ０３及び２６ｅ０４がこの構成を用いることができる。
【０３０５】
図２６Ｆは、本開示の実施形態による｛ＳＳ  ＳＣＳ，ＲＭＳＩ  ＳＣＳ，ＣＨ  ＢＷ，ＣＯＲＥＳＥＴ  ＢＷ｝＝｛１２０ｋＨｚ，１２０ｋＨｚ，５０ＭＨｚ，２４ＰＲＢ｝のケースにおけるΔＦ２（２６６０）の例示的な構成を示す図である。図２６Ｆに示すΔＦ２（２６６０）の構成の実施形態は単なる例示のためのものである。図２６Ｆは、本開示の範囲を任意の特定の具現で制限しない。
【０３０６】
図２６Ｆのような第６例では、ＳＣＳ＿ＳＳ＝１２０ｋＨｚ及びＳＣＳ＿ＣＯＲＥＳＥＴ＝１２０ｋＨｚ及びチャネルラスター＝６０ｋＨｚのシナリオが考慮される（最小ＣＨ  ＢＷは５０ＭＨｚ（ＳＳ及びＲＭＳＩニューマロラジで３２ＰＲＢ）であると仮定される）。このケースでは、ＲＭＳＩ  ＣＯＲＥＳＥＴ  ＢＷが２４ＰＲＢである場合、表示範囲＝１２ＰＲＢで、Δｆ２＝９ＰＲＢであり、これにより、Ｎ＿ΔＦ２＝２、すなわち２つの構成でＳＳブロック及びＲＭＳＩ  ＣＯＲＥＳＥＴの中央／エッジの間のＰＲＢレベル周波数オフセットを構成するに十分で、可能な値はＲＭＳＩ  ＣＯＲＥＳＥＴニューマロラジ観点から−２、２ＰＲＢ（中央オフセット）であるか、又は４、０ＰＲＢ（エッジオフセット）であり得る。
【０３０７】
図２６Ｆに示すように、２６ｆ０１乃至２６ｆ０３は同じ構成＃０（中央オフセットの場合ΔＦ２＝−２ＰＲＢ又はエッジオフセットの場合ΔＦ２＝４ＰＲＢ）を使用し、２６ｆ０４乃至２６ｆ０６は同じ構成＃１（中央オフセットの場合ΔＦ２＝２ＰＲＢ又はエッジオフセットの場合ΔＦ２＝０ＰＲＢ）を使用する。一部のケース（例えば、２６ｆ０３及び２６ｆ０４）の場合、この構成のうち１つが用いられ得る。また、第３の構成、中央オフセットの場合ΔＦ２＝０又はエッジオフセットの場合ΔＦ２＝２を追加すると、２６ｆ０３乃至２６ｆ０４がこの構成を用いることができる。
【０３０８】
図２６Ｇは、本開示の実施形態による｛ＳＳ  ＳＣＳ，ＲＭＳＩ  ＳＣＳ，ＣＨ  ＢＷ，ＣＯＲＥＳＥＴ  ＢＷ｝＝｛２４０ｋＨｚ，１２０ｋＨｚ，１００ＭＨｚ，４８ＰＲＢ｝のケースにおけるΔＦ２（２６７０）の例示的な構成を示す図である。図２６Ｇに示すΔＦ２（２６７０）の構成の実施形態は単なる例示のためのものである。図２６Ｇは、本開示の範囲を任意の特定の具現で制限しない。
【０３０９】
図２６Ｇのような第７例では、ＳＣＳ＿ＳＳ＝２４０ｋＨｚ及びＳＣＳ＿ＣＯＲＥＳＥＴ＝１２０ｋＨｚ及びチャネルラスター＝６０ｋＨｚのシナリオが考慮される（最小ＣＨ  ＢＷは１００ＭＨｚ（ＳＳニューマロラジで３２ＰＲＢ及びＲＭＳＩニューマロラジで６６ＰＲＢ）であると仮定される）。このケースでは、ＲＭＳＩ  ＣＯＲＥＳＥＴ  ＢＷが４８ＰＲＢである場合、表示範囲＝２４ＰＲＢで、Δｆ２＝１９ＰＲＢであり、これにより、Ｎ＿ΔＦ２＝２、すなわち２つの構成でＳＳブロック及びＲＭＳＩ  ＣＯＲＥＳＥＴの中央／エッジの間のＰＲＢレベル周波数オフセットを構成するに十分で、可能な値はＲＭＳＩ  ＣＯＲＥＳＥＴニューマロラジ観点から−４、４ＰＲＢ（中央オフセット）であるか、又は８、０ＰＲＢ（エッジオフセット）であり得る。
【０３１０】
図２６Ｇに示すように、２６ｇ０１乃至２６ｇ０３は同じ構成＃０（中央オフセットの場合ΔＦ２＝−４ＰＲＢ又はエッジオフセットの場合ΔＦ２＝８ＰＲＢ）を使用し、２６ｇ０４乃至２６ｇ０６は同じ構成＃１（中央オフセットの場合ΔＦ２＝４ＰＲＢ又はエッジオフセットの場合ΔＦ２＝０ＰＲＢ）を使用する。一部のケース（例えば、２６ｇ０３及び２６ｇ０４）の場合、この構成のうち１つが用いられ得る。また、第３の構成、中央オフセットの場合ΔＦ２＝０又はエッジオフセットの場合ΔＦ２＝４を追加すると、２６ｇ０３乃至２６ｇ０４がこの構成を用いることができることに留意する。
【０３１１】
図２６Ｈは、本開示の実施形態による｛ＳＳ  ＳＣＳ，ＲＭＳＩ  ＳＣＳ，ＣＨ  ＢＷ，ＣＯＲＥＳＥＴ  ＢＷ｝＝｛２４０ｋＨｚ，６０ｋＨｚ，１００ＭＨｚ，９６ＰＲＢ｝のケースにおけるΔＦ２（２６８０）の例示的な構成を示す図である。図２６Ｈに示すΔＦ２（２６８０）の構成の実施形態は単なる例示のためのものである。図２６Ｈは、本開示の範囲を任意の特定の具現で制限しない。
【０３１２】
図２６Ｈのような第８例では、ＳＣＳ＿ＳＳ＝２４０ｋＨｚ及びＳＣＳ＿ＣＯＲＥＳＥＴ＝６０ｋＨｚ及びチャネルラスター＝６０ｋＨｚのシナリオが考慮される（最小ＣＨ  ＢＷは１００ＭＨｚ（ＳＳニューマロラジで３２ＰＲＢ及びＲＭＳＩニューマロラジで１３２ＰＲＢ）であると仮定される）。このケースでは、ＲＭＳＩ  ＣＯＲＥＳＥＴ  ＢＷが９６ＰＲＢである場合、表示範囲＝４８ＰＲＢで、Δｆ２＝３７ＰＲＢであり、これにより、Ｎ＿ΔＦ２＝２、すなわち２つの構成でＳＳブロック及びＲＭＳＩ  ＣＯＲＥＳＥＴの中央／エッジの間のＰＲＢレベル周波数オフセットを構成するに十分で、可能な値はＲＭＳＩ  ＣＯＲＥＳＥＴニューマロラジ観点から−８、８ＰＲＢ（中央オフセット）であるか、又は１６、０ＰＲＢ（エッジオフセット）であり得る。
【０３１３】
図２６Ｈに示すように、２６ｈ０１乃至２６ｈ０３は同じ構成＃０（中央オフセットの場合ΔＦ２＝−４ＰＲＢ又はエッジオフセットの場合ΔＦ２＝８ＰＲＢ）を使用して、２６ｈ０４乃至２６ｈ０６は同じ構成＃１（中央オフセットの場合ΔＦ２＝４ＰＲＢ又はエッジオフセットの場合ΔＦ２＝０ＰＲＢ）を使用する。一部のケース（例えば、２６ｈ０３及び２６ｈ０４）の場合、この構成のうち１つが用いられ得る。また、第３の構成、中央オフセットの場合ΔＦ２＝０又はエッジオフセットの場合ΔＦ２＝８を追加すると、２６ｈ０３乃至２６ｈ０４がこの構成を用いることができる。
【０３１４】
図２７Ａは、本開示の実施形態による｛ＳＳ  ＳＣＳ，ＲＭＳＩ  ＳＣＳ，ＣＨ  ＢＷ，ＣＯＲＥＳＥＴ  ＢＷ｝＝｛１５ｋＨｚ，１５ｋＨｚ，１０ＭＨｚ，４８ＰＲＢ｝のケースにおけるΔＦ２（２７００）の例示的な構成を示す図である。図２７Ａに示すΔＦ２（２７００）の構成の実施形態は単なる例示のためのものである。図２７Ａは、本開示の範囲を任意の特定の具現で制限しない。
【０３１５】
ＴＤＭサブケース−２に対する、ΔＦ２グラニュラリティの第５例を有するこのようなアプローチ（方式１ｄ）の例が図２７Ａに図示されており、この例の要約が表５に示されている。表５は、ＴＤＭサブケース−２に対するΔＦ２構成の例を示す。
【０３１６】
【表５】
2021501538.tif 000014
【０３１７】
図２７Ａのような第１例では、ＳＣＳ＿ＳＳ＝１５ｋＨｚ及びＳＣＳ＿ＣＯＲＥＳＥＴ＝１５ｋＨｚ及びチャネルラスター＝１５ｋＨｚ又は１００ｋＨｚのＴＤＭシナリオが考慮される。キャリアＢＷは１０ＭＨｚであり、ＳＳ及びＲＭＳＩニューマロラジで５２ＰＲＢである。このケースでは、ＲＭＳＩ  ＣＯＲＥＳＥＴ  ＢＷが４８ＰＲＢで、制限されたＢＷがＲＭＳＩ  ＣＯＲＥＳＥＴ  ＢＷの中央２４ＰＲＢとして選択され得る場合、表示範囲＝５ＰＲＢで、Δｆ２＝５ＰＲＢであり、これにより、Ｎ＿ΔＦ２＝２、すなわち２つの構成でＳＳブロック及びＲＭＳＩ  ＣＯＲＥＳＥＴの中央／エッジの間のＰＲＢレベル周波数オフセットを構成するに十分で、可能な値はＲＭＳＩ  ＣＯＲＥＳＥＴニューマロラジ観点から−２、２ＰＲＢ（中央オフセット）であるか、又は１２、１６ＰＲＢ（エッジオフセット）であり得る。
【０３１８】
図２７Ａに示すように、２７ａ０１、２７ａ０２及び２７５ａ０３は同じ構成＃０（中央オフセットの場合ΔＦ２＝−２ＰＲＢ又はエッジオフセットの場合ΔＦ２＝１６ＰＲＢ）を使用し、２７ａ０４、２７ａ０５及び２７ａ０６は同じ構成＃１（中央オフセットの場合ΔＦ２＝２ＰＲＢ又はエッジオフセットの場合ΔＦ２＝１２ＰＲＢ）を使用する。
【０３１９】
図２７Ｂは、本開示の実施形態による｛ＳＳ  ＳＣＳ，ＲＭＳＩ  ＳＣＳ，ＣＨ  ＢＷ，ＣＯＲＥＳＥＴ  ＢＷ｝＝｛１５ｋＨｚ，１５ｋＨｚ，２０ＭＨｚ，９６ＰＲＢ｝のケースにおけるΔＦ２（２７１０）の例示的な構成を示す図である。図２７Ｂに示すΔＦ２（２７１０）の構成の実施形態は単なる例示のためのものである。図２７Ｂは、本開示の範囲を任意の特定の具現で制限しない。
【０３２０】
図２７Ｂのような第２例では、ＳＣＳ＿ＳＳ＝１５ｋＨｚ及びＳＣＳ＿ＣＯＲＥＳＥＴ＝１５ｋＨｚ及びチャネルラスター＝１５ｋＨｚ又は１００ｋＨｚのＴＤＭシナリオが考慮される。キャリアＢＷは２０ＭＨｚであり、ＳＳ及びＲＭＳＩニューマロラジで１０６ＰＲＢである。このケースでは、ＲＭＳＩ  ＣＯＲＥＳＥＴ  ＢＷが９６ＰＲＢで、制限されたＢＷがＲＭＳＩ  ＣＯＲＥＳＥＴ  ＢＷの中央２４ＰＲＢとして選択され得る場合、表示範囲＝５ＰＲＢで、Δｆ２＝１１ＰＲＢであり、これにより、Ｎ＿ΔＦ２＝１、すなわち１つの構成でＳＳブロック及びＲＭＳＩ  ＣＯＲＥＳＥＴの中央／エッジの間のＰＲＢレベル周波数オフセットを構成するに十分で、可能な値はＲＭＳＩ  ＣＯＲＥＳＥＴニューマロラジ観点から０ＰＲＢ（中央オフセット）であるか、又は３８ＰＲＢ（エッジオフセット）であり得る。
【０３２１】
図２７Ｂに示すように、２７ｂ０１乃至２７ｂ０６はすべて同じ構成＃０（中央オフセットの場合ΔＦ２＝０ＰＲＢ又はエッジオフセットの場合ΔＦ２＝３８ＰＲＢ）を使用する。
【０３２２】
図２７Ｃは、本開示の実施形態による｛ＳＳ  ＳＣＳ，ＲＭＳＩ  ＳＣＳ，ＣＨ  ＢＷ，ＣＯＲＥＳＥＴ  ＢＷ｝＝｛１５ｋＨｚ，３０ｋＨｚ，１０ＭＨｚ，２４ＰＲＢ｝のケースにおけるΔＦ２（２７２０）の例示的な構成を示す図である。図２７Ｃに示すΔＦ２（２７２０）の構成の実施形態は単なる例示のためのものである。図２７Ｃは、本開示の範囲を任意の特定の具現で制限しない。
【０３２３】
図２７Ｃのような第３例では、ＳＣＳ＿ＳＳ＝１５ｋＨｚ及びＳＣＳ＿ＣＯＲＥＳＥＴ＝３０ｋＨｚ及びチャネルラスター＝１５ｋＨｚ又は１００ｋＨｚのＴＤＭシナリオが考慮される。キャリアＢＷは１０ＭＨｚであり、ＳＳニューマロラジで５２ＰＲＢでＲＭＳＩニューマロラジで２４ＰＲＢである。このケースでは、ＲＭＳＩ  ＣＯＲＥＳＥＴ  ＢＷが２４ＰＲＢで、制限されたＢＷがＲＭＳＩ  ＣＯＲＥＳＥＴ  ＢＷの中央１２ＰＲＢとして選択され得る場合、表示範囲＝２．５ＰＲＢで、Δｆ２＝１ＰＲＢであり、これにより、Ｎ＿ΔＦ２＝３、すなわち３つの構成でＳＳブロック及びＲＭＳＩ  ＣＯＲＥＳＥＴの中央／エッジの間のＰＲＢレベル周波数オフセットを構成するに十分で、可能な値はＲＭＳＩ  ＣＯＲＥＳＥＴニューマロラジ観点から−１、０、１ＰＲＢ（中央オフセット）であるか、又は６、７、８ＰＲＢ（エッジオフセット）であり得る。
【０３２４】
図２７Ｃに示すように、２７ｃ０１は構成＃０（中央オフセットの場合ΔＦ２＝−１ＰＲＢ又はエッジオフセットの場合ΔＦ２＝８ＰＲＢ）を使用し、２７ｃ０３は構成＃１（中央オフセットの場合ΔＦ２＝０ＰＲＢ又はエッジオフセットの場合ΔＦ２＝７ＰＲＢ）を使用し、２７ｃ０５は構成＃２（中央オフセットの場合ΔＦ２＝１ＰＲＢ又はエッジオフセットの場合ΔＦ２＝６ＰＲＢ）を使用し、残りはＰＲＢが整列されないので構成を必要としない（他の既存の構成とのＲＥレベル表示組み合わせがこのようなケースをカバーできる）。
【０３２５】
図２７Ｄは、本開示の実施形態による｛ＳＳ  ＳＣＳ，ＲＭＳＩ  ＳＣＳ，ＣＨ  ＢＷ，ＣＯＲＥＳＥＴ  ＢＷ｝＝｛１５ｋＨｚ，３０ｋＨｚ，２０ＭＨｚ，４８ＰＲＢ｝のケースにおけるΔＦ２（２７３０）の例示的な構成を示す図である。図２７Ｄに示すΔＦ２（２７３０）の構成の実施形態は単なる例示のためのものである。図２７Ｄは、本開示の範囲を任意の特定の具現で制限しない。
【０３２６】
図２７Ｄのような第４例では、ＳＣＳ＿ＳＳ＝１５ｋＨｚ及びＳＣＳ＿ＣＯＲＥＳＥＴ＝３０ｋＨｚ及びチャネルラスター＝１５ｋＨｚ又は１００ｋＨｚのＴＤＭシナリオが考慮される。キャリアＢＷは２０ＭＨｚであり、ＳＳニューマロラジで１０６ＰＲＢでＲＭＳＩニューマロラジで５０ＰＲＢである（混合ニューマロラジで偶数のＰＲＢによって１つのＰＲＢを切り捨てる）。このケースでは、ＲＭＳＩ  ＣＯＲＥＳＥＴ  ＢＷが４８ＰＲＢで、制限されたＢＷがＲＭＳＩ  ＣＯＲＥＳＥＴ  ＢＷの中央１２ＰＲＢとして選択され得る場合、表示範囲＝２．５ＰＲＢで、Δｆ２＝３ＰＲＢであり、これにより、Ｎ＿ΔＦ２＝２、すなわち２つの構成でＳＳブロック及びＲＭＳＩ  ＣＯＲＥＳＥＴの中央／エッジの間のＰＲＢレベル周波数オフセットを構成するに十分で、可能な値はＲＭＳＩ  ＣＯＲＥＳＥＴニューマロラジ観点から−１、１ＰＲＢ（中央オフセット）であるか、又は１８、２０ＰＲＢ（エッジオフセット）であり得る。
【０３２７】
図２７Ｄに示すように、２７ｄ０１、２７ｄ０２及び２７ｄ０３は同じ構成＃０（中央オフセットの場合ΔＦ２＝−１ＰＲＢ又はエッジオフセットの場合ΔＦ２＝２０ＰＲＢ）を使用し、２７ｄ０４及び２７ｄ０５及び２７ｄ０６は同じ構成＃１（中央オフセットの場合ΔＦ２＝１ＰＲＢ又はエッジオフセットの場合ΔＦ２＝１８ＰＲＢ）を使用する。
【０３２８】
図２７Ｅは、本開示の実施形態による｛ＳＳ  ＳＣＳ，ＲＭＳＩ  ＳＣＳ，ＣＨ  ＢＷ，ＣＯＲＥＳＥＴ  ＢＷ｝＝｛３０ｋＨｚ，１５ｋＨｚ，２０ＭＨｚ，９６ＰＲＢ｝のケースにおけるΔＦ２（２７４０）の例示的な構成を示す図である。図２７Ｅに示すΔＦ２（２７４０）の構成の実施形態は単なる例示のためのものである。図２７Ｅは、本開示の範囲を任意の特定の具現で制限しない。
【０３２９】
図２７Ｅのような第５例では、ＳＣＳ＿ＳＳ＝３０ｋＨｚ及びＳＣＳ＿ＣＯＲＥＳＥＴ＝１５ｋＨｚ及びチャネルラスター＝１５ｋＨｚ又は１００ｋＨｚのＴＤＭシナリオが考慮される。キャリアＢＷは２０ＭＨｚであり、ＳＳニューマロラジで５０ＰＲＢで（混合ニューマロラジで偶数のＰＲＢによって１つのＰＲＢを切り捨てる）、ＲＭＳＩニューマロラジで１０６ＰＲＢである。このケースでは、ＲＭＳＩ  ＣＯＲＥＳＥＴ  ＢＷが９６ＰＲＢで、制限されたＢＷがＲＭＳＩ  ＣＯＲＥＳＥＴ  ＢＷの中央４８ＰＲＢとして選択され得る場合、表示範囲＝９ＰＲＢで、Δｆ２＝１１ＰＲＢであり、これにより、Ｎ＿ΔＦ２＝１、すなわち１つの構成でＳＳブロック及びＲＭＳＩ  ＣＯＲＥＳＥＴの中央／エッジの間のＰＲＢレベル周波数オフセットを構成するに十分で、可能な値はＲＭＳＩ  ＣＯＲＥＳＥＴニューマロラジ観点から０ＰＲＢ（中央オフセット）であるか、又は２８ＰＲＢ（エッジオフセット）であり得る。
【０３３０】
図２７Ｅに示すように、すべてが同じ構成＃０（中央オフセットの場合ΔＦ２＝０ＰＲＢ又はエッジオフセットの場合ΔＦ２＝２８ＰＲＢ）を使用する。
【０３３１】
図２７Ｆは、本開示の実施形態による｛ＳＳ  ＳＣＳ，ＲＭＳＩ  ＳＣＳ，ＣＨ  ＢＷ，ＣＯＲＥＳＥＴ  ＢＷ｝＝｛３０ｋＨｚ，３０ｋＨｚ，２０ＭＨｚ，４８ＰＲＢ｝のケースにおけるΔＦ２（２７５０）の例示的な構成を示す図である。図２７Ｆに示すΔＦ２（２７５０）の構成の実施形態は単なる例示のためのものである。図２７Ｆは、本開示の範囲を任意の特定の具現で制限しない。
【０３３２】
図２７Ｆのような第６例では、ＳＣＳ＿ＳＳ＝３０ｋＨｚ及びＳＣＳ＿ＣＯＲＥＳＥＴ＝３０ｋＨｚ及びチャネルラスター＝１５ｋＨｚ又は１００ｋＨｚのＴＤＭシナリオが考慮される。キャリアＢＷは２０ＭＨｚであり、ＳＳ及びＲＭＳＩニューマロラジで５０ＰＲＢである。このケースでは、ＲＭＳＩ  ＣＯＲＥＳＥＴ  ＢＷが４８ＰＲＢで、制限されたＢＷがＲＭＳＩ  ＣＯＲＥＳＥＴ  ＢＷの中央２４ＰＲＢとして選択され得る場合、表示範囲＝９ＰＲＢで、Δｆ２＝３ＰＲＢであり、これにより、Ｎ＿ΔＦ２＝３、すなわち３つの構成でＳＳブロック及びＲＭＳＩ  ＣＯＲＥＳＥＴの中央／エッジの間のＰＲＢレベル周波数オフセットを構成するに十分で、可能な値はＲＭＳＩ  ＣＯＲＥＳＥＴニューマロラジ観点から−２、０、２ＰＲＢ（中央オフセット）であるか、又は１２、１４、１６ＰＲＢ（エッジオフセット）であり得る。
【０３３３】
図２７Ｆに示すように、２７ｆ０１乃至２７ｆ０３は同じ構成＃０（中央オフセットの場合ΔＦ２＝−２ＰＲＢ又はエッジオフセットの場合ΔＦ２＝１６ＰＲＢ）を使用し、２７ｆ０４乃至２７ｆ０６は同じ構成＃１（中央オフセットの場合ΔＦ２＝０ＰＲＢ又はエッジオフセットの場合ΔＦ２＝１４ＰＲＢ）を使用し、２７ｆ０７乃至２７ｆ０９は同じ構成＃１（中央オフセットの場合ΔＦ２＝２ＰＲＢ又はエッジオフセットの場合ΔＦ２＝１２ＰＲＢ）を使用する。
【０３３４】
＞６ＧＨｚケースの場合（例えば、ＳＳ  ＳＣＳは２４０ｋＨｚ又は１２０ｋＨｚ）、チャネル利用率が相当高いので、表示範囲はΔｆ２より遥かに小さく、これにより単一構成でＳＳブロック及びＲＭＳＩ  ＣＯＲＥＳＥＴの中央／エッジの間のＰＲＢレベル周波数オフセットを構成するに十分で、可能な値はＲＭＳＩ  ＣＯＲＥＳＥＴニューマロラジ観点から０ＰＲＢ（中央オフセット）であるか、又はＣＯＲＥＳＥＴ＿ＢＷ／２−ＳＳ＿ＢＷ／２＊Ｒ＿ＳＣＳ  ＰＲＢ（エッジオフセット）であり得る。
【０３３５】
ＴＤＭサブケース１及び２を共に併合する場合、１つのジョイントテーブルが表６と同様に与えられることができ、ここで、ａ＝Ｒ＿ＳＣＳ＝ＳＣＳ＿ＳＳ／ＳＣＳ＿ＣＯＲＥＳＥＴである。エッジオフセットと中央オフセットの間の関係はエッジオフセット＝中央オフセット＋ＣＯＲＥＳＥＴ＿ＢＷ／２−ＳＳブロックＢＷ／２＊Ｒ＿ＳＣＳによって与えられることに留意する。表６は、ＴＤＭケースに対するΔＦ２構成の例を示す。
【０３３６】
【表６】
2021501538.tif 000015
【０３３７】
ＦＤＭケースに対する、ΔＦ２のグラニュラリティの第５例を有するこのようなアプローチ（例えば、方式１ｄ）の場合、２つの構成でＰＲＢレベル周波数オフセットΔＦ２を示すに十分で、すなわちＣＯＲＥＳＥＴがＳＳブロックの上端に多重化されるか又はＳＳブロックの下端に多重化され、これらのすべてはフローティング同期化及び／又はＳＳ及びＲＭＳＩの混合ニューマロラジを可能にするようにするために潜在的により小さいギャップを有する。例えば、エッジオフセットはΔＦ１が０ではなく（すなわち、ＰＲＢグリッドが整列されない）ＳＳ及びＲＭＳＩニューマロラジが同じ場合ＳＳブロックＢＷ＊Ｒ＿ＳＣＳ−１又はＣＯＲＥＳＥＴ  ＢＷであることができ；またΔＦ１が０で（すなわち、ＰＲＢグリッドが整列される）ＳＳ及びＲＭＳＩニューマロラジが同じ場合ＳＳブロックＢＷ＊Ｒ＿ＳＣＳ又はＣＯＲＥＳＥＴ  ＢＷであることができ；また、ΔＦ１が０ではなく（すなわち、ＰＲＢグリッドが整列されない）ＳＳ及びＲＭＳＩニューマロラジが互いに異なる場合ＳＳブロックＢＷ＊Ｒ＿ＳＣＳ−２又はＣＯＲＥＳＥＴ  ＢＷ＋１であることができ；また、ΔＦ１が０で（すなわち、ＰＲＢグリッドが整列される）ＳＳ及びＲＭＳＩニューマロラジが互いに異なる場合ＳＳブロックＢＷ＊Ｒ＿ＳＣＳ−１又はＣＯＲＥＳＥＴ  ＢＷ＋１であることができる。
【０３３８】
このアプローチ（方式１ｄ）に対する一実施形態で、ＳＳ  ＳＣＳ及びＲＭＳＩ  ＣＯＲＥＳＥＴ  ＳＣＳのそれぞれの組み合わせに対して、ＳＳ／ＰＢＣＨブロック及びＲＭＳＩ  ＣＯＲＥＳＥＴの多重化パターン、ＲＭＳＩ  ＣＯＲＥＳＥＴ  ＢＷ、ＣＯＲＥＳＥＴに対するシンボル数、及びＰＲＢレベルオフセットＤＬ  ＮＲ−ＰＢＣＨでＸビットを使用してテーブルで共同コーディングされ、ここで、Ｘは、例えば、４であり得る。
【０３３９】
この実施形態の例が表７Ａ乃至表７Ｈに示され、この表で、“パターン１”はＳＳ／ＰＢＣＨブロックとＲＭＳＩ  ＣＯＲＥＳＥＴが互いに異なる時間インスタンスで発生し、ＳＳ／ＰＢＣＨブロックＴＸ  ＢＷとＲＭＳＩ  ＣＯＲＥＳＥＴを含む初期活性ＤＬ  ＢＷＰが重なる（前述の実施形態でＴＤＭケース（サブケース１及び２を含む））多重化パターンを指し；“パターン２”はＳＳ／ＰＢＣＨブロックとＲＭＳＩ  ＣＯＲＥＳＥＴが互いに異なる時間インスタンスで発生し、ＳＳ／ＰＢＣＨブロックＴＸ  ＢＷとＲＭＳＩ  ＣＯＲＥＳＥＴを含む初期活性ＤＬ  ＢＷＰが重ならない（互いに異なるシンボルから開始する（タイミングオフセットが０より大きい）ＳＳブロック及びＲＭＳＩ  ＣＯＲＥＳＥＴを有するＦＤＭサブケース１）多重化パターンを指し；“パターン３”はＳＳ／ＰＢＣＨブロックとＲＭＳＩ  ＣＯＲＥＳＥＴが同じ時間インスタンスで発生し、ＳＳ／ＰＢＣＨブロックＴＸ  ＢＷとＲＭＳＩ  ＣＯＲＥＳＥＴを含む初期活性ＤＬ  ＢＷＰが重ならない（同じシンボルから開始する（タイミングオフセットが０）ＳＳブロック及びＲＭＳＩ  ＣＯＲＥＳＥＴを有するＦＤＭサブケース１）多重化パターンを指す。
【０３４０】
表７Ａは、ＳＳのＳＣＳが１５ｋＨｚ、かつＣＯＲＥＳＥＴのＳＣＳが１５ｋＨｚである場合、ＭＩＢで４ビットを用いたＳＳ／ＰＢＣＨブロック及びＲＭＳＩ  ＣＯＲＥＳＥＴの多重化パターン、ＲＭＳＩ  ＣＯＲＥＳＥＴ  ＢＷ、ＣＯＲＥＳＥＴのシンボル数、ＰＲＢレベルオフセットのジョイント構成を提供する。この構成テーブルは１５ｋＨｚＳＳ  ＳＣＳ及び５ＭＨｚの最小チャネルＢＷを有するキャリアのために少なくとも用いられ得る。最小チャネルＢＷが５ＭＨｚより大きいキャリアの場合、同期化ラスターが最小チャネルＢＷが５ＭＨｚであるキャリアと同じであるか小さく維持されることができる場合、表７Ａがこれらのキャリアに対しても再使用され得る。
【０３４１】
例えば、最小ＣＨ  ＢＷが１０ＭＨｚであるが、ＳＳラスターステップの大きさが依然として９００ｋＨｚ＋チャネルラスター内にある帯域の場合、表７Ａがこれらの帯域にも適用されることができ；最小ＣＨ  ＢＷが２０ＭＨｚであるがＳＳラスターステップ大きさが依然として９００ｋＨｚ＋チャネルラスター内にある帯域の場合、表７Ａがこれらの帯域にも適用され得る。表７Ａは、｛ＳＳ  ＳＣＳ，ＲＭＳＩ  ＳＣＳ｝＝｛１５ｋＨｚ，１５ｋＨｚ｝の場合、少なくとも最小ＣＨ  ＢＷが５ＭＨｚ又は１０ＭＨｚである帯域に対するＲＭＳＩ  ＣＯＲＥＳＥＴ構成を例示したものである。
【０３４２】
【表７Ａ】
2021501538.tif 000016
【０３４３】
表７Ｂは、ＳＳのＳＣＳが１５ｋＨｚかつＣＯＲＥＳＥＴのＳＣＳが３０ｋＨｚである場合、ＭＩＢで４ビットを用いたＳＳ／ＰＢＣＨブロック及びＲＭＳＩ  ＣＯＲＥＳＥＴの多重化パターン、ＲＭＳＩ  ＣＯＲＥＳＥＴ  ＢＷ、ＣＯＲＥＳＥＴのシンボル数、ＰＲＢレベルオフセットのジョイント構成を提供する。この構成テーブルは１５ｋＨｚＳＳ  ＳＣＳ及び５ＭＨｚの最小チャネルＢＷを有するキャリアのために少なくとも用いられ得る。最小チャネルＢＷが５ＭＨｚより大きいキャリアの場合、同期化ラスターが最小チャネルＢＷが５ＭＨｚであるキャリアと同じであるか、又は小さく維持されることができる場合、表７Ｂがこれらのキャリアに対しても再使用され得る。例えば、最小ＣＨ  ＢＷが１０ＭＨｚであるが、ＳＳラスターステップ大きさが依然として９００ｋＨｚ＋チャネルラスター内にある帯域の場合、表７Ｂがこれらの帯域にも適用されることができ；最小ＣＨ  ＢＷが２０ＭＨｚであるが、ＳＳラスターステップ大きさが依然として９００ｋＨｚ＋チャネルラスター内にある帯域の場合、表７Ｂがこれらの帯域にも適用され得る。表７Ｂは、｛ＳＳ  ＳＣＳ，ＲＭＳＩ  ＳＣＳ｝＝｛１５ｋＨｚ，３０ｋＨｚ｝の場合、少なくとも最小ＣＨ  ＢＷが５ＭＨｚ又は１０ＭＨｚである帯域に対するＲＭＳＩ  ＣＯＲＥＳＥＴ構成を例示したものである。
【０３４４】
【表７Ｂ】
2021501538.tif 000017
【０３４５】
表７Ｃは、ＳＳのＳＣＳが３０ｋＨｚかつＣＯＲＥＳＥＴのＳＣＳが１５ｋＨｚである場合、ＭＩＢで４ビットを用いたＳＳ／ＰＢＣＨブロック及びＲＭＳＩ  ＣＯＲＥＳＥＴの多重化パターン、ＲＭＳＩ  ＣＯＲＥＳＥＴ  ＢＷ、ＣＯＲＥＳＥＴのシンボル数、ＰＲＢレベルオフセットのジョイント構成を提供する。この構成テーブルは３０ｋＨｚＳＳ  ＳＣＳ及び１０ＭＨｚの最小チャネルＢＷを有するキャリアのために少なくとも用いられ得る。５ＭＨｚ最小チャネルＢＷを有するキャリアの場合、１つのネットワークが１０ＭＨｚで動作できれば、表７Ｃがこれらのキャリアに対しても再使用され得る。最小チャネルＢＷが１０ＭＨｚより大きいキャリアの場合、同期化ラスターが最小チャネルＢＷが１０ＭＨｚであるキャリアと同じ又は小さく維持されることができる場合、表７Ｃがこれらのキャリアに対しても再使用され得る。表７Ｃは、｛ＳＳ  ＳＣＳ，ＲＭＳＩ  ＳＣＳ｝＝｛３０ｋＨｚ，１５ｋＨｚ｝の場合、少なくとも最小ＣＨ  ＢＷが５ＭＨｚ又は１０ＭＨｚである帯域に対するＲＭＳＩ  ＣＯＲＥＳＥＴ構成を例示したものである。
【０３４６】
【表７Ｃ】
2021501538.tif 000018
【０３４７】
表７Ｄは、ＳＳのＳＣＳが３０ｋＨｚかつＣＯＲＥＳＥＴのＳＣＳが３０ｋＨｚである場合、ＭＩＢで４ビットを用いたＳＳ／ＰＢＣＨブロック及びＲＭＳＩ  ＣＯＲＥＳＥＴの多重化パターン、ＲＭＳＩ  ＣＯＲＥＳＥＴ  ＢＷ、ＣＯＲＥＳＥＴのシンボル数、ＰＲＢレベルオフセットのジョイント構成を提供する。この構成テーブルは３０ｋＨｚＳＳ  ＳＣＳ及び１０ＭＨｚの最小チャネルＢＷを有するキャリアのために少なくとも用いられ得る。５ＭＨｚ最小チャネルＢＷを有するキャリアの場合、１つのネットワークが１０ＭＨｚで動作できれば、表７Ｄがこれらのキャリアに対しても再使用され得る。最小チャネルＢＷが１０ＭＨｚより大きいキャリアの場合、同期化ラスターが最小チャネルＢＷが１０ＭＨｚであるキャリアと同じ又は小さく維持されることができる場合、表７Ｄがこれらのキャリアに対しても再使用され得る。表７Ｄは、｛ＳＳ  ＳＣＳ，ＲＭＳＩ  ＳＣＳ｝＝｛３０ｋＨｚ，３０ｋＨｚ｝の場合、少なくとも最小ＣＨ  ＢＷが５ＭＨｚ又は１０ＭＨｚである帯域に対するＲＭＳＩ  ＣＯＲＥＳＥＴ構成を例示したものである。
【０３４８】
【表７Ｄ】
2021501538.tif 000019
【０３４９】
表７Ｅは、ＳＳのＳＣＳが１２０ｋＨｚかつＣＯＲＥＳＥＴのＳＣＳが６０ｋＨｚである場合、ＭＩＢで４ビットを用いたＳＳ／ＰＢＣＨブロック及びＲＭＳＩ  ＣＯＲＥＳＥＴの多重化パターン、ＲＭＳＩ  ＣＯＲＥＳＥＴ  ＢＷ、ＣＯＲＥＳＥＴのシンボル数、ＰＲＢレベルオフセットのジョイント構成を提供する。この構成テーブルは１２０ｋＨｚＳＳ  ＳＣＳ及び５０ＭＨｚの最小チャネルＢＷを有するキャリアのために少なくとも用いられ得る。最小チャネルＢＷが５０ＭＨｚに比べて大きなキャリアの場合、同期化ラスターが最小チャネルＢＷが５０ＭＨｚであるキャリアと同じ又は小さく維持されることができる場合、表７Ｅがこれらのキャリアに対しても再使用され得る。表７Ｅは、｛ＳＳ  ＳＣＳ，ＲＭＳＩ  ＳＣＳ｝＝｛１２０ｋＨｚ，６０ｋＨｚ｝の場合、少なくとも最小ＣＨ  ＢＷが５０ＭＨｚである帯域に対するＲＭＳＩ  ＣＯＲＥＳＥＴ構成を例示したものである。
【０３５０】
【表７Ｅ】
2021501538.tif 000020
【０３５１】
表７Ｆは、ＳＳのＳＣＳが１２０ｋＨｚかつＣＯＲＥＳＥＴのＳＣＳが１２０ｋＨｚである場合、ＭＩＢで４ビットを用いたＳＳ／ＰＢＣＨブロック及びＲＭＳＩ  ＣＯＲＥＳＥＴの多重化パターン、ＲＭＳＩ  ＣＯＲＥＳＥＴ  ＢＷ、ＣＯＲＥＳＥＴのシンボル数、ＰＲＢレベルオフセットのジョイント構成を提供する。この構成テーブルは１２０ｋＨｚＳＳ  ＳＣＳ及び５０ＭＨｚの最小チャネルＢＷを有するキャリアのために少なくとも用いられ得る。最小チャネルＢＷが５０ＭＨｚより大きいキャリアの場合、同期化ラスターが最小チャネルＢＷが５０ＭＨｚであるキャリアと同じ又は小さく維持されることができる場合、表７Ｆがこれらのキャリアに対しても再使用され得る。表７Ｆは、｛ＳＳ  ＳＣＳ，ＲＭＳＩ  ＳＣＳ｝＝｛１２０ｋＨｚ，１２０ｋＨｚ｝の場合、少なくとも最小ＣＨ  ＢＷが５０ＭＨｚである帯域に対するＲＭＳＩ  ＣＯＲＥＳＥＴ構成を例示したものである。
【０３５２】
【表７Ｆ】
2021501538.tif 000021
【０３５３】
表７Ｇは、ＳＳのＳＣＳが２４０ｋＨｚかつＣＯＲＥＳＥＴのＳＣＳが６０ｋＨｚである場合、ＭＩＢで４ビットを用いたＳＳ／ＰＢＣＨブロック及びＲＭＳＩ  ＣＯＲＥＳＥＴの多重化パターン、ＲＭＳＩ  ＣＯＲＥＳＥＴ  ＢＷ、ＣＯＲＥＳＥＴのシンボル数、ＰＲＢレベルオフセットのジョイント構成を提供する。この構成テーブルは２４０ｋＨｚＳＳ  ＳＣＳ及び１００ＭＨｚの最小チャネルＢＷを有するキャリアのために少なくとも用いられ得る。５０ＭＨｚ最小チャネルＢＷを有するキャリアの場合、１つのネットワークが１００ＭＨｚで動作できれば、表７Ｇがこれらのキャリアに対しても再使用され得る。最小チャネルＢＷが１００ＭＨｚより大きいキャリアの場合、同期化ラスターが最小チャネルＢＷが１００ＭＨｚであるキャリアと同じ又は小さく維持されることができる場合、表７Ｇがこれらのキャリアに対しても再使用され得る。表７Ｇは、｛ＳＳ  ＳＣＳ，ＲＭＳＩ  ＳＣＳ｝＝｛２４０ｋＨｚ，６０ｋＨｚ｝の場合、少なくとも最小ＣＨ  ＢＷが５０ＭＨｚである帯域に対するＲＭＳＩ  ＣＯＲＥＳＥＴ構成を例示したものである。
【０３５４】
【表７Ｇ】
2021501538.tif 000022
【０３５５】
表７Ｈは、ＳＳのＳＣＳが２４０ｋＨｚかつＣＯＲＥＳＥＴのＳＣＳが１２０ｋＨｚである場合、ＭＩＢで４ビットを用いたＳＳ／ＰＢＣＨブロック及びＲＭＳＩ  ＣＯＲＥＳＥＴの多重化パターン、ＲＭＳＩ  ＣＯＲＥＳＥＴ  ＢＷ、ＣＯＲＥＳＥＴのシンボル数、ＰＲＢレベルオフセットのジョイント構成を提供する。この構成テーブルは２４０ｋＨｚＳＳ  ＳＣＳ及び１００ＭＨｚの最小チャネルＢＷを有するキャリアのために少なくとも用いられ得る。５０ＭＨｚ最小チャネルＢＷを有するキャリアの場合、１つのネットワークが１００ＭＨｚで動作できれば、表７Ｈがこれらのキャリアに対しても再使用され得る。最小チャネルＢＷが１００ＭＨｚより大きいキャリアの場合、同期化ラスターが最小チャネルＢＷが１００ＭＨｚであるキャリアと同じ又は小さく維持されることができる場合、表７Ｈがこれらのキャリアに対しても再使用され得る。表７Ｈは、｛ＳＳ  ＳＣＳ，ＲＭＳＩ  ＳＣＳ｝＝｛２４０ｋＨｚ，１２０ｋＨｚ｝の場合、少なくとも最小ＣＨ  ＢＷが５０ＭＨｚである帯域に対するＲＭＳＩ  ＣＯＲＥＳＥＴ構成を例示したものである。
【０３５６】
【表７Ｈ】
2021501538.tif 000023
【０３５７】
ΔＦ１のグラニュラリティの第１例では、ΔＦ１のグラニュラリティがＲＭＳＩ  ＣＯＲＥＳＥＴ  ＳＣＳと同じである（例えば、チャネルラスターがＲＭＳＩ  ＣＯＲＥＳＥＴ  ＳＣＳより小さい場合にもより小さいグラニュラリティの表示はない）。この場合、ネットワークはより小さいグラニュラリティの表示が必要ないようにチャネルラスターからサブセットを選択し、ＵＥはＳＳ／ＰＢＣＨブロックＰＲＢグリッドがＲＭＳＩ  ＲＥグリッドと整列されることによって、ＳＳ／ＰＢＣＨブロックとＲＭＳＩの間のＰＲＢグリッドオフセットがＲＭＳＩサブキャリア間隔の整数倍になったと仮定する。
【０３５８】
すると、ＲＥでのΔＦ１に対する可能な値の総数、すなわちＮ＿ΔＦ１はＮ＿ΔＦ１＝Ｎ＿ΔＦ１＝Ｎ＿ＲＥ＿ＰＲＢ（非対称ＲＥ位置）として決定されるか；又はＮ＿ΔＦ１＝Ｎ＿ＲＥ＿ＰＲＢ＋１（対称ＲＥ位置）として決定されることができ、ここで、Ｎ＿ＲＥ＿ＰＲＢ＝１２、及びＲ＿ＳＣＳ＝ＳＣＳ＿ＳＳ／ＳＣＳ＿ＣＯＲＥＳＥＴ（ｒａｔｉｏ  ｂｅｔｗｅｅｎ  ＳＳ／ＰＢＣＨ  ＳＣＳとＣＯＲＥＳＥＴ  ＳＣＳの間の比率）で、ΔＦ１の可能な値は（１）非対称ＲＥ位置を持つΔＦ１：−（Ｎ＿ΔＦ１−２）／２,  −（Ｎ＿ΔＦ１−４）／２，…，（Ｎ＿ΔＦ１−２）／２，Ｎ＿ΔＦ１／２又は−Ｎ＿ΔＦ１／２,  −（Ｎ＿ΔＦ１−２）／２，…，（Ｎ＿ΔＦ１−２）／２又は０，１，…，Ｎ＿ΔＦ１−１又は−（Ｎ＿ΔＦ１−１），…，−１、０（または−（Ｎ＿ΔＦ１−２）／２：１：Ｎ＿ΔＦ１／２又は−Ｎ＿ΔＦ１／２：１：（Ｎ＿ΔＦ１−２）／２又は０：１：Ｎ＿ΔＦ１−１又は−（Ｎ＿ΔＦ１−１）：１：０とも表示される）；（２）対称ＲＥ位置を持つΔＦ１：−（Ｎ＿ΔＦ１−１）／２,  −（Ｎ＿ΔＦ１−３）／２，…，（Ｎ＿ΔＦ１−３）／２，（Ｎ＿ΔＦ１−１）／２（または−（Ｎ＿ΔＦ１−１）／２：１：（Ｎ＿ΔＦ１−１）／２とも表示される）に決定されることができる。このような対称ＲＥ位置構成で、ＲＥ位置構成のうち１つは必須でないことに留意する。
【０３５９】
ΔＦ１のグラニュラリティの第２例では、ΔＦ１のグラニュラリティがＳＣＳベース（例えば、＜６ＧＨｚの場合１５ｋＨｚ、＞６ＧＨｚの場合６０ｋＨｚ）と定義された場合、チャネルラスターと同じである。すると、ＲＥでのΔＦ１に対する可能な値の総数、すなわちＮ＿ΔＦ１はＮ＿ΔＦ１＝Ｎ＿ＲＥ＿ＰＲＢ＊Ｒ＿ＳＣＳ′（非対称ＲＥ位置）に決定されるか；又はＮ＿ΔＦ１＝Ｎ＿ＲＥ＿ＰＲＢ＊Ｒ＿ＳＣＳ′＋１（対称ＲＥ位置）に決定されることができ；ここで、Ｎ＿ＲＥ＿ＰＲＢ＝１２、及び＜６ＧＨｚに対してＲ＿ＳＣＳ′＝ＳＣＳ＿ＣＯＲＥＳＥＴ／１５ｋＨｚで、＞６ＧＨｚに対してＲ＿ＳＣＳ′＝ＳＣＳ＿ＣＯＲＥＳＥＴ／６０ｋＨｚで（例えば、チャネルラスターがＳＣＳベースである場合ＣＯＲＥＳＥＴ  ＳＣＳとチャネルラスター間の比率）、または、ΔＦ１の可能な値は（１）非対称ＲＥ位置を持つΔＦ１：−（Ｎ＿ΔＦ１−２）／２／Ｒ＿ＳＣＳ′，−（Ｎ＿ΔＦ１−４）／２／Ｒ＿ＳＣＳ′，…，（Ｎ＿ΔＦ１−２）／２／Ｒ＿ＳＣＳ′，Ｎ＿ΔＦ１／２／Ｒ＿ＳＣＳ′又は−Ｎ＿ΔＦ１／２／Ｒ＿ＳＣＳ′，−（Ｎ＿ΔＦ１−２）／２／Ｒ＿ＳＣＳ′，…，（Ｎ＿ΔＦ１−２）／２／Ｒ＿ＳＣＳ′又は０，１／Ｒ＿ＳＣＳ′，…，（Ｎ＿ΔＦ１−１）／Ｒ＿ＳＣＳ′又は−（Ｎ＿ΔＦ１−１）／Ｒ＿ＳＣＳ′，…，−１／Ｒ＿ＳＣＳ′，０（または−（Ｎ＿ΔＦ１−２）／２／Ｒ＿ＳＣＳ′：１／Ｒ＿ＳＣＳ′：Ｎ＿ΔＦ１／２／Ｒ＿ＳＣＳ′又は−Ｎ＿ΔＦ１／２／Ｒ＿ＳＣＳ′：１／Ｒ＿ＳＣＳ′：（Ｎ＿ΔＦ１−２）／２／Ｒ＿ＳＣＳ′又は０：１／Ｒ＿ＳＣＳ′：（Ｎ＿ΔＦ１−１）／Ｒ＿ＳＣＳ′又は−（Ｎ＿ΔＦ１−１）／Ｒ＿ＳＣＳ′：１／Ｒ＿ＳＣＳ′：０とも表示される）；（２）対称ＲＥ位置を持つΔＦ１：−（Ｎ＿ΔＦ１−１）／２／Ｒ＿ＳＣＳ′，−（Ｎ＿ΔＦ１−３）／２／Ｒ＿ＳＣＳ′，…，（Ｎ＿ΔＦ１−３）／２／Ｒ＿ＳＣＳ′，（Ｎ＿ΔＦ１−１）／２／Ｒ＿ＳＣＳ′（または−（Ｎ＿ΔＦ１−１）／２／Ｒ＿ＳＣＳ′：１／Ｒ＿ＳＣＳ′：（Ｎ＿ΔＦ１−１）／２／Ｒ＿ＳＣＳ′とも表示される）に決定されることができる。このような対称ＲＥ位置構成で、ＲＥ位置構成のうち１つは必須でないことに留意する。
【０３６０】
与えられた周波数範囲に対する、ΔＦ１のグラニュラリティの２つの例に対する１つ考慮事項で、この２つの例のうちグラニュラリティを選択できる。例えば、＞６ＧＨｚである場合、第１例が用いられ、＜６ＧＨｚである場合、第２例が用いられる。
【０３６１】
第１方式の第４アプローチ（例えば、方式１ｄ）では、最終周波数オフセットΔＦが表８と同じオフセット内の周波数オフセット基準を考慮し、ΔＦ＝ΔＦ１＋ΔＦ２＊Ｎ＿ＲＥ＿ＰＲＢ（ニューマロラジにかかわらずＮ＿ＲＥ＿ＰＲＢ＝１２）によって決定されることができる。表８は、方式１ｄを使用する異なった多重化ケースでのΔＦ決定を例示したものである。
【０３６２】
【表８−１】
2021501538.tif 000024
【表８−２】
2021501538.tif 000025
【０３６３】
第２方式（例えば、方式２）では、周波数オフセットがＳＳ／ＰＢＣＨブロックとＲＭＳＩリソースＰＲＢグリッド（例えば、単一フィールド構成方式、ここでは、フローティング同期化によってＰＲＢ内でＲＥオフセットを別途表示する必要がない）間のＲＥオフセットをキャプチャする単一構成によって構成されることができる。この実施形態（例えば、二重フィールド構成と比較される単一フィールド構成）からの利点は潜在的構成（又はビット）数を低減することに留意する。
【０３６４】
第２方式の第１アプローチ（例えば、方式２ａ）では、ＲＥオフセットΔＦ′がＳＳ／ＰＢＣＨ  ＳＣＳのグラニュラリティ（すなわち、ΔＦ′の可能な値の単位及びインターバルはＳＳ／ＰＢＣＨ  ＳＣＳである）で測定及び表現される。すると、ΔＦ′の可能な値の総数、すなわちＮ＿ΔＦ′は、ＴＤＭ及びＦＤＭケースに対する、Ｎ＿ΔＦ′＝ＰＲＢでのΔＦ′＿Ｒａｎｇｅ＊Ｎ＿ＲＥ＿ＰＲＢ／Ｒ＿ＳＣＳ（非対称ＲＥ位置）として決定されるか；又はＴＤＭ及びＦＤＭケースに対する、Ｎ＿ΔＦ′＝ＰＲＢでのΔＦ′＿Ｒａｎｇｅ＊Ｎ＿ＲＥ＿ＰＲＢ／Ｒ＿ＳＣＳ＋１（対称ＲＥ位置）として決定されることができ、ここで、Ｎ＿ＲＥ＿ＰＲＢ＝１２はニューマロラジと無関係な周波数ドメインでのＰＲＢ内のＲＥ個数で、Ｒ＿ＳＣＳ＝ＳＣＳ＿ＳＳ／ＳＣＳ＿ＣＯＲＥＳＥＴで、また、ΔＦ′の可能な値は（１）非対称ＲＥ位置を持つΔＦ′：−（Ｎ＿ΔＦ′−２）／２,  −（Ｎ＿ΔＦ′−４）／２，…，（Ｎ＿ΔＦ′−２）／２，Ｎ＿ΔＦ′／２又は−Ｎ＿ΔＦ′／２,  −（Ｎ＿ΔＦ′−２）／２，…，（Ｎ＿ΔＦ′−２）／２又は０，１，…，Ｎ＿ΔＦ′−１又は−（Ｎ＿ΔＦ′−１），…，−１、０（または−（Ｎ＿ΔＦ′−２）／２：１：Ｎ＿ΔＦ′／２又は−Ｎ＿ΔＦ′／２：１：（Ｎ＿ΔＦ′−２）／２又は０：１：Ｎ＿ΔＦ′−１又は−（Ｎ＿ΔＦ′−１）：１：０とも表示される）；（２）対称ＲＥ位置を持つΔＦ′：−（Ｎ＿ΔＦ′−１）／２,  −（Ｎ＿ΔＦ′−３）／２，…，（Ｎ＿ΔＦ′−３）／２，（Ｎ＿ΔＦ′−１）／２（または−（Ｎ＿ΔＦ′−１）／２：１：（Ｎ＿ΔＦ′−１）／２とも表示される）に決定されることができる。このような対称ＲＥ位置構成で、ＲＥ位置構成のうち１つは必須でないことに留意する。
【０３６５】
第２方式の第２アプローチ（例えば、方式２ｂ）では、ＲＥオフセットΔＦ′がＲＭＳＩ  ＣＯＲＥＳＥＴ  ＳＣＳのグラニュラリティ（すなわち、ΔＦ′の可能な値の単位はＲＭＳＩ  ＣＯＲＥＳＥＴ  ＳＣＳである）で測定及び表現される。すると、ΔＦ′の可能な値の総数、すなわちＮ＿ΔＦ′は、ＴＤＭ及びＦＤＭケースに対する、Ｎ＿ΔＦ′＝ＰＲＢでのΔＦ′＿Ｒａｎｇｅ＊Ｎ＿ＲＥ＿ＰＲＢ（非対称ＲＥ位置）として決定されるか；又はＴＤＭ及びＦＤＭケースに対する、Ｎ＿ΔＦ′＝ＰＲＢでのΔＦ′＿Ｒａｎｇｅ＊Ｎ＿ＲＥ＿ＰＲＢ＋１（対称ＲＥ位置）として決定されることができ、ここで、Ｎ＿ＲＥ＿ＰＲＢ＝１２はニューマロラジと無関係な周波数ドメインでのＰＲＢ内のＲＥ個数であり、またΔＦ′の可能な値は（１）非対称ＲＥ位置を持つΔＦ′：−（Ｎ＿ΔＦ′−２）／２,  −（Ｎ＿ΔＦ′−４）／２，…，（Ｎ＿ΔＦ′−２）／２，Ｎ＿ΔＦ′／２又は−Ｎ＿ΔＦ′／２,  −（Ｎ＿ΔＦ′−２）／２，…，（Ｎ＿ΔＦ′−２）／２又は０，１，…，Ｎ＿ΔＦ′−１又は−（Ｎ＿ΔＦ′−１），…，−１、０（または−（Ｎ＿ΔＦ′−２）／２：１：Ｎ＿ΔＦ′／２又は−Ｎ＿ΔＦ′／２：１：（Ｎ＿ΔＦ′−２）／２又は０：１：Ｎ＿ΔＦ′−１又は−（Ｎ＿ΔＦ′−１）：１：０とも表示される）；（２）対称ＲＥ位置を持つΔＦ′：−（Ｎ＿ΔＦ′−１）／２,  −（Ｎ＿ΔＦ′−３）／２，…，（Ｎ＿ΔＦ′−３）／２，（Ｎ＿ΔＦ′−１）／２（または−（Ｎ＿ΔＦ′−１）／２：１：（Ｎ＿ΔＦ′−１）／２とも表示される）に決定されることができる。このような対称ＲＥ位置構成で、ＲＥ位置構成のうち１つは必須でないことに留意。
【０３６６】
第２方式の第３アプローチ（例えば、方式２ｃ）では、ＲＥオフセットΔＦ′がＳＳ／ＰＢＣＨ  ＳＣＳとＲＭＳＩ  ＣＯＲＥＳＥＴ  ＳＣＳの間のより小さいもののグラニュラリティ（すなわち、ΔＦ′の可能な値の単位及びインターバルはＳＳ／ＰＢＣＨ  ＳＣＳとＲＭＳＩ  ＣＯＲＥＳＥＴ  ＳＣＳの間のより小さいものである）で測定及び表現される。すると、ΔＦ′の可能な値の総数、すなわちＮ＿ΔＦ′は、ＴＤＭ及びＦＤＭケースに対する、Ｎ＿ΔＦ′＝ＰＲＢでのΔＦ′＿Ｒａｎｇｅ＊Ｎ＿ＲＥ＿ＰＲＢ／ｍｉｎ（Ｒ＿ＳＣＳ，１）（非対称ＲＥ位置）として決定されるか；又はＴＤＭ及びＦＤＭケースに対する、Ｎ＿ΔＦ′＝ＰＲＢでのΔＦ′＿Ｒａｎｇｅ＊Ｎ＿ＲＥ＿ＰＲＢ／ｍｉｎ（Ｒ＿ＳＣＳ，１）＋１（対称ＲＥ位置）として決定されることができ、ここで、Ｎ＿ＲＥ＿ＰＲＢ＝１２はニューマロラジと無関係な周波数ドメインでのＰＲＢ内のＲＥ個数であり、また、ΔＦ′の可能な値は（１）非対称ＲＥ位置を持つΔＦ′：−（Ｎ＿ΔＦ′−２）／２,  −（Ｎ＿ΔＦ′−４）／２，…，（Ｎ＿ΔＦ′−２）／２，Ｎ＿ΔＦ′／２又は−Ｎ＿ΔＦ′／２,  −（Ｎ＿ΔＦ′−２）／２，…，（Ｎ＿ΔＦ′−２）／２又は０，１，…，Ｎ＿ΔＦ′−１又は−（Ｎ＿ΔＦ′−１），…，−１、０（または−（Ｎ＿ΔＦ′−２）／２：１：Ｎ＿ΔＦ′／２又は−Ｎ＿ΔＦ′／２：１：（Ｎ＿ΔＦ′−２）／２又は０：１：Ｎ＿ΔＦ′−１又は−（Ｎ＿ΔＦ′−１）：１：０とも表示される）；（２）対称ＲＥ位置を持つΔＦ′：−（Ｎ＿ΔＦ′−１）／２,  −（Ｎ＿ΔＦ′−３）／２，…，（Ｎ＿ΔＦ′−３）／２，（Ｎ＿ΔＦ′−１）／２（または−（Ｎ＿ΔＦ′−１）／２：１：（Ｎ＿ΔＦ′−１）／２とも表示される）に決定されることができる。このような対称ＲＥ位置構成で、ＲＥ位置構成のうち１つは必須でないことに留意する。
【０３６７】
第２方式の第４アプローチ（例えば、方式２ｄ）では、ＲＥオフセットΔＦ′がΔＦ′＝Ｎ＿ＲＥ＿ＰＲＢ＊ΔＦ２＋ΔＦ１によって構成され、ここで、ＲＥオフセットΔＦ１及びＰＲＢオフセットΔＦ２は方式１ｄと同じ方式で定義される。最終周波数オフセットΔＦはオフセット内の周波数オフセット基準を考慮して、ＴＤＭ／ＦＤＭ実施形態によって決定されることができ、すなわちΔＦ＝ΔＦ′＋Ｆ＿ｒｅｆである。
【０３６８】
第３方式（例えば、方式３）では、周波数オフセットがＳＳ／ＰＢＣＨブロックとＲＭＳＩリソースの間の周波数オフセットをキャプチャする単一構成によって構成されることができ、ここで、オフセットはフローティング同期化がサポートされるか否かにかかわらず、チャネルラスターの大きさの観点から測定される。例えば、ＭＩＢでのＮ＿ΔＦ′可能な構成は周波数オフセットを示すために用いられ、Ｎ＿ΔＦ′の値はＮ＿ΔＦ′構成がｘビットで表現される場合（ここで、Ｘ＝［ｌｏｇ２（Ｎ＿ΔＦ′）］）、Ｎ＿ΔＦ′＝ＰＲＢでのΔＦ′＿Ｒａｎｇｅ＊Ｎ＿ＲＥ＿ＰＲＢ＊ＳＣＳ＿ＣＯＲＥＳＥＴ／ＣＨ＿Ｒａｓｔｅｒに決定されることができ、ここで、Ｎ＿ＲＥ＿ＰＲＢ＝１２はニューマロラジにかかわらず周波数ドメインでのＰＲＢ内のＲＥ個数で、ＳＣＳ＿ＣＯＲＥＳＥＴはＲＭＳＩ  ＣＯＲＥＳＥＴのサブキャリア間隔であり、ＣＨ＿ＲａｓｔｅｒはＨｚ単位のチャネルラスター大きさで、ΔＦ′の可能な値は−（Ｎ＿ΔＦ′−１）／２,  −（Ｎ＿ΔＦ′−３）／２，…，（Ｎ＿ΔＦ′−３）／２，（Ｎ＿ΔＦ′−１）／２（または−（Ｎ＿ΔＦ′−１）／２：１：（Ｎ＿ΔＦ′−１）／２とも表示される）に決定されることができる。
【０３６９】
第４方式（例えば、方式４）では、周波数オフセットがＳＳ／ＰＢＣＨブロックとＲＭＳＩリソースの間の周波数オフセットをキャプチャする単一構成によって構成されることができ、ここで、オフセットはフローティング同期化がサポートされるか否かにかかわらず、同期化ラスターの大きさの観点から測定される。例えば、ＭＩＢでのＮ＿ΔＦ′可能な構成は周波数オフセットを示すために用いられ、Ｎ＿ΔＦ′の値はＮ＿ΔＦ′構成がｘビットで表現される場合（ここで、Ｘ＝［ｌｏｇ２（Ｎ＿ΔＦ′）］）、Ｎ＿ΔＦ′＝ＰＲＢでのΔＦ′＿Ｒａｎｇｅ＊Ｎ＿ＲＥ＿ＰＲＢ＊ＳＣＳ＿ＣＯＲＥＳＥＴ／ＳＳ＿Ｒａｓｔｅｒに決定されることができ、ここで、Ｎ＿ＲＥ＿ＰＲＢ＝１２はニューマロラジにかかわらず周波数ドメインでのＰＲＢ内のＲＥ個数で、ＳＣＳ＿ＣＯＲＥＳＥＴはＲＭＳＩ  ＣＯＲＥＳＥＴのサブキャリア間隔であり、ＳＳ＿ＲａｓｔｅｒはＨｚ単位の同期化ラスター大きさで、ΔＦ′の可能な値は−（Ｎ＿ΔＦ′−１）／２,  −（Ｎ＿ΔＦ′−３）／２，…，（Ｎ＿ΔＦ′−３）／２，（Ｎ＿ΔＦ′−１）／２（または−（Ｎ＿ΔＦ′−１）／２：１：（Ｎ＿ΔＦ′−１）／２とも表示される）に決定されることができる。
【０３７０】
第５方式（例えば、方式５）では、周波数オフセットが２つの部分で構成されることができる（二重フィールド構成）：第１構成はＳＳ／ＰＢＣＨブロックとＲＭＳＩ  ＣＯＲＥＳＥＴ  ＰＲＢグリッドの間のＲＥオフセット（例えば、フローティング同期化に定義されたＲＥオフセット）で、第２構成はＳＳ／ＰＢＣＨブロックとＲＭＳＩリソースの間のＰＲＢオフセットである。例えば、全体Ｎ＿ΔＦ１・Ｎ＿ΔＦ２でＭＩＢの可能な構成は周波数オフセットを示すために用いられ、ここで、Ｎ＿ΔＦ１構成はＰＲＢグリッドと比べてＲＥオフセットを示すために用いられ（例えば、フローティング同期化）、Ｎ＿ΔＦ２構成はＳＳ／ＰＢＣＨブロックとＲＭＳＩリソースの間のＰＲＢオフセット（例えば、このオフセットはＰＲＢの観点からΔＦ２と表示される）を示すために用いられる。Ｎ＿ΔＦ１構成がｘビットで表現される場合ｘ１＝［ｌｏｇ２（Ｎ＿ΔＦ１）］で、Ｎ＿ΔＦ２構成がｘ２ビットで表現される場合ｘ２＝［ｌｏｇ２（Ｎ＿ΔＦ２）］である。全体的には、必要なビット数は、ビットで表現される場合、ｘ＝x１＋ｘ２によって与えられる。方式５と方式１の差は、フローティング同期化での表示グラニュラリティがよりスパースであることができ、これはチャネルラスター値の潜在的変化に対応する。
【０３７１】
このアプローチの一例では、ＰＲＢオフセットΔＦ２がＲＭＳＩ  ＣＯＲＥＳＥＴ  ＰＲＢグラニュラリティで測定及び表現され、ＲＥオフセットΔＦ１がＮ＿ＲＥ＿ΔＦ１のＲＭＳＩ  ＣＯＲＥＳＥＴ  ＲＥグラニュラリティで測定及び表現され（Ｎ＿ＲＥ＿ΔＦ１は１又は２又は３又は４又は６又は１２であることができる）、Ｎ＿ＲＥ＿ΔＦ１  ＲＥでのΔＦ１及びＰＲＢでのΔＦ２の可能な値の総数、すなわちＮ＿ΔＦ１及びＮ＿ΔＦ２はＴＤＭケースに対して、Ｎ＿ΔＦ１＝Ｎ＿ＲＥ＿ＰＲＢ／Ｎ＿ＲＥ＿ΔＦ１（非対称ＲＥ位置）に決定されるか；又はＮ＿ΔＦ１＝Ｎ＿ＲＥ＿ＰＲＢ／Ｎ＿ＲＥ＿ΔＦ１＋１（対称ＲＥ位置）に決定されることができ；また、Ｎ＿ΔＦ２＝ＰＲＢでのΔＦ＿Ｒａｎｇｅ＋１に決定されることができ；また、ＴＤＭケースに対して、Ｎ＿ΔＦ２＝ＰＲＢでのΔＦ＿Ｒａｎｇｅに決定されることができ；また、ΔＦ１及びΔＦ２の可能な値は（１）非対称ＲＥ位置を持つΔＦ１：−（Ｎ＿ΔＦ１−２）／２,  −（Ｎ＿ΔＦ１−４）／２，…，（Ｎ＿ΔＦ１−２）／２，Ｎ＿ΔＦ１／２又は−Ｎ＿ΔＦ１／２,  −（Ｎ＿ΔＦ１−２）／２，…，（Ｎ＿ΔＦ１−２）／２又は０，１，…，Ｎ＿ΔＦ１−１又は−（Ｎ＿ΔＦ１−１），…，−１、０（または−（Ｎ＿ΔＦ１−２）／２：１：Ｎ＿ΔＦ１／２又は−Ｎ＿ΔＦ１／２：１：（Ｎ＿ΔＦ１−２）／２又は０：１：Ｎ＿ΔＦ１−１又は−（Ｎ＿ΔＦ１−１）：１：０とも表示される）；対称ＲＥ位置を持つΔＦ１：−（Ｎ＿ΔＦ１−１）／２,  −（Ｎ＿ΔＦ１−３）／２，…，（Ｎ＿ΔＦ１−３）／２，（Ｎ＿ΔＦ１−１）／２（または−（Ｎ＿ΔＦ１−１）／２：１：（Ｎ＿ΔＦ１−１）／２とも表示される）に決定されるか；又はΔＦ２：−（Ｎ＿ΔＦ２−１）／２,  −（Ｎ＿ΔＦ２−３）／２，…，（Ｎ＿ΔＦ２−３）／２，（Ｎ＿ΔＦ２−１）／２（または−（Ｎ＿ΔＦ２−１）／２：１：（Ｎ＿ΔＦ２−１）／２とも表示される）に決定されることができる。Ｎ＿ΔＦ２＝０又は１である場合、ΔＦ２の可能な値は０である（固定された値であって構成する必要がないことを示す）。
【０３７２】
方式５はＮ＿ＲＥ＿ΔＦ１＝１である場合、方式１と同じである。また、この方式の特別なケースでは、Ｎ＿ＲＥ＿ΔＦ１＝１２である場合（チャネルラスターがＰＲＢレベルで定義されたシナリオを指すことができる）、Ｎ＿ΔＦ１＝１であり、これによってフローティング同期化の表示が必要なく（ＳＳ／ＰＢＣＨブロックＰＲＢ及びＲＭＳＩ  ＣＯＲＥＳＥＴ  ＰＲＢが自動的に整列される）、ＰＲＢオフセットのみを表示すればよい。
【０３７３】
第６方式（例えば、方式６）では、周波数オフセットがＰＲＢレベルでＳＳ／ＰＢＣＨブロックとＲＭＳＩリソースの間の周波数オフセットをキャプチャする単一構成によって構成されることができ、ここで、オフセットはＲＭＳＩ  ＣＯＲＥＳＥＴニューマロラジ又はＳＳ／ＰＢＣＨブロックニューマロラジの観点から測定される。ＲＭＳＩリソース及びＳＳ／ＰＢＣＨブロックＰＲＢグリッドは整列されるか、サブセット関係を持つと仮定され（これらのニューマロラジが同じでない場合、サブキャリア間隔が大きいＰＲＢグリッドがサブキャリア間隔がより小さいＰＲＢグリッドのサブセットである）、これにより、ＭＩＢでフローティング同期化が不要となる。ＲＭＳＩとＲＥレベルで測定される初期活性ＢＷ外部の他のデータ間のＰＲＢグリッドオフセットはＲＭＳＩ／ＯＳＩに表示されることができる。ＰＲＢレベルオフセットの決定は方式１のΔＦ２を参照できる。
【０３７４】
方式１ｄを用いた追加構成の例。
【０３７５】
ＳＳ／ＰＢＣＨブロックとＲＭＳＩ  ＣＯＲＥＳＥＴの多重化パターン、ＲＭＳＩ  ＣＯＲＥＳＥＴ  ＢＷ、ＣＯＲＥＳＥＴのシンボル数及びＰＲＢレベルオフセットのジョイント構成を用いる方式１ｄに対するより多数の例が以下に提供され、ここでは、ＳＳ  ＳＣＳとＣＯＲＥＳＥＴ  ＳＣＳの異なった組み合わせが考慮される。このような例で、表示範囲は最小ＣＨ  ＢＷ−ＳＳ／ＰＢＣＨブロックＢＷ＋ＣＨラスターのような理論上限より小さい場合があり、対応するキャリアのＳＳラスターと同じである。
【０３７６】
第１例では、ＮＲ帯域において、最小ＣＨ  ＢＷ＝１０ＭＨｚである場合、ＳＳ  ＳＣＳは１５ｋＨｚに決定される。この帯域に対して、ＳＳラスターが４３２０ｋＨｚ（ＳＳ  ＳＣＳで２４ＰＲＢ）で定義された場合、異なったＳＳラスターを使用する時、周波数オフセット表示が異なる場合があるので、ＣＯＲＥＳＥＴ構成が上記表と異なる場合がある。この例に対する周波数オフセット（ＰＲＢレベル）構成の要約が表９に示されている。表９は、ＴＤＭケースに対するΔＦ２構成の例を示す。
【０３７７】
【表９】
2021501538.tif 000026
【０３７８】
ＳＣＳ＿ＣＯＲＥＳＥＴ＝１５ｋＨｚに対するこのような例で、キャリアＢＷが１０ＭＨｚ（ＳＳ及びＲＭＳＩニューマロラジで５２ＰＲＢ）で、ＲＭＳＩ  ＣＯＲＥＳＥＴ  ＢＷが２４ＰＲＢである場合、表示範囲はＳＳラスターと同じであることができ（例えば、ＳＳ  ＳＣＳで２４ＰＲＢ）、Δｆ２＝２９ＰＲＢであり、これにより、Ｎ＿ΔＦ２＝１、すなわち１つの構成でＳＳブロック及びＲＭＳＩ  ＣＯＲＥＳＥＴのエッジの間のＰＲＢレベル周波数オフセットを構成するに十分で、可能な値はＲＭＳＩ  ＣＯＲＥＳＥＴニューマロラジ観点から２ＰＲＢであり得る。
【０３７９】
ＳＣＳ＿ＣＯＲＥＳＥＴ＝１５ｋＨｚに対するこのような例で、キャリアＢＷが１０ＭＨｚ（ＳＳ及びＲＭＳＩニューマロラジで５２ＰＲＢ）で、ＲＭＳＩ  ＣＯＲＥＳＥＴ  ＢＷが４８ＰＲＢである場合、表示範囲はＳＳラスターと同じであることができ（例えば、ＳＳ  ＳＣＳで２４ＰＲＢ）、Δｆ２＝５ＰＲＢであり、これにより、Ｎ＿ΔＦ２＝５、すなわち５つの構成でＳＳブロック及びＲＭＳＩ  ＣＯＲＥＳＥＴのエッジの間のＰＲＢレベル周波数オフセットを構成するに十分で、可能な値はＲＭＳＩ  ＣＯＲＥＳＥＴニューマロラジ観点から４、９、１４、１９、２４ＰＲＢであり得る（オフセット値の選択は他のセットでも可能であるが、このケースではインターバルが５ＰＲＢであるべきである。例えば、このオフセットに可能な値はＸ、Ｘ＋５、Ｘ＋１０、Ｘ＋１５、Ｘ＋２０であることができ、ここで、Ｘは０又は１又は２又は３又は４又は５又は６又は７であることができる）。
【０３８０】
ＳＣＳ＿ＣＯＲＥＳＥＴ＝１５ｋＨｚに対するこのような例で、キャリアＢＷが（このケースで最小ＣＨ  ＢＷを超過する）２０ＭＨｚ（ＳＳ及びＲＭＳＩニューマロラジで１０６ＰＲＢ）で、ＲＭＳＩ  ＣＯＲＥＳＥＴ  ＢＷが９６ＰＲＢである場合、表示範囲はＳＳラスターと同じであることができ（例えば、ＳＳ  ＳＣＳで２４ＰＲＢ）、Δｆ２＝１１ＰＲＢであり、これにより、Ｎ＿ΔＦ２＝３、すなわち３つの構成でＳＳブロック及びＲＭＳＩ  ＣＯＲＥＳＥＴのエッジの間のＰＲＢレベル周波数オフセットを構成するに十分で、可能な値はＲＭＳＩ  ＣＯＲＥＳＥＴニューマロラジ観点から２７、３８、４９ＰＲＢであり得る。
【０３８１】
ＳＣＳ＿ＣＯＲＥＳＥＴ＝３０ｋＨｚに対するこのような例で、キャリアＢＷが１０ＭＨｚ（ＳＳニューマロラジで５２ＰＲＢ及びＲＭＳＩニューマロラジで２４ＰＲＢ）で、ＲＭＳＩ  ＣＯＲＥＳＥＴ  ＢＷが２４ＰＲＢである場合、表示範囲はＳＳラスターと同じであることができ（例えば、ＳＳ  ＳＣＳで２４ＰＲＢ及びＲＭＳＩニューマロラジで１２ＰＲＢ）、Δｆ２＝１ＰＲＢであり、これにより、Ｎ＿ΔＦ２＝１２、すなわち１２つの構成でＳＳブロック及びＲＭＳＩ  ＣＯＲＥＳＥＴのエッジの間のＰＲＢレベル周波数オフセットを構成するに十分で、可能な値はＲＭＳＩ  ＣＯＲＥＳＥＴニューマロラジ観点から１，…，１２ＰＲＢであり得る。
【０３８２】
ＳＣＳ＿ＣＯＲＥＳＥＴ＝３０ｋＨｚに対するこのような例で、キャリアＢＷが（このケースで最小ＣＨ  ＢＷを超過する）２０ＭＨｚ（ＳＳニューマロラジで１０６ＰＲＢ及びＲＭＳＩニューマロラジで５１ＰＲＢ）で、ＲＭＳＩ  ＣＯＲＥＳＥＴ  ＢＷが２４ＰＲＢである場合、表示範囲はＳＳラスターと同じであることができ（例えば、ＳＳ  ＳＣＳで２４ＰＲＢ及びＲＭＳＩニューマロラジで１２ＰＲＢ）、Δｆ２＝２８ＰＲＢであり、これにより、Ｎ＿ΔＦ２＝１、すなわち１つの構成でＳＳブロック及びＲＭＳＩ  ＣＯＲＥＳＥＴのエッジの間のＰＲＢレベル周波数オフセットを構成するに十分で、可能な値はＲＭＳＩ  ＣＯＲＥＳＥＴニューマロラジ観点から７ＰＲＢであり得る。ＲＭＳＩに対するこのケースのチャネル利用率はフィルタ設計によって５０ＰＲＢのみで、Δｆ２＝２７ＰＲＢで、これによって１つの構成で十分で、可能な値はＲＭＳＩ  ＣＯＲＥＳＥＴニューマロラジ観点から７ＰＲＢになることができる。
【０３８３】
ＳＣＳ＿ＣＯＲＥＳＥＴ＝３０ｋＨｚに対するこのような例で、キャリアＢＷが（最小ＣＨ  ＢＷを超過する）２０ＭＨｚ（ＳＳニューマロラジで１０６ＰＲＢ及びＲＭＳＩニューマロラジで５１ＰＲＢ）で、ＲＭＳＩ  ＣＯＲＥＳＥＴ  ＢＷが４８ＰＲＢである場合、表示範囲はＳＳラスターと同じであることができ（例えば、ＳＳ  ＳＣＳで２４ＰＲＢ及びＲＭＳＩニューマロラジで１２ＰＲＢ）、Δｆ２＝４ＰＲＢであり、これにより、Ｎ＿ΔＦ２＝３、すなわち３つの構成でＳＳブロック及びＲＭＳＩ  ＣＯＲＥＳＥＴのエッジの間のＰＲＢレベル周波数オフセットを構成するに十分で、可能な値はＲＭＳＩ  ＣＯＲＥＳＥＴニューマロラジ観点から１５、１９、２３ＰＲＢであり得る。ＲＭＳＩに対するこのケースのチャネル利用率がフィルタ設計によって５０ＰＲＢのみで、Δｆ２＝３ＰＲＢであり、これにより、Ｎ＿ΔＦ２＝４、すなわち４つの構成で十分で、可能な値はＲＭＳＩ  ＣＯＲＥＳＥＴニューマロラジ観点からＸ、Ｘ＋３、Ｘ＋６、Ｘ＋９ＰＲＢであることができ、ここで、Ｘは１４又は１５であることができる。
【０３８４】
１０ＭＨｚ最小ＣＨ  ＢＷ及び１５ｋＨｚＳＳ  ＳＣＳを有する帯域に対するＣＯＲＥＳＥＴ構成（ＣＯＲＥＳＥＴに対する互いに異なるシンボル数選択と組み合わせられた周波数ＰＲＢオフセット）の一例が表１０と同様に要約されることができ、ここで、表１０Ａは、｛ＳＳ  ＳＣＳ，ＲＭＳＩ  ＳＣＳ｝＝｛１５ｋＨｚ，１５ｋＨｚ｝に対するもので、表１０Ｂは、３０ｋＨｚのチャネル利用率が５１ＰＲＢである場合｛ＳＳ  ＳＣＳ，ＲＭＳＩ  ＳＣＳ｝＝｛１５ｋＨｚ，３０ｋＨｚ｝に対するものであって、表１０Ｃは、３０ｋＨｚのチャネル利用率が５０ＰＲＢである場合｛ＳＳ  ＳＣＳ，ＲＭＳＩ  ＳＣＳ｝＝｛１５ｋＨｚ，３０ｋＨｚ｝に対するものである。
【０３８５】
最小ＣＨ  ＢＷ＝５ＭＨｚ及び最小ＣＨ  ＢＷ＝１０ＭＨｚに対するＣＯＲＥＳＥＴ構成テーブルがすべてサポートされる場合、１つのアプローチでは、構成テーブルの表示がなく、ＵＥはＳＳラスターが整列されているか、又は近接し過ぎているためＵＥが初期セル探索で区別できるか否かをブラインド検出する必要がある。最小ＣＨ  ＢＷ＝５ＭＨｚ及び最小ＣＨ  ＢＷ＝１０ＭＨｚに対するＣＯＲＥＳＥＴ構成テーブルがすべてサポートされる場合、他のアプローチでは、ＰＢＣＨで１ビットを使用して帯域（ら）数／構成テーブル／キャリア周波数範囲が表示される。一例では、表示のために用いられるビットがＰＢＣＨで予備されたビットであることができ、＜３ＧＨｚにのみ該当することができる。他の例では、表示のために用いられるビットが元のハーフフレーム表示で用いられるＰＢＣＨのフィールドであることができ、ＰＢＣＨでのハーフフレーム表示は＞３ＧＨｚに対するもののみで、同じフィールドが帯域（ら）数／構成テーブル／キャリア周波数範囲を表示するために用いられる。表１０Ａは、｛ＳＳ  ＳＣＳ，ＲＭＳＩ  ＳＣＳ｝＝｛１５ｋＨｚ，１５ｋＨｚ｝の場合、少なくとも最小ＣＨ  ＢＷが１０ＭＨｚである帯域に対するＲＭＳＩ  ＣＯＲＥＳＥＴ構成を例示したものである。
【０３８６】
【表１０Ａ】
2021501538.tif 000027
【０３８７】
表１０Ｂは、｛ＳＳ  ＳＣＳ，ＲＭＳＩ  ＳＣＳ｝＝｛１５ｋＨｚ，３０ｋＨｚ｝の場合、少なくとも最小ＣＨ  ＢＷが１０ＭＨｚである帯域に対するＲＭＳＩ  ＣＯＲＥＳＥＴ構成を例示したものである。
【０３８８】
【表１０Ｂ】
2021501538.tif 000028
【０３８９】
表１０Ｃは、｛ＳＳ  ＳＣＳ，ＲＭＳＩ  ＳＣＳ｝＝｛１５ｋＨｚ，３０ｋＨｚ｝の場合、少なくとも最小ＣＨ  ＢＷが１０ＭＨｚである帯域に対するＲＭＳＩ  ＣＯＲＥＳＥＴ構成を例示したものである。
【０３９０】
【表１０Ｃ】
2021501538.tif 000029
【０３９１】
第２例では、ＮＲ帯域において、最小ＣＨ  ＢＷ＝１０ＭＨｚである場合、ＳＳ  ＳＣＳは１５ｋＨｚに決定される。この帯域に対して、ＳＳラスターが３６００ｋＨｚ（ＳＳ  ＳＣＳで２０ＰＲＢ）で定義されることができ、異なったＳＳラスターを使用する時、周波数オフセット表示が異なる場合があるので、ＣＯＲＥＳＥＴ構成が上記表と異なる場合がある。この例に対する周波数オフセット（ＰＲＢレベル）構成の要約が表１１に示されている。表１１は、ＴＤＭケースに対するΔＦ２構成の例を示す。
【０３９２】
【表１１】
2021501538.tif 000030
【０３９３】
ＳＣＳ＿ＣＯＲＥＳＥＴ＝１５ｋＨｚに対するこのような例で、キャリアＢＷが１０ＭＨｚ（ＳＳ及びＲＭＳＩニューマロラジで５２ＰＲＢ）で、ＲＭＳＩ  ＣＯＲＥＳＥＴ  ＢＷが２４ＰＲＢである場合、表示範囲はＳＳラスターと同じであることができ（例えば、ＳＳ  ＳＣＳで２０ＰＲＢ）、Δｆ２＝２９ＰＲＢであり、これにより、Ｎ＿ΔＦ２＝１、すなわち１つの構成でＳＳブロック及びＲＭＳＩ  ＣＯＲＥＳＥＴのエッジの間のＰＲＢレベル周波数オフセットを構成するに十分で、可能な値はＲＭＳＩ  ＣＯＲＥＳＥＴニューマロラジ観点から２ＰＲＢであり得る。
【０３９４】
ＳＣＳ＿ＣＯＲＥＳＥＴ＝１５ｋＨｚに対するこのような例で、キャリアＢＷが１０ＭＨｚ（ＳＳ及びＲＭＳＩニューマロラジで５２ＰＲＢ）で、ＲＭＳＩ  ＣＯＲＥＳＥＴ  ＢＷが４８ＰＲＢである場合、表示範囲はＳＳラスターと同じであることができ（例えば、ＳＳ  ＳＣＳで２０ＰＲＢ）、Δｆ２＝５ＰＲＢであり、これにより、Ｎ＿ΔＦ２＝４、すなわち４つの構成でＳＳブロック及びＲＭＳＩ  ＣＯＲＥＳＥＴのエッジの間のＰＲＢレベル周波数オフセットを構成するに十分で、可能な値はＲＭＳＩ  ＣＯＲＥＳＥＴニューマロラジ観点から７、１２、１７、２２ＰＲＢであり得る（オフセット値の選択は他のセットでも可能であるが、このケースではインターバルが５ＰＲＢであるべきである。例えば、このオフセットで可能な値はＸ、Ｘ＋５、Ｘ＋１０、Ｘ＋１５であることができ、ここで、Ｘは０又は１又は２又は３又は４又は５又は６又は７であることができる）。
【０３９５】
ＳＣＳ＿ＣＯＲＥＳＥＴ＝１５ｋＨｚに対するこのような例で、キャリアＢＷが（このケースで最小ＣＨ  ＢＷを超過する）２０ＭＨｚ（ＳＳ及びＲＭＳＩニューマロラジで１０６ＰＲＢ）で、ＲＭＳＩ  ＣＯＲＥＳＥＴ  ＢＷが９６ＰＲＢである場合、表示範囲はＳＳラスターと同じであることができ（例えば、ＳＳ  ＳＣＳで２０ＰＲＢ）、Δｆ２＝１１ＰＲＢであり、これにより、Ｎ＿ΔＦ２＝２、すなわち２つの構成でＳＳブロック及びＲＭＳＩ  ＣＯＲＥＳＥＴのエッジの間のＰＲＢレベル周波数オフセットを構成するに十分で、可能な値はＲＭＳＩ  ＣＯＲＥＳＥＴニューマロラジ観点から０、７６ＰＲＢであり得る。
【０３９６】
ＳＣＳ＿ＣＯＲＥＳＥＴ＝３０ｋＨｚに対するこのような例で、キャリアＢＷが１０ＭＨｚ（ＳＳニューマロラジで５２ＰＲＢ及びＲＭＳＩニューマロラジで２４ＰＲＢ）で、ＲＭＳＩ  ＣＯＲＥＳＥＴ  ＢＷが２４ＰＲＢである場合、表示範囲はＳＳラスターと同じであることができ（例えば、ＳＳ  ＳＣＳで２０ＰＲＢ及びＲＭＳＩニューマロラジで１０ＰＲＢ）、Δｆ２＝１ＰＲＢであり、これにより、Ｎ＿ΔＦ２＝１０、すなわち１０つの構成でＳＳブロック及びＲＭＳＩ  ＣＯＲＥＳＥＴのエッジの間のＰＲＢレベル周波数オフセットを構成するに十分で、可能な値はＲＭＳＩ  ＣＯＲＥＳＥＴニューマロラジ観点から２，…，１１ＰＲＢであり得る。
【０３９７】
ＳＣＳ＿ＣＯＲＥＳＥＴ＝３０ｋＨｚに対するこのような例で、キャリアＢＷが（最小ＣＨ  ＢＷを超過する）２０ＭＨｚ（ＳＳニューマロラジで１０６ＰＲＢ及びＲＭＳＩニューマロラジで５１ＰＲＢ）で、ＲＭＳＩ  ＣＯＲＥＳＥＴ  ＢＷが４８ＰＲＢである場合、表示範囲はＳＳラスターと同じであることができ（例えば、ＳＳ  ＳＣＳで２０ＰＲＢ及びＲＭＳＩニューマロラジで１０ＰＲＢ）、Δｆ２＝４ＰＲＢであり、これにより、Ｎ＿ΔＦ２＝３、すなわち３つの構成でＳＳブロック及びＲＭＳＩ  ＣＯＲＥＳＥＴのエッジの間のＰＲＢレベル周波数オフセットを構成するに十分で、可能な値はＲＭＳＩ  ＣＯＲＥＳＥＴニューマロラジ観点から１５、１９、２３ＰＲＢであり得る。ＲＭＳＩに対するこのケースのチャネル利用率がフィルタ設計によって５０ＰＲＢのみである場合、Δｆ２＝３ＰＲＢであり、これにより、Ｎ＿ΔＦ２＝４、すなわち４つの構成で十分で、可能な値はＲＭＳＩ  ＣＯＲＥＳＥＴニューマロラジ観点からＸ、Ｘ＋３、Ｘ＋６、Ｘ＋９ＰＲＢであることができ、ここで、Ｘは１４又は１５であることができる。
【０３９８】
１０ＭＨｚ最小ＣＨ  ＢＷ及び１５ｋＨｚＳＳ  ＳＣＳを有する帯域に対するＣＯＲＥＳＥＴ構成（ＣＯＲＥＳＥＴに対する互いに異なるシンボル数選択と組み合わせられた周波数ＰＲＢオフセット）の一例が表１２と同様に要約されることができ、ここで、表１２Ａは、｛ＳＳ  ＳＣＳ，ＲＭＳＩ  ＳＣＳ｝＝｛１５ｋＨｚ，１５ｋＨｚ｝に対するものであって、表１２Ｂは、３０ｋＨｚのチャネル利用率が５１ＰＲＢである場合｛ＳＳ  ＳＣＳ，ＲＭＳＩ  ＳＣＳ｝＝｛１５ｋＨｚ，３０ｋＨｚ｝に対するものであって、表１２Ｃは、３０ｋＨｚのチャネル利用率が５０ＰＲＢである場合｛ＳＳ  ＳＣＳ，ＲＭＳＩ  ＳＣＳ｝＝｛１５ｋＨｚ，３０ｋＨｚ｝に対するものである。
【０３９９】
最小ＣＨ  ＢＷ＝５ＭＨｚ及び最小ＣＨ  ＢＷ＝１０ＭＨｚに対するＣＯＲＥＳＥＴ構成テーブルがすべてサポートされる場合、１つのアプローチでは、構成テーブルの表示がなく、ＵＥはＳＳラスターが整列されているか、又は近接し過ぎているためＵＥが初期セル探索で区別できないか否かをブラインド検出する必要がある。
【０４００】
最小ＣＨ  ＢＷ＝５ＭＨｚ及び最小ＣＨ  ＢＷ＝１０ＭＨｚに対するＣＯＲＥＳＥＴ構成テーブルがすべてサポートされる場合、他のアプローチでは、ＰＢＣＨで１ビットを使用して帯域（ら）数／構成テーブル／キャリア周波数範囲が表示される。一例では、表示のために用いられるビットがＰＢＣＨで予備されたビットであることができ、＜３ＧＨｚにのみ該当することができる。他の例では、表示のために用いられるビットが元のハーフフレーム表示で用いられるＰＢＣＨのフィールドであることができ、ＰＢＣＨでのハーフフレーム表示は＞３ＧＨｚに対するもののみで、同じフィールドが帯域（ら）数／構成テーブル／キャリア周波数範囲を表示するために用いられる。表１２Ａは、｛ＳＳ  ＳＣＳ，ＲＭＳＩ  ＳＣＳ｝＝｛１５ｋＨｚ，１５ｋＨｚ｝の場合、少なくとも最小ＣＨ  ＢＷが１０ＭＨｚである帯域に対するＲＭＳＩ  ＣＯＲＥＳＥＴ構成を例示したものである。
【０４０１】
【表１２Ａ】
2021501538.tif 000031
【０４０２】
表１２Ｂは、｛ＳＳ  ＳＣＳ，ＲＭＳＩ  ＳＣＳ｝＝｛１５ｋＨｚ，３０ｋＨｚ｝の場合、少なくとも最小ＣＨ  ＢＷが１０ＭＨｚである帯域に対するＲＭＳＩ  ＣＯＲＥＳＥＴ構成を例示したものである。
【０４０３】
【表１２Ｂ】
2021501538.tif 000032
【０４０４】
表１２Ｃは、｛ＳＳ  ＳＣＳ，ＲＭＳＩ  ＳＣＳ｝＝｛１５ｋＨｚ，３０ｋＨｚ｝の場合、少なくとも最小ＣＨ  ＢＷが１０ＭＨｚである帯域に対するＲＭＳＩ  ＣＯＲＥＳＥＴ構成を例示したものである。
【０４０５】
【表１２Ｃ】
2021501538.tif 000033
【０４０６】
第３例では、ＮＲ帯域において、最小ＣＨ  ＢＷ＝４０ＭＨｚである場合、ＳＳ  ＳＣＳは３０ｋＨｚに決定される。この帯域に対して、ＳＳラスターが３０２４０ｋＨｚ（ＳＳ  ＳＣＳで８４ＰＲＢ）以下に定義された場合、異なったＳＳラスターを使用する時、周波数オフセット表示が異なる場合があるので、ＣＯＲＥＳＥＴ構成が上記表と異なる場合がある。周波数オフセット（ＰＲＢレベル）構成方式の要約が表１３に示されている。
【０４０７】
本議論では、最大ＴＸ  ＢＷが４０ＭＨｚであり、最小ＵＥ  ＢＷが２０ＭＨｚに定義されると、１５ｋＨｚＲＭＳＩ  ＳＣＳを有するＲＭＳＩ  ＣＯＲＥＳＥＴ  ＢＷの１９２ＰＲＢ及び３０ｋＨｚＲＭＳＩ  ＳＣＳを有するＲＭＳＩ  ＣＯＲＥＳＥＴ  ＢＷの９６ＰＲＢに対する構成がサポートされない。表１３は、ＴＤＭケースに対するΔＦ２構成の例を示す。
【０４０８】
【表１３】
2021501538.tif 000034
【０４０９】
ＳＣＳ＿ＣＯＲＥＳＥＴ＝１５ｋＨｚに対するこのような例で、キャリアＢＷが４０ＭＨｚ（ＳＳニューマロラジで１０６ＰＲＢ及びＲＭＳＩニューマロラジで２１６ＰＲＢ）で、ＲＭＳＩ  ＣＯＲＥＳＥＴ  ＢＷが４８ＰＲＢである場合、表示範囲はＳＳラスターと同じであることができ（例えば、ＳＳ  ＳＣＳで８４ＰＲＢ及びＲＭＳＩ  ＳＣＳで１６８ＰＲＢ）、Δｆ２＝１６９ＰＲＢであり、これにより、Ｎ＿ΔＦ２＝１、すなわち１つの構成でＳＳブロック及びＲＭＳＩ  ＣＯＲＥＳＥＴのエッジの間のＰＲＢレベル周波数オフセットを構成するに十分で、可能な値はＲＭＳＩ  ＣＯＲＥＳＥＴニューマロラジ観点から４ＰＲＢであり得る。
【０４１０】
ＳＣＳ＿ＣＯＲＥＳＥＴ＝１５ｋＨｚに対するこのような例で、キャリアＢＷが４０ＭＨｚ（ＳＳニューマロラジで１０６ＰＲＢ及びＲＭＳＩニューマロラジで２１６ＰＲＢ）で、ＲＭＳＩ  ＣＯＲＥＳＥＴ  ＢＷが９６ＰＲＢである場合、表示範囲はＳＳラスターと同じであることができ（例えば、ＳＳ  ＳＣＳで８４ＰＲＢ及びＲＭＳＩ  ＳＣＳで１６８ＰＲＢ）、Δｆ２＝１２１ＰＲＢであり、これにより、Ｎ＿ΔＦ２＝２、すなわち２つの構成でＳＳブロック及びＲＭＳＩ  ＣＯＲＥＳＥＴのエッジの間のＰＲＢレベル周波数オフセットを構成するに十分で、可能な値はＲＭＳＩ  ＣＯＲＥＳＥＴニューマロラジ観点から０、５６ＰＲＢであり得る。
【０４１１】
ＳＣＳ＿ＣＯＲＥＳＥＴ＝１５ｋＨｚに対するこのような例で、キャリアＢＷが４０ＭＨｚ（ＳＳニューマロラジで１０６ＰＲＢ及びＲＭＳＩニューマロラジで２１６ＰＲＢ）で、ＲＭＳＩ  ＣＯＲＥＳＥＴ  ＢＷが１９２ＰＲＢである場合、表示範囲はＳＳラスターと同じであることができ（例えば、ＳＳ  ＳＣＳで８４ＰＲＢ及びＲＭＳＩ  ＳＣＳで１６８ＰＲＢ）、Δｆ２＝２５ＰＲＢであり、これにより、Ｎ＿ΔＦ２＝７、すなわち７つの構成でＳＳブロック及びＲＭＳＩ  ＣＯＲＥＳＥＴのエッジの間のＰＲＢレベル周波数オフセットを構成するに十分で、可能な値はＲＭＳＩ  ＣＯＲＥＳＥＴニューマロラジ観点からＸ、Ｘ＋２５、Ｘ＋５０、Ｘ＋７５、Ｘ＋１００、Ｘ＋１２５、Ｘ＋１５０ＰＲＢであることができ、ここで、Ｘは０又は１又は２であることができる。
【０４１２】
ＳＣＳ＿ＣＯＲＥＳＥＴ＝３０ｋＨｚに対するこのような例で、キャリアＢＷが４０ＭＨｚ（ＳＳ及びＲＭＳＩニューマロラジで１０６ＰＲＢ）で、ＲＭＳＩ  ＣＯＲＥＳＥＴ  ＢＷが２４ＰＲＢである場合、表示範囲はＳＳラスターと同じであることができ（例えば、ＳＳ  ＳＣＳで８４ＰＲＢ）、Δｆ２＝８３ＰＲＢであり、これにより、Ｎ＿ΔＦ２＝２、すなわち２つの構成でＳＳブロック及びＲＭＳＩ  ＣＯＲＥＳＥＴのエッジの間のＰＲＢレベル周波数オフセットを構成するに十分で、可能な値はＲＭＳＩ  ＣＯＲＥＳＥＴニューマロラジ観点から０、４ＰＲＢであり得る。
【０４１３】
ＳＣＳ＿ＣＯＲＥＳＥＴ＝３０ｋＨｚに対するこのような例で、キャリアＢＷが４０ＭＨｚ（ＳＳ及びＲＭＳＩニューマロラジで１０６ＰＲＢ）で、ＲＭＳＩ  ＣＯＲＥＳＥＴ  ＢＷが４８ＰＲＢである場合、表示範囲はＳＳラスターと同じであることができ（例えば、ＳＳ  ＳＣＳで８４ＰＲＢ）、Δｆ２＝５９ＰＲＢであり、これにより、Ｎ＿ΔＦ２＝２、すなわち２つの構成でＳＳブロック及びＲＭＳＩ  ＣＯＲＥＳＥＴのエッジの間のＰＲＢレベル周波数オフセットを構成するに十分で、可能な値はＲＭＳＩ  ＣＯＲＥＳＥＴニューマロラジ観点から０、２８ＰＲＢであり得る。
【０４１４】
ＳＣＳ＿ＣＯＲＥＳＥＴ＝３０ｋＨｚに対するこのような例で、キャリアＢＷが４０ＭＨｚ（ＳＳ及びＲＭＳＩニューマロラジで１０６ＰＲＢ）で、ＲＭＳＩ  ＣＯＲＥＳＥＴ  ＢＷが９６ＰＲＢである場合、表示範囲はＳＳラスターと同じであることができ（例えば、ＳＳ  ＳＣＳで８４ＰＲＢ）、Δｆ２＝１１ＰＲＢであり、これにより、Ｎ＿ΔＦ２＝８、すなわち８つの構成でＳＳブロック及びＲＭＳＩ  ＣＯＲＥＳＥＴのエッジの間のＰＲＢレベル周波数オフセットを構成するに十分で、可能な値はＲＭＳＩ  ＣＯＲＥＳＥＴニューマロラジ観点から０、１１、２２、３３、４３、５４、６５、７６ＰＲＢであり得る。
【０４１５】
４０ＭＨｚ最小ＣＨ  ＢＷ及び３０ｋＨｚＳＳ  ＳＣＳを有する帯域に対するＣＯＲＥＳＥＴ構成（ＣＯＲＥＳＥＴに対する互いに異なるシンボル数選択と組み合わせられた周波数ＰＲＢオフセット）の一例が表１４Ａ及び表１４Ｂと同様に要約されることができ、ここで、この表らは、｛ＳＣＳ＿ＳＳ，ＳＣＳ＿ＲＭＳＩ｝の互いに異なる組み合わせに対して決定され、例えば、表１４Ａは、｛ＳＳ  ＳＣＳ，ＲＭＳＩ  ＳＣＳ｝＝｛３０ｋＨｚ，１５ｋＨｚ｝に対するもので、表１４Ｂは、｛ＳＳ  ＳＣＳ，ＲＭＳＩ  ＳＣＳ｝＝｛３０ｋＨｚ，３０ｋＨｚ｝に対するものである。最小ＵＥ  ＢＷはこの帯域に対して２０ＭＨｚであると仮定される（例えば、１５ｋＨｚＲＭＳＩ  ＳＣＳを有するＲＭＳＩ  ＣＯＲＥＳＥＴ  ＢＷの１９２ＰＲＢ及び３０ｋＨｚＲＭＳＩ  ＳＣＳを有するＲＭＳＩ  ＣＯＲＥＳＥＴ  ＢＷの９６ＰＲＢに対する構成がサポートされない）ことに留意する。また、同期化ラスターが４０ＭＨｚ最小ＣＨ  ＢＷを有する帯域に対するものと同じであるか又は小さければ、他の帯域にもこのテーブルが用いられることができることに留意する。表１４Ａは、｛ＳＳ  ＳＣＳ，ＲＭＳＩ  ＳＣＳ｝＝｛３０ｋＨｚ，１５ｋＨｚ｝の場合、少なくとも最小ＣＨ  ＢＷが４０ＭＨｚである帯域に対するＲＭＳＩ  ＣＯＲＥＳＥＴ構成を例示したものである。
【０４１６】
【表１４Ａ】
2021501538.tif 000035
【０４１７】
表１４Ｂは、｛ＳＳ  ＳＣＳ，ＲＭＳＩ  ＳＣＳ｝＝｛３０ｋＨｚ，３０ｋＨｚ｝の場合、少なくとも最小ＣＨ  ＢＷが４０ＭＨｚである帯域に対するＲＭＳＩ  ＣＯＲＥＳＥＴ構成を例示したものである。
【０４１８】
【表１４Ｂ】
2021501538.tif 000036
【０４１９】
第４例では、ＮＲ帯域において、最小ＣＨ  ＢＷ＝４０ＭＨｚである場合、ＳＳ  ＳＣＳは３０ｋＨｚに決定される。この帯域に対して、ＳＳラスターが２３０４０ｋＨｚ（ＳＳ  ＳＣＳで６４ＰＲＢ）で定義された場合、異なったＳＳラスターを使用する時、周波数オフセット表示が異なる場合があるので、ＣＯＲＥＳＥＴ構成が上記表と異なる場合がある。周波数オフセット（ＰＲＢレベル）構成方式の要約が表１５に示されている。
【０４２０】
本議論では、最大ＴＸ  ＢＷが４０ＭＨｚであり、最小ＵＥ  ＢＷが２０ＭＨｚと定義されると、１５ｋＨｚＲＭＳＩ  ＳＣＳを有するＲＭＳＩ  ＣＯＲＥＳＥＴ  ＢＷの１９２ＰＲＢ及び３０ｋＨｚＲＭＳＩ  ＳＣＳを有するＲＭＳＩ  ＣＯＲＥＳＥＴ  ＢＷの９６ＰＲＢに対する構成がサポートされない。表１５は、ＴＤＭケースに対するΔＦ２構成の例を示す。
【０４２１】
【表１５】
2021501538.tif 000037
【０４２２】
ＳＣＳ＿ＣＯＲＥＳＥＴ＝１５ｋＨｚに対するこのような例で、キャリアＢＷが４０ＭＨｚ（ＳＳニューマロラジで１０６ＰＲＢ及びＲＭＳＩニューマロラジで２１６ＰＲＢ）で、ＲＭＳＩ  ＣＯＲＥＳＥＴ  ＢＷが４８ＰＲＢである場合、表示範囲はＳＳラスターと同じであることができ（例えば、ＳＳ  ＳＣＳで６４ＰＲＢ及びＲＭＳＩ  ＳＣＳで１２８ＰＲＢ）、Δｆ２＝１６９ＰＲＢであり、これにより、Ｎ＿ΔＦ２＝１、すなわち１つの構成でＳＳブロック及びＲＭＳＩ  ＣＯＲＥＳＥＴのエッジの間のＰＲＢレベル周波数オフセットを構成するに十分で、可能な値はＲＭＳＩ  ＣＯＲＥＳＥＴニューマロラジ観点から４ＰＲＢであり得る。
【０４２３】
ＳＣＳ＿ＣＯＲＥＳＥＴ＝１５ｋＨｚに対するこのような例で、キャリアＢＷが４０ＭＨｚ（ＳＳニューマロラジで１０６ＰＲＢ及びＲＭＳＩニューマロラジで２１６ＰＲＢ）で、ＲＭＳＩ  ＣＯＲＥＳＥＴ  ＢＷが９６ＰＲＢである場合、表示範囲はＳＳラスターと同じであることができ（例えば、ＳＳ  ＳＣＳで６４ＰＲＢ及びＲＭＳＩ  ＳＣＳで１２８ＰＲＢ）、Δｆ２＝１２１ＰＲＢであり、これにより、Ｎ＿ΔＦ２＝２、すなわち２つの構成でＳＳブロック及びＲＭＳＩ  ＣＯＲＥＳＥＴのエッジの間のＰＲＢレベル周波数オフセットを構成するに十分で、可能な値はＲＭＳＩ  ＣＯＲＥＳＥＴニューマロラジ観点から０、５６ＰＲＢであり得る。
【０４２４】
ＳＣＳ＿ＣＯＲＥＳＥＴ＝１５ｋＨｚに対するこのような例で、キャリアＢＷが４０ＭＨｚ（ＳＳニューマロラジで１０６ＰＲＢ及びＲＭＳＩニューマロラジで２１６ＰＲＢ）で、ＲＭＳＩ  ＣＯＲＥＳＥＴ  ＢＷが１９２ＰＲＢである場合、表示範囲はＳＳラスターと同じであることができ（例えば、ＳＳ  ＳＣＳで６４ＰＲＢ及びＲＭＳＩ  ＳＣＳで１２８ＰＲＢ）、Δｆ２＝２５ＰＲＢであり、これにより、Ｎ＿ΔＦ２＝７、すなわち７つの構成でＳＳブロック及びＲＭＳＩ  ＣＯＲＥＳＥＴのエッジの間のＰＲＢレベル周波数オフセットを構成するに十分で、可能な値はＲＭＳＩ  ＣＯＲＥＳＥＴニューマロラジ観点からＸ、Ｘ＋２５、Ｘ＋５０、Ｘ＋７５、Ｘ＋１００、Ｘ＋１２５ＰＲＢであることができ、ここで、Ｘは１４又は１５であることができる。
【０４２５】
ＳＣＳ＿ＣＯＲＥＳＥＴ＝３０ｋＨｚに対するこのような例で、キャリアＢＷが４０ＭＨｚ（ＳＳ及びＲＭＳＩニューマロラジで１０６ＰＲＢ）で、ＲＭＳＩ  ＣＯＲＥＳＥＴ  ＢＷが２４ＰＲＢである場合、表示範囲はＳＳラスターと同じであることができ（例えば、ＳＳ  ＳＣＳで６４ＰＲＢ）、Δｆ２＝８３ＰＲＢであり、これにより、Ｎ＿ΔＦ２＝１、すなわち１つの構成でＳＳブロック及びＲＭＳＩ  ＣＯＲＥＳＥＴのエッジの間のＰＲＢレベル周波数オフセットを構成するに十分で、可能な値はＲＭＳＩ  ＣＯＲＥＳＥＴニューマロラジ観点から２ＰＲＢであり得る。
【０４２６】
ＳＣＳ＿ＣＯＲＥＳＥＴ＝３０ｋＨｚに対するこのような例で、キャリアＢＷが４０ＭＨｚ（ＳＳ及びＲＭＳＩニューマロラジで１０６ＰＲＢ）で、ＲＭＳＩ  ＣＯＲＥＳＥＴ  ＢＷが４８ＰＲＢである場合、表示範囲はＳＳラスターと同じであることができ（例えば、ＳＳ  ＳＣＳで６４ＰＲＢ）、Δｆ２＝５９ＰＲＢであり、これにより、Ｎ＿ΔＦ２＝２、すなわち２つの構成でＳＳブロック及びＲＭＳＩ  ＣＯＲＥＳＥＴのエッジの間のＰＲＢレベル周波数オフセットを構成するに十分で、可能な値はＲＭＳＩ  ＣＯＲＥＳＥＴニューマロラジ観点から０、２８ＰＲＢであり得る。
【０４２７】
ＳＣＳ＿ＣＯＲＥＳＥＴ＝３０ｋＨｚに対するこのような例で、キャリアＢＷが４０ＭＨｚ（ＳＳ及びＲＭＳＩニューマロラジで１０６ＰＲＢ）で、ＲＭＳＩ  ＣＯＲＥＳＥＴ  ＢＷが９６ＰＲＢである場合、表示範囲はＳＳラスターと同じであることができ（例えば、ＳＳ  ＳＣＳで６４ＰＲＢ）、Δｆ２＝１１ＰＲＢであり、これにより、Ｎ＿ΔＦ２＝６、すなわち６つの構成でＳＳブロック及びＲＭＳＩ  ＣＯＲＥＳＥＴのエッジの間のＰＲＢレベル周波数オフセットを構成するに十分で、可能な値はＲＭＳＩ  ＣＯＲＥＳＥＴニューマロラジ観点からＸ＋１１、Ｘ＋２２、Ｘ＋３３、Ｘ＋４４、Ｘ＋５５、Ｘ＋６６ＰＲＢであることができ、ここで、Ｘは０又は−１であることができる。
【０４２８】
４０ＭＨｚ最小ＣＨ  ＢＷ及び３０ｋＨｚＳＳ  ＳＣＳを有する帯域に対するＣＯＲＥＳＥＴ構成（ＣＯＲＥＳＥＴに対する互いに異なるシンボル数選択と組み合わせられた周波数ＰＲＢオフセット）の一例が表１６Ａ及び表１６Ｂと同様に要約されることができ、ここで、この２つの表は、｛ＳＣＳ＿ＳＳ，ＳＣＳ＿ＲＭＳＩ｝の互いに異なる組み合わせに対して決定され、例えば、表１６Ａは、｛ＳＳ  ＳＣＳ，ＲＭＳＩ  ＳＣＳ｝＝｛３０ｋＨｚ，１５ｋＨｚ｝に対するもので、表１６Ｂは、｛ＳＳ  ＳＣＳ，ＲＭＳＩ  ＳＣＳ｝＝｛３０ｋＨｚ，３０ｋＨｚ｝に対するものである。最小ＵＥ  ＢＷはこの帯域に対して２０ＭＨｚであると仮定される（例えば、１５ｋＨｚＲＭＳＩ  ＳＣＳを有するＲＭＳＩ  ＣＯＲＥＳＥＴ  ＢＷの１９２ＰＲＢ及び３０ｋＨｚＲＭＳＩ  ＳＣＳを有するＲＭＳＩ  ＣＯＲＥＳＥＴ  ＢＷの９６ＰＲＢに対する構成がサポートされない）ことに留意する。また、同期化ラスターが４０ＭＨｚ最小ＣＨ  ＢＷを有する帯域に対するものと同じ又は小さい場合、他の帯域にもこのテーブルが用いられることができることに留意する。表１６Ａは、｛ＳＳ  ＳＣＳ，ＲＭＳＩ  ＳＣＳ｝＝｛３０ｋＨｚ，１５ｋＨｚ｝の場合、少なくとも最小ＣＨ  ＢＷが４０ＭＨｚである帯域に対するＲＭＳＩ  ＣＯＲＥＳＥＴ構成を例示したものである。
【０４２９】
【表１６Ａ】
2021501538.tif 000038
【０４３０】
表１６Ｂは、｛ＳＳ  ＳＣＳ，ＲＭＳＩ  ＳＣＳ｝＝｛３０ｋＨｚ，３０ｋＨｚ｝の場合、少なくとも最小ＣＨ  ＢＷが４０ＭＨｚである帯域に対するＲＭＳＩ  ＣＯＲＥＳＥＴ構成を例示したものである。
【０４３１】
【表１６Ｂ】
2021501538.tif 000039
【０４３２】
第５例では、ＮＲ帯域において、最小ＣＨ  ＢＷ＝２０ＭＨｚである場合、ＳＳ  ＳＣＳは３０ｋＨｚに決定される。この帯域に対して、ＳＳラスターが１００８０ｋＨｚ（ＳＳ  ＳＣＳで２８ＰＲＢ）に定義された場合、異なったＳＳラスターを使用する時、周波数オフセット表示が異なる場合があるので、ＣＯＲＥＳＥＴ構成が上記表と異なる場合がある。周波数オフセット（ＰＲＢレベル）構成方式の要約が表１７に示されている。表１７は、ＴＤＭケースに対するΔＦ２構成の例を示す。
【０４３３】
【表１７】
2021501538.tif 000040
【０４３４】
ＳＣＳ＿ＣＯＲＥＳＥＴ＝１５ｋＨｚに対するこのような例で、キャリアＢＷが２０ＭＨｚ（ＳＳニューマロラジで５１ＰＲＢ及びＲＭＳＩニューマロラジで１０６ＰＲＢ）で、ＲＭＳＩ  ＣＯＲＥＳＥＴ  ＢＷが４８ＰＲＢである場合、表示範囲はＳＳラスターと同じであることができ（例えば、ＳＳ  ＳＣＳで２８ＰＲＢ及びＲＭＳＩ  ＳＣＳで５６ＰＲＢ）、Δｆ２＝５９ＰＲＢであり、これにより、Ｎ＿ΔＦ２＝１、すなわち１つの構成でＳＳブロック及びＲＭＳＩ  ＣＯＲＥＳＥＴのエッジの間のＰＲＢレベル周波数オフセットを構成するに十分で、可能な値はＲＭＳＩ  ＣＯＲＥＳＥＴニューマロラジ観点から４ＰＲＢであり得る。
【０４３５】
ＳＣＳ＿ＣＯＲＥＳＥＴ＝１５ｋＨｚに対するこのような例で、キャリアＢＷが２０ＭＨｚ（ＳＳニューマロラジで５１ＰＲＢ及びＲＭＳＩニューマロラジで１０６ＰＲＢ）で、ＲＭＳＩ  ＣＯＲＥＳＥＴ  ＢＷが９６ＰＲＢである場合、表示範囲はＳＳラスターと同じであることができ（例えば、ＳＳ  ＳＣＳで２８ＰＲＢ及びＲＭＳＩ  ＳＣＳで５６ＰＲＢ）、Δｆ２＝１１ＰＲＢであり、これにより、Ｎ＿ΔＦ２＝６、すなわち６つの構成でＳＳブロック及びＲＭＳＩ  ＣＯＲＥＳＥＴのエッジの間のＰＲＢレベル周波数オフセットを構成するに十分で、可能な値はＲＭＳＩ  ＣＯＲＥＳＥＴニューマロラジ観点からＸ、Ｘ＋１１、Ｘ＋２２、Ｘ＋３３、Ｘ＋４４、Ｘ＋５５ＰＲＢであることができ、ここで、Ｘは０又は１であることができる。
【０４３６】
ＳＣＳ＿ＣＯＲＥＳＥＴ＝３０ｋＨｚに対するこのような例で、キャリアＢＷが２０ＭＨｚ（ＳＳ及びＲＭＳＩニューマロラジで５１ＰＲＢ）で、ＲＭＳＩ  ＣＯＲＥＳＥＴ  ＢＷが２４ＰＲＢである場合、表示範囲はＳＳラスターと同じであることができ（例えば、ＳＳ  ＳＣＳ及びＲＭＳＩ  ＳＣＳで２８ＰＲＢ）、Δｆ２＝２８ＰＲＢであり、これにより、Ｎ＿ΔＦ２＝１、すなわち１つの構成でＳＳブロック及びＲＭＳＩ  ＣＯＲＥＳＥＴのエッジの間のＰＲＢレベル周波数オフセットを構成するに十分で、可能な値はＲＭＳＩ  ＣＯＲＥＳＥＴニューマロラジ観点から２ＰＲＢであり得る。
【０４３７】
ＳＣＳ＿ＣＯＲＥＳＥＴ＝３０ｋＨｚに対するこのような例で、キャリアＢＷが２０ＭＨｚ（ＳＳ及びＲＭＳＩニューマロラジで５１ＰＲＢ）で、ＲＭＳＩ  ＣＯＲＥＳＥＴ  ＢＷが４８ＰＲＢである場合、表示範囲はＳＳラスターと同じであることができ（例えば、ＳＳ  ＳＣＳ及びＲＭＳＩ  ＳＣＳで２８ＰＲＢ）、Δｆ２＝４ＰＲＢであり、これにより、Ｎ＿ΔＦ２＝７、すなわち７つの構成でＳＳブロック及びＲＭＳＩ  ＣＯＲＥＳＥＴのエッジの間のＰＲＢレベル周波数オフセットを構成するに十分で、可能な値はＲＭＳＩ  ＣＯＲＥＳＥＴニューマロラジ観点から２、６、１０、１４、１８、２２、２６ＰＲＢであり得る。
【０４３８】
２０ＭＨｚ最小ＣＨ  ＢＷ及び３０ｋＨｚＳＳ  ＳＣＳを有する帯域に対するＣＯＲＥＳＥＴ構成（ＣＯＲＥＳＥＴに対する互いに異なるシンボル数選択と組み合わせられた周波数ＰＲＢオフセット）の一例が表１８Ａ及び表１８Ｂと同様に要約されることができ、ここで、この２つの表は、｛ＳＣＳ＿ＳＳ，ＳＣＳ＿ＲＭＳＩ｝の互いに異なる組み合わせに対して決定され、例えば、表１８Ａは、｛ＳＳ  ＳＣＳ，ＲＭＳＩ  ＳＣＳ｝＝｛３０ｋＨｚ，１５ｋＨｚ｝に対するもので、表１８Ｂは、｛ＳＳ  ＳＣＳ，ＲＭＳＩ  ＳＣＳ｝＝｛３０ｋＨｚ，３０ｋＨｚ｝に対するものである。一例として、表１８ＡではＸ＝１である。他の例として、表１８ＢではＸ＝３である。表１８Ａは、｛ＳＳ  ＳＣＳ，ＲＭＳＩ  ＳＣＳ｝＝｛３０ｋＨｚ，１５ｋＨｚ｝の場合、少なくとも最小ＣＨ  ＢＷが２０ＭＨｚである帯域に対するＲＭＳＩ  ＣＯＲＥＳＥＴ構成を例示したものである。
【０４３９】
【表１８Ａ】
2021501538.tif 000041
【０４４０】
表１８Ｂは、｛ＳＳ  ＳＣＳ，ＲＭＳＩ  ＳＣＳ｝＝｛３０ｋＨｚ，３０ｋＨｚ｝の場合、少なくとも最小ＣＨ  ＢＷが２０ＭＨｚである帯域に対するＲＭＳＩ  ＣＯＲＥＳＥＴ構成を例示したものである。
【０４４１】
【表１８Ｂ】
2021501538.tif 000042
【０４４２】
第６例では、ＮＲ帯域において、最小ＣＨ  ＢＷ＝２０ＭＨｚである場合、ＳＳ  ＳＣＳは３０ｋＨｚに決定される。この帯域に対して、ＳＳラスターが８６４０ｋＨｚ（ＳＳ  ＳＣＳで６４ＰＲＢ）に定義された場合、異なったＳＳラスターを使用する時、周波数オフセット表示が異なる場合があるので、ＣＯＲＥＳＥＴ構成が上記表と異なる場合がある。周波数オフセット（ＰＲＢレベル）構成方式の要約が表１９に示されている。表１９は、ＴＤＭケースに対するΔＦ２構成の例を示す。
【０４４３】
【表１９】
2021501538.tif 000043
【０４４４】
ＳＣＳ＿ＣＯＲＥＳＥＴ＝１５ｋＨｚに対するこのような例で、キャリアＢＷが２０ＭＨｚ（ＳＳニューマロラジで５１ＰＲＢ及びＲＭＳＩニューマロラジで１０６ＰＲＢ）で、ＲＭＳＩ  ＣＯＲＥＳＥＴ  ＢＷが４８ＰＲＢである場合、表示範囲はＳＳラスターと同じであることができ（例えば、ＳＳ  ＳＣＳで２４ＰＲＢ及びＲＭＳＩ  ＳＣＳで４８ＰＲＢ）、Δｆ２＝５９ＰＲＢであり、これにより、Ｎ＿ΔＦ２＝１、すなわち１つの構成でＳＳブロック及びＲＭＳＩ  ＣＯＲＥＳＥＴのエッジの間のＰＲＢレベル周波数オフセットを構成するに十分で、可能な値はＲＭＳＩ  ＣＯＲＥＳＥＴニューマロラジ観点から４ＰＲＢであり得る。
【０４４５】
ＳＣＳ＿ＣＯＲＥＳＥＴ＝１５ｋＨｚに対するこのような例で、キャリアＢＷが２０ＭＨｚ（ＳＳニューマロラジで５１ＰＲＢ及びＲＭＳＩニューマロラジで１０６ＰＲＢ）で、ＲＭＳＩ  ＣＯＲＥＳＥＴ  ＢＷが９６ＰＲＢである場合、表示範囲はＳＳラスターと同じであることができ（例えば、ＳＳ  ＳＣＳで２４ＰＲＢ及びＲＭＳＩ  ＳＣＳで４８ＰＲＢ）、Δｆ２＝１１ＰＲＢであり、これにより、Ｎ＿ΔＦ２＝５、すなわち５つの構成でＳＳブロック及びＲＭＳＩ  ＣＯＲＥＳＥＴのエッジの間のＰＲＢレベル周波数オフセットを構成するに十分で、可能な値はＲＭＳＩ  ＣＯＲＥＳＥＴニューマロラジ観点から６、１７、２８、３９、５０ＰＲＢであり得る。
【０４４６】
ＳＣＳ＿ＣＯＲＥＳＥＴ＝３０ｋＨｚに対するこのような例で、キャリアＢＷが２０ＭＨｚ（ＳＳ及びＲＭＳＩニューマロラジで５１ＰＲＢ）で、ＲＭＳＩ  ＣＯＲＥＳＥＴ  ＢＷが２４ＰＲＢである場合、表示範囲はＳＳラスターと同じであることができ（例えば、ＳＳ  ＳＣＳ及びＲＭＳＩ  ＳＣＳで２４ＰＲＢ）、Δｆ２＝２８ＰＲＢであり、これにより、Ｎ＿ΔＦ２＝１、すなわち１つの構成でＳＳブロック及びＲＭＳＩ  ＣＯＲＥＳＥＴのエッジの間のＰＲＢレベル周波数オフセットを構成するに十分で、可能な値はＲＭＳＩ  ＣＯＲＥＳＥＴニューマロラジ観点から２ＰＲＢであり得る。
【０４４７】
ＳＣＳ＿ＣＯＲＥＳＥＴ＝３０ｋＨｚに対するこのような例で、キャリアＢＷが２０ＭＨｚ（ＳＳ及びＲＭＳＩニューマロラジで５１ＰＲＢ）で、ＲＭＳＩ  ＣＯＲＥＳＥＴ  ＢＷが４８ＰＲＢである場合、表示範囲はＳＳラスターと同じであることができ（例えば、ＳＳ  ＳＣＳ及びＲＭＳＩ  ＳＣＳで２４ＰＲＢ）、Δｆ２＝４ＰＲＢであり、これにより、Ｎ＿ΔＦ２＝６、すなわち６つの構成でＳＳブロック及びＲＭＳＩ  ＣＯＲＥＳＥＴのエッジの間のＰＲＢレベル周波数オフセットを構成するに十分で、可能な値はＲＭＳＩ  ＣＯＲＥＳＥＴニューマロラジ観点から４、８、１２、１６、２０、２４ＰＲＢであり得る。
【０４４８】
２０ＭＨｚ最小ＣＨ  ＢＷ及び３０ｋＨｚＳＳ  ＳＣＳを有する帯域に対するＣＯＲＥＳＥＴ構成（ＣＯＲＥＳＥＴに対する互いに異なるシンボル数選択と組み合わせられた周波数ＰＲＢオフセット）の一例が表２０Ａ及び表２０Ｂと同様に要約されることができ、ここで、この２つの表は、｛ＳＣＳ＿ＳＳ，ＳＣＳ＿ＲＭＳＩ｝の互いに異なる組み合わせに対して決定され、表２０Ａは、｛ＳＳ  ＳＣＳ，ＲＭＳＩ  ＳＣＳ｝＝｛３０ｋＨｚ，１５ｋＨｚ｝に対するもので、表２０Ｂは、｛ＳＳ  ＳＣＳ，ＲＭＳＩ  ＳＣＳ｝＝｛３０ｋＨｚ，３０ｋＨｚ｝に対するものである。一例として、表２０ＡではＸ＝１である。他の例として、表２０ＢではＸ＝３である。表２０Ａは、｛ＳＳ  ＳＣＳ，ＲＭＳＩ  ＳＣＳ｝＝｛３０ｋＨｚ，１５ｋＨｚ｝の場合、少なくとも最小ＣＨ  ＢＷが２０ＭＨｚである帯域に対するＲＭＳＩ  ＣＯＲＥＳＥＴ構成を例示したものである。
【０４４９】
【表２０Ａ】
2021501538.tif 000044
【０４５０】
表２０Ｂは、｛ＳＳ  ＳＣＳ，ＲＭＳＩ  ＳＣＳ｝＝｛３０ｋＨｚ，３０ｋＨｚ｝の場合、少なくとも最小ＣＨ  ＢＷが２０ＭＨｚである帯域に対するＲＭＳＩ  ＣＯＲＥＳＥＴ構成を例示したものである。
【０４５１】
【表２０Ｂ】
2021501538.tif 000045
【０４５２】
第７例では、ＮＲ帯域において、最小ＣＨ  ＢＷ＝１００ＭＨｚである場合、ＳＳ  ＳＣＳは１２０ｋＨｚに決定される。この帯域に対して、ＳＳラスターが５１８４０ｋＨｚ（ＳＳ  ＳＣＳで３６ＰＲＢ）に定義された場合、異なったＳＳラスターを使用する時、周波数オフセット表示が異なる場合があるので、ＣＯＲＥＳＥＴ構成が上記表と異なる場合がある。パターン１に対する、周波数オフセット（ＰＲＢレベル）構成方式の要約が表２１に示されている。表２１は、ＴＤＭケースに対するΔＦ２構成の例を示す。
【０４５３】
【表２１】
2021501538.tif 000046
【０４５４】
ＳＣＳ＿ＣＯＲＥＳＥＴ＝６０ｋＨｚ及び多重化パターン１に対するこのような例で、キャリアＢＷが１００ＭＨｚ（ＳＳニューマロラジで６６ＰＲＢ及びＲＭＳＩニューマロラジで１３２ＰＲＢ）で、ＲＭＳＩ  ＣＯＲＥＳＥＴ  ＢＷが４８ＰＲＢである場合、表示範囲はＳＳラスターと同じであることができ（例えば、ＳＳ  ＳＣＳで３６ＰＲＢ及びＲＭＳＩ  ＳＣＳで７２ＰＲＢ）、Δｆ２＝８５ＰＲＢであり、これにより、Ｎ＿ΔＦ２＝１、すなわち１つの構成でＳＳブロック及びＲＭＳＩ  ＣＯＲＥＳＥＴのエッジの間のＰＲＢレベル周波数オフセットを構成するに十分で、可能な値はＲＭＳＩ  ＣＯＲＥＳＥＴニューマロラジ観点から４ＰＲＢであり得る。
【０４５５】
ＳＣＳ＿ＣＯＲＥＳＥＴ＝６０ｋＨｚ及び多重化パターン１に対するこのような例で、キャリアＢＷが１００ＭＨｚ（ＳＳニューマロラジで６６ＰＲＢ及びＲＭＳＩニューマロラジで１３２ＰＲＢ）で、ＲＭＳＩ  ＣＯＲＥＳＥＴ  ＢＷが９６ＰＲＢである場合、表示範囲はＳＳラスターと同じであることができ（例えば、ＳＳ  ＳＣＳで３６ＰＲＢ及びＲＭＳＩ  ＳＣＳで７２ＰＲＢ）、Δｆ２＝３７ＰＲＢであり、これにより、Ｎ＿ΔＦ２＝２、すなわち２つの構成でＳＳブロック及びＲＭＳＩ  ＣＯＲＥＳＥＴのエッジの間のＰＲＢレベル周波数オフセットを構成するに十分で、可能な値はＲＭＳＩ  ＣＯＲＥＳＥＴニューマロラジ観点から１０、４６ＰＲＢであり得る。
【０４５６】
ＳＣＳ＿ＣＯＲＥＳＥＴ＝１２０ｋＨｚ及び多重化パターン１に対するこのような例で、キャリアＢＷが１００ＭＨｚ（ＳＳ及びＲＭＳＩニューマロラジで６６ＰＲＢ）で、ＲＭＳＩ  ＣＯＲＥＳＥＴ  ＢＷが２４ＰＲＢである場合、表示範囲はＳＳラスターと同じであることができ（例えば、ＳＳ及びＲＭＳＩ  ＳＣＳで３６ＰＲＢ）、Δｆ２＝４３ＰＲＢであり、これにより、Ｎ＿ΔＦ２＝１、すなわち１つの構成でＳＳブロック及びＲＭＳＩ  ＣＯＲＥＳＥＴのエッジの間のＰＲＢレベル周波数オフセットを構成するに十分で、可能な値はＲＭＳＩ  ＣＯＲＥＳＥＴニューマロラジ観点から２ＰＲＢであり得る。
【０４５７】
ＳＣＳ＿ＣＯＲＥＳＥＴ＝１２０ｋＨｚ及び多重化パターン１に対するこのような例で、キャリアＢＷが１００ＭＨｚ（ＳＳ及びＲＭＳＩニューマロラジで６６ＰＲＢ）で、ＲＭＳＩ  ＣＯＲＥＳＥＴ  ＢＷが４８ＰＲＢである場合、表示範囲はＳＳラスターと同じであることができ（例えば、ＳＳ及びＲＭＳＩ  ＳＣＳで３６ＰＲＢ）、Δｆ２＝１９ＰＲＢであり、これにより、Ｎ＿ΔＦ２＝２、すなわち２つの構成でＳＳブロック及びＲＭＳＩ  ＣＯＲＥＳＥＴのエッジの間のＰＲＢレベル周波数オフセットを構成するに十分で、可能な値はＲＭＳＩ  ＣＯＲＥＳＥＴニューマロラジ観点から５、２３ＰＲＢであり得る。
【０４５８】
多重化パターン２及びパターン３に対するこのような例では、２つの構成（例えばＳＳブロックの上端又は下端）で十分で、ＰＲＢオフセット値はΔＦ１の値及びＳＳ及びＲＭＳＩのＳＣＳが同じであるか否かに依存する。
【０４５９】
１００ＭＨｚ最小ＣＨ  ＢＷ及び１２０ｋＨｚＳＳ  ＳＣＳを有する帯域に対するＣＯＲＥＳＥＴ構成（ＣＯＲＥＳＥＴに対する互いに異なるシンボル数選択と組み合わせられた周波数ＰＲＢオフセット）の一例が表２２Ａ及び表２２Ｂと同様に要約されることができ、ここで、この２つの表は、｛ＳＣＳ＿ＳＳ，ＳＣＳ＿ＲＭＳＩ｝の互いに異なる組み合わせに対して決定され、表２２Ａは、｛ＳＳ  ＳＣＳ，ＲＭＳＩ  ＳＣＳ｝＝｛１２０ｋＨｚ，６０ｋＨｚ｝に対するもので、表２２Ｂは、｛ＳＳ  ＳＣＳ，ＲＭＳＩ  ＳＣＳ｝＝｛１２０ｋＨｚ，１２０ｋＨｚ｝に対するものである。表２２Ａは、｛ＳＳ  ＳＣＳ，ＲＭＳＩ  ＳＣＳ｝＝｛１２０ｋＨｚ，６０ｋＨｚ｝の場合、少なくとも最小ＣＨ  ＢＷが１００ＭＨｚである帯域に対するＲＭＳＩ  ＣＯＲＥＳＥＴ構成を例示したものである。
【０４６０】
【表２２Ａ】
2021501538.tif 000047
【０４６１】
表２２Ｂは、｛ＳＳ  ＳＣＳ，ＲＭＳＩ  ＳＣＳ｝＝｛１２０ｋＨｚ，１２０ｋＨｚ｝の場合、少なくとも最小ＣＨ  ＢＷが１００ＭＨｚである帯域に対するＲＭＳＩ  ＣＯＲＥＳＥＴ構成を例示したものである。
【０４６２】
【表２２Ｂ】
2021501538.tif 000048
【０４６３】
構成テーブル併合
【０４６４】
複数のＣＯＲＥＳＥＴ構成テーブルが互いに異なる最小ＣＨ  ＢＷを有する重複帯域に対してサポートされ得る場合、１つのアプローチでは、複数の構成テーブルが１つのテーブルに併合されてすべての帯域をサポートできる。
【０４６５】
表２３Ａ乃至表２３Ｅは、表７Ａが５ＭＨｚ最小ＣＨ  ＢＷを有する帯域に独占的に用いられ、表１２Ａが１０ＭＨｚ最小ＣＨ  ＢＷを有する帯域に独占的に用いられる場合、最小ＣＨ  ＢＷが５ＭＨｚ又は１０ＭＨｚである帯域を同時にサポートするために｛ＳＳ  ＳＣＳ，ＲＭＳＩ  ＳＣＳ｝＝｛１５ｋＨｚ，１５ｋＨｚ｝に対して、表７Ａ及び表１２Ａを併合する例である。表２３Ａは、｛ＳＳ  ＳＣＳ，ＲＭＳＩ  ＳＣＳ｝＝｛１５ｋＨｚ，１５ｋＨｚ｝の場合、少なくとも最小ＣＨ  ＢＷが５ＭＨｚ又は１０ＭＨｚである帯域に対するＲＭＳＩ  ＣＯＲＥＳＥＴ構成を例示したものである。
【０４６６】
【表２３Ａ】
2021501538.tif 000049
【０４６７】
表２３Ｂは、｛ＳＳ  ＳＣＳ，ＲＭＳＩ  ＳＣＳ｝＝｛１５ｋＨｚ，１５ｋＨｚ｝の場合、少なくとも最小ＣＨ  ＢＷが５ＭＨｚ又は１０ＭＨｚである帯域に対するＲＭＳＩ  ＣＯＲＥＳＥＴ構成を例示したものである。
【０４６８】
【表２３Ｂ】
2021501538.tif 000050
【０４６９】
表２３Ｃは、｛ＳＳ  ＳＣＳ，ＲＭＳＩ  ＳＣＳ｝＝｛１５ｋＨｚ，１５ｋＨｚ｝の場合、少なくとも最小ＣＨ  ＢＷが５ＭＨｚ又は１０ＭＨｚである帯域に対するＲＭＳＩ  ＣＯＲＥＳＥＴ構成を例示したものである。
【０４７０】
【表２３Ｃ】
2021501538.tif 000051
【０４７１】
表２３Ｄは、｛ＳＳ  ＳＣＳ，ＲＭＳＩ  ＳＣＳ｝＝｛１５ｋＨｚ，１５ｋＨｚ｝の場合、少なくとも最小ＣＨ  ＢＷが５ＭＨｚ又は１０ＭＨｚである帯域に対するＲＭＳＩ  ＣＯＲＥＳＥＴ構成を例示したものである。
【０４７２】
【表２３Ｄ】
2021501538.tif 000052
【０４７３】
表２３Ｅは、｛ＳＳ  ＳＣＳ，ＲＭＳＩ  ＳＣＳ｝＝｛１５ｋＨｚ，１５ｋＨｚ｝の場合、少なくとも最小ＣＨ  ＢＷが５ＭＨｚ又は１０ＭＨｚである帯域に対するＲＭＳＩ  ＣＯＲＥＳＥＴ構成を例示したものである。
【０４７４】
【表２３Ｅ】
2021501538.tif 000053
【０４７５】
表２４Ａは、表１４Ａが４０ＭＨｚ最小ＣＨ  ＢＷを有する帯域に独占的に用いられ、表２０Ａが２０ＭＨｚ最小ＣＨ  ＢＷを有する帯域に独占的に用いられる場合、最小ＣＨ  ＢＷが４０ＭＨｚ又は２０ＭＨｚである帯域を同時にサポートするために｛ＳＳ  ＳＣＳ，ＲＭＳＩ  ＳＣＳ｝＝｛３０ｋＨｚ，１５ｋＨｚ｝に対して、表１４Ａ及び表２０Ａを併合する例である。表２４Ａは、｛ＳＳ  ＳＣＳ，ＲＭＳＩ  ＳＣＳ｝＝｛３０ｋＨｚ，１５ｋＨｚ｝の場合、少なくとも最小ＣＨ  ＢＷが２０ＭＨｚ又は４０ＭＨｚである帯域に対するＲＭＳＩ  ＣＯＲＥＳＥＴ構成を例示したものである。
【０４７６】
【表２４Ａ】
2021501538.tif 000054
【０４７７】
表２４Ｂは、表１４Ｂが４０ＭＨｚ最小ＣＨ  ＢＷを有する帯域に独占的に用いられ、表２０Ｂが２０ＭＨｚ最小ＣＨ  ＢＷを有する帯域に独占的に用いられる場合、最小ＣＨ  ＢＷが４０ＭＨｚ又は２０ＭＨｚである帯域を同時にサポートするために｛ＳＳ  ＳＣＳ，ＲＭＳＩ  ＳＣＳ｝＝｛３０ｋＨｚ，３０ｋＨｚ｝に対して、表１４Ｂ及び表２０Ｂを併合する例である。一例として、表２４ＡではＸ＝１である。他の例として、表２４ＢではＸ＝３である。表２４Ｂは、｛ＳＳ  ＳＣＳ，ＲＭＳＩ  ＳＣＳ｝＝｛３０ｋＨｚ，３０ｋＨｚ｝の場合、少なくとも最小ＣＨ  ＢＷが２０ＭＨｚ又は４０ＭＨｚである帯域に対するＲＭＳＩ  ＣＯＲＥＳＥＴ構成を例示したものである。
【０４７８】
【表２４Ｂ】
2021501538.tif 000055
【０４７９】
測定目的のための構成強化。
【０４８０】
一実施形態で、それが該当テーブルに含まれず予備された構成が該当テーブルで利用可能な場合、ＣＯＲＥＳＥＴ  ＢＷ及び複数のＣＯＲＥＳＥＴシンボルの全ての組み合わせに対して、ＳＳブロック及びＲＭＳＩ  ＣＯＲＥＳＥＴ  ＢＷの中央整列構成が多重化パターン１に対して追加され得る。ＳＳブロック及びＲＭＳＩ  ＣＯＲＥＳＥＴ  ＢＷの中央整列を追加する目的はＳＳブロックの信号（例えば、ＳＳＳ）を使用してより良好な測定のためのものであって、この構成は必須ではない（例えば、全体構成数が理論上最小構成数を超過する場合がある）。
【０４８１】
一例で、予備された構成のうち１つを使用して、“多重化パターン”＝パターン１及び“ＣＯＲＥＳＥＴのシンボル数”＝１、２又は３と組み合わせられる“ＣＯＲＥＳＥＴ  ＢＷ”＝２４ＰＲＢに対するΔＦ２＝１４が表７Ｂに追加され得る。
【０４８２】
一例で、予備された構成のうち３つを使用して、“多重化パターン”＝パターン１及び“ＣＯＲＥＳＥＴのシンボル数”＝１、２又は３と組み合わせられる“ＣＯＲＥＳＥＴ  ＢＷ”＝４８ＰＲＢに対するΔＦ２＝１９が表７Ｂに追加され得る。
【０４８３】
他の例で、予備された構成のうち３つを使用して、“多重化パターン”＝パターン１及び“ＣＯＲＥＳＥＴのシンボル数”＝１、２又は３と組み合わせられる“ＣＯＲＥＳＥＴ  ＢＷ”＝４８ＰＲＢに対するΔＦ２＝４が表７Ｃに追加され得る。
【０４８４】
さらに他の例で、予備された構成のうち３つを使用して、“多重化パターン”＝パターン１及び“ＣＯＲＥＳＥＴのシンボル数”＝１、２及び３と組み合わせられる“ＣＯＲＥＳＥＴ  ＢＷ”＝４８ＰＲＢに対するΔＦ２＝４が表７Ｅに追加され得る。
【０４８５】
さらに他の例で、予備された構成のうち１つを使用して、“多重化パターン”＝パターン１及び“ＣＯＲＥＳＥＴのシンボル数”＝２と組み合わせられる“ＣＯＲＥＳＥＴ  ＢＷ”＝２４ＰＲＢに対するΔＦ２＝２が表７Ｆに追加され得る。
【０４８６】
さらに他の例で、予備された構成のうち２つを使用して、“多重化パターン”＝パターン１及び“ＣＯＲＥＳＥＴのシンボル数”＝１及び２と組み合わせられる“ＣＯＲＥＳＥＴ  ＢＷ”＝９６ＰＲＢに対するΔＦ２＝８が表７Ｇに追加され得る。
【０４８７】
さらに他の例で、予備された構成のうち２つを使用して、“多重化パターン”＝パターン１及び“ＣＯＲＥＳＥＴのシンボル数”＝１及び２と組み合わせられる“ＣＯＲＥＳＥＴ  ＢＷ”＝４８ＰＲＢに対するΔＦ２＝４が表７Ｈに追加され得る。
【０４８８】
さらに他の例で、予備された構成のうち３つを使用して、“多重化パターン”＝パターン１及び“ＣＯＲＥＳＥＴのシンボル数”＝１、２及び３と組み合わせられる“ＣＯＲＥＳＥＴ  ＢＷ”＝９６ＰＲＢに対するΔＦ２＝２８が表１４Ａに追加され得る。
【０４８９】
さらに他の例で、予備された構成のうち２つを使用して、“多重化パターン”＝パターン１及び“ＣＯＲＥＳＥＴのシンボル数”＝２及び３と組み合わせられる“ＣＯＲＥＳＥＴ  ＢＷ”＝２４ＰＲＢに対するΔＦ２＝２が表１４Ｂに追加され得る。
【０４９０】
さらに他の例で、予備された構成のうち３つを使用して、“多重化パターン”＝パターン１及び“ＣＯＲＥＳＥＴのシンボル数”＝１、２及び３と組み合わせられる“ＣＯＲＥＳＥＴ  ＢＷ”＝４８ＰＲＢに対するΔＦ２＝１４が表１４Ｃに追加され得る。
【０４９１】
本開示が例示的な実施形態で説明されたが、多様な変更及び修正が当業者に提案され得る。本開示は、添付された請求範囲の範囲内にあるこのような変更及び修正を含むことが意図される。
【０４９２】
本願の説明のうちいかなるものも任意の特定要素、ステップ又は機能が請求範囲に含まれるべき必須要素であることを示すと解釈されてはならない。特許対象の範囲は請求範囲によってのみ定義される。
【符号の説明】
【０４９３】
130  インターネット
210a  送受信機
210b  送受信機
210n  送受信機
215  ＴＸ処理回路
220  ＲＸ処理回路
225  コントローラ／プロセッサ
230  メモリ
235  バックホール／ネットワークＩＦ
310  ＲＦ送受信機
315  ＴＸ処理回路
320  マイクロホン
325  ＲＸ処理回路
330  スピーカ
340  プロセッサ
350  タッチスクリーン
355  ディスプレイ
360  メモリ
361  オペレーティングシステム
362  アプリケーションら
405  チャネルコーディング及び変調
415  サイズＮ  ＩＦＦＴ
425  加算サイクリックプレフィックス
460  除去サイクリックプレフィックス
470  サイズＮ  ＦＦＴ
480  チャネルデコード及び復調
510  情報ビットら
520  エンコーダ
530  変調器
550  ＲＥマッピング
555  送信ＢＷ制御
580  フィルタ
590  送信
610  受信
620  フィルタ
630  ＲＥデマッピング
635  受信ＢＷ制御
660  復調器
670  デコーダ
680  情報ビットら
710  データビットら
720  エンコーダ
730  変調器
750  ＲＥマッピング
755  送信ＢＷ制御
770  フィルタ
780  送信
810  受信
820  フィルタ
840  ＲＥデマッピング
845  受信ＢＷ制御
860  復調器
870  デコーダ
880  データビットら
930a  スライス１に対するデータフレーム／サブフレーム
930b  スライス１に対するデータフレーム／サブフレーム
970a  スライス２に対するデータフレーム／サブフレーム
970b  スライス２に対するデータフレーム／サブフレーム
970c  スライス２に対するデータフレーム／サブフレーム
【図１】
2021501538.tif 000060
【図２】
2021501538.tif 000061
【図３】
2021501538.tif 000062
【図４Ａ】
2021501538.tif 000063
【図４Ｂ】
2021501538.tif 000064
【図５】
2021501538.tif 000065
【図６】
2021501538.tif 000066
【図７】
2021501538.tif 000067
【図８】
2021501538.tif 000068
【図９】
2021501538.tif 000069
【図１０】
2021501538.tif 000070
【図１１】
2021501538.tif 000071
【図１２】
2021501538.tif 000072
【図１３Ａ】
2021501538.tif 000073
【図１３Ｂ】
2021501538.tif 000074
【図１３Ｃ】
2021501538.tif 000075
【図１４】
2021501538.tif 000076
【図１５】
2021501538.tif 000077
【図１６】
2021501538.tif 000078
【図１７】
2021501538.tif 000079
【図１８】
2021501538.tif 000080
【図１９】
2021501538.tif 000081
【図２０】
2021501538.tif 000082
【図２１】
2021501538.tif 000083
【図２２】
2021501538.tif 000084
【図２３】
2021501538.tif 000085
【図２４】
2021501538.tif 000086
【図２５】
2021501538.tif 000087
【図２６Ａ】
2021501538.tif 000088
【図２６Ｂ】
2021501538.tif 000089
【図２６Ｃ】
2021501538.tif 000090
【図２６Ｄ】
2021501538.tif 000091
【図２６Ｅ】
2021501538.tif 000092
【図２６Ｆ】
2021501538.tif 000093
【図２６Ｇ】
2021501538.tif 000094
【図２６Ｈ】
2021501538.tif 000095
【図２７Ａ】
2021501538.tif 000096
【図２７Ｂ】
2021501538.tif 000097
【図２７Ｃ】
2021501538.tif 000098
【図２７Ｄ】
2021501538.tif 000099
【図２７Ｅ】
2021501538.tif 000100
【図２７Ｆ】
2021501538.tif 000101
【国際調査報告】
2021501538.tif 000102
2021501538.tif 000103